(57)【特許請求の範囲】
【請求項１】
所定条件の成立に基づき変動演出を実行し、当該変動演出の結果が所定結果となった場合に、遊技者に有利な特別遊技を実行可能な遊技機において、
複数のコンテンツの中から何れか一つを設定するコンテンツ設定手段と、
前記コンテンツ設定手段によって設定されているコンテンツに対応するリーチ演出を実行する演出制御手段と、
前記変動演出の種類を指定するコマンドを前記演出制御手段に送信する遊技制御手段と、を備え、
前記演出制御手段は、演出態様を記憶する記憶手段の中から、前記コンテンツ設定手段によって設定されているコンテンツに対応するリーチ演出の演出態様のうちの、前記遊技制御手段からのコマンドによって指定された変動演出の種類に対応する演出態様を取得して、当該取得した演出態様でリーチ演出を実行し、さらに、１の変動演出において前記複数のコンテンツの夫々に対応するリーチ演出を複数種類実行することが可能であり、
前記演出制御手段が所定の一のコマンドを受信したことに応じて実行する変動演出に関し、前記コンテンツ設定手段によって、前記複数のコンテンツのうちの一のコンテンツが設定されている場合と、当該一のコンテンツ以外のコンテンツが設定されている場合とでは、当該変動演出の開始から終了までの時間は同一であるが、当該変動演出中に前記リーチ演出が発生するタイミングは異なることを特徴とする遊技機。
【発明の詳細な説明】
【技術分野】
【０００１】
本発明は、所定条件の成立に基づきゲームを実行し、当該ゲームの結果が所定結果となった場合に、遊技者に有利な特別遊技を実行可能な遊技機に関する。
【背景技術】
【０００２】
従来、遊技機の代表例としてパチンコ機がある。このパチンコ機では、遊技領域に設けられた始動口に遊技球が入賞すること（始動入賞）に基づいて、遊技領域に設けられた変動表示装置に表示される複数の識別情報（図柄、記号など）を変動表示する変動表示ゲームを開始し、所定時間経過後に停止した複数の識別情報の態様が予め定められた特別結果態様であった場合には、遊技者に多くの賞球を払い出す特別遊技状態となり、遊技者が多くの利益を獲得するものがある。この種のパチンコ機において、リアルタイムクロックを使用して遊技店への導入日を基準とした演出の発生を可能とするものが提案されている（例えば、特許文献１参照）。
【先行技術文献】
【特許文献】
【０００３】
【特許文献１】特開２０１２−２３１９２１号公報
【発明の概要】
【発明が解決しようとする課題】
【０００４】
しかしながら、他の遊技機とは差別化されたより一層の集客効果を得ることが可能な演出を実行することが求められている。
【０００５】
本発明の目的は、他の遊技機とは差別化されたより一層の集客効果を得ることが可能な演出を実行可能とすることである。
【課題を解決するための手段】
【０００６】
以上の課題を解決するため、請求項１に記載の発明は、
所定条件の成立に基づき変動演出を実行し、当該変動演出の結果が所定結果となった場合に、遊技者に有利な特別遊技を実行可能な遊技機において、
複数のコンテンツの中から何れか一つを設定するコンテンツ設定手段と、
前記コンテンツ設定手段によって設定されているコンテンツに対応するリーチ演出を実行する演出制御手段と、
前記変動演出の種類を指定するコマンドを前記演出制御手段に送信する遊技制御手段と、を備え、
前記演出制御手段は、演出態様を記憶する記憶手段の中から、前記コンテンツ設定手段によって設定されているコンテンツに対応するリーチ演出の演出態様のうちの、前記遊技制御手段からのコマンドによって指定された変動演出の種類に対応する演出態様を取得して、当該取得した演出態様でリーチ演出を実行し、さらに、１の変動演出において前記複数のコンテンツの夫々に対応するリーチ演出を複数種類実行することが可能であり、
前記演出制御手段が所定の一のコマンドを受信したことに応じて実行する変動演出に関し、前記コンテンツ設定手段によって、前記複数のコンテンツのうちの一のコンテンツが設定されている場合と、当該一のコンテンツ以外のコンテンツが設定されている場合とでは、当該変動演出の開始から終了までの時間は同一であるが、当該変動演出中に前記リーチ演出が発生するタイミングは異なることを特徴とする。
【発明の効果】
【００１０】
本発明によれば、他の遊技機とは差別化されたより一層の集客効果を得ることが可能な演出を実行可能となる。
【図面の簡単な説明】
【００１１】
【図１】本発明の一実施形態の遊技機を前面側から見た斜視図である。
【図２】遊技盤の正面図である。
【図３】入賞装置を説明する図である。
【図４】一括表示装置の詳細を説明する図である。
【図５】演出操作部の詳細を説明する図である。
【図６】遊技機の制御系の構成例を示すブロック図である。
【図７】遊技機の制御系の構成例を示すブロック図である。
【図８】メイン処理を説明するフローチャートである。
【図９】メイン処理を説明するフローチャートである。
【図１０】チェックサム算出処理を説明するフローチャートである。
【図１１】初期値乱数更新処理を説明するフローチャートである。
【図１２】タイマ割込み処理を説明するフローチャートである。
【図１３】入力処理を説明するフローチャートである。
【図１４】スイッチ読み込み処理を説明するフローチャートである。
【図１５】出力処理を説明するフローチャートである。
【図１６】払出コマンド送信処理を説明するフローチャートである。
【図１７】乱数更新処理１を説明するフローチャートである。
【図１８】乱数更新処理２を説明するフローチャートである。
【図１９】入賞口スイッチ／状態監視処理を説明するフローチャートである。
【図２０】不正＆入賞監視処理を説明するフローチャートである。
【図２１】入賞数カウンタ更新処理を説明するフローチャートである。
【図２２】始動口エラー監視処理を説明するフローチャートである。
【図２３】遊技機状態チェック処理を説明するフローチャートである。
【図２４】払出ビジー信号チェック処理を説明するフローチャートである。
【図２５】特図ゲーム処理を説明するフローチャートである。
【図２６】始動口スイッチ監視処理を説明するフローチャートである。
【図２７】ハード乱数取得処理を説明するフローチャートである。
【図２８】特図始動口スイッチ共通処理を説明するフローチャートである。
【図２９】特図保留情報判定処理を説明するフローチャートである。
【図３０】先読み大当り判定処理を説明するフローチャートである。
【図３１】大入賞口スイッチ監視処理を説明するフローチャートである。
【図３２】特図普段処理を説明するフローチャートである。
【図３３】（ａ）は特図１変動開始処理を説明するフローチャートであり、（ｂ）は特図２変動開始処理を説明するフローチャートである。
【図３４】（ａ）は大当りフラグ１設定処理を説明するフローチャートであり、（ｂ）は大当りフラグ２設定処理を説明するフローチャートである。
【図３５】大当り判定処理を説明するフローチャートである。
【図３６】特図１停止図柄設定処理を説明するフローチャートである。
【図３７】特図２停止図柄設定処理を説明するフローチャートである。
【図３８】特図情報設定処理を説明するフローチャートである。
【図３９】変動パターン設定処理を説明するフローチャートである。
【図４０】変動開始情報設定処理を説明するフローチャートである。
【図４１】特図変動中処理を説明するフローチャートである。
【図４２】特図表示中処理を説明するフローチャートである。
【図４３】ファンファーレ／インターバル中処理移行設定処理１を説明するフローチャートである。
【図４４】ファンファーレ／インターバル中処理を説明するフローチャートである。
【図４５】大入賞口開放中処理を説明するフローチャートである。
【図４６】大入賞口残存球処理を説明するフローチャートである。
【図４７】大当り終了処理を説明するフローチャートである。
【図４８】（ａ）は大当り終了設定処理１を説明するフローチャートであり、（ｂ）は大当り終了設定処理２を説明するフローチャートである。
【図４９】大当り終了設定処理３を説明するフローチャートである。
【図５０】演出コマンド設定処理を説明するフローチャートである。
【図５１】図柄変動制御処理を説明するフローチャートである。
【図５２】（ａ）は振り分け処理を説明するフローチャートであり、（ｂ）は２バイト振り分け処理を説明するフローチャートである。
【図５３】普図ゲーム処理を説明するフローチャートである。
【図５４】ゲートスイッチ監視処理を説明するフローチャートである。
【図５５】普電入賞スイッチ監視処理を説明するフローチャートである。
【図５６】普図普段処理を説明するフローチャートである。
【図５７】普図変動中処理移行設定処理を説明するフローチャートである。
【図５８】普図変動中処理を説明するフローチャートである。
【図５９】普図表示中処理を説明するフローチャートである。
【図６０】普図当り中処理を説明するフローチャートである。
【図６１】普電作動移行設定処理を説明するフローチャートである。
【図６２】普電残存球処理を説明するフローチャートである。
【図６３】普図当り終了処理を説明するフローチャートである。
【図６４】セグメントＬＥＤ編集処理を説明するフローチャートである。
【図６５】磁石不正監視処理を説明するフローチャートである。
【図６６】盤電波不正監視処理を説明するフローチャートである。
【図６７】外部情報編集処理を説明するフローチャートである。
【図６８】外部情報編集処理を説明するフローチャートである。
【図６９】メイン賞球信号編集処理を説明するフローチャートである。
【図７０】始動口信号編集処理を説明するフローチャートである。
【図７１】演出制御装置でのメイン処理を説明するフローチャートである。
【図７２】機種解放監視処理を説明するフローチャートである。
【図７３】ホール・遊技者設定モード処理を説明するフローチャートである。
【図７４】受信コマンドチェック処理を説明するフローチャートである。
【図７５】受信コマンド解析処理を説明するフローチャートである。
【図７６】単発系コマンド処理を説明するフローチャートである。
【図７７】図柄系コマンド処理を説明するフローチャートである。
【図７８】変動系コマンド処理を説明するフローチャートである。
【図７９】変動演出設定処理を説明するフローチャートである。
【図８０】変動演出設定処理を説明するフローチャートである。
【図８１】客待ちデモ編集処理を説明するフローチャートである。
【図８２】機種強制切替処理を説明するフローチャートである。
【図８３】遊技者機種選択処理を説明するフローチャートである。
【図８４】演出ポイント制御処理を説明するフローチャートである。
【図８５】演出カスタマイズ処理を説明するフローチャートである。
【図８６】搭載機種及び未搭載機種を説明する図である。
【図８７】各搭載機種に対応する変動演出のタイミングを説明する図である。
【図８８】画面分割リーチを説明する図である。
【図８９】画面分割リーチを説明する図である。
【図９０】画面分割リーチを説明する図である。
【図９１】機種強制切替を説明する図である。
【図９２】機種強制切替を説明する図である。
【図９３】機種強制切替を説明する図である。
【図９４】機種強制切替を説明する図である。
【図９５】機種強制切替を説明する図である。
【図９６】機種強制切替を説明する図である。
【図９７】機種強制切替を説明する図である。
【図９８】継続回数に対応する同一機種継続条件を説明する図である。
【図９９】演出カスタマイズを説明する図である。
【図１００】演出カスタマイズを説明する図である。
【図１０１】演出カスタマイズを説明する図である。
【図１０２】演出カスタマイズを説明する図である。
【図１０３】演出カスタマイズを説明する図である。
【図１０４】演出カスタマイズを説明する図である。
【発明を実施するための形態】
【００１２】
以下、本発明の好適な実施の形態を図面に基づいて説明する。図１は、本発明の一実施形態の遊技機の説明図である。
【００１３】
本実施形態の遊技機１０は前面枠１２を備え、該前面枠１２は外枠（支持枠）１１にヒンジ１３を介して開閉回動可能に組み付けられている。遊技盤３０（図２参照）は前面枠１２の表側に形成された収納部（図示省略）に収納されている。また、前面枠（本体枠）１２には、遊技盤３０の前面を覆うカバーガラス（透明部材）１４を備えたガラス枠１５（透明板保持枠）が取り付けられている。
【００１４】
また、ガラス枠１５の上部には、内部にランプ及びモータを内蔵した照明装置（ムービングライト）１６や払出異常報知用のランプ（ＬＥＤ）１７が設けられている。また、ガラス枠１５の左右には内部にランプ等を内蔵し装飾や演出のための発光をする枠装飾装置１８や、音響（例えば、効果音）を発するスピーカ（上スピーカ）１９ａが設けられている。さらに、前面枠１２の下部にもスピーカ（下スピーカ）１９ｂが設けられている。
【００１５】
また、前面枠１２の下部には、図示しない打球発射装置に遊技球を供給する上皿２１（貯留皿）、遊技機１０の裏面側に設けられている払出ユニットから払い出された遊技球が流出する上皿球出口２２、上皿２１が一杯になった状態で払い出された遊技球を貯留する下皿（受皿）２３及び打球発射装置の操作部２４等が設けられている。さらに、上皿２１の上縁部には、遊技者からの操作入力を受け付ける演出操作部５５０が設けられている。この演出操作部５５０は、遊技者からの押圧操作入力を受け付けるための演出ボタンスイッチ２５ａを内蔵した演出ボタン２５であり、さらに、演出ボタン２５の上面（押圧面）には、遊技者からの接触操作入力を受け付けるためのタッチパネル２９が設けられている。また、前面枠１２下部右側には、前面枠１２やガラス枠１５を開放したり施錠したりするための鍵２６が設けられている。
なお、本実施形態ではタッチパネル２９を演出ボタン２５と一体的に設けたが、タッチパネル２９は、演出ボタン２５と別体であってもよく、例えば、演出ボタン２５の近傍にサブ表示装置を設け、そのサブ表示装置の表示面にタッチパネル２９を設けてもよい。
【００１６】
また、上皿２１上方のガラス枠１５の前面には、遊技者が隣接する球貸機から球貸しを受ける場合に操作する球貸ボタン２７、球貸機のカードユニットからプリペイドカードを排出させるために操作する排出ボタン２８、プリペイドカードの残高を表示する残高表示部（図示省略）等が設けられている。この実施形態の遊技機１０においては、遊技者が上記操作部２４を回動操作することによって、打球発射装置が上皿２１から供給される遊技球を遊技盤３０前面の遊技領域３２に向かって発射する。また、遊技者が演出操作部５５０を操作することによって、表示装置４１（図２参照）における変動表示ゲーム（飾り特図変動表示ゲーム）において、遊技者の操作を介入させた演出等を行うことができる。
【００１７】
次に、図２を用いて遊技盤３０の一例について説明する。図２は、本実施形態の遊技盤３０の正面図である。
【００１８】
遊技盤３０の表面には、ガイドレール３１で囲われた略円形状の遊技領域３２が形成されている。遊技領域３２は、遊技盤３０の四隅に各々設けられた樹脂製のサイドケース３３及びガイドレール３１に囲繞されて構成される。遊技領域３２には、ほぼ中央に表示装置４１を備えたセンターケース（遊技演出構成体）４０が配置されている。表示装置４１は、センターケース４０に設けられた凹部に、センターケース４０の前面より奥まった位置に取り付けられている。すなわち、センターケース４０は表示装置４１の表示領域の周囲を囲い、表示装置４１の表示面よりも前方へ突出し周囲の遊技領域３２から遊技球が飛び込みにくくするように形成されている。
【００１９】
表示装置４１（変動表示装置）は、例えば、ＬＣＤ（液晶表示器）、ＣＲＴ（ブラウン管）等の表示画面を有する装置で構成されている。表示画面の画像を表示可能な領域（表示領域）には、複数の識別情報（特別図柄）や特図変動表示ゲームを演出するキャラクタや演出効果を高める背景画像等の遊技に関する情報が表示される。表示装置４１の表示画面においては、識別情報として割り当てられた複数の特別図柄が変動表示（可変表示）されて、特図変動表示ゲームに対応した飾り特図変動表示ゲームが行われる。また、表示画面には遊技の進行に基づく演出のための画像（例えば、大当り表示画像、ファンファーレ表示画像、エンディング表示画像等）が表示される。
【００２０】
また、センターケース４０の右上部には、動作することによって遊技の演出を行う盤演出装置４４が備えられている。盤演出装置４４は、先端部にサブ表示装置４２が取り付けられたアームを２本備えており、アームが基端部を中心に回動することによって、サブ表示装置４２を、表示装置４１に対して前後方向に重なる状態と重ならない状態とに変換させることが可能となっている。
【００２１】
遊技領域３２におけるセンターケース４０の下方右側には、普図変動表示ゲームの開始条件を与える普通図柄始動ゲート（普図始動ゲート）３４が設けられている。普図始動ゲート３４に入賞した遊技球は、ゲートスイッチ３４ａ（図６参照）により検出される。
また、遊技領域３２におけるセンターケース４０の下方左側には、三つの一般入賞口３５が配置され、センターケース４０の下方右側であって普図始動ゲート３４よりも下側には、一つの一般入賞口３５が配置されている。これら一般入賞口３５に入賞した遊技球は、入賞口スイッチ３５ａ（図６参照）により検出される。
【００２２】
また、普図始動ゲート３４の左方には、第２特図変動表示ゲーム（特図２変動表示ゲーム）の開始条件を与える普通変動入賞装置３７（始動入賞口、始動入賞領域）が設けられている。
普通変動入賞装置３７は、上端側が右側に倒れる方向に回動することで開放して遊技球が流入し易い状態に変換可能な可動部材３７ｂと、遊技球の流入を規制する隔壁３７ｄとを備えている。可動部材３７ｂは、常時は起立することで隔壁３７ｄとの間隔を遊技球の直径以下にした状態、すなわち遊技球が流入できない閉じた閉状態（遊技者にとって不利な状態）を保持している。そして、普図変動表示ゲームの結果が所定の停止表示態様となった場合には、駆動装置としての普電ソレノイド３７ｃ（図６参照）によって、普通変動入賞装置３７に遊技球が流入し易い開状態（遊技者にとって有利な状態）に変化させられるようになっている。普通変動入賞装置３７に入賞した遊技球は、始動口２スイッチ３７ａ（図６参照）により検出される。
【００２３】
さらに、普通変動入賞装置３７の下方には、特図変動表示ゲームの結果によって遊技球を受け入れない状態と受け入れ易い状態とに変換可能な特別変動入賞装置（大入賞口）３８が配設されている。
特別変動入賞装置３８は、上端側が手前側に倒れる方向に回動して開放可能になっているアタッカ形式の開閉扉３８ｃを有しており、補助遊技としての特図変動表示ゲームの結果如何によって大入賞口を閉じた状態（遊技者にとって不利な閉塞状態）から開放状態（遊技者にとって有利な状態）に変換する。すなわち、特別変動入賞装置３８は、例えば、駆動装置としての大入賞口ソレノイド３８ｂ（図６参照）により駆動される開閉扉３８ｃによって開閉される大入賞口を備え、特別遊技状態中は、大入賞口を閉じた状態から開いた状態に変換することにより大入賞口内への遊技球の流入を容易にさせ、遊技者に所定の遊技価値（賞球）を付与するようになっている。なお、大入賞口の内部（入賞領域）には、当該大入賞口に入った遊技球を検出する検出手段としての大入賞口スイッチ（カウントスイッチ）３８ａ（図６参照）が配設されている。本実施形態の遊技機では、大入賞口スイッチ３８ａが２つ設けられ、大入賞口内に流入した遊技球は何れかの大入賞口スイッチ３８ａに検出されるようになっている。このように大入賞口スイッチ３８ａを複数設けることで、大入賞口内に流入した遊技球を迅速に検出できる。
【００２４】
また、センターケース４０の下方には、第１特図変動表示ゲーム（特図１変動表示ゲーム）の開始条件を与える第１始動入賞口３６（始動入賞口、始動入賞領域）および第２特図変動表示ゲーム（特図２変動表示ゲーム）の開始条件を与える第２始動入賞口９７（始動入賞口、始動入賞領域）を備える入賞装置９０が設けられている。
入賞装置９０は、上部の流入口９０ａに流入した遊技球を内部で第１始動入賞口３６と第２始動入賞口９７とに交互に振り分ける振分部材９２を備えている（図３参照）。第１始動入賞口３６に入賞した遊技球は、始動口１スイッチ３６ａ（図６参照）によって検出され、第２始動入賞口９７に入賞した遊技球は、始動口３スイッチ９７ａ（図６参照）によって検出される。
また、入賞装置９０の下方には、入賞口などに入賞しなかった遊技球を回収するアウト口３０ａが設けられている。
【００２５】
図３（ａ）〜（ｃ）は、本実施形態の入賞装置９０の正面図であって、前カバー部材を取り外した状態を示す図である。
図３（ａ）に示すように、入賞装置９０は、その内部のうち、流入口９０ａの直下となる位置に振分部材９２を備えている。また、振分部材９２の左下方には第１始動入賞口３６が配され、振分部材９２の右下方には第２始動入賞口９７が配されている。
さらに、振分部材９２や第１始動入賞口３６、第２始動入賞口９７の前方を覆うように前カバー部材が設けられている。この前カバー部材は、入賞装置９０内の遊技球の挙動を視認可能なように透明又は半透明となっている。
【００２６】
振分部材９２は、前後方向に沿った軸ピン９２ａを中心として回動可能であり、軸ピン９２ａが配される位置から上方へ延出する上腕部９２ｂと左方へ延出する左腕部９２ｃと右方へ延出する右腕部９２ｄとを有している。３つの腕部のうちの上腕部９２ｂの左方には、当該上腕部９２ｂと左腕部９２ｃとによって遊技球を一時的に保持する左保持部９２ｅが形成され、上腕部９２ｂの右方には、当該上腕部９２ｂと右腕部９２ｄとによって遊技球を一時的に保持する右保持部９２ｆが形成されている。
振分部材９２は、上腕部９２ｂが常に上を向いた状態で、図３（ｂ）に示すように左保持部９２ｅが流入口９０ａに流入した遊技球を受け入れ可能な位置と、図３（ｃ）に示すように右保持部９２ｆが流入口９０ａに流入した遊技球を受け入れ可能な位置との間で回動可能となっている。
【００２７】
図３（ｂ）に示すように、左保持部９２ｅが流入口９０ａに流入した遊技球を受け入れ可能な位置にある場合は、右保持部９２ｆが第２始動入賞口９７へ向けて遊技球を流下させた状態となる。
また、図３（ｃ）に示すように、右保持部９２ｆが流入口９０ａに流入した遊技球を受け入れ可能な位置にある場合は、左保持部９２ｅが第１始動入賞口３６へ向けて遊技球を流下させた状態となる。
【００２８】
また、図３（ａ）に示すように、振分部材９２のうち、上腕部９２ｂの後方には、振分部材側磁石９６ａが取り付けられている。また、振分部材９２が前方から装着されるベース部材９３のうち、上腕部９２ｂが垂直になった際に振分部材側磁石９６ａと対向する位置には、ベース部材側磁石９６ｂが取り付けられている。振分部材側磁石９６ａとベース部材側磁石９６ｂとは対向する側の極が同じ極となるように取り付けられており、磁石９６ａ，９６ｂの反発力によって、振分部材９２は上腕部９２ｂが垂直になった状態で留まらずに左右の何れかへ回動するように付勢されている。これにより、振分部材９２の回動が停止した状態では、左保持部９２ｅと右保持部９２ｆの何れかが必ず流入口９０ａに流入した遊技球を受け入れ可能な状態となる。
【００２９】
図３（ｂ），（ｃ）に示すように、流入口９０ａに流入した遊技球は、左保持部９２ｅと右保持部９２ｆのうちの流入口９０ａに向いて受け入れ可能な状態となっている一方の保持部で保持される。一方の保持部で遊技球が保持されると、遊技球の重さによって振分部材９２は当該一方の保持部の方向へ回動し、保持された遊技球は振分部材９２が回動した方向にある第１始動入賞口３６または第２始動入賞口９７へ向けて流下する。
【００３０】
すなわち、図３（ｂ）に示すように左保持部９２ｅで流入した遊技球を受けると振分部材９２が遊技球の重さによって左に回動して第１始動入賞口３６へ遊技球を案内した後、図３（ｃ）に示すように右保持部９２ｆが次の遊技球を受入可能な状態で停止する。そして、図３（ｃ）に示すように右保持部９２ｆで流入した遊技球を受けると振分部材９２が遊技球の重さによって右に回動して第２始動入賞口９７へ遊技球を案内した後、図３（ｂ）に示すように左保持部９２ｅが次の遊技球を受入可能な状態で停止する。
【００３１】
保持部９２ｅ，９２ｆから流下した遊技球は第１始動入賞口３６または第２始動入賞口９７へ流入する可能性が高いが流入しないこともあり、流入しなかった場合は入賞装置９０の外へ流出する。特に、保持部９２ｅ，９２ｆへ流入する際の勢いが強いと第１始動入賞口３６または第２始動入賞口９７へ流入しない可能性が高い。なお、必ず何れかの始動入賞口に入賞するように構成しても良い。
【００３２】
また、振分部材９２が回動することによって、遊技球を保持していた保持部ではない他方の保持部が流入口９０ａに向いて受け入れ可能な状態となる。そして、次回受け入れられた遊技球は当該他方の保持部側にある入賞口へ誘導される。これにより、順次流入口９０ａへ流入する遊技球は第１始動入賞口３６と第２始動入賞口９７とに交互に振り分けられることとなる。
【００３３】
本実施形態の遊技機１０においては、遊技球が流下する遊技領域３２のうち、センターケース４０の左方の領域が左側遊技領域とされ、センターケース４０の右方の領域が右側遊技領域とされている。そして、遊技者が発射勢を調節して左側遊技領域へ遊技球を発射（いわゆる左打ち）することで入賞装置９０への入賞を狙うことができ、右側遊技領域へ遊技球を発射（いわゆる右打ち）することで普図始動ゲート３４や普通変動入賞装置３７や特別変動入賞装置３８への入賞を狙うことができるようになっている。
【００３４】
また、遊技領域３２の外側（ここでは遊技盤３０の右下部）には、特図変動表示ゲームをなす第１特図変動表示ゲームや第２特図変動表示ゲーム及び普図始動ゲート３４への入賞をトリガとする普図変動表示ゲームの表示や、各種情報を表示する一括表示装置５０が設けられている。
【００３５】
一括表示装置５０は、図４（ａ）に示すように、７セグメント型の表示器（ＬＥＤランプ）等で構成された第１特図変動表示ゲーム用の特図１表示器（第１特図変動表示部）５１ａ（Ｄ１）及び第２特図変動表示ゲーム用の特図２表示器（第２特図変動表示部）５１ｂ（Ｄ２）と、ＬＥＤランプで構成された普図変動表示ゲーム用の変動表示部（普図表示器）５２（Ｄ１０，Ｄ１８）と、同じくＬＥＤランプで構成された各変動表示ゲームの始動記憶数報知用の記憶表示部５３，５４，５５（Ｄ１１〜Ｄ１６）とを備える。
【００３６】
また、一括表示装置５０には、左打ちよりも右打ちの方が有利な遊技状態であることを報知する第１遊技状態表示部（第１遊技状態表示器、右打ち報知部）５６（Ｄ８）、時短状態が発生すると点灯して時短状態発生を報知する第２遊技状態表示部（第２遊技状態表示器、時短状態報知部）５７（Ｄ９）、遊技機１０の電源投入時に大当りの確率状態が高確率状態となっていることを表示する第３遊技状態表示部（第３遊技状態表示器、確率状態表示部）５８（Ｄ１７）、大当り時のラウンド数（特別変動入賞装置３８の開閉回数）を表示するラウンド表示部５９（Ｄ３〜Ｄ７）が設けられている。なお、一括表示装置５０には、更に、大当りが発生すると点灯して大当り発生を報知する表示部（表示器）等が設けられていてもよい。
【００３７】
特図１表示器５１ａと特図２表示器５１ｂにおける特図変動表示ゲームは、例えば変動表示ゲームの実行中、すなわち、表示装置４１において飾り特図変動表示ゲームを行っている間は、中央のセグメントを点滅駆動させて変動中であることを表示する。なお、本実施形態の場合、特図１表示器５１ａにおける特図変動表示ゲームにおいては、中央のセグメントに加えて７セグの右方下側に設けられた８番目のセグメントも点滅駆動させて変動中であることを表示するようにし、特図１と特図２との区別が可能なように構成されている。そして、ゲームの結果が「はずれ」のときは、はずれの結果態様として例えば中央のセグメント（特図１であれば加えて右方下側の８番目のセグメント）を点灯状態にし、ゲームの結果が「当り」のときは、当りの結果態様（特別結果態様）としてはずれの結果態様以外の結果態様（例えば、数字や記号）を点灯状態にしてゲーム結果を表示する。
【００３８】
普図表示器５２は、変動中はランプを点滅させて変動中であることを表示し、所定時間後にゲームの結果に応じた点灯態様や点灯色としてゲーム結果を表示する。本実施形態の場合、図４（ｄ）に示すように、普図表示器５２を構成するランプＤ１０とランプＤ１８のうち、変動用図柄番号が「０」のとき（すなわち、ゲームの結果がはずれのとき）はランプＤ１０のみを点灯状態にし、変動用図柄番号が「１」のとき（すなわち、ゲームの結果が当りで当り停止図柄番号が「１」のとき）はランプＤ１８のみを点灯状態にし、変動用図柄番号が「２」のとき（すなわち、ゲームの結果が当りで当り停止図柄番号が「２」のとき）はランプＤ１０及びランプＤ１８の双方を点灯状態にするよう構成されている。
【００３９】
また、普図保留表示器５５は、普図表示器５２の変動開始条件となる普図始動ゲート３４の始動記憶数（＝保留数）を複数のＬＥＤの消灯、点滅、点灯により表示する。本実施形態の場合、図４（ｃ）に示すように、普図保留表示器５５を構成するランプＤ１５とランプＤ１６のうち、保留数が「０」のときはランプＤ１５及びランプＤ１６の双方を消灯状態にし、保留数が「１」のときはランプＤ１５のみを点灯状態にし、保留数が「２」のときはランプＤ１５及びランプＤ１６の双方を点灯状態にし、保留数が「３」のときはランプＤ１５を点滅状態にしてランプＤ１６を点灯状態にし、保留数が「４」のときはランプＤ１５及びランプＤ１６の双方を点滅状態にするよう構成されている。
【００４０】
特図１保留表示器５３は、特図１表示器５１ａにおいて表示される第１特図変動表示ゲームの実行権利である第１始動記憶（特図１保留）の数を複数のＬＥＤの消灯、点滅、点灯により表示する。本実施形態の場合、図４（ｂ）に示すように、特図１保留表示器５３を構成するランプＤ１１とランプＤ１２のうち、特図１始動記憶数が「０」のときはランプＤ１１及びランプＤ１２の双方を消灯状態にし、特図１始動記憶数が「１」のときはランプＤ１１のみを点灯状態にし、特図１始動記憶数が「２」のときはランプＤ１１及びランプＤ１２の双方を点灯状態にし、特図１始動記憶数が「３」のときはランプＤ１１を点滅状態にしてランプＤ１２を点灯状態にし、特図１始動記憶数が「４」のときはランプＤ１１及びランプＤ１２の双方を点滅状態にするよう構成されている。
【００４１】
特図２保留表示器５４は、特図２表示器５１ｂにおいて表示される第２特図変動表示ゲームの実行権利である第２始動記憶（特図２保留）の数を、複数のＬＥＤの消灯、点滅、点灯により表示する。本実施形態の場合、図４（ｂ）に示すように、特図２保留表示器５４を構成するランプＤ１３とランプＤ１４のうち、特図２始動記憶数が「０」のときはランプＤ１３及びランプＤ１４の双方を消灯状態にし、特図２始動記憶数が「１」のときはランプＤ１３のみを点灯状態にし、特図２始動記憶数が「２」のときはランプＤ１３及びランプＤ１４の双方を点灯状態にし、特図２始動記憶数が「３」のときはランプＤ１３を点滅状態にしてランプＤ１４を点灯状態にし、特図２始動記憶数が「４」のときはランプＤ１３及びランプＤ１４の双方を点滅状態にするよう構成されている。
【００４２】
第１遊技状態表示部（右打ち報知部）５６は、ＬＥＤランプ等で構成され、例えば図４（ｆ）に示すように、右打ちよりも左打ちの方が有利な遊技状態（通常打ち状態）の場合にはランプを消灯状態にし、左打ちよりも右打ちの方が有利な遊技状態（右打ち状態）の場合にはランプを点灯状態にする。
【００４３】
第２遊技状態表示部（時短状態報知部）５７は、ＬＥＤランプ等で構成され、例えば図４（ｆ）に示すように、時短状態が発生していない通常の遊技状態の場合（時短未作動時）にはランプを消灯状態にし、時短状態が発生している場合（時短作動時）にはランプを点灯状態にする。
【００４４】
第３遊技状態表示部（確率状態表示部）５８は、ＬＥＤランプ等で構成され、例えば図４（ｆ）に示すように、遊技機１０の電源投入時に大当りの確率状態が低確率状態（通常確率状態）の場合にはランプを消灯状態にし、遊技機１０の電源投入時に大当りの確率状態が高確率状態（確変状態）の場合にはランプを点灯状態にする。
【００４５】
ラウンド表示部５９は、ＬＥＤランプ等で構成され、例えば、大当りに基づく特別遊技状態中でない場合にはランプを消灯状態にし、特別遊技状態中には特別結果に応じて選択されたラウンド数に対応するランプを点灯状態にする。本実施形態の場合、図４（ｅ）に示すように、ラウンド表示部５９を構成するランプＤ３〜Ｄ７のうち、選択されたラウンド数が「１６」のときはランプＤ３，Ｄ５，Ｄ７を点灯状態にし、選択されたラウンド数が「２」のときはランプＤ４，Ｄ６を点灯状態にするよう構成されている。なお、ラウンド表示部は７セグメント型の表示器で構成してもよい。
【００４６】
図５には、演出操作部５５０の詳細を示した。
図５（ａ）は、演出操作部５５０の平面図である。本実施形態の演出操作部５５０は、図５（ａ）に示すように、演出ボタン（プッシュボタン）２５と、演出ボタン（プッシュボタン）２５の上面に設けられたタッチパネル２９と、を備えて構成されている。すなわち、演出操作部５５０は、物理的なプッシュボタン機能に加えて、タッチセンサ機能（タッチパネル機能）を有している。
【００４７】
そして、演出制御基板（演出制御装置）３００から演出操作部５５０へは、感度設定データやＬＥＤ輝度データなどが送信され、演出操作部５５０から演出制御基板（演出制御装置）３００へは、演出ボタン（プッシュボタン）２５が備える演出ボタンスイッチ（プッシュセンサ）２５ａからのプッシュボタン信号（押圧検出信号）やタッチパネル２９が備えるタッチセンサ２９ａからのタッチＯＮ／ＯＦＦ信号（接触／非接触検出信号）が出力されるよう構成されている。
【００４８】
本実施形態の場合、演出ボタン（プッシュボタン）２５が備える演出ボタンスイッチ（プッシュセンサ）２５ａで、演出操作部５５０の上面に対する押圧操作（演出操作部５５０の上面を押して演出操作部５５０を押し下げる操作）を検出する。また、演出操作部５５０の上面には複数のポイントが設けられており、タッチパネル２９が備えるタッチセンサで、演出操作部５５０の上面に設けられたポイントに対する接触操作を検出する。
【００４９】
具体的には、図５（ｂ）に示すように、複数のポイントとして、「ＴＳＷ１」〜「ＴＳＷ８」ポイントと、「Ｐａ」ポイントと、の９つのポイントが設けられている。より具体的には、演出操作部５５０上面の中央部に設けられた「ＴＳＷ４」ポイントと、「ＴＳＷ４」ポイントの左側に設けられた「ＴＳＷ１」ポイントと、「ＴＳＷ４」ポイントよりも奥側（遊技盤３０側）に設けられた「ＴＳＷ３」ポイントと、「ＴＳＷ４」ポイントの右側に設けられた「ＴＳＷ６」ポイントと、「ＴＳＷ４」ポイントよりも手前側（遊技者側）に設けられた「ＴＳＷ８」ポイントと、「ＴＳＷ１」ポイントと「ＴＳＷ３」ポイントとの間に設けられた「ＴＳＷ２」ポイントと、「ＴＳＷ３」ポイントと「ＴＳＷ６」ポイントとの間に設けられた「ＴＳＷ５」ポイントと、「ＴＳＷ６」ポイントと「ＴＳＷ８」ポイントとの間に設けられた「ＴＳＷ７」ポイントと、「ＴＳＷ８」ポイントと「ＴＳＷ１」ポイントとの間に設けられた「Ｐａ」ポイントと、が設けられている。なお、ポイントの数は、９つに限定されるものではなく、適宜任意に変更可能である。また、図５（ｂ）では、便宜上、「ＴＳＷ１」〜「ＴＳＷ８」の各ポイントにそれぞれ「ＴＳＷ１」〜「ＴＳＷ８」と表記しているが、本実施形態の演出操作部５５０には、図５（ａ）に示すように、このような表記はない。
【００５０】
タッチパネル２９のタッチセンサによって接触操作が検出可能なポイントは、「ＴＳＷ１」〜「ＴＳＷ８」ポイントの８つのポイントであり、「Ｐａ」ポイントでは接触操作を検出しない。もちろん「Ｐａ」ポイントでも接触操作を検出するようにしても良い。また、「ＴＳＷ１」〜「ＴＳＷ８」ポイントと「Ｐａ」ポイントとの９つのポイント各々には、それぞれが独立した系統のＬＥＤ（本実施形態の場合、フルカラーＬＥＤ）が配置されている。
【００５１】
「Ｐａ」ポイントは、例えば、「Ｐａ」ポイントのＬＥＤを一発告知用の告知ランプとして使用することや、演出操作部５５０上面の各ポイントのＬＥＤをルーレットのように順次点灯させ「Ｐａ」ポイントのＬＥＤを“当確（または確変確定）”ポイントに使用すること、「Ｐａ」ポイントのＬＥＤを先読みの当確演出に使用すること等、確定系の演出に用いることができる。
【００５２】
ここで、演出操作部５５０の上面を光らせるためのＬＥＤ（具体的には、「ＴＳＷ１」〜「ＴＳＷ８」ポイントや「Ｐａ」ポイントなどに配置されたＬＥＤ）の点灯輝度は、輝度調整（ホール設定、遊技者調整とも）の対象からは除外されている。すなわち、当該ＬＥＤの点灯輝度は、輝度調整の影響を受けず、一定となっている。また、タッチセンサは、タッチＯＮ状態（接触状態）が所定時間（例えば、約３５秒間（基本設定））継続すると、強制的にタッチＯＦＦする機能（タッチＯＮ信号の出力を停止して、タッチＯＦＦ信号を出力する機能）を有している。すなわち、タッチセンサ（タッチ検知ＩＣ）は、所定時間以上の連続した接触操作を検出できないよう構成されている。
【００５３】
このような演出操作部５５０で検出する遊技者の操作としては、例えば図５（ｃ）に示す操作が挙げられる。「単打」は、演出操作部５５０の押下を１回行う操作であり、「連打」は演出操作部５５０の押下を所定時間以内の間隔で複数回行う操作である。「長押し」は演出操作部５５０を所定時間以上押下したままとする操作であり、「タッチ」はタッチパネル２９に触れる操作である。「「Ｐａ」操作（ＴＳＷ１ｏｒ８）＋長押し」は、「Ｐａ」ポイント又はこれに隣接する「ＴＳＷ１」ポイントと「ＴＳＷ８」ポイントとの２つのポイントの一方（或いは、両方）に接触した状態で長押しする操作であり、「フリック」はタッチパネル２９に触れた状態のまま弾くようにスライドさせる操作である。もちろん検出する操作はこれらの操作に限られるものではない。
【００５４】
本実施形態の遊技機１０では、図示しない発射装置から遊技領域３２に向けて遊技球（パチンコ球）が打ち出されることによって遊技が行われる。打ち出された遊技球は、遊技領域３２内の各所に配置された障害釘や風車等の方向転換部材によって転動方向を変えながら遊技領域３２を流下し、普図始動ゲート３４、一般入賞口３５、第１始動入賞口３６、第２始動入賞口９７、普通変動入賞装置３７又は特別変動入賞装置３８に入賞するか、遊技領域３２の最下部に設けられたアウト口３０ａへ流入し遊技領域３２から排出される。そして、一般入賞口３５、第１始動入賞口３６、第２始動入賞口９７、普通変動入賞装置３７又は特別変動入賞装置３８に遊技球が入賞すると、入賞した入賞口の種類に応じた数の賞球が、払出制御装置２００（図６参照）によって制御される払出ユニットから、ガラス枠１５の上皿２１又は下皿２３に排出される。
【００５５】
一方、普図始動ゲート３４内には、該普図始動ゲート３４を通過した遊技球を検出するための非接触型のスイッチなどからなるゲートスイッチ３４ａ（図６参照）が設けられており、遊技領域３２内に打ち込まれた遊技球が普図始動ゲート３４内を通過すると、ゲートスイッチ３４ａにより検出されて普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置３７が開状態に変換されている場合に、普図始動ゲート３４を遊技球が通過すると、普図始動記憶数の上限数（例えば、４個）未満ならば、普図始動記憶数が加算（＋１）されて普図始動記憶が１つ記憶されることとなる。この普図始動入賞の記憶数は、一括表示装置５０の普図保留表示器５５に表示される。また、普図始動記憶には、普図変動表示ゲームの結果を決定するための当り判定用乱数値（当り乱数値）が記憶されるようになっていて、この当り判定用乱数値を判定値に参照して当該普図変動表示ゲームの結果を決定する。この当り判定用乱数値が判定値と一致した場合に、当該普図変動表示ゲームが当りとなって特定の結果態様（普図特定結果）が導出されることとなる。
【００５６】
普図変動表示ゲームは、一括表示装置５０に設けられ、ＬＥＤにより構成された変動表示部（普図表示器）５２で表示されるようになっており、このＬＥＤの点灯態様や点灯色が普通識別情報（普図、普通図柄）をなす。なお、普図表示器５２を表示装置で構成し、普通識別情報として例えば数字、記号、キャラクタ図柄などを用い、これを所定時間変動表示させた後、停止表示させて結果を表示するように構成しても良い。この普図変動表示ゲームの停止表示が普図特定結果となれば、普図の当りとなって、普通変動入賞装置３７の可動部材３７ｂが所定時間開放される開状態となる。これにより、普通変動入賞装置３７の内部の第２始動入賞口へ遊技球が入賞し易くなり、第２特図変動表示ゲームが実行される回数が多くなる。
【００５７】
第１始動入賞口３６への入賞球、第２始動入賞口９７への入賞球、及び普通変動入賞装置３７への入賞球は、それぞれは内部に設けられた始動口１スイッチ３６ａ、始動口３スイッチ９７ａ、及び始動口２スイッチ３７ａによって検出される。第１始動入賞口３６へ入賞した遊技球は第１特図変動表示ゲームの始動入賞球として検出され、第１始動記憶として所定の上限数（例えば、４個）を限度に記憶されるとともに、第２始動入賞口９７や普通変動入賞装置３７へ入賞した遊技球は第２特図変動表示ゲームの始動入賞球として検出され、第２始動記憶として所定の上限数（例えば、４個）を限度に記憶される。また、この始動入賞球の検出時にそれぞれ始動記憶情報として大当り乱数値や大当り図柄乱数値、並びに各変動パターン乱数値が抽出され、抽出された乱数値は、遊技制御装置１００（図６参照）内の特図記憶領域（ＲＡＭの一部）に特図始動記憶として各々所定回数（例えば、最大で４回分）を限度に記憶される。そして、この特図始動記憶の記憶数は、一括表示装置５０の始動入賞数報知用の記憶表示部（特図１保留表示器５３、特図２保留表示器５４）に表示されるとともに、センターケース４０の表示装置４１においても飾り特図始動記憶表示として表示される。
【００５８】
遊技制御装置１００は、第１始動入賞口３６、第２始動入賞口９７、若しくは普通変動入賞装置３７への入賞、又はそれらの始動記憶に基づいて、特図１表示器５１ａ（変動表示装置）又は特図２表示器５１ｂ（変動表示装置）で第１又は第２特図変動表示ゲームを行う。第１特図変動表示ゲーム及び第２特図変動表示ゲームは、複数の特別図柄（特図、識別情報）を変動表示したのち、所定の結果態様を停止表示することで行われる。また、表示装置（画像表示装置）４１にて複数種類の識別情報（例えば、数字、記号、キャラクタ図柄等）を変動表示させる飾り特図変動表示ゲームが実行されるようになっている。そして、特図変動表示ゲームの結果として、特図１表示器５１ａ若しくは特図２表示器５１ｂの表示態様が特別結果態様（特別結果）となった場合には、大当りとなって特別遊技状態（いわゆる、大当り状態）となる。また、これに対応して表示装置４１に表示される飾り特図変動表示ゲームの結果態様も特別結果態様となる。
【００５９】
表示装置４１における飾り特図変動表示ゲームは、例えば、表示装置４１において前述した数字等で構成される飾り特別図柄（識別情報）を左変動表示領域（第１特別図柄）、右変動表示領域（第２特別図柄）、中変動表示領域（第３特別図柄）のそれぞれにおいて各図柄を識別困難な速さで変動表示（高速変動）する。そして、所定時間後に変動している図柄を左変動表示領域、右変動表示領域、中変動表示領域の順に順次停止させて、左変動表示領域、右変動表示領域、中変動表示領域の各々で停止表示された識別情報により構成される結果態様により特図変動表示ゲームの結果を表示することで行われる。また、表示装置４１では、特図始動記憶数に対応する飾り特別図柄による変動表示ゲームを行うとともに、興趣向上のためにキャラクタの出現など多様な演出表示が行われる。
【００６０】
なお、特図１表示器５１ａ、特図２表示器５１ｂは、別々の表示器でも良いし同一の表示器でも良いが、各々独立して、また、同時には実行しないように各特図変動表示ゲームが表示される。また、表示装置４１も、第１特図変動表示ゲームと第２特図変動表示ゲームで別々の表示装置や別々の表示領域を使用するとしても良いし、同一の表示装置や表示領域を使用するとしても良いが、各々独立して、また、同時には実行しないように飾り特図変動表示ゲームが表示される。また、遊技機１０に特図１表示器５１ａ、特図２表示器５１ｂを備えずに、表示装置４１のみで特図変動表示ゲームを実行するようにしても良い。
【００６１】
また、第１特図変動表示ゲーム（第２特図変動表示ゲーム）が開始可能な状態で、且つ、始動記憶数が０の状態で、第１始動入賞口３６（若しくは、第２始動入賞口９７や普通変動入賞装置３７）に遊技球が入賞すると、始動権利の発生に伴って始動記憶が記憶されて、始動記憶数が１加算されるととともに、直ちに始動記憶に基づいて、第１特図変動表示ゲーム（第２特図変動表示ゲーム）が開始され、この際に始動記憶数が１減算される。一方、第１特図変動表示ゲーム（第２特図変動表示ゲーム）が直ちに開始できない状態、例えば、既に第１若しくは第２特図変動表示ゲームが行われ、その特図変動表示ゲームが終了していない状態や、特別遊技状態となっている場合に、第１始動入賞口３６（若しくは、第２始動入賞口９７や普通変動入賞装置３７）に遊技球が入賞すると、始動記憶数が上限数未満ならば、始動記憶数が１加算されて始動記憶が１つ記憶されることになる。そして、始動記憶数が１以上となった状態で、第１特図変動表示ゲーム（第２特図変動表示ゲーム）が開始可能な状態（前回の特図変動表示ゲームの終了若しくは特別遊技状態の終了）となると、始動記憶数が１減算されるとともに、記憶された始動記憶に基づいて第１特図変動表示ゲーム（第２特図変動表示ゲーム）が開始される。以下の説明において、第１特図変動表示ゲームと第２特図変動表示ゲームを区別しない場合は、単に特図変動表示ゲームと称する。
【００６２】
なお、特に限定されるわけではないが、第１始動入賞口３６内の始動口１スイッチ３６ａ、第２始動入賞口９７内の始動口３スイッチ９７ａ、普通変動入賞装置３７内の始動口２スイッチ３７ａ、ゲートスイッチ３４ａ、入賞口スイッチ３５ａ、大入賞口スイッチ３８ａには、磁気検出用のコイルを備え該コイルに金属が近接すると磁界が変化する現象を利用して遊技球を検出する非接触型の磁気近接センサ（以下、近接スイッチと称する）が使用されている。また、遊技機１０のガラス枠１５等に設けられたガラス枠開放検出スイッチ６３や前面枠（本体枠）１２等に設けられた本体枠開放検出スイッチ６４には、機械的な接点を有するマイクロスイッチを用いることができる。
【００６３】
図６は、本実施形態のパチンコ遊技機１０の制御システムのブロック図である。
遊技機１０は遊技制御装置１００を備え、遊技制御装置１００は、遊技を統括的に制御する主制御装置（主基板）であって、遊技用マイクロコンピュータ（以下、遊技用マイコンと称する）１１１を有するＣＰＵ部１１０と、入力ポートを有する入力部１２０と、出力ポートやドライバなどを有する出力部１３０と、ＣＰＵ部１１０と入力部１２０と出力部１３０との間を接続するデータバス１４０などからなる。
【００６４】
上記ＣＰＵ部１１０は、アミューズメントチップ（ＩＣ）と呼ばれる遊技用マイコン（ＣＰＵ）１１１と、水晶振動子のような発振子を備え、ＣＰＵの動作クロックやタイマ割込み、乱数生成回路の基準となるクロックを生成する発振回路（水晶発振器）１１３などを有する。遊技制御装置１００及び該遊技制御装置１００によって駆動されるソレノイドやモータなどの電子部品には、電源装置４００で生成されたＤＣ３２Ｖ，ＤＣ１２Ｖ，ＤＣ５Ｖなど所定のレベルの直流電圧が供給されて動作可能にされる。
【００６５】
電源装置４００は、２４Ｖの交流電源から上記ＤＣ３２Ｖの直流電圧を生成するＡＣ−ＤＣコンバータやＤＣ３２Ｖの電圧からＤＣ１２Ｖ，ＤＣ５Ｖなどのより低いレベルの直流電圧を生成するＤＣ−ＤＣコンバータなどを有する通常電源部４１０と、遊技用マイコン１１１の内部のＲＡＭに対して停電時に電源電圧を供給するバックアップ電源部４２０と、停電監視回路を有し、遊技制御装置１００に停電の発生、回復を知らせる停電監視信号やリセット信号などの制御信号を生成して出力する制御信号生成部４３０などを備える。
【００６６】
この実施形態では、電源装置４００は、遊技制御装置１００と別個に構成されているが、バックアップ電源部４２０及び制御信号生成部４３０は、別個の基板上あるいは遊技制御装置１００と一体、すなわち、主基板上に設けるように構成してもよい。遊技盤３０及び遊技制御装置１００は機種変更の際に交換の対象となるので、本実施形態のように、電源装置４００若しくは主基板とは別の基板にバックアップ電源部４２０及び制御信号生成部４３０を設けることにより、交換の対象から外しコストダウンを図ることができる。
【００６７】
上記バックアップ電源部４２０は、電解コンデンサのような大容量のコンデンサ１つで構成することができる。バックアップ電源は、遊技制御装置１００の遊技用マイコン１１１（特に内蔵ＲＡＭ）に供給され、停電中あるいは電源遮断後もＲＡＭに記憶されたデータが保持されるようになっている。制御信号生成部４３０は、例えば通常電源部４１０で生成された３２Ｖの電圧を監視してそれが例えば１７Ｖ以下に下がると停電発生を検出して停電監視信号を変化させるとともに、所定時間後にリセット信号を出力する。また、電源投入時や停電回復時にもその時点から所定時間経過後にリセット信号を出力する。
【００６８】
また、遊技制御装置１００にはＲＡＭ初期化スイッチ１１２が設けられている。このＲＡＭ初期化スイッチ１１２が操作されると初期化スイッチ信号が生成され、これに基づき遊技用マイコン１１１内のＲＡＭ１１１Ｃ及び払出制御装置２００内のＲＡＭに記憶されている情報を強制的に初期化する処理が行われる。特に限定されるわけではないが初期化スイッチ信号は電源投入時に読み込まれ、停電監視信号は遊技用マイコン１１１が実行するメインプログラムのメインループの中で繰り返し読み込まれる。リセット信号は強制割込み信号の一種であり、制御システム全体をリセットさせる。
【００６９】
遊技用マイコン１１１は、ＣＰＵ（中央処理ユニット：マイクロプロセッサ）１１１Ａ、読出し専用のＲＯＭ（リードオンリメモリ）１１１Ｂ及び随時読出し書込み可能なＲＡＭ（ランダムアクセスメモリ）１１１Ｃを備える。
【００７０】
ＲＯＭ１１１Ｂは、遊技制御のための不変の情報（プログラム、固定データ、各種乱数の判定値等）を不揮発的に記憶し、ＲＡＭ１１１Ｃは、遊技制御時にＣＰＵ１１１Ａの作業領域や各種信号や乱数値の記憶領域として利用される。ＲＯＭ１１１Ｂ又はＲＡＭ１１１Ｃとして、ＥＥＰＲＯＭのような電気的に書換え可能な不揮発性メモリを用いてもよい。
【００７１】
また、ＲＯＭ１１１Ｂは、例えば、特図変動表示ゲームの実行時間、演出内容、リーチ状態の発生の有無などを規定する変動パターン（変動態様）を決定するための変動パターンテーブルを記憶している。変動パターンテーブルとは、始動記憶として記憶されている変動パターン乱数１〜３をＣＰＵ１１１Ａが参照して変動パターンを決定するためのテーブルである。また、変動パターンテーブルには、結果がはずれとなる場合に選択されるはずれ変動パターンテーブル、結果が大当りとなる場合に選択される大当り変動パターンテーブル等が含まれる。
【００７２】
ここでリーチ（リーチ状態）とは、表示状態が変化可能な表示装置を有し、該表示装置が時期を異ならせて複数の表示結果を導出表示し、該複数の表示結果が予め定められた特別結果態様となった場合に、遊技状態が遊技者にとって有利な遊技状態（特別遊技状態）となる遊技機１０において、複数の表示結果の一部がまだ導出表示されていない段階で、既に導出表示されている表示結果が特別結果態様となる条件を満たしている表示状態をいう。また、別の表現をすれば、リーチ状態とは、表示装置の変動表示制御が進行して表示結果が導出表示される前段階にまで達した時点でも、特別結果態様となる表示条件からはずれていない表示態様をいう。そして、例えば、特別結果態様が揃った状態を維持しながら複数の変動表示領域による変動表示を行う状態（いわゆる全回転リーチ）もリーチ状態に含まれる。また、リーチ状態とは、表示装置の表示制御が進行して表示結果が導出表示される前段階にまで達した時点での表示状態であって、表示結果が導出表示される以前に決定されている複数の変動表示領域の表示結果の少なくとも一部が特別結果態様となる条件を満たしている場合の表示状態をいう。
【００７３】
よって、例えば、特図変動表示ゲームに対応して表示装置に表示される飾り特図変動表示ゲームが、表示装置における左、中、右の変動表示領域の各々で所定時間複数の識別情報を変動表示した後、左、右、中の順で変動表示を停止して結果態様を表示するものである場合、左、右の変動表示領域で、特別結果態様となる条件を満たした状態（例えば、同一の識別情報）で変動表示が停止した状態がリーチ状態となる。またこの他に、すべての変動表示領域の変動表示を一旦停止した時点で、左、中、右のうち何れか二つの変動表示領域で特別結果態様となる条件を満たした状態（例えば、同一の識別情報となった状態、ただし特別結果態様は除く）をリーチ状態とし、このリーチ状態から残りの一つの変動表示領域を変動表示するようにしても良い。
【００７４】
そして、このリーチ状態には複数のリーチ演出が含まれ、特別結果態様が導出される可能性が異なる（期待値が異なる）リーチ演出として、ノーマルリーチ（Ｎリーチ）、スペシャル１リーチ（ＳＰ１リーチ）、スペシャル２リーチ（ＳＰ２リーチ）、スペシャル３リーチ（ＳＰ３リーチ）が設定されている。なお、期待値は、リーチなし＜ノーマルリーチ＜スペシャル１リーチ＜スペシャル２リーチ＜スペシャル３リーチの順に高くなるようになっている。また、このリーチ状態は、少なくとも特図変動表示ゲームで特別結果態様が導出される場合（大当りとなる場合）における変動表示態様に含まれるようになっている。すなわち、特図変動表示ゲームで特別結果態様が導出されないと判定する場合（はずれとなる場合）における変動表示態様に含まれることもある。よって、リーチ状態が発生した状態は、リーチ状態が発生しない場合に比べて大当りとなる可能性の高い状態である。
【００７５】
ＣＰＵ１１１Ａは、ＲＯＭ１１１Ｂ内の遊技制御用プログラムを実行して、払出制御装置２００や演出制御装置３００に対する制御信号（コマンド）を生成したりソレノイドや表示装置の駆動信号を生成して出力して遊技機１０全体の制御を行う。また、図示しないが、遊技用マイコン１１１は、特図変動表示ゲームの当りを判定するための大当り乱数や大当りの図柄を決定するための大当り図柄乱数、特図変動表示ゲームでの変動パターン（各種リーチやリーチ無しの変動表示における変動表示ゲームの実行時間等を含む）を決定するための変動パターン乱数、普図変動表示ゲームの当りを判定するための当り乱数等を生成するための乱数生成回路と、発振回路１１３からの発振信号（原クロック信号）に基づいてＣＰＵ１１１Ａに対する所定周期（例えば、４ミリ秒）のタイマ割込み信号や乱数生成回路の更新タイミングを与えるクロックを生成するクロックジェネレータを備えている。
【００７６】
また、ＣＰＵ１１１Ａは、特図変動表示ゲームに関する処理において、ＲＯＭ１１１Ｂに記憶されている複数の変動パターンテーブルの中から、何れか一の変動パターンテーブルを取得する。具体的には、ＣＰＵ１１１Ａは、特図変動表示ゲームの遊技結果（大当り或いははずれ）や、現在の遊技状態としての特図変動表示ゲームの確率状態（通常確率状態或いは高確率状態）、現在の遊技状態としての普通変動入賞装置３７の動作状態（時短動作状態（普電サポート状態））、始動記憶数などに基づいて、複数の変動パターンテーブルの中から、何れか一の変動パターンテーブルを選択して取得する。ここで、ＣＰＵ１１１Ａは、特図変動表示ゲームを実行する場合に、ＲＯＭ１１１Ｂに記憶された複数の変動パターンテーブルのうち、何れか一の変動パターンテーブルを取得する変動振り分け情報取得手段をなす。
【００７７】
払出制御装置２００は、ＣＰＵ、ＲＯＭ、ＲＡＭ、入力インタフェース、出力インタフェース等を備え、遊技制御装置１００からの賞球払出し指令（コマンドやデータ）に従って、払出ユニットの払出モータを駆動させ、賞球を払い出させるための制御を行う。また、払出制御装置２００は、カードユニットからの貸球要求信号に基づいて払出ユニットの払出モータを駆動させ、貸球を払い出させるための制御を行う。
【００７８】
遊技用マイコン１１１の入力部１２０には、遊技機に対する電波の発射を検出する盤電波センサ６２、第１始動入賞口３６内の始動口１スイッチ３６ａ、普通変動入賞装置３７内の始動口２スイッチ３７ａ、第２始動入賞口９７内の始動口３スイッチ９７ａ、普図始動ゲート３４内のゲートスイッチ３４ａ、入賞口スイッチ３５ａ、特別変動入賞装置３８の大入賞口スイッチ３８ａに接続され、これらのスイッチから供給されるハイレベルが１１Ｖでロウレベルが７Ｖのような負論理の信号が入力され、０Ｖ−５Ｖの正論理の信号に変換するインタフェースチップ（近接Ｉ／Ｆ）１２１が設けられている。近接Ｉ／Ｆ１２１は、入力の範囲が７Ｖ−１１Ｖとされることで、センサや近接スイッチのリード線が不正にショートされたり、センサやスイッチがコネクタから外されたり、リード線が切断されてフローティングになったような異常な状態を検出することができ、異常検知信号を出力するように構成されている。
【００７９】
近接Ｉ／Ｆ１２１の出力は、第２入力ポート１２３又は第３入力ポート１２４へ供給されデータバス１４０を介して遊技用マイコン１１１に読み込まれる。なお、近接Ｉ／Ｆ１２１の出力のうち、始動口１スイッチ３６ａ、始動口２スイッチ３７ａ、始動口３スイッチ９７ａ、ゲートスイッチ３４ａ、入賞口スイッチ３５ａ及び大入賞口スイッチ３８ａの検出信号は第２入力ポート１２３へ入力される。また、近接Ｉ／Ｆ１２１の出力のうち、盤電波センサ６２の検出信号及びセンサやスイッチの異常を検出した際に出力される異常検知信号は第３入力ポート１２４に入力される。また、第３入力ポート１２４には、遊技機１０の前面枠１２等に設けられた不正検出用の磁気センサ６１の検出信号や、遊技機１０のガラス枠１５等に設けられたガラス枠開放検出スイッチ６３の検出信号、遊技機１０の前面枠（本体枠）１２等に設けられた本体枠開放検出スイッチ６４の検出信号も入力されるようになっている。なお、振動を検出する振動センサスイッチを遊技機に設け、検出信号が第３入力ポート１２４に入力されるようにしても良い。
【００８０】
また、近接Ｉ／Ｆ１２１の出力のうち、第２入力ポート１２３への出力は、主基板１００から中継基板７０を介して図示しない試射試験装置へも供給されるようになっている。さらに、近接Ｉ／Ｆ１２１の出力のうち始動口１スイッチ３６ａと始動口２スイッチ３７ａと始動口３スイッチ９７ａの検出信号は、第２入力ポート１２３の他、遊技用マイコン１１１へ入力されるように構成されている。
【００８１】
上記のように近接Ｉ／Ｆ１２１は、信号のレベル変換機能を有する。このようなレベル変換機能を可能にするため、近接Ｉ／Ｆ１２１には、電源装置４００から通常のＩＣの動作に必要な例えば５Ｖのような電圧の他に、１２Ｖの電圧が供給されるようになっている。
【００８２】
第２入力ポート１２３が保持しているデータは、遊技用マイコン１１１が第２入力ポート１２３に割り当てられているアドレスをデコードすることによってイネーブル信号ＣＥ２をアサート（有効レベルに変化）することよって、読み出すことができる。第３入力ポート１２４や後述の第１入力ポート１２２も同様である。
【００８３】
また、入力部１２０には、払出制御装置２００からの枠電波不正信号（前面枠１２に設けられた枠電波センサが電波を検出することに基づき出力される信号）、払出ビジー信号（払出制御装置２００がコマンドを受付可能な状態か否かを示す信号）、払出異常ステータス信号（払出異常を示すステータス信号）、シュート球切れスイッチ信号（払出し前の遊技球の不足を示す信号）、オーバーフロースイッチ信号（下皿２３に遊技球が所定量以上貯留されていること（満杯になったこと）を検出したときに出力される信号）、タッチスイッチ信号（操作部２４に設けられたタッチスイッチの入力に基づく信号）を取り込んでデータバス１４０を介して遊技用マイコン１１１に供給する第１入力ポート１２２が設けられている。
【００８４】
また、入力部１２０には、電源装置４００からの停電監視信号やリセット信号などの信号を遊技用マイコン１１１等に入力するためのシュミットバッファ１２５が設けられており、シュミットバッファ１２５はこれらの入力信号からノイズを除去する機能を有する。電源装置４００からの停電監視信号や、ＲＡＭ初期化スイッチ１１２からの初期化スイッチ信号は、一旦第１入力ポート１２２に入力され、データバス１４０を介して遊技用マイコン１１１に取り込まれる。つまり、前述の各種スイッチからの信号と同等の信号として扱われる。遊技用マイコン１１１に設けられている外部からの信号を受ける端子の数には制約があるためである。
【００８５】
一方、シュミットバッファ１２５によりノイズ除去されたリセット信号ＲＥＳＥＴは、遊技用マイコン１１１に設けられているリセット端子に直接入力されるとともに、出力部１３０の各ポートに供給される。また、リセット信号ＲＥＳＥＴは出力部１３０を介さずに直接中継基板７０に出力することで、試射試験装置へ出力するために中継基板７０のポート（図示省略）に保持される試射試験信号をオフするように構成されている。また、リセット信号ＲＥＳＥＴを中継基板７０を介して試射試験装置へ出力可能に構成するようにしてもよい。なお、リセット信号ＲＥＳＥＴは入力部１２０の各ポート１２２，１２３，１２４には供給されない。リセット信号ＲＥＳＥＴが入る直前に遊技用マイコン１１１によって出力部１３０の各ポートに設定されたデータはシステムの誤動作を防止するためリセットする必要があるが、リセット信号ＲＥＳＥＴが入る直前に入力部１２０の各ポートから遊技用マイコン１１１が読み込んだデータは、遊技用マイコン１１１のリセットによって廃棄されるためである。
【００８６】
出力部１３０には、遊技用マイコン１１１から演出制御装置３００への通信経路及び遊技用マイコン１１１から払出制御装置２００への通信経路に配されるシュミットバッファ１３２が設けられている。遊技制御装置１００から演出制御装置３００及び払出制御装置２００へは、シリアル通信でデータが送信される。なお、演出制御装置３００の側から遊技制御装置１００へ信号を入力できないようにした片方向通信とされている。
【００８７】
さらに、出力部１３０には、データバス１４０に接続され図示しない認定機関の試射試験装置へ変動表示ゲームの特図図柄情報を知らせるデータや大当りの確率状態を示す信号などを中継基板７０を介して出力するバッファ１３３が実装可能に構成されている。このバッファ１３３は遊技店に設置される実機（量産販売品）としてのパチンコ遊技機の遊技制御装置（主基板）には実装されない部品である。なお、前記近接Ｉ／Ｆ１２１から出力される始動口スイッチなど加工の必要のないスイッチの検出信号は、バッファ１３３を通さずに中継基板７０を介して試射試験装置へ供給される。
【００８８】
一方、磁気センサ６１や盤電波センサ６２のようにそのままでは試射試験装置へ供給できない検出信号は、一旦遊技用マイコン１１１に取り込まれて他の信号若しくは情報に加工されて、例えば遊技機が遊技制御できない状態であることを示すエラー信号としてデータバス１４０からバッファ１３３、中継基板７０を介して試射試験装置へ供給される。なお、中継基板７０には、上記バッファ１３３から出力された信号を取り込んで試射試験装置へ供給するポートや、バッファを介さないスイッチの検出信号の信号線を中継して伝達するコネクタなどが設けられている。中継基板７０上のポートには、遊技用マイコン１１１から出力されるチップイネーブル信号ＣＥも供給され、該信号ＣＥにより選択制御されたポートの信号が試射試験装置へ供給されるようになっている。
【００８９】
また、出力部１３０には、データバス１４０に接続され特別変動入賞装置３８を開成させるソレノイド（大入賞口ソレノイド）３８ｂ及び普通変動入賞装置３７の可動部材３７ｂを開成させるソレノイド（普電ソレノイド）３７ｃの開閉データを出力するための第２出力ポート１３４が設けられている。また、出力部１３０には、一括表示装置５０に表示する内容に応じてＬＥＤのアノード端子が接続されているセグメント線のオン／オフデータを出力するための第３出力ポート１３５、一括表示装置５０のＬＥＤのカソード端子が接続されているデジット線のオン／オフデータを出力するための第４出力ポート１３６が設けられている。
【００９０】
また、出力部１３０には、大当り情報など遊技機１０に関する情報を外部情報端子板７１へ出力するための第５出力ポート１３７が設けられている。外部情報端子板７１にはフォトリレーが備えられ、例えば遊技店に設置された外部装置（情報収集端末や遊技場内部管理装置（ホールコンピュータ）など）に接続可能であり、遊技機１０に関する情報を外部装置に供給することができるようになっている。また、第５出力ポート１３７からはシュミットバッファ１３２を介して払出制御装置２００に発射許可信号も出力される。
【００９１】
さらに、出力部１３０には、第２出力ポート１３４から出力される大入賞口ソレノイド３８ｂや普電ソレノイド３７ｃの開閉データ信号を受けてソレノイド駆動信号を生成し出力する第１ドライバ（駆動回路）１３８ａ、第３出力ポート１３５から出力される一括表示装置５０の電流供給側のセグメント線のオン／オフ駆動信号を出力する第２ドライバ１３８ｂ、第４出力ポート１３６から出力される一括表示装置５０の電流引き込み側のデジット線のオン／オフ駆動信号を出力する第３ドライバ１３８ｃ、第５出力ポート１３７から管理装置等の外部装置へ供給する外部情報信号を外部情報端子板７１へ出力する第４ドライバ１３８ｄが設けられている。
【００９２】
上記第１ドライバ１３８ａには、３２Ｖで動作するソレノイドを駆動できるようにするため、電源電圧としてＤＣ３２Ｖが電源装置４００から供給される。また、一括表示装置５０のセグメント線を駆動する第２ドライバ１３８ｂには、ＤＣ１２Ｖが供給される。デジット線を駆動する第３ドライバ１３８ｃは、表示データに応じたデジット線を電流で引き抜くためのものであるため、電源電圧は１２Ｖ又は５Ｖのいずれであってもよい。
【００９３】
１２Ｖを出力する第２ドライバ１３８ｂによりセグメント線を介してＬＥＤのアノード端子に電流を流し込み、接地電位を出力する第３ドライバ１３８ｃによりカソード端子よりセグメント線を介して電流を引き抜くことで、ダイナミック駆動方式で順次選択されたＬＥＤに電源電圧が流れて点灯される。外部情報信号を外部情報端子板７１へ出力する第４ドライバ１３８ｄは、外部情報信号に１２Ｖのレベルを与えるため、ＤＣ１２Ｖが供給される。なお、バッファ１３３や第２出力ポート１３４、第１ドライバ１３８ａ等は、遊技制御装置１００の出力部１３０、すなわち、主基板ではなく、中継基板７０側に設けるようにしてもよい。
【００９４】
さらに、出力部１３０には、外部の検査装置５００へ各遊技機の識別コードやプログラムなどの情報を送信するためのフォトカプラ１３９が設けられている。フォトカプラ１３９は、遊技用マイコン１１１が検査装置５００との間でシリアル通信によってデータの送受信を行えるように双方通信可能に構成されている。なお、かかるデータの送受信は、通常の汎用マイクロプロセッサと同様に遊技用マイコン１１１が有するシリアル通信端子を利用して行われるため、入力ポート１２２，１２３，１２４のようなポートは設けられていない。
【００９５】
次に、図７を用いて、演出制御装置３００の構成について説明する。
演出制御装置３００は、遊技用マイコン１１１と同様にアミューズメントチップ（ＩＣ）からなる主制御用マイコン（ＣＰＵ）３１１と、主制御用マイコン３１１からのコマンドやデータに従って表示装置４１への映像表示のための画像処理を行うグラフィックプロセッサとしてのＶＤＰ（Video Display Processor）３１２と、各種のメロディや効果音などをスピーカ１９ａ，１９ｂから再生させるため音の出力を制御する音源ＬＳＩ３１４を備えている。
【００９６】
上記主制御用マイコン３１１には、ＣＰＵが実行するプログラムや各種データを格納したＰＲＯＭ（プログラマブルリードオンリメモリ）からなるプログラムＲＯＭ３２１、作業領域を提供するＲＡＭ３２２、停電時に電力が供給されなくとも記憶内容を保持可能なＦｅＲＡＭ３２３、現在の日時（年月日や曜日、時刻など）を示す情報を生成する計時手段をなすＲＴＣ（リアルタイムクロック）３３８が接続されている。なお、主制御用マイコン３１１の内部にも作業領域を提供するＲＡＭが設けられている。また、主制御用マイコン３１１にはＷＤＴ（ウォッチドッグ・タイマ）回路３２４が接続されている。主制御用マイコン３１１は、遊技用マイコン１１１からのコマンドを解析し、演出内容を決定してＶＤＰ３１２へ出力映像の内容を指示したり、音源ＬＳＩ３１４への再生音の指示、装飾ランプの点灯、モータやソレノイドの駆動制御、演出時間の管理などの処理を実行する。
【００９７】
ＶＤＰ３１２には、作業領域を提供するＲＡＭ３１２ａや、画像を拡大、縮小処理するためのスケーラ３１２ｂが設けられている。また、ＶＤＰ３１２にはキャラクタ画像や映像データが記憶された画像ＲＯＭ３２５や、画像ＲＯＭ３２５から読み出されたキャラクタなどの画像データを展開したり加工したりするのに使用される超高速なＶＲＡＭ（ビデオＲＡＭ）３２６が接続されている。
【００９８】
特に限定されるわけではないが、主制御用マイコン３１１とＶＤＰ３１２との間は、パラレル方式でデータの送受信が行われるように構成されている。パラレル方式でデータを送受信することで、シリアルの場合よりも短時間にコマンドやデータを送信することができる。
【００９９】
ＶＤＰ３１２から主制御用マイコン３１１へは、表示装置４１の映像とガラス枠１５や遊技盤３０に設けられている装飾ランプの点灯を同期させるための垂直同期信号ＶＳＹＮＣ、データの送信タイミングを与える同期信号ＳＴＳが入力される。なお、ＶＤＰ３１２から主制御用マイコン３１１へは、ＶＲＡＭへの描画の終了等処理状況を知らせるため割込み信号ＩＮＴ０〜ｎ及び主制御用マイコン３１１からのコマンドやデータの受信待ちの状態にあることを知らせるためのウェイト信号ＷＡＩＴなども入力される。
【０１００】
演出制御装置３００には、ＬＶＤＳ（小振幅信号伝送）方式で表示装置４１へ送信する映像信号を生成する信号変換回路３１３が設けられている。ＶＤＰ３１２から信号変換回路３１３へは、映像データ、水平同期信号ＨＳＹＮＣ及び垂直同期信号ＶＳＹＮＣが入力されるようになっており、ＶＤＰ３１２で生成された映像は、信号変換回路３１３を介して表示装置４１に表示される。
【０１０１】
音源ＬＳＩ３１４には音声データが記憶された音声ＲＯＭ３２７が接続されている。主制御用マイコン３１１と音源ＬＳＩ３１４は、アドレス／データバス３４０を介して接続されている。また、音源ＬＳＩ３１４から主制御用マイコン３１１へは割込み信号ＩＮＴが入力されるようになっている。演出制御装置に３００には、ガラス枠１５に設けられた上スピーカ１９ａ及び前面枠１２に設けられた下スピーカ１９ｂを駆動するオーディオパワーアンプなどからなるアンプ回路３３７が設けられており、音源ＬＳＩ３１４で生成された音声はアンプ回路３３７を介して上スピーカ１９ａ及び下スピーカ１９ｂから出力される。
【０１０２】
また、演出制御装置３００には、遊技制御装置１００から送信されてくるコマンドを受信するインタフェースチップ（コマンドＩ／Ｆ）３３１が設けられている。このコマンドＩ／Ｆ３３１を介して、遊技制御装置１００から演出制御装置３００へ送信された飾り特図保留数コマンド、飾り特図コマンド、変動コマンド、停止情報コマンド等を、演出制御指令信号（演出コマンド）として受信する。遊技制御装置１００の遊技用マイコン１１１はＤＣ５Ｖで動作し、演出制御装置３００の主制御用マイコン３１１はＤＣ３．３Ｖで動作するため、コマンドＩ／Ｆ３３１には信号のレベル変換の機能が設けられている。
【０１０３】
また、演出制御装置３００には、遊技盤３０（センターケース４０を含む）に設けられているＬＥＤ（発光ダイオード）を有する盤装飾装置４６を駆動制御する盤装飾ＬＥＤ制御回路３３２、ガラス枠１５に設けられているＬＥＤ（発光ダイオード）を有する枠装飾装置（例えば、枠装飾装置１８等）を駆動制御する枠装飾ＬＥＤ制御回路３３３、遊技盤３０（センターケース４０を含む）に設けられている盤演出装置４４（例えば、表示装置４１における演出表示と協働して演出効果を高める可動役物等）を駆動制御する盤演出可動体制御回路３３４が設けられている。ランプやモータ及びソレノイドなどを駆動制御するこれらの制御回路３３２〜３３４は、アドレス／データバス３４０を介して主制御用マイコン３１１と接続されている。なお、ガラス枠１５にモータ（例えば、演出用の装置を動作させるモータ）等の駆動源を備えた枠演出装置を設け、この枠演出装置を駆動制御する枠演出可動体制御回路を備えていても良い。
【０１０４】
さらに、演出制御装置３００には、ガラス枠１５に設けられた演出ボタン２５に内蔵されている演出ボタンスイッチ２５ａ、ガラス枠１５に設けられたタッチパネル２９、盤演出装置４４内のモータの初期位置等を検出する演出役物スイッチ４７（演出モータスイッチ）のオン／オフ状態を検出して主制御用マイコン３１１へ検出信号を入力する機能や、演出制御装置３００に設けられた音量調節スイッチ３３５の状態を検出して主制御用マイコン３１１へ検出信号を入力するスイッチ入力回路３３６が設けられている。
【０１０５】
電源装置４００の通常電源部４１０は、上記のような構成を有する演出制御装置３００やそれによって制御される電子部品に対して所望のレベルの直流電圧を供給するため、モータやソレノイドを駆動するためのＤＣ３２Ｖ、液晶パネルからなる表示装置４１、モータやＬＥＤを駆動するためのＤＣ１２Ｖ、コマンドＩ／Ｆ３３１の電源電圧となるＤＣ５Ｖの他に、モータやＬＥＤ、スピーカを駆動するためのＤＣ１５Ｖの電圧を生成するように構成されている。さらに、主制御用マイコン３１１として、３．３Ｖあるいは１．２Ｖのような低電圧で動作するＬＳＩを使用する場合には、ＤＣ５Ｖに基づいてＤＣ３．３ＶやＤＣ１．２Ｖを生成するためのＤＣ−ＤＣコンバータが演出制御装置３００に設けられる。なお、ＤＣ−ＤＣコンバータは通常電源部４１０に設けるようにしてもよい。
【０１０６】
電源装置４００の制御信号生成部４３０により生成されたリセット信号は、主制御用マイコン３１１に供給され、当該デバイスをリセット状態にする。また、主制御用マイコン３１１から出力される形で、ＶＤＰ３１２（ＶＤＰＲＥＳＥＴ信号）、音源ＬＳＩ３１４、スピーカを駆動するアンプ回路３３７（ＳＮＤＲＥＳＥＴ信号）、ランプやモータなどを駆動制御する制御回路３３２〜３３４（ＩＯＲＥＳＥＴ信号）に供給され、これらをリセット状態にする。また、演出制御装置３００には遊技機１０の各所を冷却する冷却ＦＡＮ４５が接続され、演出制御装置３００の電源が投入された状態では冷却ＦＡＮ４５が駆動するようにされている。
【０１０７】
次に、これらの制御回路において行われる遊技制御について説明する。
遊技制御装置１００の遊技用マイコン１１１のＣＰＵ１１１Ａでは、普図始動ゲート３４に備えられたゲートスイッチ３４ａからの遊技球の検出信号の入力に基づき、普図の当り判定用乱数値を抽出してＲＯＭ１１１Ｂに記憶されている判定値と比較し、普図変動表示ゲームの当りはずれを判定する処理を行う。そして、普図表示器５２に、識別図柄（識別情報）を所定時間変動表示した後、停止表示する普図変動表示ゲームを表示する処理を行う。この普図変動表示ゲームの結果が当りの場合は、普図表示器５２に第１当り停止図柄〜第３当り停止図柄の各々に対応した特別の結果態様を表示するとともに、普電ソレノイド３７ｃを動作させ、普通変動入賞装置３７の可動部材３７ｂを所定時間（例えば、０．５秒間又は１．７秒間）上述のように開放する制御を行う。すなわち、遊技制御装置１００が、変換部材（可動部材３７ｂ）の変換制御を行う変換制御実行手段をなす。なお、普図変動表示ゲームの結果がはずれの場合は、普図表示器５２にはずれの結果態様を表示する制御を行う。
【０１０８】
また、第１始動入賞口３６に備えられた始動口１スイッチ３６ａからの遊技球の検出信号の入力に基づき始動入賞（始動記憶）を記憶し、この始動記憶に基づき、第１特図変動表示ゲームの大当り判定用乱数値を抽出してＲＯＭ１１１Ｂに記憶されている判定値と比較し、第１特図変動表示ゲームの当りはずれを判定する処理を行う。また、普通変動入賞装置３７に備えられた始動口２スイッチ３７ａや第２始動入賞口９７に備えられた始動口３スイッチ９７ａからの遊技球の検出信号の入力に基づき始動記憶を記憶し、この始動記憶に基づき、第２特図変動表示ゲームの大当り判定用乱数値を抽出してＲＯＭ１１１Ｂに記憶されている判定値と比較し、第２特図変動表示ゲームの当りはずれを判定する処理を行う。
【０１０９】
そして、遊技制御装置１００のＣＰＵ１１１Ａは、上記の第１特図変動表示ゲームや第２特図変動表示ゲームの判定結果を含む制御信号（演出制御コマンド）を、演出制御装置３００に出力する。そして、特図１表示器５１ａや特図２表示器５１ｂに、識別図柄（識別情報）を所定時間変動表示した後、停止表示する特図変動表示ゲームを表示する処理を行う。すなわち、遊技制御装置１００が、遊技領域３２を流下する遊技球の始動入賞領域（第１始動入賞口３６、第２始動入賞口９７、普通変動入賞装置３７）への入賞に基づき変動表示ゲームの進行制御を行う遊技制御手段をなす。
【０１１０】
また、演出制御装置３００では、遊技制御装置１００からの制御信号に基づき、表示装置４１で特図変動表示ゲームに対応した飾り特図変動表示ゲームを表示する処理を行う。さらに、演出制御装置３００では、遊技制御装置１００からの制御信号に基づき、演出状態の設定や、スピーカ１９ａ，１９ｂからの音の出力、各種ＬＥＤの発光を制御する処理等を行う。すなわち、演出制御装置３００が、遊技（変動表示ゲーム等）に関する演出を制御する演出制御手段をなす。
【０１１１】
そして、遊技制御装置１００のＣＰＵ１１１Ａは、特図変動表示ゲームの結果が大当りの場合は、特図１表示器５１ａや特図２表示器５１ｂに特別結果態様を表示するとともに、特別遊技状態を発生させる処理を行う。特別遊技状態を発生させる処理においては、ＣＰＵ１１１Ａは、例えば、大入賞口ソレノイド３８ｂにより特別変動入賞装置３８の開閉扉３８ｃを開放させ、大入賞口内への遊技球の流入を可能とする制御を行う。そして、大入賞口に所定個数（例えば、１０個）の遊技球が入賞するか、大入賞口の開放から所定の開放可能時間が経過するかの何れかの条件が達成されるまで大入賞口を開放することを１ラウンドとし、これを所定ラウンド回数継続する（繰り返す）制御（サイクル遊技）を行う。すなわち、遊技制御装置１００が、停止結果態様が特別結果態様となった場合に、大入賞口を開閉する制御を行う大入賞口開閉制御手段をなす。また、特図変動表示ゲームの結果がはずれの場合は、特図１表示器５１ａや特図２表示器５１ｂにはずれの結果態様を表示する制御を行う。
【０１１２】
また、遊技制御装置１００は、特図変動表示ゲームの結果態様に基づき、特別遊技状態の終了後に、遊技状態として高確率状態を発生可能となっている。この高確率状態は、特図変動表示ゲームにて当り結果となる確率が、通常確率状態（低確率状態）に比べて高い状態である。また、第１特図変動表示ゲーム及び第２特図変動表示ゲームのどちらの特図変動表示ゲームの結果態様に基づき高確率状態となっても、第１特図変動表示ゲーム及び第２特図変動表示ゲームの両方が高確率状態となる。
【０１１３】
また、遊技制御装置１００は、特図変動表示ゲームの結果態様に基づき、特別遊技状態の終了後に、遊技状態として時短状態（特定遊技状態、普図高確率状態、普電サポート状態ともいう）を発生可能となっている。この時短状態においては、普図変動表示ゲームの当り結果となる確率（普図当り確率）を通常確率（普図低確率状態）である０よりも高い高確率（普図高確率状態）とすることが可能である。これにより、普通変動入賞装置３７が普図低確率状態である場合よりも、単位時間あたりの普通変動入賞装置３７の開放時間が多くなるように制御するようになっている。
【０１１４】
なお、普図変動表示ゲーム及び普通変動入賞装置３７を時短動作状態とする制御を行うよう適宜普図変動表示ゲームの実行時間、普図停止時間、普電開放回数、普電開放時間を設定しても良く、例えば、時短状態においては、上述の普図変動表示ゲームの実行時間（普図変動時間）を第１変動表示時間よりも短い第２変動表示時間となるように制御することが可能である（例えば、１００００ｍ秒が１０００ｍ秒）。また、時短状態においては、普図変動表示ゲームの結果を表示する普図停止時間を第１停止時間よりも短い第２停止時間となるように制御することが可能である（例えば、１６０４ｍ秒が７０４ｍ秒）。また、時短状態においては、普図変動表示ゲームが当り結果となって普通変動入賞装置３７が開放される場合に、開放時間（普電開放時間）を通常状態（普図低確率状態）の第１開放時間よりも長い第２開放時間となるように制御することが可能である（例えば、１００ｍ秒が１３５２ｍ秒）。また、時短状態においては、普図変動表示ゲームの１回の当り結果に対して、普通変動入賞装置３７の開放回数（普電開放回数）を第１開放回数（例えば、２回）よりも多い回数（例えば、４回）の第２開放回数に設定することが可能である。また、時短状態においては、普図変動表示ゲームの当り結果となる確率（普図当り確率）を通常動作状態である場合の通常確率（普図低確率状態、例えば、０／２５１）よりも高い高確率（普図高確率状態、例えば、２５０／２５１）とすることが可能である。
【０１１５】
時短状態においては、普図変動時間、普図停止時間、普電開放回数、普電開放時間、普図当り確率の何れか一つ又は複数を変化させることで普通変動入賞装置３７を開状態に状態変換する時間を通常よりも延長するようにする。また、変化させるものが異なる複数種類の時短状態を設定することも可能である。また、当りとなった場合に第１開放態様と第２開放態様の何れかを選択するようにしても良い。この場合、第１開放態様と第２開放態様の選択確率を異ならせても良い。また、高確率状態と時短状態は、それぞれ独立して発生可能であり、両方を同時に発生することも可能であるし一方のみを発生させることも可能である。
【０１１６】
以下、このような遊技を行う遊技機の制御について説明する。まず、上記遊技制御装置１００の遊技用マイクロコンピュータ（遊技用マイコン）１１１によって実行される制御について説明する。遊技用マイコン１１１による制御処理は、主に図８及び図９に示すメイン処理と、所定時間周期（例えば、４ｍ秒）で行われる図１２に示すタイマ割込み処理とからなる。
【０１１７】
〔メイン処理〕
先ず、メイン処理について説明する。メイン処理は、電源が投入されることで開始される。このメイン処理においては、図８及び図９に示すように、まず、割込みを禁止する処理（ステップＳ１）を行ってから、割込みが発生したときにレジスタ等の値を退避する領域の先頭アドレスであるスタックポインタを設定するスタックポインタ設定処理（ステップＳ２）を行う。次に、レジスタバンク０を指定し（ステップＳ３）、所定のレジスタ（例えば、Ｄレジスタ）にＲＡＭ先頭アドレスの上位アドレスをセットする（ステップＳ４）。本実施形態の場合、ＲＡＭのアドレスの範囲は００００ｈ〜０１ＦＦｈで、上位としては００ｈか０１ｈをとり、ステップＳ４では先頭の００ｈをセットする。次に、発射停止の信号を出力して発射許可信号を禁止状態に設定する（ステップＳ５）。発射許可信号は遊技制御装置１００と払出制御装置２００の少なくとも一方が発射停止の信号を出力している場合に禁止状態に設定され、遊技球の発射が禁止されるようになっている。
【０１１８】
その後、入力ポート１（第１入力ポート１２２）の状態を読み込み（ステップＳ６）、電源投入ディレイタイマを設定する処理を行う（ステップＳ７）。この処理では所定の初期値を設定することにより、主制御手段をなす遊技制御装置１００からの指示に従い種々の制御を行う従制御手段（例えば、払出制御装置２００や演出制御装置３００）のプログラムが正常に起動するのを待つための待機時間（例えば、３秒）が設定される。これにより、電源投入の際に仮に遊技制御装置１００が先に立ち上がって従制御装置（例えば、払出制御装置２００や演出制御装置３００）が立ち上がる前にコマンドを従制御装置へ送ってしまい、従制御装置がコマンドを取りこぼすのを回避することができる。すなわち、遊技制御装置１００が、電源投入時において、主制御手段（遊技制御装置１００）の起動を遅らせて従制御装置（払出制御装置２００、演出制御装置３００等）の起動を待つための所定の待機時間を設定する待機手段をなす。
【０１１９】
また、電源投入ディレイタイマの計時は、ＲＡＭの正当性判定（チェックサム算出）の対象とならない記憶領域（正当性判定対象外のＲＡＭ領域又はレジスタ等）を用いて行われる。これにより、ＲＡＭ領域のチェックサム等のチェックデータを算出する際に、一部のＲＡＭ領域を除外して算出する必要がないため電源投入時の制御が複雑になることを防止することができる。
【０１２０】
なお、第１入力ポート１２２には初期化スイッチ信号が入力されるようになっており、待機時間の開始前に第１入力ポート１２２の状態を読み込むことで、初期化スイッチ１１２の操作を確実に検出できる。すなわち、待機時間の経過後に初期化スイッチ１１２の状態を読み込むようにすると、待機時間の経過を待ってから初期化スイッチ１１２を操作したり、電源投入から待機時間の経過まで初期化スイッチ１１２を操作し続けたりする必要がある。しかし、待機時間の開始前に状態を読み込むことで、このような煩わしい操作を行わなくても電源投入後すぐに操作を行うことで検出されるようになり、電源投入時に行った初期化の操作が受け付けられないような事態を防止できる。
【０１２１】
電源投入ディレイタイマを設定する処理（ステップＳ７）を行った後、待機時間の計時と、待機時間中における停電の発生を監視する処理（ステップＳ８からＳ１２）を行う。まず、電源装置４００から入力されている停電監視信号をポート及びデータバスを介して読み込んでチェックする回数（例えば、２回）を設定し（ステップＳ８）、停電監視信号がオンであるかの判定を行う（ステップＳ９）。
【０１２２】
停電監視信号がオンである場合（ステップＳ９；Ｙ）は、ステップＳ８で設定したチェック回数分停電監視信号のオン状態が継続しているかを判定する（ステップＳ１０）。そして、チェック回数分停電監視信号のオン状態が継続していない場合（ステップＳ１０；Ｎ）は、停電監視信号がオンであるかの判定（ステップＳ９）に戻る。また、チェック回数分停電監視信号のオン状態が継続している場合（ステップＳ１０；Ｙ）、すなわち、停電が発生していると判定した場合は、遊技機の電源が遮断されるのを待つ。このように、所定期間に亘り停電監視信号を受信し続けた場合に停電が発生したと判定することで、ノイズなどにより停電を誤検知することを防止でき、電源投入時における不具合に適切に対処することができる。
【０１２３】
すなわち、遊技制御装置１００が、所定の待機時間において停電の発生を監視する停電監視手段をなす。これにより、主制御手段をなす遊技制御装置１００の起動を遅らせている期間において発生した停電に対応することが可能となり、電源投入時における不具合に適切に対処することができる。なお、待機時間の終了まではＲＡＭへのアクセスが許可されておらず、前回の電源遮断時の記憶内容が保持されたままとなっているため、ここでの停電発生時にはバックアップの処理等は行う必要がない。このため、待機時間中に停電が発生してもＲＡＭのバックアップを取る必要がなく、制御の負担を軽減することができる。
【０１２４】
一方、停電監視信号がオンでない場合（ステップＳ９；Ｎ）、すなわち、停電が発生していない場合には、電源投入ディレイタイマを−１更新し（ステップＳ１１）、タイマの値が０であるかを判定する（ステップＳ１２）。タイマの値が０でない場合（ステップＳ１２；Ｎ）、すなわち、待機時間が終了していない場合は、停電監視信号のチェック回数を設定する処理（ステップＳ８）に戻る。また、タイマの値が０である場合（ステップＳ１２；Ｙ）、すなわち、待機時間が終了した場合は、ＲＡＭやＥＥＰＲＯＭ等の読出し書込み可能なＲＷＭ（リードライトメモリ）のアクセス許可をし（ステップＳ１３）、全出力ポートにオフデータを出力（出力が無い状態に設定）する（ステップＳ１４）。
【０１２５】
次に、シリアルポート（遊技用マイコン１１１に予め搭載されているポートで、この実施形態では、演出制御装置３００や払出制御装置２００との通信に使用）を設定し（ステップＳ１５）、先に読み込んだ入力ポート１（第１入力ポート１２２）の状態から初期化スイッチがオンにされたかを判定する（ステップＳ１６）。
【０１２６】
初期化スイッチがオフである場合（ステップＳ１６；Ｎ）は、ＲＷＭ内の停電検査領域１の値が正常な停電検査領域チェックデータ１（例えば、５Ａｈ）であるかを判定し（ステップＳ１７）、正常であれば（ステップＳ１７；Ｙ）、ＲＷＭ内の停電検査領域２の値が正常な停電検査領域チェックデータ２（例えば、Ａ５ｈ）であるかを判定する（ステップＳ１８）。そして、停電検査領域２の値が正常であれば（ステップＳ１８；Ｙ）、ＲＷＭ内の所定領域のチェックサムを算出するチェックサム算出処理を行い（ステップＳ１９）、算出したチェックサムと電源断時のチェックサムが一致するかを判定する（ステップＳ２０）。チェックサムが一致する場合（ステップＳ２０；Ｙ）は、図９のステップＳ２１へ移行し、停電から正常に復旧した場合の処理を行う。
【０１２７】
また、初期化スイッチがオンである場合（ステップＳ１６；Ｙ）と判定された場合や、停電検査領域の値が正常な停電検査領域チェックデータでないと判定された場合（ステップＳ１７；ＮもしくはステップＳ１８；Ｎ）、チェックサムが一致しないと判定された場合（ステップＳ２０；Ｎ）は、図９のステップＳ２６へ移行して初期化の処理を行う。すなわち、初期化スイッチが外部からの操作が可能な初期化操作部をなし、遊技制御装置１００が、初期化操作部が操作されたことに基づきＲＡＭに記憶されたデータを初期化する初期化手段をなす。
【０１２８】
図９のステップＳ２１では、初期化すべき領域に停電復旧時の初期値をセーブする（ステップＳ２１）。ここでの初期化すべき領域とは、停電検査領域、チェックサム領域及びエラー不正監視に係る領域である。なお、払出制御装置２００がコマンドを受付可能な状態か否かを示す信号である払出ビジー信号の状態を記憶するビジー信号ステータス領域もクリアされ、払出ビジー信号の状態を確定していないことを示す不定状態とされる。同様にタッチスイッチ信号の状態を記憶するタッチスイッチ信号状態監視領域もクリアされ、タッチスイッチ信号の状態を確定していないことを示す不定状態とされる。その後、ＲＷＭ内の遊技状態を記憶する領域を調べて特図変動表示ゲームの確率状態が高確率状態であるか否かを判定する（ステップＳ２２）。ここで、特図の高確率中でない場合（ステップＳ２２；Ｎ）は、ステップＳ２３，Ｓ２４をスキップしてステップＳ２５へ移行する。また、特図の高確率中である場合（ステップＳ２２；Ｙ）は、高確率報知フラグ領域にオン情報をセーブし（ステップＳ２３）、遊技盤３０に設けられる高確率報知ＬＥＤ（エラー表示器）のオン（点灯）データをセグメント領域にセーブする（ステップＳ２４）。そして、後述の特図ゲーム処理を合理的に実行するために用意されている処理番号に対応する停電復旧時のコマンドを演出制御基板（演出制御装置３００）へ送信し（ステップＳ２５）、ステップＳ３１へ進む。本実施形態の場合、ステップＳ２５では、機種指定コマンド、特図１保留数コマンド、特図２保留数コマンド、確率情報コマンド、画面指定のコマンド（客待ち中なら客待ちデモ画面のコマンド、それ以外なら復旧画面のコマンド）等の複数のコマンドを送信する。
【０１２９】
一方、ステップＳ１６、Ｓ１７、Ｓ１８、Ｓ２０からステップＳ２６へジャンプした場合には、ＲＡＭアクセス禁止領域をアクセス許可に設定し（ステップＳ２６）、ビジー信号ステータス領域やタッチスイッチ信号状態監視領域を含む全てのＲＡＭ領域を０クリアして（ステップＳ２７）、ＲＡＭアクセス禁止領域をアクセス禁止に設定する（ステップＳ２８）。そして、初期化すべき領域にＲＡＭ初期化時の初期値をセーブする（ステップＳ２９）。ここでの初期化すべき領域とは、客待ちデモ領域及び演出モードの設定に係る領域である。そして、ＲＡＭ初期化時のコマンドを演出制御基板（演出制御装置３００）へ送信して（ステップＳ３０）、ステップＳ３１へ進む。本実施形態の場合、ステップＳ３０では、機種指定コマンド、特図１保留数コマンド、特図２保留数コマンド、確率情報コマンド、ＲＡＭ初期化のコマンド（客待ちデモ画面を表示させるとともに、所定時間（例えば、３０秒間）光と音でＲＡＭ初期化の報知を行わせるためのコマンド）等の複数のコマンドを送信する。
【０１３０】
ステップＳ３１では、遊技用マイコン１１１（クロックジェネレータ）内のタイマ割込み信号及び乱数更新トリガ信号（ＣＴＣ）を発生するＣＴＣ（Counter/Timer Circuit）回路を起動する処理を行う。なお、ＣＴＣ回路は、遊技用マイコン１１１内のクロックジェネレータに設けられている。クロックジェネレータは、発振回路１１３からの発振信号（原クロック信号）を分周する分周回路と、分周された信号に基づいてＣＰＵ１１１Ａに対して所定周期（例えば、４ミリ秒）のタイマ割込み信号及び乱数生成回路へ供給する乱数更新のトリガを与える信号ＣＴＣを発生するＣＴＣ回路とを備えている。
【０１３１】
上記ステップＳ３１のＣＴＣ起動処理の後は、乱数生成回路を起動設定する処理を行う（ステップＳ３２）。具体的には、乱数生成回路内の所定のレジスタ（ＣＴＣ更新許可レジスタ）へ乱数生成回路を起動させるためのコード（指定値）の設定などがＣＰＵ１１１Ａによって行われる。また、乱数生成回路のハードウェアで生成されるハード乱数（ここでは大当り乱数）のビット転置パターンの設定も行われる。ビット転置パターンとは、抽出した乱数のビット配置（上段のビット転置前の配置）を、予め定められた順で入れ替えて異なるビット配置（下段のビット転置後の配置）として格納する際の入れ替え方を定めるパターンである。このビット転置パターンに従い乱数のビットを入れ替えることで、乱数の規則性を崩すことができるとともに、乱数の秘匿性を高めることができる。なお、ビット転置パターンは、固定された単一のパターンであっても良いし、予め用意された複数のパターンから選択するようにしても良い。また、ユーザーが任意に設定できるようにしても良い。
【０１３２】
その後、電源投入時の乱数生成回路内の所定のレジスタ（ソフト乱数レジスタ１〜ｎ）の値を抽出し、対応する各種初期値乱数（本実施形態の場合、特図の当り図柄を決定する乱数（大当り図柄乱数）、普図の当りを決定する乱数（当り乱数）、普図の当り図柄を決定する乱数（当り図柄乱数））の初期値（スタート値）としてＲＷＭの所定領域にセーブしてから（ステップＳ３３）、割込みを許可する（ステップＳ３４）。本実施形態で使用するＣＰＵ１１１Ａ内の乱数生成回路においては、電源投入毎にソフト乱数レジスタの初期値が変わるように構成されているため、この値を各種初期値乱数の初期値（スタート値）とすることで、ソフトウェアで生成される乱数の規則性を崩すことができ、遊技者による不正な乱数の取得を困難にすることができる。
【０１３３】
続いて、各種初期値乱数の値を更新して乱数の規則性を崩すための初期値乱数更新処理（ステップＳ３５）を行う。なお、特に限定されるわけではないが、本実施形態においては、大当り乱数、大当り図柄乱数、当り乱数、当り図柄乱数は乱数生成回路において生成される乱数を使用して生成するように構成されている。ただし、大当り乱数はＣＰＵの動作クロックと同等以上の速度のクロックを基にして更新される所謂「高速カウンタ」であり、大当り図柄乱数、当り乱数、当り図柄乱数はプログラムの処理単位であるタイマ割込み処理と同周期となるＣＴＣ出力（タイマ割込み処理のＣＴＣ（ＣＴＣ０）とは別のＣＴＣ（ＣＴＣ２））を基にして更新される「低速カウンタ」である。また、大当り図柄乱数、当り乱数、当り図柄乱数においては、乱数が一巡する毎に各々の初期値乱数（ソフトウェアで生成）を用いてスタート値を変更する所謂「初期値変更方式」を採用している。なお、前記各乱数は、＋１或いは−１によるカウンタ式更新でもよいし、一巡するまで範囲内の全ての値が重複なくバラバラに出現するランダム式更新でもよい。つまり、大当り乱数はハードウェアのみで更新される乱数であり、大当り図柄乱数、当り乱数、当り図柄乱数はハードウェア及びソフトウェアで更新される乱数である。
【０１３４】
上記ステップＳ３５の初期値乱数更新処理の後、電源装置４００から入力されている停電監視信号をポート及びデータバスを介して読み込んでチェックする回数（例えば、２回）を設定し（ステップＳ３６）、停電監視信号がオンであるかの判定を行う（ステップＳ３７）。停電監視信号がオンでない場合（ステップＳ３７；Ｎ）は、初期値乱数更新処理（ステップＳ３５）に戻る。すなわち、停電が発生していない場合には、初期値乱数更新処理と停電監視信号のチェック（ループ処理）を繰り返し行う。初期値乱数更新処理（ステップＳ３５）の前に割り込みを許可する（ステップＳ３４）ことによって、初期値乱数更新処理中にタイマ割込みが発生すると割込み処理が優先して実行されるようになり、タイマ割込みが初期値乱数更新処理によって待たされることで割込み処理が圧迫されるのを回避することができる。
【０１３５】
なお、上記ステップＳ３５での初期値乱数更新処理は、メイン処理のほか、タイマ割込み処理の中においても初期値乱数更新処理を行う方法もあり、そのような方法を採用した場合には両方で初期値乱数更新処理が実行されるのを回避するため、メイン処理で初期値乱数更新処理を行う場合には割込みを禁止してから更新して割込みを解除する必要があるが、本実施形態のようにタイマ割込み処理の中での初期値乱数更新処理はせず、メイン処理内のみにした場合には初期値乱数更新処理の前に割込みを解除しても何ら問題はなく、それによってメイン処理が簡素化されるという利点がある。
【０１３６】
停電監視信号がオンである場合（ステップＳ３７；Ｙ）は、ステップＳ３６で設定したチェック回数分停電監視信号のオン状態が継続しているかを判定する（ステップＳ３８）。そして、チェック回数分停電監視信号のオン状態が継続していない場合（ステップＳ３８；Ｎ）は、停電監視信号がオンであるかの判定（ステップＳ３７）に戻る。また、チェック回数分停電監視信号のオン状態が継続している場合（ステップＳ３８；Ｙ）、すなわち、停電が発生していると判定した場合は、一旦割込みを禁止する処理（ステップＳ３９）、全出力ポートにオフデータを出力する処理（ステップＳ４０）を行う。
【０１３７】
その後、停電検査領域１に停電検査領域チェックデータ１をセーブし（ステップＳ４１）、停電検査領域２に停電検査領域チェックデータ２をセーブする（ステップＳ４２）。さらに、ＲＷＭの電源遮断時のチェックサムを算出するチェックサム算出処理（ステップＳ４３）、算出したチェックサムをセーブする処理（ステップＳ４４）を行った後、ＲＷＭへのアクセスを禁止する処理（ステップＳ４５）を行ってから、遊技機の電源が遮断されるのを待つ。このように、停電検査領域にチェックデータをセーブするとともに、電源遮断時のチェックサムを算出することで、電源の遮断の前にＲＷＭに記憶されていた情報が正しくバックアップされているか否かを電源再投入時に判断することができる。
【０１３８】
以上のことから、遊技を統括的に制御する主制御手段（遊技制御装置１００）と、該主制御手段からの指示に従い種々の制御を行う従制御手段（払出制御装置２００、演出制御装置３００等）と、を備える遊技機において、主制御手段は、電源投入時において、当該主制御手段の起動を遅らせて従制御装置の起動を待つための所定の待機時間を設定する待機手段（遊技制御装置１００）と、当該所定の待機時間において停電の発生を監視する停電監視手段（遊技制御装置１００）と、を備えていることとなる。
【０１３９】
また、各種装置に電力を供給する電源装置４００を備え、当該電源装置４００は、停電の発生を検出した際に停電監視信号を出力するように構成され、停電監視手段（遊技制御装置１００）は、所定期間に亘り停電監視信号を受信し続けた場合に停電が発生したと判定するようにしていることとなる。
また、主制御手段（遊技制御装置１００）は、データを記憶可能なＲＡＭ１１１Ｃと、外部からの操作が可能な初期化操作部（初期化スイッチ）と、初期化操作部が操作されたことに基づきＲＡＭ１１１Ｃに記憶されたデータを初期化する初期化手段（遊技制御装置１００）と、を備え、当該初期化手段の操作状態を待機時間の開始前に読み込むようにしていることとなる。
また、主制御手段（遊技制御装置１００）は、待機時間の経過後にＲＡＭ１１１Ｃへのアクセスを許可するようにしていることとなる。
【０１４０】
〔チェックサム算出処理〕
図１０には、上述のメイン処理におけるチェックサム算出処理（ステップＳ１９，Ｓ４３）を示した。このチェックサム算出処理では、まず、算出アドレスの開始値としてＲＷＭの先頭アドレスを設定し（ステップＳ５１）、繰り返し数を設定し（ステップＳ５２）、算出値として「０」を設定する（ステップＳ５３）。繰り返し数には使用しているＲＡＭのバイト数が設定される。
【０１４１】
その後、算出アドレスの内容に算出値を加算した値を新たな算出値とし（ステップＳ５４）、算出アドレスを＋１更新して（ステップＳ５５）、繰り返し数を−１更新し（ステップＳ５６）、チェックサムの算出が終了したかを判定する（ステップＳ５７）。算出が終了していない場合（ステップＳ５７；Ｎ）は、ステップＳ５４へ戻って上記処理を繰り返す。また、算出が終了した場合（ステップＳ５７；Ｙ）は、チェックサム算出処理を終了する。
【０１４２】
〔初期値乱数更新処理〕
図１１には、上述のメイン処理における初期値乱数更新処理（ステップＳ３５）を示した。この初期値乱数更新処理では、まず、大当り図柄初期値乱数を＋１更新する（ステップＳ６１）。そして、当り初期値乱数を＋１更新し（ステップＳ６２）、当り図柄初期値乱数を＋１更新して（ステップＳ６３）、初期値乱数更新処理を終了する。
ここで、「大当り図柄初期値乱数」は、特図変動表示ゲームの大当り停止図柄を決定する乱数の初期値となる乱数のことである。また、「当り初期値乱数」は、普図変動表示ゲームの当りを決定する乱数の初期値となる乱数、「当り図柄初期値乱数」は、普図変動表示ゲームの当り停止図柄を決定する乱数の初期値となる乱数のことである。このように、メイン処理の中で時間が許す限り初期値乱数をインクリメントし続けることによって、乱数のランダム性を高めることができるようにしている。
【０１４３】
〔タイマ割込み処理〕
次に、タイマ割込み処理について説明する。図１２に示すように、タイマ割込み処理は、クロックジェネレータ内のＣＴＣ回路で生成される周期的なタイマ割込み信号がＣＰＵ１１１Ａに入力されることで開始される。遊技用マイコン１１１においてタイマ割込みが発生すると、自動的に割込み禁止状態になって、図１２のタイマ割込み処理が開始される。
【０１４４】
タイマ割込み処理が開始されると、まず、レジスタバンク１を指定する（ステップＳ１０１）。レジスタバンク１に切り替えたことで、所定のレジスタ（例えば、メイン処理で使っているレジスタ）に保持されている値をＲＷＭに移すレジスタ退避の処理を行ったのと同等になる。次に、所定のレジスタ（例えば、Ｄレジスタ）にＲＡＭ先頭アドレスの上位アドレスをセットする（ステップＳ１０２）。ステップＳ１０２では、メイン処理におけるステップＳ４と同じ処理を行っているが、レジスタバンクが異なる。次に、各種センサやスイッチからの入力や、信号の取込み、すなわち、各入力ポートの状態を読み込む入力処理（ステップＳ１０３）を行う。それから、各種処理でセットされた出力データに基づき、ソレノイド（大入賞口ソレノイド３８ｂ、普電ソレノイド３７ｃ）等のアクチュエータの駆動制御などを行うための出力処理（ステップＳ１０４）を行う。
なお、メイン処理におけるステップＳ５で発射停止の信号を出力すると、この出力処理が行われることで発射許可の信号が出力され、発射許可信号を許可状態に設定可能な状態とされる。この発射許可信号は払出制御装置を経由して発射制御装置に出力される。その際、信号の加工等は行われない。また、当該発射許可信号は遊技制御装置から見た発射許可の状態を示す第１の信号であり、払出制御装置から見た発射許可の状態を示す第２の信号（発射許可信号）も払出制御装置内で生成され、発射制御装置に出力される。つまり、２つの発射許可信号が発射制御装置に出力されており、両者が共に発射許可となっている場合に、遊技球が発射可能な状態となるよう構成されている。
【０１４５】
次に、各種処理で送信バッファにセットされたコマンドを払出制御装置２００に出力する払出コマンド送信処理（ステップＳ１０５）、乱数更新処理１（ステップＳ１０６）、乱数更新処理２（ステップＳ１０７）を行う。その後、始動口１スイッチ３６ａ、始動口２スイッチ３７ａ、始動口３スイッチ９７ａ、普図のゲートスイッチ３４ａ、入賞口スイッチ３５ａ、大入賞口スイッチ３８ａから正常な信号の入力があるか否かの監視や、エラーの監視（前面枠やガラス枠が開放されていないかなど）を行う入賞口スイッチ／状態監視処理（ステップＳ１０８）を行う。また、特図変動表示ゲームに関する処理を行う特図ゲーム処理（ステップＳ１０９）、普図変動表示ゲームに関する処理を行う普図ゲーム処理（ステップＳ１１０）を行う。
【０１４６】
次に、遊技機１０に設けられ、特図変動表示ゲームの表示や遊技に関する各種情報を表示するセグメントＬＥＤを所望の内容を表示するように駆動するセグメントＬＥＤ編集処理（ステップＳ１１１）、磁気センサ６１からの検出信号をチェックして異常がないか判定する処理を行う磁石不正監視処理（ステップＳ１１２）、盤電波センサ６２からの検出信号をチェックして異常がないか判定する処理を行う盤電波不正監視処理（ステップＳ１１３）を行う。それから、外部の各種装置に出力する信号を出力バッファにセットする外部情報編集処理（ステップＳ１１４）を行って、タイマ割込み処理を終了する。
ここで、本実施形態では、割込み禁止状態を復元する処理（すなわち、割込みを許可する処理）や、レジスタバンクの指定を復元する処理（すなわち、レジスタバンク０を指定する処理）は、割込みリターンの際（タイマ割込み処理の終了時）に自動的に行う。なお、使用するＣＰＵによっては、割込み禁止状態を復元する処理やレジスタバンクの指定を復元する処理の実行を命令する必要がある遊技機もある。
【０１４７】
〔入力処理〕
次に、上述のタイマ割込み処理における入力処理（ステップＳ１０３）の詳細について説明する。図１３に示すように、入力処理においては、まず入力ポート１、すなわち、第１入力ポート１２２に取り込まれたスイッチの検出信号の状態を読み込む（ステップＳ１２１）。そして、８ビットのポート（入力ポート１）のうち未使用ビットがあればそのビットの状態をクリアし（ステップＳ１２２）、読み込まれた入力ポート１の状態をＲＷＭ内のスイッチ制御領域１にセーブ（格納）する（ステップＳ１２３）。
【０１４８】
ここで、入力ポート１（第１入力ポート１２２）で監視するスイッチは、以下の通りである。
＜１＞ガラス枠開放検出スイッチ６３（ビット０）
＜２＞本体枠開放検出スイッチ６４（ビット１）
＜３＞ＲＡＭ初期化スイッチ１１２（ビット２）（この処理では未使用扱い）
＜４＞停電監視信号（ビット３）（この処理では未使用扱い）
＜５＞払出異常ステータス信号（ビット４）
＜６＞シュート球切れスイッチ信号（ビット５）
＜７＞オーバーフロースイッチ信号（ビット６）
＜８＞タッチスイッチ信号（ビット７）
【０１４９】
次に、入力ポート２、すなわち、第２入力ポート１２３のアドレスを準備して（ステップＳ１２４）、ＲＷＭ内のスイッチ制御領域２のアドレスを準備する（ステップＳ１２５）。その後、８ビットのポート（入力ポート２）のうち未使用ビットがあればそのビットデータを準備し（ステップＳ１２６）、８ビットのポート（入力ポート２）のうち反転するビットがあればそのビットデータを準備して（ステップＳ１２７）、スイッチ読み込み処理（ステップＳ１２８）を行う。ここで、本実施形態において「準備」とは、レジスタに値をセットすることを意味するが、これに限らず、ＲＷＭ、その他のメモリに値をセットするようにしてもよい。
【０１５０】
ここで、入力ポート２（第２入力ポート１２３）で監視するスイッチは、以下の通りである。なお、入力ポート２で監視するスイッチには反転するビットは無い。
＜１＞始動口２スイッチ３７ａ（ビット０）（パターン分岐により、「始動口２入賞信号」、「普通電動役物１入賞信号１」としても出力される。）
＜２＞始動口１スイッチ３６ａ（ビット１）（「始動口１入賞信号」）
＜３＞左入賞口スイッチ（ビット２）（「普通入賞口１入賞信号」）
＜４＞右入賞口スイッチ（ビット３）（「普通入賞口２入賞信号」）
「左入賞口スイッチ」は、入賞装置９０の左方に設けられた入賞口スイッチ３５ａであり、「右入賞口スイッチ」は、入賞装置９０の右方に設けられた入賞口スイッチ３５ａである。
＜５＞ゲートスイッチ３４ａ（ビット４）（「普通図柄１に係るゲート通過信号１」）
＜６＞大入賞口スイッチ３８ａ（ビット５）（「特別電動役物１入賞信号１」）
＜７＞始動口３スイッチ９７ａ（ビット６）（「始動口３入賞信号」）
＜８＞未使用（ビット７）（ゲートスイッチ予備として図示しない中継基板に回路接続され、常時オフ状態となるように中継基板上でＧＮＤ接続（Ｌｏｗ：０）固定されている。）
【０１５１】
次に、入力ポート３、すなわち、第３入力ポート１２４のアドレスを準備して（ステップＳ１２９）、ＲＷＭ内のスイッチ制御領域３のアドレスを準備する（ステップＳ１３０）。その後、８ビットのポート（入力ポート３）のうち未使用ビットがあればそのビットデータを準備し（ステップＳ１３１）、８ビットのポート（入力ポート３）のうち反転するビットがあればそのビットデータを準備して（ステップＳ１３２）、スイッチ読み込み処理（ステップＳ１３３）を行い、入力処理を終了する。
【０１５２】
ここで、入力ポート３（第３入力ポート１２４）で監視するスイッチは、以下の通りである。
＜１＞盤電波センサ６２（ビット０）（反転ビット）
＜２＞スイッチ異常検知信号（ビット１)
＜３＞磁気センサ６１（ビット２）
＜４＞枠電波エラー信号（ビット３）
＜５＞払出ビジー信号（ビット４）
＜６＞未使用（ビット５〜７）
【０１５３】
なお、未使用のビットデータや反転するビットデータは、入力ポート毎に準備されている。
したがって、ステップＳ１２６で準備する入力ポート２の未使用ビットデータと、ステップＳ１３１で準備する入力ポート３の未使用ビットデータとは、異なるデータであるが、結果として同じ値のデータである可能性もある。
また、ステップＳ１２７で準備する入力ポート２の反転するビットデータと、ステップＳ１３２で準備する入力ポート３の反転するビットデータとは、異なるデータであるが、結果として同じ値のデータである可能性もある。
【０１５４】
〔スイッチ読み込み処理〕
次に、上述の入力処理におけるスイッチ読み込み処理（ステップＳ１２８，Ｓ１３３）の詳細について説明する。図１４に示すように、スイッチ読み込み処理においては、まず、対象の入力ポートに取り込まれた信号の状態を読み込む（ステップＳ１４１）。そして、８ビットのポートのうち未使用ビットがあればそのビットの状態をクリアし（ステップＳ１４２）、反転の必要なビットを反転（ステップＳ１４３）した後、対象のスイッチ制御領域のポート入力状態にセーブ（格納）する（ステップＳ１４４）。その後、２回目の読み込みまでのディレイ時間（例えば、約１００μ秒）が経過するのを待つ（ステップＳ１４５）。
【０１５５】
ディレイ時間が経過すると、対象の入力ポートに取り込まれた信号の状態の２回目の読み込みを行う（ステップＳ１４６）。そして、８ビットのポートのうち未使用ビットがあればそのビットの状態をクリアし（ステップＳ１４７）、反転の必要なビットを反転（ステップＳ１４８）した後、対象のスイッチ制御領域のポート入力状態（１回目のデータ）をロードし、反転後データ（２回目のデータ）をセーブ（格納）する（ステップＳ１４９）。その後、１回目と２回目の読み込みで状態が同じビットを１、違うビットを０とした確定ビットパターンを作成し（ステップＳ１５０）、確定ビットパターンとポート入力状態（２回目のデータ）との論理積をとり、今回確定ビットとする（ステップＳ１５１）。
【０１５６】
次に、１回目と２回目の読み込みで状態が同じビットを０、違うビットを１とした未確定ビットパターンを作成し（ステップＳ１５２）、未確定ビットパターンと前回割込み時の確定状態との論理積をとり、前回保持ビットとする（ステップＳ１５３）。これにより、スイッチのチャタリング等によるノイズを除去した信号の状態を得ることができる。そして、今回確定ビットと前回保持ビットを合成し、今回の確定状態としてセーブして（ステップＳ１５４）、前回と今回の確定状態との排他的論理和をとり、立上りエッジとしてセーブし（ステップＳ１５５）、スイッチ読み込み処理を終了する。
【０１５７】
なお、スイッチの読み込みは、タイマ割込みの周期が短い場合（例えば、２ｍ秒）には、各割込みの処理ごとにそれぞれ１回ずつスイッチの読み込みを行って前回の読み込みの結果と比較することで信号が変化したか否か判定する方法があるが、そのようにすると次の割込み処理までに前回の割込みで読み込んだスイッチの状態が失われた場合、正しい判定が行えないおそれがある。これに対し、本実施形態のように、所定の時間差をおいて１回の割込み処理の中で２回のスイッチ読み込み処理を行うことで、上記のような不具合を回避することが可能となる。
【０１５８】
〔出力処理〕
次に、前述のタイマ割込み処理における出力処理（ステップＳ１０４）の詳細について説明する。図１５に示すように、出力処理では、まず、一括表示装置（ＬＥＤ）５０のセグメントのデータを出力する出力ポート１３５にオフデータを出力（リセット）する（ステップＳ１６１）。次に、普電ソレノイド３７ｃや大入賞口ソレノイド３８ｂのデータを出力する出力ポート１３４に出力するデータを合成し、出力する（ステップＳ１６２）。
【０１５９】
そして、一括表示装置（ＬＥＤ）５０のデジット線を順次スキャンするためのデジットカウンタの値を更新して（ステップＳ１６３）、デジットカウンタの値に対応するＬＥＤのデジット線の出力データを取得する（ステップＳ１６４）。本実施形態の場合、デジットカウンタの値は０から３の範囲で＋１更新される。次いで、取得したデータと外部情報データを合成して（ステップＳ１６５）、合成したデータ（例えば、「扉・枠開放」のデータ、「セキュリティ信号」のデータ）をデジット・外部情報出力用の出力ポート１３６に出力する（ステップＳ１６６）。
【０１６０】
その後、デジットカウンタの値に対応するＲＷＭ内のセグメント領域からセグメント線の出力データをロードし（ステップＳ１６７）、ロードしたデータをセグメント出力用の出力ポート１３５に出力する（ステップＳ１６８）。本実施形態では、デジットカウンタの値が０の場合に、特図１表示器５１ａのデジット線及びセグメント線が選択され、デジットカウンタの値が１の場合に、特図２表示器５１ｂのデジット線及びセグメント線が選択される。また、デジットカウンタの値が２の場合に、普図表示器５２のデジット線及びセグメント線が選択され、デジットカウンタの値が３の場合に、特図１保留表示器５３、特図２保留表示器５４、普図保留表示器５５、右打ち報知部５６、時短状態報知部５７、確率状態表示部５８、及びラウンド表示部５９のデジット線及びセグメント線が選択される。これにより、一括表示装置５０に設けられた複数の発光表示部がダイナミック制御によって制御されることとなる。
【０１６１】
続いて、外部情報の各種出力データを合成し（ステップＳ１６９）、合成したデータ（例えば、「大当り信号１」のデータ、「大当り信号２」のデータ、「大当り信号３」のデータ、「大当り信号４」のデータ、「図柄確定回数信号」のデータ、「始動口信号」のデータ、「メイン賞球信号」のデータ）と発射許可の出力データを合成して（ステップＳ１７０）、合成したデータを外部情報・発射許可信号出力用の出力ポート１３７へ出力する（ステップＳ１７１）。次に、試射試験装置への試験信号を出力する中継基板７０上の試験端子出力ポート１に出力するデータをロードして合成し、中継基板７０上の試験端子出力ポート１へ合成したデータを出力する（ステップＳ１７２）。その後、試射試験装置への試験信号を出力する中継基板７０上の試験端子出力ポート２に出力するデータをロードして合成し、中継基板７０上の試験端子出力ポート２へ合成したデータを出力する（ステップＳ１７３）。
【０１６２】
次に、試射試験装置への試験信号を出力する中継基板７０上の試験端子出力ポート３に出力するデータをロードして合成し、中継基板７０上の試験端子出力ポート３へ合成したデータを出力する（ステップＳ１７４）。さらに、試射試験装置への試験信号を出力する中継基板７０上の試験端子出力ポート４に出力するデータをロードして合成し、中継基板７０上の試験端子出力ポート４へ合成したデータを出力する（ステップＳ１７５）。そして、試射試験装置への試験信号を出力する中継基板７０上の試験端子出力ポート５に出力するデータをロードして合成し、中継基板７０上の試験端子出力ポート５へ合成したデータを出力して（ステップＳ１７６）、出力処理を終了する。
【０１６３】
なお、各デジット線に対応するセグメント線の出力データは、後述する処理においてＲＡＭ１１１Ｃ（ＲＷＭ）内に設けられた各表示器用のセグメント領域に設定されるようになっている。具体的には、図２５に示す特図ゲーム処理や図５３に示す普図ゲーム処理における図柄変動制御処理（図５１参照）や、図６４に示すセグメントＬＥＤ編集処理において設定される。
一回のタイマ割込み処理においてはこれらの処理の全てが行われるため、ＲＡＭ１１１Ｃにはデジットカウンタの値にかかわらず全てセグメント線に対応する出力データがセグメント領域に設定される。そして、このように設定されたセグメント線の出力データのうち、今回のデジットカウンタの値に応じたセグメント線の出力データが選択されて使用されるようになっている。
また、上述したようにＲＡＭ１１１Ｃは遊技機への電力の供給が停止されても記憶されたデータを保持することができるようにされている。そして、ＲＡＭ１１１Ｃにおいてセグメント線の出力データを記憶するセグメント領域やデジットカウンタの値を記憶する領域は、遊技機への電力の供給が停止した際に実行されるチェックサム算出処理においてチェックサムの算出対象となる領域に含まれている。よって、遊技機への電力の供給が再開された際に行われる正当性の判定の対象とされる。これにより、停電から正常に遊技機が復旧した場合には停電発生時の状態から一括表示装置５０の表示を再開可能となる。
【０１６４】
以上のことから、始動条件の成立に基づき、変動表示ゲームを実行する遊技機において、遊技を統括的に制御する遊技制御手段（遊技制御装置１００）と、遊技制御手段に制御されて遊技に関する表示を行う表示装置（一括表示装置５０）と、を備え、表示装置は、複数の発光表示部（特図１表示器５１ａ、特図２表示器５１ｂ、普図表示器５２、特図１保留表示器５３、特図２保留表示器５４、普図保留表示器５５、右打ち報知部５６、時短状態報知部５７、確率状態表示部５８、及びラウンド表示部５９）を備え、遊技制御手段は、遊技機への電力の供給が停止された状態でもデータを保持可能な記憶手段（ＲＡＭ１１１Ｃ）と、遊技機への電力の供給が開始された際に記憶手段に記憶されている所定のデータの正当性を判定する正当性判定手段（遊技制御装置１００）と、を備え、正当性判定手段により正当性が確認された場合には記憶手段に記憶されていたデータに基づき遊技を再開するように構成され、所定間隔で実行されるタイマ割込みにおいて、複数の発光表示部のコモン線（デジット線）を選択するための情報であるデジットカウンタを更新し、デジットカウンタの値に応じたセグメントデータを表示装置に出力するダイナミック制御により複数の発光表示部の表示制御を行い、タイマ割込み処理では、デジットカウンタの値にかかわらず各コモン線に対応するセグメントデータの全てを生成して記憶手段に記憶し、当該記憶されたセグメントデータのうちからデジットカウンタの値に応じたセグメントデータのみを使用するように構成され、正当性判定手段が正当性の判定対象とする所定のデータには、少なくとも記憶手段に記憶された各コモン線に対応するセグメントデータの全てが含まれていることとなる。
したがって、正当性判定手段が正当性の判定対象とする所定のデータには、少なくとも記憶手段に記憶された各コモン線に対応するセグメントデータの全てが含まれるので、遊技機への電力の供給が開始された際に遊技機への電力の供給が停止された状態から遊技を開始でき、違和感のない変動表示ゲームの表示が可能となる。
【０１６５】
また、遊技制御手段は、各々始動条件が異なる複数種類の変動表示ゲーム（第１特図変動表示ゲーム、第２特図変動表示ゲーム、普図変動表示ゲーム）を実行可能であり、表示装置は、複数種類の変動表示ゲームの各々に対応して、複数の発光部により構成される発光表示部を複数備え、当該複数の発光表示部はそれぞれ異なるコモン線に対応するものであることとなる。
したがって、複数種類の変動表示ゲームの何れであっても遊技機への電力の供給が開始された際に遊技機への電力の供給が停止された状態から遊技を開始でき、違和感のない変動表示ゲームの表示が可能となる。
【０１６６】
〔払出コマンド送信処理〕
次に、前述のタイマ割込み処理における払出コマンド送信処理（ステップＳ１０５）の詳細について説明する。図１６に示すように払出コマンド送信処理では、まず、入賞数カウンタ領域２にカウントがあるかをチェックする（ステップＳ１８１）。
【０１６７】
入賞数カウンタ領域は遊技制御装置１００のＲＡＭ１１１Ｃに設けられ、入賞数カウンタ領域１と入賞数カウンタ領域２が設けられている。入賞数カウンタ領域１は、払出制御装置２００に対して賞球の払い出しを指示するための払出コマンド（賞球指令）を送信するために用いる領域であって、払出コマンドを未だ送信していない賞球に対応する入賞のデータが記憶される。すなわち、入賞数カウンタ領域１が、賞球指令に関する情報を記憶可能な賞球指令カウンタをなす。
入賞数カウンタ領域２は、入賞口への入賞により発生した賞球数（払出予定数）が所定数（ここでは１０個）になる毎に外部装置へ出力するメイン賞球信号を送信するために用いる領域であって、メイン賞球信号の生成処理を行っていない賞球に対応する入賞のデータが記憶される。すなわち、入賞数カウンタ領域２が、メイン賞球信号に関する情報を記憶可能なメイン賞球信号カウンタをなす。なお、外部装置には、このメイン賞球信号の他に、払出制御装置２００からも実際に払い出した賞球数が所定数（ここでは１０個）になる毎に払出賞球信号が出力されるようになっており、この二つの信号を照合することで、不正な払い出しを監視することが可能となっている。
【０１６８】
これらの入賞数カウンタ領域にはそれぞれ、各入賞口に対して設定された賞球数別（本実施形態の場合、３個賞球、１０個賞球、１４個賞球）に入賞数カウンタ領域が設けられており、入賞口への入賞に基づき対応する入賞数カウンタ領域のカウント数が１加算されるようになっている。つまり、入賞領域への一の入賞を単位として当該入賞の情報を記憶可能とされている。なお、入賞数カウンタ領域１は入賞数カウンタ領域２よりも広い領域が割り当てられ、より多くの入賞のデータを記憶できるようにされている。これは、メイン賞球信号が送信先の状態に関係なく送信可能であるのに対し、払出コマンドが送信先である払出制御装置２００の状態により送信を保留する場合もあり、より多くの未送信データが蓄積される可能性があるためである。
具体的には、本実施形態の場合、入賞数カウンタ領域１の３個賞球カウンタ領域、１０個賞球カウンタ領域、及び１４個賞球カウンタ領域には、それぞれ６５５３５入賞まで記憶することができ、入賞数カウンタ領域２の３個賞球カウンタ領域、１０個賞球カウンタ領域、及び１４個賞球カウンタ領域には、それぞれ２５５入賞まで記憶することができるよう構成されている。
【０１６９】
入賞数カウンタ領域２にカウントがあるかをチェックする処理（ステップＳ１８１）においては、賞球数別に設けられた複数の入賞数カウンタ領域のうち、チェック対象とされた入賞数カウンタ領域に「０」でないカウント数があるかを判定する。そして、カウント数がない場合（ステップＳ１８１；Ｎ）は、チェック対象となる入賞数カウンタ領域２のアドレスを更新し（ステップＳ１８２）、すべての入賞数カウンタ領域のカウント数のチェックが終了したかを判定する（ステップＳ１８３）。この判定で、すべてのチェックが終了した（ステップＳ１８３；Ｙ）と判定すると、ステップＳ１９２に移行する。一方、すべてのチェックが終了していない（ステップＳ１８３；Ｎ）と判定すると、ステップＳ１８１へ戻って上記処理を繰り返す。本実施形態の場合、３個賞球カウンタ領域→１０個賞球カウンタ領域→１４個賞球カウンタ領域の順にチェック対象となる入賞数カウンタ領域２のアドレスを更新する。
【０１７０】
また、上記ステップＳ１８１で、カウント数がある（ステップＳ１８１；Ｙ）と判定した場合には、対象の入賞数カウンタ領域のカウント数を−１更新し（ステップＳ１８４）、対象の入賞数カウンタ領域２のアドレスに対応する払出数を取得する（ステップＳ１８５）。そして、賞球残数領域の値と取得した払出数を加算し（ステップＳ１８６）、加算結果を賞球残数領域にセーブする（ステップＳ１８７）。なお、この処理の前における賞球残数領域の値としては、メイン賞球信号の出力の基準となる所定数に満たなかった端数が記憶されている。
【０１７１】
その後、加算結果から１０を減算して（ステップＳ１８８）、減算結果が０以上かを判定し（ステップＳ１８９）、０以上でない場合（ステップＳ１８９；Ｎ）は、ステップＳ１９２の処理に移行する。また、０以上である場合（ステップＳ１８９；Ｙ）は、メイン賞球信号出力回数領域の値を＋１更新する（ステップＳ１９０）。すなわち、賞球残数が１０個になる度に、メイン賞球信号の出力回数を＋１更新する。
そして、減算結果を賞球残数領域にセーブして（ステップＳ１９１）、ステップＳ１８８の処理に戻る。これにより、ホールコンピュータなどの外部の装置にメイン賞球信号が出力されるようになる。すなわち、遊技制御装置１００が、所定の入賞領域への遊技球の入賞に伴い払い出しが決定された賞球数に関する情報を含むメイン賞球信号を遊技機の外部に出力する外部情報出力手段をなす。なお、メイン賞球信号を出力するようにすることで、大当り中などの遊技球の払い出しが集中する場合に、遊技球の払い出しとともに賞球信号の出力が遅延して、大当り中に発生した正確な賞球数が計数することができないといった不具合を防止することができる。
ここで、ステップＳ１８１〜Ｓ１９１の処理は、メイン賞球信号の出力回数を更新する（増やす）処理であり、ステップＳ１９２〜Ｓ２０１の処理は、払出コマンドを送信する処理である。
【０１７２】
ステップＳ１９２では、払出コマンド送信タイマが「０」でなければ−１更新し（ステップＳ１９２）、払出コマンド送信タイマが「０」になったかを判定する（ステップＳ１９３）。払出コマンド送信タイマが「０」でない場合（ステップＳ１９３；Ｎ）は、払出コマンド送信処理を終了する。また、払出コマンド送信タイマが「０」である場合（ステップＳ１９３；Ｙ）は、払出ビジー信号フラグをチェックして、払出ビジー信号がビジー状態であるかを判定する（ステップＳ１９４）。
払出ビジー信号は払出制御装置２００が払出制御を即座に開始可能な状態か否かを示す信号であって、払出制御を即座に開始可能でない場合には払出ビジー信号がオン状態（ビジー状態）とされる。つまり、払出ビジー信号は、払出コマンド（賞球指令）を受付可能な状態であるか否かを示す信号とも言える。すなわち、払出ビジー信号が、払出制御手段（払出制御装置２００）が払出制御を開始可能であるか否を示す状態信号をなす。
【０１７３】
この払出ビジー信号がビジー状態である場合（ステップＳ１９４；Ｙ）は、払出コマンド送信処理を終了する。すなわち、本実施形態では、タイマ割込み毎に払出コマンドを送信するのではなく、所定時間が経過し（払出コマンド送信タイマの値が０になり）、且つ、払出制御装置２００側が賞球を払い出せる状態である場合に、払出コマンドを送信するよう構成されている。このように払出制御装置２００が払出制御を即座に開始可能でなく、払出コマンドを送信しない場合は、払出コマンドの送信に関する以降の処理を行わないようにすることで、無駄な処理を行うことを防止し制御の負担を軽減するようにしている。
払出ビジー信号がオン状態（ビジー状態）になる条件は、例えば、払出動作中、球貸し動作中、シュート球切れエラー中、オーバーフローエラー中、枠電波不正発生中、払出球検出スイッチ（払い出された球を監視するスイッチ）の異常中、払出不足エラー中、払出過剰エラー中、払出制御装置２００のメモリ内に払い出すべき賞球数のカウント（未払い出しの賞球数＝獲得遊技球数残）があるとき（＝０でないとき）等である。
【０１７４】
払出ビジー信号がビジー状態でない場合（ステップＳ１９４；Ｎ）は、入賞数カウンタ領域１にカウントがあるかをチェックする（ステップＳ１９５）。入賞数カウンタ領域１にカウントがあるかをチェックする処理（ステップＳ１９５）においては、賞球数別に設けられた複数の入賞数カウンタ領域のうち、チェック対象とされた入賞数カウンタ領域に「０」でないカウント数があるかを判定する。
【０１７５】
そして、カウント数がない場合（ステップＳ１９５；Ｎ）は、チェック対象となる入賞数カウンタ領域１のアドレスを更新し（ステップＳ１９６）、すべての入賞数カウンタ領域のカウント数のチェックが終了したかを判定する（ステップＳ１９７）。この判定で、すべてのチェックが終了した（ステップＳ１９７；Ｙ）と判定すると、払出コマンド送信処理を終了する。一方、すべてのチェックが終了していない（ステップＳ１９７；Ｎ）と判定すると、ステップＳ１９５へ戻って上記処理を繰り返す。本実施形態の場合、３個賞球カウンタ領域→１０個賞球カウンタ領域→１４個賞球カウンタ領域の順にチェック対象となる入賞数カウンタ領域１のアドレスを更新する。
【０１７６】
また、上記ステップＳ１９５で、カウント数がある（ステップＳ１９５；Ｙ）と判定した場合には、対象の入賞数カウンタ領域のカウント数を−１更新し（ステップＳ１９８）、対象の入賞数カウンタ領域１のアドレスに対応する払出数コマンドを取得する（ステップＳ１９９）。そして、取得した払出数コマンドを払出用シリアル送信バッファに書き込み（ステップＳ２００）、払出コマンド送信タイマ領域に初期値をセーブして（ステップＳ２０１）、払出コマンド送信処理を終了する。払出コマンド送信タイマは送信間隔を管理するためのもので、初期値として、例えば２００ｍ秒が設定される。
【０１７７】
これにより、入賞領域への一の入賞を単位とした払出コマンド（賞球指令）が生成され、払出制御装置２００に送信されるようになる。払出制御装置２００はこの払出コマンドに基づき所定数の賞球を払い出す制御を行う。すなわち、遊技制御装置１００が、払出制御手段（払出制御装置２００）から出力される当該払出制御手段が払出制御を開始可能であるか否を示す状態信号が払出制御を開始可能であることを示している場合に賞球指令を払出制御手段に送信する賞球指令送信手段をなす。
このように遊技制御装置１００が、払出制御装置２００から出力される状態信号に基づいて賞球指令を送信する制御を行うので、払出制御装置２００が即座に払出制御を実行可能な場合にのみ賞球指令が送信されることとなる。これにより、未だ払い出しが行われていない入賞に対応するデータは遊技制御装置１００側で保持されるようになるので停電発生時には遊技制御装置１００でバックアップされるようになり、払出制御装置２００にバックアップするための機能を備えなくとも正確な払出制御を実現できる。
【０１７８】
従来の遊技機（例えば、特開２０００−３１２７５９号公報の遊技機）では、何らかの原因により電源の遮断状態が発生した場合、払出制御装置２００は自身の記憶手段にデータをバックアップし、電源遮断直前のデータによる払出制御状態を維持するようにしている。しかしながら、従来の遊技機では、バックアップするための機能が必要となるため、コストアップにつながるという問題があった。本発明によれば、払出制御装置２００にバックアップするための機能を備えなくとも正確な払出制御を実現できるようにすることができる。
また、外部の装置に送信されるメイン賞球信号は払出ビジー信号の状態に関係なく出力されるので、遅滞なくメイン賞球信号を出力でき、ホールコンピュータなどの外部の装置では賞球の払い出しの時期を正確に把握でき、例えばベース値を正確に把握できるようになる。また、賞球指令に関する情報を記憶可能な賞球指令カウンタと、メイン賞球信号に関する情報を記憶可能なメイン賞球信号カウンタとを別々に備えるので、送信タイミングが異なる賞球指令とメイン賞球信号の情報を別々に管理でき、情報を確実に管理することができる。
【０１７９】
以上のことから、統括的に遊技制御を行うとともに、遊技領域３２に設けられた入賞領域（第１始動入賞口３６、第２始動入賞口９７、普通変動入賞装置３７、一般入賞口３５、特別変動入賞装置３８）への遊技球の入賞に基づいて賞球指令を送信する遊技制御手段（遊技制御装置１００）と、遊技制御手段から送信される賞球指令に基づいて、遊技球の払出制御を行う払出制御手段（払出制御装置２００）と、を備え、遊技制御手段は、払出制御手段から出力される当該払出制御手段が払出制御を開始可能であるか否を示す状態信号（ビジー信号）に基づいて賞球指令を払出制御手段に送信する制御を行い、停電が発生し該停電から復帰した場合には、払出制御手段から払出制御を開始可能であることを示す状態信号が出力されていたとしても、直ちに賞球指令を払出制御手段に送信せず、払出制御手段から払出制御を開始可能であることを示す状態信号が所定期間に亘って継続して出力されたことに対応して賞球指令を払出制御手段に送信するようにしていることとなる。
【０１８０】
また、遊技領域３２に賞球数の異なる入賞領域（第１始動入賞口３６、第２始動入賞口９７、普通変動入賞装置３７、一般入賞口３５、特別変動入賞装置３８）を複数設け、遊技制御手段（遊技制御装置１００）は、賞球数毎に、遊技球の払出制御を指示する賞球指令の未送信の有無を特定可能な賞球指令カウンタ（遊技制御装置１００）を備え、状態信号が払出制御を開始可能であることを示し、かつ、各賞球指令カウンタに未送信の賞球指令がある場合に、賞球指令を払出制御手段（払出制御装置２００）に送信するようにし、状態信号が当該払出制御手段が払出制御を開始可能であるか否かの特定を、各賞球指令カウンタに未送信の賞球指令があるか否かの特定よりも先に行うようにしていることとなる。
【０１８１】
また、統括的に遊技制御を行うとともに、所定の入賞領域（第１始動入賞口３６、第２始動入賞口９７、普通変動入賞装置３７、一般入賞口３５、特別変動入賞装置３８）への遊技球の入賞に基づいて賞球指令を送信する遊技制御手段（遊技制御装置１００）と、遊技制御手段から送信される賞球指令に基づいて、遊技球の払出制御を行う払出制御手段（払出制御装置２００）と、を備え、遊技制御手段は、払出制御手段から出力される当該払出制御手段が払出制御を開始可能であるか否を示す状態信号が払出制御を開始可能であることを示している場合に賞球指令を払出制御手段に送信する賞球指令送信手段（遊技制御装置１００）と、所定の入賞領域への遊技球の入賞に伴い払い出しが決定された賞球数に関する情報を含む賞球信号（メイン賞球信号）を遊技機の外部に出力する外部情報出力手段（遊技制御装置１００）と、を備え、外部情報出力手段は、払出制御手段から出力される状態信号が、払出制御手段が払出制御を開始可能であるか否かに関係なく賞球信号の出力を行うようにしたこととなる。
【０１８２】
また、賞球指令送信手段（遊技制御装置１００）は、停電が発生し該停電から復帰した場合には、状態信号が払出制御を開始可能であることを示していたとしても、直ちに賞球指令を払出制御手段（払出制御装置２００）に送信せず、状態信号が払出制御を開始可能であることを示している状態が所定期間に亘って継続していることに対応して賞球指令を払出制御手段に送信するようにしたこととなる。
【０１８３】
また、遊技制御手段（遊技制御装置１００）は、賞球指令に関する情報を記憶可能な賞球指令カウンタ（遊技制御装置１００）と、賞球信号（メイン賞球信号）に関する情報を記憶可能な賞球信号カウンタ（遊技制御装置１００）と、を備え、賞球指令送信手段（遊技制御装置１００）は、所定の入賞領域（第１始動入賞口３６、第２始動入賞口９７、普通変動入賞装置３７、一般入賞口３５、特別変動入賞装置３８）への一の入賞を単位として賞球指令を生成し、状態信号が払出制御を開始可能であることを示している場合に一の賞球指令を払出制御手段（払出制御装置２００）に送信するように構成され、賞球指令カウンタ（遊技制御装置１００）は、所定の入賞領域への一の入賞を単位として当該入賞の情報を記憶可能であり、所定の入賞領域への遊技球の入賞時に更新を行うとともに、払出制御手段への賞球指令への送信に対応させて更新を行うことで、送信していない賞球指令の数を記憶可能とし、外部情報出力手段は、所定の入賞領域への遊技球の入賞に伴い払い出しが決定された賞球数を累積し、累積値が所定数に達する毎に賞球信号を遊技機の外部に出力するように構成され、賞球信号カウンタは、所定の入賞領域への一の入賞を単位として当該入賞の情報を記憶可能であり、所定の入賞領域への遊技球の入賞時に更新を行うとともに、外部情報出力手段による賞球数の累積処理に対応させて更新を行うことで、未だ累積処理を行っていない賞球数を記憶可能であることとなる。
【０１８４】
〔乱数更新処理１〕
図１７には、タイマ割込み処理における乱数更新処理１（ステップＳ１０６）を示した。乱数更新処理１は、初期値乱数更新処理の対象となっている大当り図柄乱数、当り乱数、当り図柄乱数の初期値（スタート値）を更新するための処理である。この乱数更新処理１では、まず、大当り図柄乱数が次回の初期値（スタート値）設定待ちであるかを判定する（ステップＳ２１１）。
大当り図柄乱数が初期値設定待ちでない場合（ステップＳ２１１；Ｎ）は、普図の当り乱数が次回の初期値（スタート値）設定待ちであるかを判定する（ステップＳ２１４）。また、大当り図柄乱数が初期値設定待ちである場合（ステップＳ２１１；Ｙ）は、次回初期値として大当り図柄初期値乱数をロードし（ステップＳ２１２）、ロードした大当り図柄乱数の次回の初期値を対応する乱数カウンタ（乱数領域）のスタート値を保持するレジスタ（スタート値設定レジスタ）に設定して（ステップＳ２１３）、普図の当り乱数が次回の初期値（スタート値）設定待ちであるかを判定する（ステップＳ２１４）。
【０１８５】
普図の当り乱数が初期値設定待ちでない場合（ステップＳ２１４；Ｎ）は、普図の当り図柄乱数が次回の初期値（スタート値）設定待ちであるかを判定する（ステップＳ２１７）。また、普図の当り乱数が初期値設定待ちである場合（ステップＳ２１４；Ｙ）は、次回初期値として当り初期値乱数をロードし（ステップＳ２１５）、ロードした普図の当り乱数の次回の初期値を対応する乱数カウンタ（乱数領域）のスタート値を保持するレジスタ（スタート値設定レジスタ）に設定して（ステップＳ２１６）、普図の当り図柄乱数が次回の初期値（スタート値）設定待ちであるかを判定する（ステップＳ２１７）。
【０１８６】
普図の当り図柄乱数が初期値設定待ちでない場合（ステップＳ２１７；Ｎ）は、乱数更新処理１を終了する。また、普図の当り図柄乱数が初期値設定待ちである場合（ステップＳ２１７；Ｙ）は、次回初期値として当り図柄初期値乱数をロードし（ステップＳ２１８）、ロードした普図の当り図柄乱数の次回の初期値を対応する乱数カウンタ（乱数領域）のスタート値を保持するレジスタ（スタート値設定レジスタ）に設定して（ステップＳ２１９）、乱数更新処理１を終了する。
【０１８７】
〔乱数更新処理２〕
図１８には、タイマ割込み処理における乱数更新処理２（ステップＳ１０７）を示した。乱数更新処理２は、特図１，特図２の変動表示ゲームにおける変動パターンを決定するための変動パターン乱数を更新する処理である。なお、本実施形態の遊技機では、変動パターン乱数として１バイトの乱数（変動パターン乱数２、３）と、２バイトの乱数（変動パターン乱数１）があり、乱数更新処理２は両方を更新対象とし、割込みが発生するごとに更新対象を切り替えて処理する。しかも、更新対象の乱数が２バイトの場合には、上位のバイトと下位のバイトに対して異なる割込み時に更新処理を行うようになっている。すなわち、メイン処理に対する一の割込み処理において実行される乱数更新処理２による２バイトの変動パターン乱数１（リーチ変動態様決定用乱数）の更新は、上位１バイト若しくは下位１バイトの何れかについて実行されるように構成されている。
【０１８８】
この乱数更新処理２では、まず、更新すべき複数の乱数のうちいずれの乱数を今回の更新処理の対象とするかを順番に指定するための乱数更新スキャンカウンタを更新する（ステップＳ２３１）。本実施形態の場合、乱数更新スキャンカウンタの値は０から３の範囲で更新される。そして、乱数更新スキャンカウンタの値が「０」のときは変動パターン乱数１（上位）が更新され、「１」のときは変動パターン乱数１（下位）が更新され、「２」のときは変動パターン乱数２が更新され、「３」のときは変動パターン乱数３が更新される。次に、乱数更新スキャンカウンタの値に対応する演出乱数更新テーブルのアドレスを算出する（ステップＳ２３２）。
次いで、算出されたアドレスに基づいて参照したテーブルから乱数の上限判定値を取得する（ステップＳ２３４）。このとき参照するテーブルには、乱数の種類ごとに上限判定値、すなわち、乱数が一巡したか否かを判定するための値が格納されている。
【０１８９】
続いて、例えば本実施形態において遊技用マイコンとして使用しているＣＰＵには、ＤＲＡＭのリフレッシュ等のため使用されるリフレッシュレジスタ（以下、「Ｒレジスタ」と称する）が設けられておらず、その代わりに、Ｒレジスタと同等の動作をする「Ｍ１カウンタ」というカウンタを内蔵しているが、そのＭ１カウンタの値をロードする（ステップＳ２３４）。Ｍ１カウンタの値を使用することで、乱数にランダム性を付与することができる。次に、Ｍ１カウンタの値をマスクするためのマスク値を取得し、Ｍ１カウンタの値をマスクする（ステップＳ２３５）。なお、マスク値は、更新対象の乱数によって異なるビット数、例えば、変動パターン乱数１の下位１バイトを更新する場合には、Ｍ１カウンタの下位３ビットに、また、変動パターン乱数１の上位１バイトを更新する場合には、Ｍ１カウンタの下位４ビットに設定されている。乱数の種類によって上限値が異なるためである。なお、マスク値として、変動パターン乱数１の下位１バイトを更新する場合には、Ｍ１カウンタの下位３ビットを、また、変動パターン乱数１の上位１バイトを更新する場合には、Ｍ１カウンタの下位４ビットを例示したが、数値は一例であってこれに限られるものではない。
【０１９０】
次に、更新する乱数領域（乱数カウンタ）が２バイト乱数の上位１バイトであるかを判定する（ステップＳ２３６）。そして、乱数領域が２バイト乱数の上位１バイトである場合（ステップＳ２３６；Ｙ）は、加算値として、上位１バイトをマスク値によってＭ１カウンタの値をマスクすることによって残った値（以下、これを「マスクした値」と称する）に「１」を加算したマスク更新値に設定し、下位１バイトを「０」に設定して（ステップＳ２３７）、ステップＳ２３９に進む。また、乱数領域が２バイト乱数の上位１バイトでない場合（ステップＳ２３６；Ｎ）は、加算値として、上位１バイトを「０」に設定し、下位１バイトを上記マスク更新値に設定して（ステップＳ２３８）、ステップＳ２３９に進む。なお、マスクした値に「１」を加算するのは、マスクした値が「０」になる場合があり、「０」を後に加算すると加算する前の値から変化しないので、それを避けるためである。
【０１９１】
そして、更新する乱数領域が２バイト乱数かを判定し（ステップＳ２３９）、２バイト乱数である場合（ステップＳ２３９；Ｙ）は、更新する乱数領域の値（２バイト）を設定して（ステップＳ２４０）、ステップＳ２４２に進む。また、更新する乱数領域が２バイト乱数でない場合（ステップＳ２３９；Ｎ）は、乱数値の上位１バイトとして「０」を設定し、乱数値の下位１バイトとして、更新する乱数領域の値（１バイト）を設定し（ステップＳ２４１）、ステップＳ２４２へ進む。
【０１９２】
ステップＳ２４２では、乱数値にステップＳ２３７又はＳ２３８で決定した加算値を加算した値を新たな乱数値とし、この新たな乱数値がステップＳ２３３で取得した上限判定値よりも大きいかを判定する（ステップＳ２４３）。そして、新たな乱数値が上限判定値より大きくない場合（ステップＳ２４３；Ｎ）は、新たな乱数値を１バイト乱数又は２バイト乱数の下位の乱数領域にセーブする（ステップＳ２４５）。また、新たな乱数値が上限判定値より大きい場合（ステップＳ２４３；Ｙ）は、新たな乱数値から上限判定値を減算した値を再度の新たな乱数値とし（ステップＳ２４４）、この値を１バイト乱数又は２バイト乱数の下位の乱数領域にセーブする（ステップＳ２４５）。
【０１９３】
次に、更新した乱数領域が２バイト乱数であるかを判定し（ステップＳ２４６）、２バイト乱数でない場合（ステップＳ２４６；Ｎ）は、乱数更新処理２を終了する。また、２バイト乱数である場合（ステップＳ２４６；Ｙ）は、新たな乱数値（再度の新たな乱数値を算出した場合はその値）を２バイト乱数の上位の乱数領域にセーブし（ステップＳ２４７）、乱数更新処理２を終了する。
本実施形態の場合、演出乱数更新テーブル上に、上限判定値や、Ｍ１カウンタのマスク値、更新する乱数領域の種別情報（１バイト乱数、２バイト乱数（上位）、２バイト乱数（下位））、更新領域のアドレスなどが、更新する乱数の種類分（４ブロック）定義されている。
【０１９４】
このように、ＣＰＵ１１１Ａは、特図１，特図２の変動表示ゲームにおける変動パターンを決定するための変動パターン乱数を更新する。従って、ＣＰＵ１１１Ａは、第１始動入賞口３６や第２始動入賞口９７や普通変動入賞装置３７の始動領域への遊技球の流入に基づいて抽出される各種乱数のうち、特図変動表示ゲームの変動態様（変動パターン）を決定するための変動パターン乱数を更新する乱数更新手段をなす。
【０１９５】
〔入賞口スイッチ／状態監視処理〕
図１９には、タイマ割込み処理における入賞口スイッチ／状態監視処理（ステップＳ１０８）を示した。この入賞口スイッチ／状態監視処理では、まず、大入賞口（特別変動入賞装置３８）内の一方の大入賞口スイッチ３８ａに対応する入賞口監視テーブル１を準備し（ステップＳ３０１）、大入賞口が開いていないにもかかわらず大入賞口に不正な入賞がないか監視するとともに正常な入賞を検出する不正＆入賞監視処理（ステップＳ３０２）を実行する。
その後、大入賞口（特別変動入賞装置３８）内の他方の大入賞口スイッチ３８ａに対応する入賞口監視テーブル２を準備し（ステップＳ３０３）、不正な入賞がないか監視するとともに正常な入賞を検出する不正＆入賞監視処理（ステップＳ３０４）を実行する。
【０１９６】
入賞口監視テーブルには、対象のスイッチに入力があるかを判定するデータの位置を示す監視スイッチビット、不正監視情報の下位アドレス、不正入賞数領域の下位アドレス、不正入賞エラー報知コマンド、不正入賞数上限値（不正発生判定個数）、入賞口スイッチテーブルのアドレス、報知タイマ更新情報（許可／更新）の情報が定義されている。また、入賞口監視テーブルのうちの入賞テーブルには、監視の繰り返し回数（スイッチの数）に加えて、各スイッチ毎に、監視スイッチビット、入賞数カウンタ領域１の下位アドレス、入賞数カウンタ領域２の下位アドレスの情報が定義されている。入賞口監視テーブルは、監視対象のスイッチのそれぞれに応じたものが用意されている。
【０１９７】
次に、普電内の入賞口スイッチ（始動口２スイッチ３７ａ）の入賞口監視テーブルを準備し（ステップＳ３０５）、不正な入賞がないか監視するとともに正常な入賞を検出する不正＆入賞監視処理（ステップＳ３０６）を実行する。そして、常時入賞可能（不正監視処理が不要）な入賞口スイッチ（例えば、始動口１スイッチ３６ａ、始動口３スイッチ９７ａ、一般入賞口３５の入賞口スイッチ３５ａ（左入賞口スイッチ、右入賞口スイッチ））の入賞口監視テーブルを準備し（ステップＳ３０７）、入賞数を更新する入賞数カウンタ更新処理（ステップＳ３０８）を行って、始動口エラー監視処理（ステップＳ３０９）を行う。
【０１９８】
次に、状態を監視すべき複数のスイッチ並びに信号のうちいずれのスイッチ又は信号を今回の監視の対象とするかを順番に指定するための状態スキャンカウンタを更新する（ステップＳ３１０）。本実施形態の場合、状態スキャンカウンタは０から３の範囲で更新される。その後、状態スキャンカウンタの値に応じて、監視する状態を設定するための遊技機状態監視テーブル１を準備する（ステップＳ３１１）。そして、エラーが発生しているかなどの状態を判定する遊技機状態チェック処理（ステップＳ３１２）を行う。
本実施形態の場合、状態スキャンカウンタの値を遊技機状態監視テーブル１に参照することで、状態スキャンカウンタの値が「０」である場合はスイッチのコネクタ抜けなどの発生により出力されるスイッチ異常１信号に基づく状態の監視が設定され、状態スキャンカウンタの値が「１」である場合は払出制御装置２００からのシュート球切れスイッチ信号に基づく状態の監視が設定される。状態スキャンカウンタの値が「２」である場合はオーバーフロースイッチ信号に基づく状態の監視が設定され、状態スキャンカウンタの値が「３」である場合は払出異常ステータス信号に基づく状態の監視が設定される。
【０１９９】
次に、状態スキャンカウンタの値に応じて、監視する状態を設定するための遊技機状態監視テーブル２を準備する（ステップＳ３１３）。そして、エラーが発生しているかなどの状態を判定する遊技機状態チェック処理（ステップＳ３１４）を行う。
本実施形態の場合、状態スキャンカウンタの値を遊技機状態監視テーブル２に参照することで、状態スキャンカウンタの値が「０」である場合はガラス枠開放検出スイッチ６３から出力される信号に基づく状態の監視が設定され、状態スキャンカウンタの値が「１」である場合は本体枠開放検出スイッチ６４から出力される信号に基づく状態の監視が設定される。また、状態スキャンカウンタの値が「２」である場合は枠電波不正信号に基づく状態の監視が設定され、状態スキャンカウンタの値が「３」である場合はタッチスイッチ信号に基づく状態の監視が設定される。
【０２００】
次に、状態スキャンカウンタの値が「０」であるかを判定し（ステップＳ３１５）、エラースキャンカウンタの値が「０」でない場合（ステップＳ３１５；Ｎ）は、入賞口スイッチ／状態監視処理を終了する。この場合は、次に参照する遊技機状態監視テーブル３に状態の監視対象がない場合である。また、エラースキャンカウンタの値が「０」である場合（ステップＳ３１５；Ｙ）は、遊技機状態監視テーブル３を準備し（ステップＳ３１６）、エラーが発生しているかなどの状態を判定する遊技機状態チェック処理（ステップＳ３１７）を行う。
本実施形態の場合、状態スキャンカウンタの値を遊技機状態監視テーブル３に参照することで、状態スキャンカウンタの値が「０」である場合はスイッチのコネクタ抜けなどの発生により出力されるスイッチ異常２信号に基づく状態の監視が設定される。なお、遊技機状態監視テーブル３には状態スキャンカウンタが「１」から「３」の場合は定義されていない。
【０２０１】
その後、払出制御装置２００が払出制御を開始可能であるかを示す払出ビジー信号をチェックする払出ビジー信号チェック処理（ステップＳ３１８）を行って、入賞口スイッチ／状態監視処理を終了する。なお、ステップＳ３１６からＳ３１８の処理は、タイマ割込み毎に更新される状態スキャンカウンタの値が「０」の場合のみ実行されるため、４回のタイマ割込みに１回の割合で実行されることとなる。すなわち、タイマ割込みが４ｍ秒毎に行われる場合は、１６ｍ秒毎にステップＳ３１６からＳ３１８の処理が行われることとなる。
【０２０２】
〔不正＆入賞監視処理〕
図２０には、上述の入賞口スイッチ／状態監視処理における不正＆入賞監視処理（ステップＳ３０２，Ｓ３０４，Ｓ３０６）を示した。この不正＆入賞監視処理は、特別変動入賞装置３８の二つの大入賞口スイッチ３８ａの各々及び普通変動入賞装置３７の始動口２スイッチ３７ａに対して行われる処理である。大入賞口（特別変動入賞装置３８）や普電（普通変動入賞装置３７）については、無理やり開閉部材を開いて遊技球を入れて賞球を払い出させる不正が行われ易いため、入賞の検出の他に不正の監視をする。
【０２０３】
この不正＆入賞監視処理においては、まず、エラー監視対象の入賞口スイッチの不正監視期間フラグをチェックし（ステップＳ３２１）、不正監視期間中であるかを判定する（ステップＳ３２２）。不正監視期間とは、エラー監視対象の入賞口スイッチが大入賞口スイッチ３８ａである場合は特別変動入賞装置３８を開放する特別遊技状態中以外の期間であり、エラー監視対象の入賞口スイッチが始動口２スイッチ３７ａである場合は普図の当りに基づき普通変動入賞装置３７の開放制御を実行している状態以外の期間である。
【０２０４】
そして、不正監視期間である場合（ステップＳ３２２；Ｙ）は、対象の入賞口スイッチに入力があるかを判定する（ステップＳ３２３）。対象の入賞口スイッチに入力がない場合（ステップＳ３２３；Ｎ）は、対象の報知タイマ更新情報をロードする（ステップＳ３３２）。また、対象の入賞口スイッチに入力がある場合（ステップＳ３２３；Ｙ）は、対象の不正入賞数を＋１更新し（ステップＳ３２４）、更新後の不正入賞数が監視対象の不正発生判定個数以上であるかを判定する（ステップＳ３２５）。
【０２０５】
本実施形態の場合、エラー監視対象の入賞口スイッチの種類にかかわらず、不正発生判定個数を５個に設定しているが、不正発生個数は、入賞口スイッチの種類毎に異なる個数を定義することもできる。
判定個数を５個としているのは、例えば、開状態にある大入賞口が閉状態に変換した際に遊技球が大入賞口の扉部材に挟まり、その遊技球が大入賞口スイッチの有効期間を過ぎて入賞した場合や信号にノイズがのった場合にそれを不正と判断しないようにするためであり、不正でないのに簡単にエラーと判定しないためである。
【０２０６】
そして、不正入賞数が監視対象の不正発生判定個数以上でない場合（ステップＳ３２５；Ｎ）は、対象の入賞口スイッチの入賞口監視テーブルを準備する（ステップＳ３３０）。入賞口スイッチ／状態監視処理にて準備された入賞口監視テーブル（不正監視テーブル）には、対象のスイッチに入力があるかを判定するデータの位置を示す監視スイッチビット、不正監視情報の下位アドレス、不正入賞数領域の下位アドレス、不正入賞エラー報知コマンド、不正入賞数上限値（不正発生判定個数）、入賞口スイッチテーブルのアドレス、報知タイマ更新情報（許可／更新）の情報が定義されている。
また、不正入賞数が監視対象の不正発生判定個数以上である場合（ステップＳ３２５；Ｙ）は、不正入賞数を不正発生判定個数に留め（ステップＳ３２６）、対象の不正入賞報知タイマ領域に初期値（例えば、６００００ｍ秒）をセーブする（ステップＳ３２７）。次に、対象の不正発生コマンドを準備し（ステップＳ３２８）、不正フラグとして不正入賞発生フラグを準備して（ステップＳ３２９）、準備した不正フラグを対象の不正フラグ領域の値と比較する（ステップＳ３４０）。
【０２０７】
一方、不正監視期間中でない場合（ステップＳ３２２；Ｎ）は、対象の入賞口スイッチの入賞口監視テーブルを準備し（ステップＳ３３０）、賞球の設定を行う入賞数カウンタ更新処理（ステップＳ３３１）を行う。そして、対象の報知タイマ更新情報をロードし（ステップＳ３３２）、報知タイマの更新許可の有無を判定する（ステップＳ３３３）。そして、報知タイマの更新が許可されない場合（ステップＳ３３３；Ｎ）は、不正＆入賞監視処理を終了する。また、報知タイマの更新が許可される場合（ステップＳ３３３；Ｙ）は、対象の報知タイマが０でなければ−１更新する（ステップＳ３３４）。なお、報知タイマの最小値は０に設定されている。
【０２０８】
報知タイマの更新は、エラー監視対象の入賞口スイッチが一方の大入賞口スイッチ３８ａである場合は許可され、エラー監視対象の入賞口スイッチが他方の大入賞口スイッチ３８ａである場合は許可されない。これにより、特別変動入賞装置３８についての不正報知について、報知タイマの更新が倍の頻度で行われてしまい、規定時間（例えば、６００００ｍ秒）の半分でタイムアップしてしまうことを防止している。なお、エラー監視対象の入賞口スイッチが始動口２スイッチ３７ａである場合は報知タイマの更新は常に許可される。
【０２０９】
その後、報知タイマの値が０であるかを判定し（ステップＳ３３５）、値が０でない場合（ステップＳ３３５；Ｎ）、すなわちタイムアップしていない場合は、不正＆入賞監視処理を終了する。また、値が０である場合（ステップＳ３３５；Ｙ）、すなわちタイムアップした又はすでにタイムアップしていた場合は、対象の不正解除コマンドを準備し（ステップＳ３３６）、不正フラグとして不正入賞解除フラグを準備する（ステップＳ３３７）。そして、報知タイマの値が０になった瞬間であるかを判定する（ステップＳ３３８）。
【０２１０】
報知タイマの値が０になった瞬間である場合（ステップＳ３３８；Ｙ）、すなわち今回の不正＆入賞監視処理で報知タイマの値が０になった場合は、対象の不正入賞数をクリアし（ステップＳ３３９）、準備した不正フラグを対象の不正フラグ領域の値と比較する（ステップＳ３４０）。また、報知タイマの値が０になった瞬間でない場合（ステップＳ３３８；Ｎ）、すなわち前回以前の不正＆入賞監視処理で報知タイマの値が０になった場合は、準備した不正フラグを対象の不正フラグ領域の値と比較する（ステップＳ３４０）。
【０２１１】
そして、準備した不正フラグと対象の不正フラグ領域の値が一致した場合（ステップＳ３４０；Ｙ）は、不正＆入賞監視処理を終了する。また、準備した不正フラグと対象の不正フラグ領域の値が一致しない場合（ステップＳ３４０；Ｎ）は、準備した不正フラグを対象の不正フラグ領域にセーブし（ステップＳ３４１）、演出コマンド設定処理を行い（ステップＳ３４２）、不正＆入賞監視処理を終了する。以上の処理により、エラーの発生に伴いエラー報知コマンドが演出制御装置３００に送信され、エラーの解除に伴い不正入賞エラー解除コマンドが演出制御装置３００に送信されて、エラー報知の開始、終了が設定されることとなる。
【０２１２】
〔入賞数カウンタ更新処理〕
図２１には、上述の入賞口スイッチ／状態監視処理及び不正＆入賞監視処理における入賞数カウンタ更新処理（ステップＳ３０８，Ｓ３３１）を示した。この入賞数カウンタ更新処理においては、まず、入賞口監視テーブルから監視する入賞口スイッチの個数を取得し（ステップＳ３５１）、対象の入賞口スイッチに入力（正確には入力の変化）があるかを判定する（ステップＳ３５２）。入賞口スイッチ／状態監視処理にて準備された入賞口監視テーブル（不正監視テーブル）のうちの入賞テーブルには、監視の繰り返し回数（スイッチの数）に加えて、スイッチ毎に、監視スイッチビット、入賞数カウンタ領域１の下位アドレス、入賞数カウンタ領域２の下位アドレスの情報が定義されている。
【０２１３】
対象の入賞口スイッチに入力がない場合（ステップＳ３５２；Ｎ）は、テーブルアドレスを次レコードのアドレスに更新して（ステップＳ３６１）、全スイッチの監視が終了したかを判定する（ステップＳ３６２）。また、対象の入賞口スイッチに入力がある場合（ステップＳ３５２；Ｙ）は、対象の入賞数カウンタ領域１の値をロードし（ステップＳ３５３）、ロードした値を＋１更新して（ステップＳ３５４）、オーバーフローするか判定する（ステップＳ３５５）。そして、オーバーフローが発生していない場合（ステップＳ３５５；Ｎ）は、更新後の値を入賞数カウンタ領域１にセーブし（ステップＳ３５６）、対象の入賞数カウンタ領域２の値をロードする（ステップＳ３５７）。また、オーバーフローが発生した場合（ステップＳ３５５；Ｙ）は、対象の入賞数カウンタ領域２の値をロードする（ステップＳ３５７）。本実施形態の場合、ステップＳ３５４では、賞球（払出コマンド送信）のためのカウンタを更新している。カウンタサイズは２バイト（０〜６５５３５の範囲）である。
【０２１４】
対象の入賞数カウンタ領域２の値をロード（ステップＳ３５７）した後、ロードした値を＋１更新して（ステップＳ３５８）、オーバーフローするか判定する（ステップＳ３５９）。そして、オーバーフローが発生していない場合（ステップＳ３５９；Ｎ）は、更新後の値を入賞数カウンタ領域２にセーブし（ステップＳ３６０）、テーブルアドレスを次レコードのアドレスに更新して（ステップＳ３６１）、全スイッチの監視が終了したかを判定する（ステップＳ３６２）。また、オーバーフローが発生した場合（ステップＳ３５９；Ｙ）は、テーブルアドレスを次レコードのアドレスに更新して（ステップＳ３６１）、全スイッチの監視が終了したかを判定する（ステップＳ３６２）。本実施形態の場合、ステップＳ３５８では、メイン賞球信号のためのカウンタを更新している。カウンタサイズは１バイト（０〜２５５の範囲）である。
【０２１５】
全スイッチの監視が終了していない場合（ステップＳ３６２；Ｎ）は、対象の入賞口スイッチに入力があるかを判定する処理（ステップＳ３５２）に戻る。また、全スイッチの監視が終了した場合（ステップＳ３６２；Ｙ）は、入賞数カウンタ更新処理を終了する。以上の処理により、入賞領域への入賞に基づき入賞数カウンタ領域１及び２が更新されて入賞の情報が記憶されることとなる。
【０２１６】
〔始動口エラー監視処理〕
図２２には、上述の入賞口スイッチ／状態監視処理における始動口エラー監視処理（ステップＳ３０９）を示した。この始動口エラー監視処理においては、まず、始動口１スイッチ３６ａに入力があるか判定する（ステップＳ３７１）。そして、始動口１スイッチ３６ａに入力がないと判定した場合（ステップＳ３７１；Ｎ）には、始動口３スイッチ９７ａに入力があるか判定し（ステップＳ３７５）、始動口１スイッチ３６ａに入力があると判定した場合（ステップＳ３７１；Ｙ）には、前回の入賞も第１始動口（第１始動入賞口３６）への入賞であったか判定する（ステップＳ３７２）。
【０２１７】
ステップＳ３７２で、前回の入賞も第１始動口（第１始動入賞口３６）への入賞であったと判定した場合（ステップＳ３７２；Ｙ）、すなわち入賞装置９０の内部で遊技球が第１始動入賞口３６と第２始動入賞口９７とに交互に振り分けられていない場合には、連続入賞数領域の値を＋１更新して（ステップＳ３７３）、連続入賞数領域の値が上限値（本実施形態の場合、４個）以上であるか判定する（ステップＳ３７４）。そして、連続入賞数領域の値が上限値以上であると判定した場合（ステップＳ３７４；Ｙ）には、ステップＳ３７９の処理に移行し、連続入賞数領域の値が上限値以上でないと判定した場合（ステップＳ３７４；Ｎ）には、始動口３スイッチ９７ａに入力があるか判定する（ステップＳ３７５）。
一方、ステップＳ３７２で、前回の入賞は第１始動口（第１始動入賞口３６）への入賞でなかったと判定した場合（ステップＳ３７２；Ｎ）には、連続入賞数領域に１をセーブし（ステップＳ３８４）、始動口判定データ領域に始動口１入賞情報をセーブして（ステップＳ３８５）、始動口３スイッチ９７ａに入力があるか判定する（ステップＳ３７５）。
【０２１８】
ステップＳ３７５で、始動口３スイッチ９７ａに入力がないと判定した場合（ステップＳ３７５；Ｎ）には、始動口エラー報知タイマが０であるか判定する（ステップＳ３８８）。
一方、ステップＳ３７５で、始動口３スイッチ９７ａに入力があると判定した場合（ステップＳ３７５；Ｙ）には、前回の入賞も第３始動口（第２始動入賞口９７）への入賞であったか判定する（ステップＳ３７６）。
【０２１９】
ステップＳ３７６で、前回の入賞も第３始動口（第２始動入賞口９７）への入賞であったと判定した場合（ステップＳ３７６；Ｙ）、すなわち入賞装置９０の内部で遊技球が第１始動入賞口３６と第２始動入賞口９７とに交互に振り分けられていない場合には、連続入賞数領域の値を＋１更新して（ステップＳ３７７）、連続入賞数領域の値が上限値（本実施形態の場合、４個）以上であるか判定する（ステップＳ３７８）。そして、連続入賞数領域の値が上限値以上でないと判定した場合（ステップＳ３７８；Ｎ）には、始動口エラー報知タイマが０であるか判定し（ステップＳ３８８）、連続入賞数領域の値が上限値以上であると判定した場合（ステップＳ３７８；Ｙ）には、ステップＳ３７９の処理に移行する。
【０２２０】
ステップＳ３７９では、連続入賞数領域の値を上限値に留める（ステップ３７９）。
次いで、始動口エラー報知タイマ領域に初期値（例えば、６０秒）をセーブし（ステップＳ３８０）、始動口エラーフラグ領域にエラー発生中フラグをセーブし（ステップＳ３８１）、始動口エラー発生コマンドを準備し（ステップＳ３８２）、演出コマンド設定処理（ステップＳ３８３）を行って、始動口エラー監視処理を終了する。
【０２２１】
また、ステップＳ３７６で、前回の入賞は第３始動口（第２始動入賞口９７）への入賞でなかったと判定した場合（ステップＳ３７６；Ｎ）には、連続入賞数領域に１をセーブし（ステップＳ３８６）、始動口判定データ領域に始動口３入賞情報をセーブして（ステップＳ３８７）、始動口エラー報知タイマが０であるか判定する（ステップＳ３８８）。
ステップＳ３８８で、始動口エラー報知タイマが０であると判定した場合（ステップＳ３８８；Ｙ）には、始動口エラー監視処理を終了する。
一方、ステップＳ３８８で、始動口エラー報知タイマが０でないと判定した場合（ステップＳ３８８；Ｎ）には、始動口エラー報知タイマを−１更新して（ステップＳ３８９）、始動口エラー報知タイマが０であるか判定する（ステップＳ３９０）。
【０２２２】
ステップＳ３９０で、始動口エラー報知タイマが０でないと判定した場合（ステップＳ３９０；Ｎ）には、始動口エラー監視処理を終了する。
一方、ステップＳ３９０で、始動口エラー報知タイマが０であると判定した場合（ステップＳ３９０；Ｙ）には、始動口エラーフラグ領域に正常中フラグをセーブし（ステップＳ３９１）、始動口エラー解除コマンドを準備し（ステップＳ３９２）、演出コマンド設定処理（ステップＳ３９３）を行って、始動口エラー監視処理を終了する。
入賞装置９０においては、遊技球が第１始動口（第１始動入賞口３６）と第３始動口（第２始動入賞口９７）とに交互に振り分けられるように構成されているが、同一の始動口に連続して入賞している場合には、入賞装置９０の故障や、糸釣り球等による不正入賞の可能性が考えられるので、始動口エラー監視処理では、それをチェックしている。本実施形態では、４回連続して同じ始動口に入賞した場合にエラー扱いとするようになっている。
【０２２３】
〔遊技機状態チェック処理〕
図２３には、上述の入賞口スイッチ／状態監視処理における遊技機状態チェック処理（ステップＳ３１２，Ｓ３１４，Ｓ３１７）を示した。この遊技機状態チェック処理では、まず、状態スキャンカウンタに対応する状態監視テーブルを取得し（ステップＳ４０１）、監視対象である信号がオンであるかを判定する（ステップＳ４０２）。
状態監視テーブル（入賞口スイッチ／状態監視処理にて準備した遊技機状態監視テーブル）には、状態スキャンカウンタに対応した情報が定義されている。この情報としては、例えば、状態監視領域の先頭アドレスの下位アドレス、対象の信号情報が保存されているスイッチ制御領域のポート入力状態領域の下位アドレス、対象の信号のビットだけを取り出すマスクデータ、信号オンの判定データ、状態オフコマンド（エラー系の場合はエラー報知終了コマンドをなす）、状態オンコマンド（エラー系の場合はエラー報知開始コマンドをなす）、状態オフ監視タイマ比較値、状態オン監視タイマ比較値が含まれる。
【０２２４】
対象の信号がオンでない場合（ステップＳ４０２；Ｎ）は、状態フラグとして状態オフフラグを準備して（ステップＳ４０３）、対象の状態オフコマンドを取得し、準備する（ステップＳ４０４）。その後、対象の状態オフ監視タイマ比較値を取得して（ステップＳ４０５）、対象の信号制御領域の値と今回の信号の状態を比較する（ステップＳ４０９）。対象の信号がオンでない場合（ステップＳ４０２；Ｎ）とは、エラー系の信号ではエラーでない（正常である）ことを示す状態であり、タッチスイッチからの信号ではタッチされていないことを示す状態である。
【０２２５】
一方、対象の信号がオンである場合（ステップＳ４０２；Ｙ）は、状態フラグとして状態オンフラグを準備して（ステップＳ４０６）、対象の状態オンコマンドを取得し、準備する（ステップＳ４０７）。その後、対象の状態オン監視タイマ比較値を取得して（ステップＳ４０８）、対象の信号制御領域の値と今回の信号の状態を比較する（ステップＳ４０９）。対象の信号がオンである場合（ステップＳ４０２；Ｙ）とは、エラー系の信号ではエラーである（異常や不正である）ことを示す状態であり、タッチスイッチからの信号ではタッチされていることを示す状態である。
【０２２６】
対象の信号制御領域の値と今回の信号の状態が一致した場合（ステップＳ４０９；Ｙ）、すなわち信号の状態が変化していない場合は、対象の状態監視タイマを＋１更新して（ステップＳ４１２）、対象の状態監視タイマの値が監視タイマ比較値以上となったかを判定する（ステップＳ４１３）。また、対象の信号制御領域の値と今回の信号の状態が一致しない場合（ステップＳ４０９；Ｎ）、すなわち信号の状態が変化した場合は、対象の信号制御領域に今回の信号状態をセーブする（ステップＳ４１０）。そして、対象の状態監視タイマをクリアし（ステップＳ４１１）、対象の状態監視タイマを＋１更新して（ステップＳ４１２）、対象の状態監視タイマの値が監視タイマ比較値以上となったかを判定する（ステップＳ４１３）。
【０２２７】
対象の状態監視タイマの値が監視タイマ比較値以上でない場合（ステップＳ４１３；Ｎ）は、遊技機状態チェック処理を終了する。また、対象の状態監視タイマの値が監視タイマ比較値以上である場合（ステップＳ４１３；Ｙ）は、状態監視タイマを−１更新し、比較値−１の値に留めて（ステップＳ４１４）、準備した状態フラグを対象の状態フラグ領域の値と比較する（ステップＳ４１５）。
【０２２８】
そして、準備した状態フラグと対象の状態フラグ領域の値とが一致する場合（ステップＳ４１５；Ｙ）は、遊技機状態チェック処理を終了する。また、準備した状態フラグと対象の状態フラグ領域の値とが一致しない場合（ステップＳ４１５；Ｎ）は、準備した状態フラグを対象の状態フラグ領域にセーブし（ステップＳ４１６）、演出コマンド設定処理を行って（ステップＳ４１７）、遊技機状態チェック処理を終了する。これにより、ステップＳ４０４で準備した状態オフコマンド又はＳ４０７で準備した状態オンコマンドが演出制御装置３００に送信されることとなる。
【０２２９】
〔払出ビジー信号チェック処理〕
図２４には、上述の入賞口スイッチ／状態監視処理における払出ビジー信号チェック処理（ステップＳ３１８）を示した。この払出ビジー信号チェック処理においては、まず、払出制御装置２００から入力される払出ビジー信号がオンであるかを判定する（ステップＳ４２１）。なお、払出ビジー信号は、払出制御装置２００が払出制御を開始できない場合にオン状態とされるようになっている。
【０２３０】
払出ビジー信号がオンである場合（ステップＳ４２１；Ｙ）は、状態フラグとしてビジー状態フラグを準備して（ステップＳ４２２）、オン確定監視タイマ比較値（例えば、３２ｍ秒）を設定し（ステップＳ４２３）、ビジー信号状態領域の値が今回の信号の状態と一致するかを判定する（ステップＳ４２６）。また、払出ビジー信号がオンでない場合（ステップＳ４２１；Ｎ）は、状態フラグとしてアイドル状態フラグを準備して（ステップＳ４２４）、オフ確定監視タイマ比較値（例えば、３２ｍ秒）を設定し（ステップＳ４２５）、ビジー信号状態領域の値が今回の信号の状態と一致するかを判定する（ステップＳ４２６）。これにより、同じ状態が、複数回のタイマ割込み分継続しているかチェックすることができる。
【０２３１】
ビジー信号状態領域の値が今回の信号の状態と一致しない場合（ステップＳ４２６；Ｎ）には、ビジー信号状態領域に今回の信号の状態をセーブし（ステップＳ４２７）、ビジー信号監視タイマを０クリアして（ステップＳ４２８）、ビジー信号監視タイマを＋１更新する（ステップＳ４２９）。また、ビジー信号状態領域の値が今回の信号の状態と一致する場合（ステップＳ４２６；Ｙ）には、ビジー信号監視タイマを＋１更新する（ステップＳ４２９）。
【０２３２】
次に、ビジー信号監視タイマの値が、ステップＳ４２３又はステップＳ４２５で設定した監視タイマ比較値以上であるかを判定し（ステップＳ４３０）、監視タイマ比較値以上でない場合（ステップＳ４３０；Ｎ）は、払出ビジー信号チェック処理を終了する。また、監視タイマ比較値以上である場合（ステップＳ４３０；Ｙ）は、ビジー信号監視タイマを−１更新し、比較値−１の値に留めて（ステップＳ４３１）、ステップＳ４２２又はステップＳ４２４で準備した状態フラグを払出ビジー信号フラグ領域にセーブし（ステップＳ４３２）、払出ビジー信号チェック処理を終了する。
【０２３３】
この処理により、払出ビジー信号に基づきビジー信号ステータスが設定される。この際に、払出ビジー信号の状態が変化してもすぐにはビジー信号ステータスを変更せず、信号確定時間に亘り変化した状態が継続した場合にビジー信号ステータスを変更するようにしており、ノイズ等の影響を受け難くしている。
また、電源投入時にビジー信号ステータスがクリアされるので、何れかの信号状態が信号確定時間に亘り継続するまではビジー信号ステータスは設定されず不定状態となる。これにより、停電が発生し該停電から復帰した場合には、払出制御装置２００から払出制御を開始可能であることを示す状態信号が出力されていたとしても、直ちに賞球指令が払出制御装置２００に送信されないようになり、払出制御装置２００から払出制御を開始可能であることを示す状態信号が所定期間に亘って継続して出力されたことに対応して賞球指令が払出制御装置２００に送信されるようになる。これにより、払出制御装置２００が賞球指令を受信して即座に払出処理が可能なことを確実に把握してから賞球指令を送信するようになり、賞球指令に対応する払出制御が行われないことを防止できる。
【０２３４】
〔特図ゲーム処理〕
次に、上述のタイマ割込み処理における特図ゲーム処理（ステップＳ１０９）の詳細について説明する。特図ゲーム処理では、始動口１スイッチ３６ａ、始動口２スイッチ３７ａ、及び始動口３スイッチ９７ａの入力の監視と、特図変動表示ゲームに関する処理全体の制御、特図の表示の設定を行う。
【０２３５】
図２５に示すように、特図ゲーム処理では、先ず、始動口１スイッチ３６ａ、始動口２スイッチ３７ａ、及び始動口３スイッチ９７ａの入賞を監視する始動口スイッチ監視処理（ステップＡ１）を行う。始動口スイッチ監視処理では、第１始動入賞口３６、第２始動入賞口９７、普通変動入賞装置３７に遊技球の入賞があると、各種乱数（大当り乱数など）の抽出を行い、当該入賞に基づく特図変動表示ゲームの開始前の段階で入賞に基づく遊技結果を事前に判定する遊技結果事前判定を行う。
次に、大入賞口スイッチ監視処理（ステップＡ２）を行う。この大入賞口スイッチ監視処理では、特別変動入賞装置３８内に設けられた大入賞口スイッチ３８ａでの遊技球の検出を監視する処理を行う。
【０２３６】
次に、特図ゲーム処理タイマが「０」でなければ−１更新する（ステップＡ３）。なお、特図ゲーム処理タイマの最小値は「０」に設定されている。そして、特図ゲーム処理タイマの値が「０」であるかを判定する（ステップＡ４）。特図ゲーム処理タイマの値が「０」である場合（ステップＡ４；Ｙ）、すなわちタイムアップした又はすでにタイムアップしていた場合は、特図ゲーム処理番号に対応する処理に分岐させるために参照する特図ゲームシーケンス分岐テーブルをレジスタに設定し（ステップＡ５）、当該テーブルを用いて特図ゲーム処理番号に対応する処理の分岐先アドレスを取得する（ステップＡ６）。そして、特図ゲーム処理番号に応じてサブルーチンコールを行う（ステップＡ７）。
【０２３７】
ステップＡ７にて、特図ゲーム処理番号が「０」の場合は、特図変動表示ゲームの変動開始を監視し、特図変動表示ゲームの変動開始の設定や演出の設定や、特図変動中処理を行うために必要な情報の設定等を行う特図普段処理（ステップＡ８）を行う。
ステップＡ７にて、特図ゲーム処理番号が「１」の場合は、特図の停止表示時間の設定や、特図表示中処理を行うために必要な情報の設定等を行う特図変動中処理（ステップＡ９）を行う。
【０２３８】
ステップＡ７にて、特図ゲーム処理番号が「２」の場合は、特図変動表示ゲームの遊技結果が大当りであれば、大当りの種類に応じたファンファーレコマンドの設定や、各大当りの大入賞口開放パターンに応じたファンファーレ時間の設定や、ファンファーレ／インターバル中処理を行うために必要な情報の設定等を行う特図表示中処理（ステップＡ１０）を行う。
ステップＡ７にて、特図ゲーム処理番号が「３」の場合は、大入賞口の開放時間の設定や開放回数の更新、大入賞口開放中処理を行うために必要な情報の設定等を行うファンファーレ／インターバル中処理（ステップＡ１１）を行う。
【０２３９】
ステップＡ７にて、特図ゲーム処理番号が「４」の場合は、大当りラウンドが最終ラウンドでなければインターバルコマンドを設定する一方で最終ラウンドであればエンディングコマンドを設定する処理や、大入賞口残存球処理を行うために必要な情報の設定等を行う大入賞口開放中処理（ステップＡ１２）を行う。
ステップＡ７にて、特図ゲーム処理番号が「５」の場合は、大当りラウンドが最終ラウンドであれば大入賞口内にある残存球が排出されるための時間を設定する処理や、大当り終了処理を行うために必要な情報の設定等を行う大入賞口残存球処理（ステップＡ１３）を行う。
ステップＡ７にて、特図ゲーム処理番号が「６」の場合は、特図普段処理を行うために必要な情報の設定等を行う大当り終了処理（ステップＡ１４）を行う。
【０２４０】
その後、特図１表示器５１ａの変動を制御するためのテーブルを準備した後（ステップＡ１５）、特図１表示器５１ａに係る図柄変動制御処理（ステップＡ１６）を行う。そして、特図２表示器５１ｂの変動を制御するためのテーブルを準備した後（ステップＡ１７）、特図２表示器５１ｂに係る図柄変動制御処理（ステップＡ１８）を行い、特図ゲーム処理を終了する。一方、ステップＡ４にて、特図ゲーム処理タイマの値が「０」でない場合（ステップＡ４；Ｎ）、すなわちタイムアップしていない場合は、ステップＡ１５の処理に移行して、それ以降の処理を行う。
【０２４１】
なお、大当りとは条件装置の作動を伴う特別結果である。条件装置とは、特図変動表示ゲームで大当りが発生（大当り図柄の停止表示）した場合に作動するもので、条件装置が作動するとは、例えば大当り状態が発生して特別電動役物としての特別変動入賞装置３８を連続して作動させるための特定のフラグがセットされる（役物連続作動装置が作動される）ことを意味する。なお、「条件装置」は上記のようなソフトウェア的にオンオフされるフラグのようなソフトウェア手段であっても良いし、電気的にオンオフされるスイッチのようなハードウェア手段であっても良い。また、「条件装置」は、その作動が電動役物の連続作動に必要条件とされる装置として、パチンコ遊技機の分野においては一般的に使用されている用語であり、本明細書においても同様な意味を有する用語として使用している。
【０２４２】
〔始動口スイッチ監視処理〕
次に、上述の特図ゲーム処理における始動口スイッチ監視処理（ステップＡ１）の詳細について説明する。図２６に示すように、始動口スイッチ監視処理では、先ず、第１始動口（第１始動入賞口３６）入賞監視テーブルを準備し（ステップＡ１０１）、ハード乱数取得処理（ステップＡ１０２）を行う。このハード乱数取得処理では、対象となる始動口スイッチ（ここでは始動口１スイッチ３６ａ）に入力があった場合にラッチレジスタに抽出された大当り乱数をロードして準備し、対象となる始動口への入賞があったことを示す情報の設定を行う。その後、特図１の始動口である第１始動口への入賞があるか否かを判定する（ステップＡ１０３）。
ステップＡ１０３にて、第１始動口への入賞がないと判定した場合（ステップＡ１０３；Ｎ）には、ステップＡ１０９の処理に移行して、それ以降の処理を行う。
一方、ステップＡ１０３にて、第１始動口への入賞があると判定した場合（ステップＡ１０３；Ｙ）には、特図時短中（普電サポート中）であるか否かを判定する（ステップＡ１０４）。
【０２４３】
ステップＡ１０４にて、特図時短中でないと判定した場合（ステップＡ１０４；Ｎ）には、ステップＡ１０７の処理に移行して、それ以降の処理を行う。
一方、ステップＡ１０４にて、特図時短中であると判定した場合（ステップＡ１０４；Ｙ）には、右打ち指示報知コマンドを準備して（ステップＡ１０５）、演出コマンド設定処理（ステップＡ１０６）を行う。すなわち、時短状態であれば、特図変動表示ゲームの確率状態にかかわらず、右打ち指示報知コマンドを準備して（ステップＡ１０５）、演出コマンド設定処理（ステップＡ１０６）を行う。本実施形態の遊技機１０の場合、第１始動口（第１始動入賞口３６）へは左打ちでないと入賞せず、普通変動入賞装置３７へは右打ちでないと入賞しない。したがって、時短状態は、左打ちよりも右打ちの方が有利な遊技状態となるが、時短状態中に第１始動口に入賞があった場合（すなわち、時短状態中に左打ちされた場合）には、右打ち指示報知コマンドを演出制御装置３００に送信して、右打ちするよう指示する報知（警告）を演出制御装置３００によって行うよう構成されている。
次いで、第１始動口（第１始動入賞口３６）による保留の情報を設定するテーブルを準備した後（ステップＡ１０７）、特図始動口スイッチ共通処理（ステップＡ１０８）を行う。
【０２４４】
次に、第２始動口（普通変動入賞装置３７）入賞監視テーブルを準備し（ステップＡ１０９）、ハード乱数取得処理（ステップＡ１１０）を行う。このハード乱数取得処理では、対象となる始動口スイッチ（ここでは始動口２スイッチ３７ａ）に入力があった場合にラッチレジスタに抽出された大当り乱数をロードして準備し、対象となる始動口への入賞があったことを示す情報の設定を行う。その後、特図２の始動口である第２始動口への入賞があるか否かを判定する（ステップＡ１１１）。
ステップＡ１１１にて、第２始動口への入賞がないと判定した場合（ステップＡ１１１；Ｎ）には、ステップＡ１１６の処理に移行して、それ以降の処理を行う。
一方、ステップＡ１１１にて、第２始動口への入賞があると判定した場合（ステップＡ１１１；Ｙ）には、普通電動役物（普通変動入賞装置３７）が作動中である、すなわち、普通変動入賞装置３７が作動して遊技球の入賞が可能な開状態となっているか否かを判定し（ステップＡ１１２）、普通電動役物が作動中である（ステップＡ１１２；Ｙ）と判定すると、ステップＡ１１４の処理に移行して、それ以降の処理を行う。一方、ステップＡ１１２にて、普通電動役物が作動中でない（ステップＡ１１２；Ｎ）と判定すると、普電不正発生中であるかを判定する（ステップＡ１１３）。
【０２４５】
ステップＡ１１３では、普通変動入賞装置３７への不正入賞数が不正発生判定個数（例えば、５個）以上である場合に不正発生中であると判定する。普通変動入賞装置３７は、閉状態では遊技球が入賞不可能であり、開状態でのみ遊技球が入賞可能である。よって、閉状態で遊技球が入賞した場合は何らかの異常や不正が発生した場合であり、このような閉状態で入賞した遊技球があった場合はその数を不正入賞数として計数する。そして、このように計数された不正入賞数が所定の不正発生判定個数（上限値）以上である場合に不正発生中と判定する。
【０２４６】
ステップＡ１１３にて、普電不正発生中でないと判定した場合（ステップＡ１１３；Ｎ）は、第２始動口（普通変動入賞装置３７）による保留の情報を設定するテーブルを準備し（ステップＡ１１４）、特図始動口スイッチ共通処理（ステップＡ１１５）を行った後、ステップＡ１１６の処理に移行して、それ以降の処理を行う。また、ステップＡ１１３にて、普電不正発生中であると判定した場合（ステップＡ１１３；Ｙ）は、ステップＡ１１６の処理に移行して、それ以降の処理を行う。
【０２４７】
次に、第３始動口（第２始動入賞口９７）入賞監視テーブルを準備し（ステップＡ１１６）、ハード乱数取得処理（ステップＡ１１７）を行う。このハード乱数取得処理では、対象となる始動口スイッチ（ここでは始動口３スイッチ９７ａ）に入力があった場合にラッチレジスタに抽出された大当り乱数をロードして準備し、対象となる始動口への入賞があったことを示す情報の設定を行う。その後、特図２の始動口である第３始動口への入賞があるか否かを判定する（ステップＡ１１８）。
ステップＡ１１８にて、第３始動口への入賞がないと判定した場合（ステップＡ１１８；Ｎ）は、始動口スイッチ監視処理を終了する。
一方、ステップＡ１１８にて、第３始動口への入賞があると判定した場合（ステップＡ１１８；Ｙ）には、特図時短中（普電サポート中）であるか否かを判定する（ステップＡ１１９）。
【０２４８】
ステップＡ１１９にて、特図時短中でないと判定した場合（ステップＡ１１９；Ｎ）には、ステップＡ１２２の処理に移行して、それ以降の処理を行う。
一方、ステップＡ１１９にて、特図時短中であると判定した場合（ステップＡ１１９；Ｙ）には、右打ち指示報知コマンドを準備して（ステップＡ１２０）、演出コマンド設定処理（ステップＡ１２１）を行う。すなわち、時短状態であれば、特図変動表示ゲームの確率状態にかかわらず、右打ち指示報知コマンドを準備して（ステップＡ１２０）、演出コマンド設定処理（ステップＡ１２１）を行う。本実施形態の遊技機１０の場合、第３始動口（第２始動入賞口９７）へは左打ちでないと入賞せず、普通変動入賞装置３７へは右打ちでないと入賞しない。したがって、時短状態は、左打ちよりも右打ちの方が有利な遊技状態となるが、時短状態中に第３始動口に入賞があった場合（すなわち、時短状態中に左打ちされた場合）には、右打ち指示報知コマンドを演出制御装置３００に送信して、右打ちするよう指示する報知（警告）を演出制御装置３００によって行うよう構成されている。
次いで、第３始動口（第２始動入賞口９７）による保留の情報を設定するテーブルを準備した後（ステップＡ１２２）、特図始動口スイッチ共通処理（ステップＡ１２３）を行って、始動口スイッチ監視処理を終了する。
【０２４９】
〔ハード乱数取得処理〕
次に、上述の始動口スイッチ監視処理におけるハード乱数取得処理（ステップＡ１０２，Ａ１１０，Ａ１１７）の詳細について説明する。図２７に示すように、ハード乱数取得処理では、まず、第１始動口（第１始動入賞口３６）、第２始動口（普通変動入賞装置３７）、及び第３始動口（第２始動入賞口９７）のうち、監視対象の始動口の入賞なし情報を設定して（ステップＡ１３１）、始動口１スイッチ３６ａ、始動口２スイッチ３７ａ、及び始動口３スイッチ９７ａのうち、監視対象の始動口スイッチに入力があるか否かを判定する（ステップＡ１３２）。
そして、監視対象の始動口スイッチに入力がない場合（ステップＡ１３２；Ｎ）は、ハード乱数取得処理を終了する。
一方、監視対象の始動口スイッチに入力がある場合（ステップＡ１３２；Ｙ）は、乱数ラッチレジスタステータスを読み込み（ステップＡ１３３）、対象の乱数ラッチレジスタにラッチデータがあるかを判定する（ステップＡ１３４）。
【０２５０】
対象の乱数ラッチレジスタにラッチデータがない場合（ステップＡ１３４；Ｎ）、すなわち乱数が抽出されていない場合は、ハード乱数取得処理を終了する。
また、対象の乱数ラッチレジスタにラッチデータがある場合（ステップＡ１３４；Ｙ）は、監視対象のハード乱数ラッチレジスタに抽出された大当り乱数をロードし、準備する（ステップＡ１３５）。そして、第１始動口（第１始動入賞口３６）、第２始動口（普通変動入賞装置３７）、及び第３始動口（第２始動入賞口９７）のうち、監視対象の始動口の入賞あり情報を設定して（ステップＡ１３６）、ハード乱数取得処理を終了する。
【０２５１】
〔特図始動口スイッチ共通処理〕
次に、上述の始動口スイッチ監視処理における特図始動口スイッチ共通処理（ステップＡ１０８，Ａ１１５，Ａ１２３）の詳細について説明する。特図始動口スイッチ共通処理は、始動口１スイッチ３６ａや始動口２スイッチ３７ａや始動口３スイッチ９７ａの入力があった場合に、各々の入力について共通して行われる処理である。
【０２５２】
図２８に示すように、特図始動口スイッチ共通処理では、先ず、始動口１スイッチ３６ａ、始動口２スイッチ３７ａ、及び始動口３スイッチ９７ａのうち、監視対象の始動口スイッチへの入賞の回数に関する情報を遊技機１０の外部の管理装置に対して出力する回数である始動口信号出力回数をロードし（ステップＡ１４１）、ロードした値を＋１更新して（ステップＡ１４２）、出力回数がオーバーフローするかを判定する（ステップＡ１４３）。
出力回数がオーバーフローしない場合（ステップＡ１４３；Ｎ）は、更新後の値をＲＷＭの始動口信号出力回数領域にセーブして（ステップＡ１４４）、ステップＡ１４５の処理に移行する。
一方、出力回数がオーバーフローする場合（ステップＡ１４３；Ｙ）は、ステップＡ１４５の処理に移行する。本実施形態では、始動口信号出力回数領域に「０」から「２５５」までの値を記憶することができる。そして、ロードした値が「２５５」である場合には＋１更新によって更新後の値は「０」になり、出力回数がオーバーフローすると判定して、セーブしないよう構成されている。
【０２５３】
次に、始動口１スイッチ３６ａ、始動口２スイッチ３７ａ、及び始動口３スイッチ９７ａのうち、監視対象の始動口スイッチに対応する更新対象の特図保留（始動記憶）数が上限値未満かを判定する（ステップＡ１４５）。
更新対象の特図保留数が上限値未満でない場合（ステップＡ１４５；Ｎ）は、特図始動口スイッチ共通処理を終了する。
また、更新対象の特図保留数が上限値未満である場合（ステップＡ１４５；Ｙ）は、更新対象の特図保留数（特図１保留数又は特図２保留数）を＋１更新して（ステップＡ１４６）、監視対象の始動口スイッチ及び特図保留数に対応する飾り特図保留数コマンドを準備し（ステップＡ１４７）、演出コマンド設定処理（ステップＡ１４８）を行って、対象の始動口入賞フラグをセーブする（ステップＡ１４９）。続けて、監視対象の始動口スイッチ及び特図保留数に対応する乱数格納領域のアドレスを算出して（ステップＡ１５０）、ステップＡ１０２，Ａ１１０，Ａ１１７のハード乱数取得処理にて準備した大当り乱数をＲＷＭの大当り乱数格納領域にセーブする（ステップＡ１５１）。次に、監視対象の始動口スイッチの大当り図柄乱数を抽出し、準備して（ステップＡ１５２）、ＲＷＭの大当り図柄乱数格納領域にセーブする（ステップＡ１５３）。この大当り図柄乱数は、特図保留情報判定処理（ステップＡ１５７）で使用する。
【０２５４】
次いで、変動パターン乱数（本実施形態の場合、変動パターン乱数１から２）を対応するＲＷＭの変動パターン乱数格納領域にセーブする（ステップＡ１５４）。
次いで、特図１保留数と特図２保留数の合計に対応する変動順序フラグ格納領域のアドレス（保留１から８までの何れかの場所）を算出し（ステップＡ１５５）、算出した領域に対象（特図１または特図２）の変動順序フラグをセーブし（ステップＡ１５６）、特図保留情報判定処理（ステップＡ１５７）を行って、特図始動口スイッチ共通処理を終了する。
【０２５５】
ここで、遊技制御装置１００（ＲＡＭ１１１Ｃ）は、第１始動入賞口３６、第２始動入賞口９７、普通変動入賞装置３７の始動入賞領域への遊技球の流入に基づき、所定の乱数を抽出し変動表示ゲームの実行権利となる始動記憶として所定数を上限に記憶する始動記憶手段をなす。また、始動記憶手段（遊技制御装置１００）は、特図１の始動口である第１始動入賞口３６への遊技球の入賞に基づき抽出した各種の乱数値を、所定数を上限に第１始動記憶として記憶し、特図２の始動口である第２始動入賞口９７や普通変動入賞装置３７への遊技球の入賞に基づき抽出した各種の乱数値を、所定数を上限に第２始動記憶として記憶する。
【０２５６】
〔特図保留情報判定処理〕
次に、上述の特図始動口スイッチ共通処理における特図保留情報判定処理（ステップＡ１５７）の詳細について説明する。特図保留情報判定処理は、対応する始動記憶に基づく特図変動表示ゲームの開始タイミングより前に当該始動記憶に対応した結果関連情報の判定を行う先読み処理である。
【０２５７】
図２９に示すように、まず、低確率判定フラグを準備して（ステップＡ１６１）、大当り乱数値が大当り判定値（大当り低確率判定値）と一致するか否かにより大当りであるか判定する先読み大当り判定処理（ステップＡ１６２）を行い、判定結果として大当りが設定されたか判定する（ステップＡ１６３）。
ステップＡ１６３で、判定結果として大当りが設定されたと判定した場合（ステップＡ１６３；Ｙ）は、対象の始動口スイッチに対応する大当り図柄乱数チェックテーブルを設定し（ステップＡ１６４）、ステップＡ１５２にて準備した大当り図柄乱数に対応する停止図柄情報を取得して（ステップＡ１６５）、ステップＡ１６７の処理に移行する。
一方、ステップＡ１６３で、判定結果として大当りが設定されていないと判定した場合（ステップＡ１６３；Ｎ）、すなわち判定結果としてはずれが設定された場合は、はずれの停止図柄情報を設定して（ステップＡ１６６）、ステップＡ１６７の処理に移行する。
【０２５８】
ステップＡ１６７では、ステップＡ１６５にて取得した停止図柄情報またはステップＡ１６６にて設定した停止図柄情報を図柄情報領域にセーブする（ステップＡ１６７）。
次いで、対象の始動口スイッチ及び停止図柄情報に対応する先読み停止図柄コマンド（低確率）を準備し（ステップＡ１６８）、演出コマンド設定処理（ステップＡ１６９）を行う。
次いで、高確率判定フラグを準備して（ステップＡ１７０）、大当り乱数値が大当り判定値（大当り高確率判定値）と一致するか否かにより大当りであるか判定する先読み大当り判定処理（ステップＡ１７１）を行い、判定結果として大当りが設定されたか判定する（ステップＡ１７２）。
ステップＡ１７２で、判定結果として大当りが設定されたと判定した場合（ステップＡ１７２；Ｙ）には、対象の始動口スイッチに対応する大当り図柄乱数チェックテーブルを設定し（ステップＡ１７３）、ステップＡ１５２にて準備した大当り図柄乱数に対応する停止図柄情報を取得して（ステップＡ１７４）、ステップＡ１７６の処理に移行する。
一方、ステップＡ１７２で、判定結果として大当りが設定されていないと判定した場合（ステップＡ１７２；Ｎ）、すなわち判定結果としてはずれが設定された場合には、はずれの停止図柄情報を設定して（ステップＡ１７５）、ステップＡ１７６の処理に移行する。
【０２５９】
ステップＡ１７６では、特図の高確率中であるか判定する（ステップＡ１７６）。
ステップＡ１７６で、特図の高確率中でないと判定した場合（ステップＡ１７６；Ｎ）には、ステップＡ１７８の処理に移行する。
一方、ステップＡ１７６で、特図の高確率中であると判定した場合（ステップＡ１７６；Ｙ）には、ステップＡ１６７にて停止図柄情報をセーブした図柄情報領域に、ステップＡ１７４にて取得した停止図柄情報またはステップＡ１７５にて設定した停止図柄情報を上書きしてセーブし（ステップＡ１７７）、ステップＡ１７８の処理に移行する。なお、図柄情報領域にセーブされる停止図柄情報は、変動パターンの先読み等で使用される。
【０２６０】
ステップＡ１７８では、対象の始動口スイッチ及び停止図柄情報に対応する先読み停止図柄コマンド（高確率）を準備して（ステップＡ１７８）、演出コマンド設定処理（ステップＡ１７９）を行う。このように、本実施形態では、特図保留情報判定処理を実行する度に、大当り低確率判定値で判定した結果と、大当り高確率判定値で判定した結果とが、演出制御装置３００が送信される。
次に、変動パターンを設定するためのパラメータである特図情報を設定する特図情報設定処理（ステップＡ１８０）を行い、特図変動表示ゲームの変動態様を設定する変動パターン設定処理を行う（ステップＡ１８１）。
【０２６１】
その後、特図変動表示ゲームの変動態様における変動パターンを示す変動パターン番号に対応する先読み変動パターンコマンドを準備して（ステップＡ１８２）、演出コマンド設定処理を行い（ステップＡ１８３）、特図保留情報判定処理を終了する。なお、ステップＡ１８０における特図情報設定処理、ステップＡ１８１における変動パターン設定処理は、特図普段処理で特図変動表示ゲームの開始時に実行される処理と同様である。
【０２６２】
以上の処理により、先読み対象の始動記憶に基づく特図変動表示ゲームの結果を含む先読み停止図柄コマンドと、当該始動記憶に基づく特図変動表示ゲームでの変動パターンの情報を含む先読み変動パターンコマンドが準備され、演出制御装置３００に送信される。これにより、始動記憶に対応した結果関連情報（大当りか否かや変動パターンの種類）の判定結果（先読み結果）を、対応する始動記憶に基づく特図変動表示ゲームの開始タイミングより前に演出制御装置３００に対して知らせることができ、特に表示装置４１に表示される飾り特図始動記憶表示を変化させるなどして、その特図変動表示ゲームの開始タイミングより前に遊技者に結果関連情報を報知することが可能となる。
すなわち、遊技制御装置１００が、始動入賞記憶手段（遊技制御装置１００）に始動記憶として記憶される乱数を、当該始動記憶に基づく変動表示ゲームの実行前に判定する（例えば、特別結果となるか否か等を判定）事前判定手段をなす。なお、始動記憶に対応して記憶された乱数値を事前に判定する時期は、当該始動記憶が発生した始動入賞時だけではなく、当該始動記憶に基づく変動表示ゲームが行われる前であればいつでもよい。
【０２６３】
〔先読み大当り判定処理〕
次に、上述の特図保留情報判定処理における先読み大当り判定処理（ステップＡ１６２，Ａ１７１）の詳細について説明する。
図３０に示すように、先読み大当り判定処理では、まず、大当り判定値の下限判定値を設定し（ステップＡ１９１）、対象の大当り乱数の値が下限判定値未満か判定する（ステップＡ１９２）。
【０２６４】
ステップＡ１９２で、大当り乱数の値が下限判定値未満であると判定した場合（ステップＡ１９２；Ｙ）には、判定結果としてはずれを設定して（ステップＡ１９７）、先読み大当り判定処理を終了する。
一方、ステップＡ１９２で、大当り乱数の値が下限判定値未満でないと判定した場合（ステップＡ１９２；Ｎ）には、当該先読み大当り判定処理の直前に準備した判定フラグは高確率判定フラグであるか判定する（ステップＡ１９３）。
【０２６５】
ステップＡ１９３で、高確率判定フラグであると判定した場合（ステップＡ１９３；Ｙ）、すなわち当該先読み大当り判定処理がステップＡ１７１の処理である場合には、高確率中の上限判定値を設定して（ステップＡ１９４）、対象の大当り乱数の値が上限判定値より大きいか判定する（ステップＡ１９６）。
一方、ステップＡ１９３で、高確率判定フラグでないと判定した場合（ステップＡ１９３；Ｎ）、すなわち当該先読み大当り判定処理がステップＡ１６２の処理である場合には、低確率中の上限判定値を設定して（ステップＡ１９５）、対象の大当り乱数の値が上限判定値より大きいか判定する（ステップＡ１９６）。
【０２６６】
ステップＡ１９６で、対象の大当り乱数の値が上限判定値より大きいと判定した場合（ステップＡ１９６；Ｙ）は、判定結果としてはずれを設定して（ステップＡ１９７）、先読み大当り判定処理を終了する。
一方、ステップＡ１９６で、対象の大当り乱数の値が上限判定値より大きくないと判定した場合（ステップＡ１９６；Ｎ）、すなわち大当りである場合には、判定結果として大当りを設定して（ステップＡ１９８）、先読み大当り判定処理を終了する。
【０２６７】
〔大入賞口スイッチ監視処理〕
次に、上述の特図ゲーム処理における大入賞口スイッチ監視処理（ステップＡ２）の詳細について説明する。図３１に示すように、大入賞口スイッチ監視処理では、まず、特図ゲーム処理番号の値が「４」であるか、すなわち大入賞口開放中処理中であるかを判定する（ステップＡ２０１）。大入賞口開放中処理中である場合（ステップＡ２０１；Ｙ）は、大入賞口スイッチ３８ａに入力があるか判定する（ステップＡ２０３）。また、大入賞口開放中処理中でない場合（ステップＡ２０１；Ｎ）は、特図ゲーム処理番号の値が「５」であるか、すなわち大入賞口残存球処理中であるかを判定する（ステップＡ２０２）。
大入賞口残存球処理中である場合は（ステップＡ２０２；Ｙ）は、大入賞口スイッチ３８ａに入力があるか判定する（ステップＡ２０３）。また、大入賞口残存球処理中でない場合は（ステップＡ２０２；Ｎ）は、大入賞口スイッチ監視処理を終了する。
特図ゲーム処理タイマが「０」になるまで特図ゲーム処理番号は次に移行しないため、このように特図ゲーム処理番号によって遊技の進行状態をチェックすることができる。
【０２６８】
ステップＡ２０３で、大入賞口スイッチ３８ａに入力がないと判定した場合（ステップＡ２０３；Ｎ）には、大入賞口スイッチ監視処理を終了する。
一方、ステップＡ２０３で、大入賞口スイッチ３８ａに入力があると判定した場合（ステップＡ２０３；Ｙ）には、大入賞口カウントコマンドを準備して（ステップＡ２０４）、演出コマンド設定処理（ステップＡ２０５）を行う。
次いで、特図ゲーム処理番号の値が「４」であるか、すなわち大入賞口開放中処理中であるか判定する（ステップＡ２０６）。
【０２６９】
ステップＡ２０６で、大入賞口開放中処理中でないと判定した場合（ステップＡ２０６；Ｎ）には、大入賞口スイッチ監視処理を終了する。
一方、ステップＡ２０６で、大入賞口開放中処理中であると判定した場合（ステップＡ２０６；Ｙ）には、大入賞口カウント数を＋１更新して（ステップＡ２０７）、大入賞口カウント数が上限値（一のラウンドで入賞可能な遊技球数。例えば、９個）以上となったかを判定する（ステップＡ２０８）。
【０２７０】
大入賞口カウント数が上限値以上となっていない場合（ステップＡ２０８；Ｎ）は、大入賞口スイッチ監視処理を終了する。
一方、大入賞口カウント数が上限値以上となった場合（ステップＡ２０８；Ｙ）は、特図ゲーム処理タイマ領域を０クリアして（ステップＡ２０９）、大入賞口スイッチ監視処理を終了する。これにより大入賞口が閉鎖されて一のラウンドが終了することとなる。
【０２７１】
〔特図普段処理〕
次に、上述の特図ゲーム処理における特図普段処理（ステップＡ８）の詳細について説明する。図３２に示すように、特図普段処理では、先ず、特図１保留数及び特図２保留数は共に「０」であるか判定する（ステップＡ３０１）。
ステップＡ３０１で、特図１保留数及び特図２保留数は共に「０」でないと判定した場合（ステップＡ３０１；Ｎ）には、変動順序フラグ格納領域（保留数合計１用）からフラグをロードして（ステップＡ３０２）、今回の変動が特図１の変動であるか判定する（ステップＡ３０３）。
ステップＡ３０３で、今回の変動が特図１の変動であると判定した場合（ステップＡ３０３；Ｙ）には、特図１保留数に対応する飾り特図保留数コマンドを準備し（ステップＡ３０４）、演出コマンド設定処理（ステップＡ３０５）を行い、特図１変動開始処理（ステップＡ３０６）を行って、特図普段処理を終了する。なお、この時点では、特図１保留数は−１更新されていないが、ステップＡ３０４では、−１更新された値に対応するコマンド（飾り特図保留数コマンド）を準備する。
【０２７２】
一方、ステップＡ３０３で、今回の変動が特図１の変動でないと判定した場合（ステップＡ３０３；Ｎ）、すなわち今回の変動が特図２の変動である場合には、特図２保留数に対応する飾り特図保留数コマンドを準備し（ステップＡ３０７）、演出コマンド設定処理（ステップＡ３０８）を行い、特図２変動開始処理（ステップＡ３０９）を行って、特図普段処理を終了する。なお、この時点では、特図２保留数は−１更新されていないが、ステップＡ３０７では、−１更新された値に対応するコマンド（飾り特図保留数コマンド）を準備する。
【０２７３】
また、ステップＡ３０１で、特図１保留数及び特図２保留数は共に「０」であると判定した場合（ステップＡ３０１；Ｙ）には、客待ちデモが開始済みであるかを判定し（ステップＡ３１０）、客待ちデモが開始済みでない場合（ステップＡ３１０；Ｎ）は、客待ちデモフラグ領域に客待ちデモ中フラグをセットする（ステップＡ３１１）。
続けて、客待ちデモコマンドを準備して（ステップＡ３１２）、演出コマンド設定処理（ステップＡ３１３）を行う。
次いで、処理番号として特図普段処理にかかる「０」を設定し（ステップＡ３１４）、その処理番号を特図ゲーム処理番号領域にセーブして（ステップＡ３１５）、変動図柄判別フラグ領域をクリアする（ステップＡ３１６）。そして、大入賞口不正監視期間フラグ領域に不正監視期間中フラグをセーブして（ステップＡ３１７）、特図普段処理を終了する。
【０２７４】
〔特図１変動開始処理〕
次に、上述の特図普段処理における特図１変動開始処理（ステップＡ３０６）の詳細について説明する。特図１変動開始処理は、第１特図変動表示ゲームの開始時に行う処理である。図３３（ａ）に示すように、まず、実行する特図変動表示ゲームの種別（ここでは特図１）を示す特図１変動フラグを変動図柄判別フラグ領域にセーブし（ステップＡ３２１）、第１特図変動表示ゲームが大当りであるか否かを判別するための大当りフラグ１にはずれ情報や大当り情報を設定する大当りフラグ１設定処理（ステップＡ３２２）を行う。
【０２７５】
次に、特図１停止図柄（図柄情報）の設定に係る特図１停止図柄設定処理（ステップＡ３２３）を行った後、変動パターンを設定するためのパラメータである特図情報を設定する特図情報設定処理（ステップＡ３２４）を行い、第１特図変動表示ゲームの変動パターンの設定に関する種々の情報を参照するための情報が設定されたテーブルである特図１変動パターン設定情報テーブルを準備する（ステップＡ３２５）。その後、第１特図変動表示ゲームにおける変動態様である変動パターンを設定する変動パターン設定処理（ステップＡ３２６）を行い、第１特図変動表示ゲームの変動開始の情報を設定する変動開始情報設定処理（ステップＡ３２７）を行う。
次いで、処理番号として特図変動中処理にかかる「１」を設定し（ステップＡ３２８）、その処理番号を特図ゲーム処理番号領域にセーブする（ステップＡ３２９）。
【０２７６】
次いで、客待ちデモフラグ領域をクリアし（ステップＡ３３０）、特図１の変動開始に関する信号（例えば、特別図柄１変動中信号をＯＮ）を試験信号出力データ領域にセーブする（ステップＡ３３１）。その後、特図１変動制御フラグ領域に変動中フラグをセーブし（ステップＡ３３２）、特図１点滅制御タイマ領域に点滅制御タイマ（特図１表示器５１ａの点滅の周期のタイマ）の初期値（例えば、１００ｍ秒）をセーブし（ステップＡ３３３）、特図１変動図柄番号領域に初期値（例えば、０）をセーブして（ステップＡ３３４）、特図１変動開始処理を終了する。
【０２７７】
〔特図２変動開始処理〕
次に、上述の特図普段処理における特図２変動開始処理（ステップＡ３０９）の詳細について説明する。特図２変動開始処理は、第２特図変動表示ゲームの開始時に行う処理であって、図３３（ａ）に示した特図１変動開始処理での処理と同様の処理を、第２始動記憶を対象として行うものである。
【０２７８】
図３３（ｂ）に示すように、まず、実行する特図変動表示ゲームの種別（ここでは特図２）を示す特図２変動フラグを変動図柄判別フラグ領域にセーブし（ステップＡ３４１）、第２特図変動表示ゲームが大当りであるか否かを判別するための大当りフラグ２にはずれ情報や大当り情報を設定する大当りフラグ２設定処理（ステップＡ３４２）を行う。
【０２７９】
次に、特図２停止図柄（図柄情報）の設定に係る特図２停止図柄設定処理（ステップＡ３４３）を行った後、変動パターンを設定するためのパラメータである特図情報を設定する特図情報設定処理（ステップＡ３４４）を行い、第２特図変動表示ゲームの変動パターンの設定に関する種々の情報を参照するための情報が設定されたテーブルである特図２変動パターン設定情報テーブルを準備する（ステップＡ３４５）。その後、第２特図変動表示ゲームにおける変動態様である変動パターンを設定する変動パターン設定処理（ステップＡ３４６）を行い、第２特図変動表示ゲームの変動開始の情報を設定する変動開始情報設定処理（ステップＡ３４７）を行う。
次いで、処理番号として特図変動中処理にかかる「１」を設定し（ステップＡ３４８）、その処理番号を特図ゲーム処理番号領域にセーブする（ステップＡ３４９）。
【０２８０】
次いで、客待ちデモフラグ領域をクリアし（ステップＡ３５０）、特図２の変動開始に関する信号（例えば、特別図柄２変動中信号をＯＮ）を試験信号出力データ領域にセーブする（ステップＡ３５１）。その後、特図２変動制御フラグ領域に変動中フラグをセーブし（ステップＡ３５２）、特図２点滅制御タイマ領域に点滅制御タイマ（特図２表示器５１ｂの点滅の周期のタイマ）の初期値（例えば、１００ｍ秒）をセーブし（ステップＡ３５３）、特図２変動図柄番号領域に初期値（例えば、０）をセーブして（ステップＡ３５４）、特図２変動開始処理を終了する。
【０２８１】
〔大当りフラグ１設定処理〕
図３４（ａ）には、上述の特図１変動開始処理における大当りフラグ１設定処理（ステップＡ３２２）を示した。この大当りフラグ１設定処理では、まず、大当りフラグ１領域にはずれ情報をセーブする（ステップＡ３６１）。次に、ＲＷＭの特図１大当り乱数格納領域（保留数１用）から大当り乱数をロードし、準備して（ステップＡ３６２）、当該特図１大当り乱数格納領域（保留数１用）を０クリアする（ステップＡ３６３）。なお、保留数１用とは、消化順序が最先（ここでは特図１のうちで最先）の特図始動記憶についての情報（乱数等）を格納する領域である。その後、準備した大当り乱数値が大当り判定値と一致するか否かに応じて大当りであるか判定する大当り判定処理（ステップＡ３６４）を行う。
【０２８２】
そして、大当り判定処理（ステップＡ３６４）の判定結果が大当りである場合（ステップＡ３６５；Ｙ）は、ステップＡ３６１にてはずれ情報をセーブした大当りフラグ１領域に大当り情報を上書きしてセーブし（ステップＡ３６６）、大当りフラグ１設定処理を終了する。一方、大当り判定処理（ステップＡ３６４）の判定結果が大当りでない場合（ステップＡ３６５；Ｎ）は、大当りフラグ１領域にはずれ情報をセーブしたまま大当りフラグ１設定処理を終了する。
【０２８３】
〔大当りフラグ２設定処理〕
図３４（ｂ）には、上述の特図２変動開始処理における大当りフラグ２設定処理（ステップＡ３４２）を示した。この大当りフラグ２設定処理では、まず、大当りフラグ２領域にはずれ情報をセーブする（ステップＡ３７１）。次に、ＲＷＭの特図２大当り乱数格納領域（保留数１用）から大当り乱数をロードし、準備して（ステップＡ３７２）、当該特図２大当り乱数格納領域（保留数１用）を０クリアする（ステップＡ３７２）。なお、保留数１用とは、消化順序が最先（ここでは特図２のうちで最先）の特図始動記憶についての情報（乱数等）を格納する領域である。その後、準備した大当り乱数値が大当り判定値と一致するか否かに応じて大当りであるか判定する大当り判定処理（ステップＡ３７４）を行う。
【０２８４】
そして、大当り判定処理（ステップＡ３７４）の判定結果が大当りである場合（ステップＡ３７５；Ｙ）は、ステップＡ３７１にてはずれ情報をセーブした大当りフラグ２領域に大当り情報を上書きしてセーブし（ステップＡ３７６）、大当りフラグ２設定処理を終了する。一方、大当り判定処理（ステップＡ３７４）の判定結果が大当りでない場合（ステップＡ３７５；Ｎ）は、大当りフラグ２領域にはずれ情報をセーブしたまま大当りフラグ２設定処理を終了する。
【０２８５】
〔大当り判定処理〕
図３５には、上述の大当りフラグ１設定処理及び大当りフラグ２設定処理における大当り判定処理（ステップＡ３６４，Ａ３７４）を示した。この大当り判定処理では、まず、大当り判定値の下限判定値を設定し（ステップＡ３８１）、対象の大当り乱数の値が下限判定値未満かを判定する（ステップＡ３８２）。なお、大当りであるとは大当り乱数が大当り判定値と一致することである。大当り判定値は連続する複数の値であり、大当り乱数が、大当り判定値の下限の値である下限判定値以上で、かつ、大当り判定値の上限の値である上限判定値以下である場合に、大当りであると判定される。
大当り乱数の値が下限判定値未満である場合（ステップＡ３８２；Ｙ）は、判定結果としてはずれを設定し（ステップＡ３８７）、大当り判定処理を終了する。
【０２８６】
また、大当り乱数の値が下限判定値未満でない場合（ステップＡ３８２；Ｎ）は、高確率状態であるかを判定する（ステップＡ３８３）。
そして、高確率状態である場合（ステップＡ３８３；Ｙ）は、高確率中の上限判定値を設定し（ステップＡ３８４）、対象の大当り乱数の値が上限判定値より大きいかを判定する（ステップＡ３８６）。また、高確率状態でない場合（ステップＡ３８３；Ｎ）は、低確率中の上限判定値を設定し（ステップＡ３８５）、対象の大当り乱数の値が上限判定値より大きいかを判定する（ステップＡ３８６）。
大当り乱数の値が上限判定値より大きい場合（ステップＡ３８６；Ｙ）は、判定結果としてはずれを設定し（ステップＡ３８７）、大当り判定処理を終了する。
また、大当り乱数の値が上限判定値より大きくない場合（ステップＡ３８６；Ｎ）、すなわち大当りである場合は、判定結果として大当りを設定し（ステップＡ３８８）、大当り判定処理を終了する。
【０２８７】
〔特図１停止図柄設定処理〕
図３６には、上述の特図１変動開始処理における特図１停止図柄設定処理（ステップＡ３２３）を示した。この特図１停止図柄設定処理では、まず、大当りフラグ１が大当りかを判定し（ステップＡ３９１）、大当りである場合（ステップＡ３９１；Ｙ）は、特図１大当り図柄乱数格納領域（保留数１用）から大当り図柄乱数をロードする（ステップＡ３９２）。次に、特図１大当り図柄テーブルを設定して（ステップＡ３９３）、ロードした大当り図柄乱数に対応する停止図柄番号を取得し、特図１停止図柄番号領域にセーブする（ステップＡ３９４）。この処理により特別結果の種類が選択される。
【０２８８】
その後、特図１大当り停止図柄情報テーブルを設定して（ステップＡ３９５）、停止図柄番号に対応する停止図柄パターンを取得し、停止図柄パターン領域にセーブする（ステップＡ３９６）。停止図柄パターンとは、特図表示器（ここでは特図１表示器５１ａ）での停止図柄や表示装置４１での停止図柄を設定するためのものである。次に、停止図柄番号に対応するラウンド数上限値情報（本実施形態の場合、１６Ｒまたは６Ｒを示す情報）を取得し、ラウンド数上限値情報領域にセーブして（ステップＡ３９７）、停止図柄番号に対応する確率変動判定データを取得し、確率変動判定データ領域にセーブして（ステップＡ３９８）、停止図柄パターンに対応する飾り特図コマンドを準備する（ステップＡ４０１）。ここで、確率変動判定データは、大当り後にどのモードに移行するかを示す情報であり、本実施形態では、ステップＡ３９８において、「低確率データ（通常（普電サポートなし））」、「高確率データ１（確変（普電サポートあり））」、または「高確率データ２（潜伏確変（普電サポートなし））」が取得されて確率変動判定データ領域にセーブされる。
【０２８９】
一方、大当りフラグ１が大当りでない場合（ステップＡ３９１；Ｎ）は、はずれ時の停止図柄番号を特図１停止図柄番号領域にセーブし（ステップＡ３９９）、はずれ停止図柄パターンを停止図柄パターン領域にセーブして（ステップＡ４００）、停止図柄パターンに対応する飾り特図コマンドを準備する（ステップＡ４０１）。以上の処理により、特図変動表示ゲームの結果に対応した停止図柄が設定される。
【０２９０】
その後、飾り特図コマンドを飾り特図コマンド領域にセーブし（ステップＡ４０２）、演出コマンド設定処理（ステップＡ４０３）を行う。この飾り特図コマンドは、後に演出制御装置３００に送信される。そして、停止図柄番号に対応する図柄データを試験信号出力データ領域にセーブし（ステップＡ４０４）、特図１大当り図柄乱数格納領域（保留数１用）を０クリアして（ステップＡ４０５）、特図１停止図柄設定処理を終了する。
【０２９１】
〔特図２停止図柄設定処理〕
図３７には、上述の特図２変動開始処理における特図２停止図柄設定処理（ステップＡ３４３）を示した。この特図２停止図柄設定処理では、まず、大当りフラグ２が大当りかを判定し（ステップＡ４１１）、大当りである場合（ステップＡ４１１；Ｙ）は、特図２大当り図柄乱数格納領域（保留数１用）から大当り図柄乱数をロードする（ステップＡ４１２）。次に、特図２大当り図柄テーブルを設定して（ステップＡ４１３）、ロードした大当り図柄乱数に対応する停止図柄番号を取得し、特図２停止図柄番号領域にセーブする（ステップＡ４１４）。この処理により特別結果の種類が選択される。
【０２９２】
その後、特図２大当り停止図柄情報テーブルを設定して（ステップＡ４１５）、停止図柄番号に対応する停止図柄パターンを取得し、停止図柄パターン領域にセーブする（ステップＡ４１６）。停止図柄パターンとは、特図表示器（ここでは特図２表示器５１ｂ）での停止図柄や表示装置４１での停止図柄を設定するためのものである。次に、停止図柄番号に対応するラウンド数上限値情報（本実施形態の場合、１６Ｒまたは６Ｒを示す情報）を取得し、ラウンド数上限値情報領域にセーブして（ステップＡ４１７）、停止図柄番号に対応する確率変動判定データを取得し、確率変動判定データ領域にセーブして（ステップＡ４１８）、停止図柄パターンに対応する飾り特図コマンドを準備する（ステップＡ４２１）。
【０２９３】
一方、大当りフラグ２が大当りでない場合（ステップＡ４１１；Ｎ）は、はずれ時の停止図柄番号を特図２停止図柄番号領域にセーブし（ステップＡ４１９）、はずれ停止図柄パターンを停止図柄パターン領域にセーブして（ステップＡ４２０）、停止図柄パターンに対応する飾り特図コマンドを準備する（ステップＡ４２１）。以上の処理により、特図変動表示ゲームの結果に対応した停止図柄が設定される。
【０２９４】
その後、飾り特図コマンドを飾り特図コマンド領域にセーブし（ステップＡ４２２）、演出コマンド設定処理（ステップＡ４２３）を行う。この飾り特図コマンドは、後に演出制御装置３００に送信される。そして、停止図柄番号に対応する図柄データを試験信号出力データ領域にセーブし（ステップＡ４２４）、特図２大当り図柄乱数格納領域（保留数１用）を０クリアして（ステップＡ４２５）、特図２停止図柄設定処理を終了する。
【０２９５】
すなわち、遊技制御装置１００が、第１始動入賞口３６での遊技球の検出に基づいて変動表示ゲームとして第１変動表示ゲームを実行し、第２始動入賞口９７や普通変動入賞装置３７での遊技球の検出に基づいて変動表示ゲームとして第２変動表示ゲームを実行する変動表示ゲーム実行手段をなす。また、遊技制御装置１００が、判定手段（遊技制御装置１００）による判定結果に基づき変動表示ゲームの実行を制御する変動表示ゲーム実行制御手段をなす。
【０２９６】
〔特図情報設定処理〕
次に、上述の特図保留情報判定処理、特図１変動開始処理、及び特図２変動開始処理における特図情報設定処理（ステップＡ１８０，Ａ３２４，Ａ３４４）の詳細について説明する。
図３８に示すように特図情報設定処理では、まず、変動グループ選択ポインタテーブルを設定して（ステップＡ４３１）、現在の確率状態及び停止図柄バターン番号に対応する変動グループ選択ポインタを取得する（ステップＡ４３２）。ここで、本実施形態では、停止図柄パターン番号として、「０：はずれ図柄」、「１：１６Ｒ確変図柄」、「２：６Ｒ確変図柄Ａ」、「３：６Ｒ確変図柄Ｂ」、「４：６Ｒ確変図柄Ｃ」、または「５：６Ｒ通常図柄」が設定されている。また、現在の確率状態として、「１：通常（普電サポートなし）」、「２：確変（普電サポートあり）」、または「３：潜伏確変（普電サポートなし）」が設定されている。
【０２９７】
次いで、停止図柄パターン番号が「０」であるか、すなわち停止図柄パターンがはずれ図柄パターンであるか判定する（ステップＡ４３３）。
ステップＡ４３３で、停止図柄パターンがはずれ図柄パターンでないと判定した場合（ステップＡ４３３；Ｎ）には、ステップＡ４３２で取得した変動グループ選択ポインタを、変動グループ選択ポインタ領域にセーブして（ステップＡ４３５）、特図情報設定処理を終了する。
一方、ステップＡ４３３で、停止図柄パターンがはずれ図柄パターンであると判定した場合（ステップＡ４３３；Ｙ）には、特図１保留数と特図２保留数の合計値に対応する値に変動グループ選択ポインタを更新し（ステップＡ４３４）、当該更新した変動グループ選択ポインタを、変動グループ選択ポインタ領域にセーブして（ステップＡ４３５）、特図情報設定処理を終了する。
【０２９８】
このように、本実施形態では、停止図柄パターンが大当り図柄パターンである場合には、変動パターンの振り分けは保留数に影響しないが、停止図柄パターンがはずれ図柄パターンである場合には、変動パターンの振り分けは保留数に影響する。
具体的には、例えば、停止図柄パターンがはずれ図柄パターンであって、現在の遊技状態が通常（普電サポートなし）または潜伏確変（普電サポートなし）の場合には、特図１保留数と特図２保留数の合計値が「１」である際と、「２」，「３」である際と、「４」，「５」である際と、「６」，「７」，「８」である際で変動パターンの振り分けが異なる。
また、停止図柄パターンがはずれ図柄パターンであって、現在の遊技状態が確変（普電サポートあり）の場合には、特図１保留数と特図２保留数の合計値が「１」である際と、「２」である際と、「３」である際と、「４」，「５」，「６」，「７」，「８」である際で変動パターンの振り分けが異なる。
【０２９９】
〔変動パターン設定処理〕
次に、上述の特図保留情報判定処理、特図１変動開始処理、及び特図２変動開始における変動パターン設定処理（ステップＡ１８１，Ａ３２６，Ａ３４６）の詳細について説明する。
図３９に示すように変動パターン設定処理では、まず、変動グループアドレステーブルを設定し（ステップＡ４４１）、変動グループ選択ポインタに対応する変動グループテーブルのアドレスを取得し、準備して（ステップＡ４４２）、対象（特図１または特図２）の変動パターン乱数１格納領域（保留数１用）から変動パターン乱数１をロードし、準備する（ステップＡ４４３）。
【０３００】
次いで、２バイト振り分け処理（ステップＡ４４４）を行って、振り分けられた結果得られた変動パターン選択テーブルのアドレスを取得し、準備して（ステップＡ４４５）、対象（特図１または特図２）の変動パターン乱数２格納領域（保留数１用）から変動パターン乱数２をロードし、準備する（ステップＡ４４６）。
次いで、振り分け処理（ステップＡ４４７）を行い、振り分けられた結果得られた変動パターン番号を取得し、変動パターン番号領域にセーブして（ステップＡ４４８）、変動パターン設定処理を終了する。すなわち、遊技制御装置１００が、ゲームの実行態様である変動パターンを複数のうちから設定する変動パターン設定手段をなす。
【０３０１】
〔変動開始情報設定処理〕
次に、上述の特図１変動開始処理及び特図２変動開始処理における変動開始情報設定処理（ステップＡ３２７，Ａ３４７）の詳細について説明する。図４０に示すように変動開始情報設定処理では、まず、対象の変動パターン乱数１〜２の乱数格納領域をクリアする（ステップＡ４５１）。次に、変動時間値テーブルを設定し（ステップＡ４５２）、変動パターン番号に対応する変動時間値を取得し、特図ゲーム処理タイマ領域にセーブする（ステップＡ４５３）。
【０３０２】
そして、変動パターン番号に対応する変動コマンド（MODE，ACTION）を準備して（ステップＡ４５４）、演出コマンド設定処理を行う（ステップＡ４５５）。次に、変動図柄判別フラグに対応する特図保留数を−１更新して（ステップＡ４５６）、変動図柄判別フラグに対応する乱数格納領域のアドレスを設定する（ステップＡ４５７）。次いで、乱数格納領域をシフトし（ステップＡ４５８）、シフト後の空き領域をクリアする（ステップＡ４５９）。次いで、変動順序フラグ格納領域をシフトし（ステップＡ４６０）、シフト後の空き領域をクリアして（ステップＡ４６１）、変動開始情報設定処理を終了する。
【０３０３】
以上の処理により、特図変動表示ゲームの開始に関する情報が設定される。すなわち、遊技制御装置１００が、始動記憶手段（遊技制御装置１００）に記憶された各種の乱数値の判定を行う判定手段をなす。また、遊技制御装置１００が、始動記憶の判定情報に基づいて、変動表示ゲームで実行する識別情報の変動パターンを決定することが可能な変動パターン決定手段をなす。
そして、これらの特図変動表示ゲームの開始に関する情報は後に演出制御装置３００に送信され、演出制御装置３００では、特図変動表示ゲームの開始に関する情報の受信に基づき、決定された変動パターンに応じて飾り特図変動表示ゲームでの詳細な演出内容を設定する。これらの特図変動表示ゲームの開始に関する情報としては、始動記憶数（保留数）に関する情報を含む飾り特図保留数コマンド、停止図柄に関する情報を含む飾り特図コマンド、特図変動表示ゲームの変動パターンに関する情報を含む変動コマンド、停止時間の延長に関する情報を含む停止情報コマンドが挙げられ、この順でコマンドが演出制御装置３００に送信される。特に、飾り特図コマンドを変動コマンドよりも先に送信することで、演出制御装置３００での処理を効率よく進めることができる。
【０３０４】
〔特図変動中処理〕
次に、上述の特図ゲーム処理における特図変動中処理（ステップＡ９）の詳細について説明する。
図４１に示すように、特図変動中処理では、まず、変動図柄判別フラグに対応する図柄停止コマンドを準備して（ステップＡ５０１）、演出コマンド設定処理（ステップＡ５０２）を行う。
次いで、停止図柄パターン番号に対応する表示時間を設定して（ステップＡ５０３）、設定した表示時間を特図ゲーム処理タイマ領域にセーブする（ステップＡ５０４）。本実施形態の場合、停止図柄パターンがはずれ図柄パターンである場合には表示時間として８００ｍ秒を設定し、停止図柄パターンが大当り図柄パターンである場合には表示時間として２０００ｍ秒を設定する。
次いで、処理番号として特図表示中処理にかかる「２」を設定し（ステップＡ５０５）、その処理番号を特図ゲーム処理番号領域にセーブする（ステップＡ５０６）。
【０３０５】
次いで、特図１の変動終了に関する信号（例えば、特別図柄１変動中信号をＯＦＦ）を試験信号出力データ領域にセーブし（ステップＡ５０７）、特図２の変動終了に関する信号（例えば、特別図柄２変動中信号をＯＦＦ）を試験信号出力データ領域にセーブして（ステップＡ５０８）、外部情報端子に出力用の特図変動表示ゲームの実行回数に係る図柄確定回数信号制御タイマ領域に制御タイマ初期値（例えば、２５６ｍ秒）をセーブする（ステップＡ５０９）。その後、特図１表示器５１ａにおける特図１変動表示ゲームの制御用の情報として、特図１表示器５１ａでの変動停止に係る停止フラグを特図１変動制御フラグ領域にセーブし（ステップＡ５１０）、特図２表示器５１ｂにおける特図２変動表示ゲームの制御用の情報として、特図２表示器５１ｂでの変動停止に係る停止フラグを特図２変動制御フラグ領域にセーブして（ステップＡ５１１）、特図変動中処理を終了する。
【０３０６】
〔特図表示中処理〕
次に、上述の特図ゲーム処理における特図表示中処理（ステップＡ１０）の詳細について説明する。図４２に示すように、特図表示中処理では、まず、特図１変動開始処理における大当りフラグ１設定処理にて設定された大当りフラグ１と、特図２変動開始処理における大当りフラグ２設定処理にて設定された大当りフラグ２と、をロードして（ステップＡ６０１）、ＲＷＭの大当りフラグ１領域及び大当りフラグ２領域をクリアする処理（ステップＡ６０２）を行う。そして、ロードされた大当りフラグ２が大当りかを判定して（ステップＡ６０３）、大当りである（ステップＡ６０３；Ｙ）と判定すると、第２特図変動表示ゲームの大当り（特図２大当り）の開始に関する試験信号（例えば、条件装置作動中信号をＯＮ、役物連続作動装置作動中信号をＯＮ、特別図柄２当り信号をＯＮ）をＲＷＭの試験信号出力データ領域にセーブして（ステップＡ６０６）、ラウンド数上限値テーブルを設定する（ステップＡ６０７）。
【０３０７】
一方、ステップＡ６０３にて、大当りフラグ２のチェックの結果、大当りでない（ステップＡ６０３；Ｎ）と判定すると、ロードされた大当りフラグ１が大当りかを判定して（ステップＡ６０４）、大当りである（ステップＡ６０４；Ｙ）と判定すると、第１特図変動表示ゲームの大当り（特図１大当り）の開始に関する試験信号（例えば、条件装置作動中信号をＯＮ、役物連続作動装置作動中信号をＯＮ、特別図柄１当り信号をＯＮ）をＲＷＭの試験信号出力データ領域にセーブして（ステップＡ６０５）、ラウンド数上限値テーブルを設定する（ステップＡ６０７）。
【０３０８】
ラウンド数上限値テーブルを設定する処理（ステップＡ６０７）を行った後、ラウンド数上限値情報に対応するラウンド数上限値（本実施形態の場合、１６Ｒまたは６Ｒ）を取得し、ＲＷＭのラウンド数上限値領域にセーブする（ステップＡ６０８）。続けて、ラウンド数上限値情報に対応するラウンドＬＥＤポインタを取得し、ＲＷＭのラウンドＬＥＤポインタ領域にセーブする（ステップＡ６０９）。
【０３０９】
次に、停止図柄パターンに対応した飾り特図コマンドをＲＷＭの飾り特図コマンド領域からロードし、準備して（ステップＡ６１０）、演出コマンド設定処理（ステップＡ６１３）を行う。その後、普図変動表示ゲーム及び特図変動表示ゲームにて当り結果となる確率を通常確率状態（低確率状態）とする情報に係る確率情報コマンドを準備して（ステップＡ６１２）、演出コマンド設定処理（ステップＡ６１３）を行う。続けて、特図１又は特図２停止図柄設定処理にて設定された図柄情報（停止図柄番号又は停止図柄パターン）に対応するファンファーレコマンドを準備して（ステップＡ６１４）、演出コマンド設定処理（ステップＡ６１５）を行う。
【０３１０】
その後、大当りファンファーレ時間（例えば、１００００ｍ秒）を特図ゲーム処理タイマ領域にセーブし（ステップＡ６１６）、大入賞口開放情報に対応する大入賞口（特別変動入賞装置３８）の大入賞口不正入賞数領域をクリアして（ステップＡ６１７）、大入賞口開放情報に対応する大入賞口の大入賞口不正監視期間フラグ領域に不正監視期間外フラグをセーブする（ステップＡ６１８）。その後、ファンファーレ／インターバル中処理移行設定処理１（ステップＡ６１９）を行い、特図表示中処理を終了する。
【０３１１】
一方、ステップＡ６０４にて、大当りフラグ１が大当りでない場合（ステップＡ６０４；Ｎ）は、処理番号として特図普段処理にかかる「０」を設定して（ステップＡ６２０）、その処理番号を特図ゲーム処理番号領域にセーブする（ステップＡ６２１）。
次いで、変動図柄判別フラグ領域をクリアし（ステップＡ６２２）、大入賞口不正監視期間フラグ領域に不正監視期間中フラグをセーブして（ステップＡ６２３）、特図表示中処理を終了する。
【０３１２】
〔ファンファーレ／インターバル中処理移行設定処理１〕
次に、上述の特図表示中処理におけるファンファーレ／インターバル中処理移行設定処理１（ステップＡ６１９）の詳細について説明する。図４３に示すように、ファンファーレ／インターバル中処理移行設定処理１では、まず、処理番号としてファンファーレ／インターバル中処理にかかる「３」を設定し（ステップＡ６３１）、その処理番号を特図ゲーム処理番号領域にセーブする（ステップＡ６３２）。
【０３１３】
次に、大当り（特別遊技状態）の開始に関する信号（例えば、大当り１信号をＯＮ、大当り２信号をＯＮ、大当り３信号をＯＮ、大当り４信号をＯＮ）を外部情報出力データ領域にセーブし（ステップＡ６３３）、高確率状態と時短状態の終了に関する信号（例えば、特別図柄１高確率状態信号をＯＦＦ、特別図柄２高確率状態信号をＯＦＦ、特別図柄１変動時間短縮状態信号をＯＦＦ、特別図柄２変動時間短縮状態信号をＯＦＦ、普通図柄１高確率状態信号をＯＦＦ）を試験信号出力データ領域にセーブする（ステップＡ６３４）。なお、特図高確率中でも、普図は確率状態しか変化しないので、普通図柄１変動時間短縮状態信号及び普通電動役物１開放延長状態信号は常時ＯＦＦされている。その後、特別遊技状態で実行したラウンド数を管理するためのラウンド数領域をクリアし（ステップＡ６３５）、遊技状態表示番号領域に時短なしの番号をセーブして（ステップＡ６３６）、普図ゲームモードフラグ領域に普図低確率フラグをセーブする（ステップＡ６３７）。
【０３１４】
そして、変動図柄判別フラグ領域をクリアし（ステップＡ６３８）、高確率状態の表示に係る遊技盤３０に設けた遊技状態表示ＬＥＤ（第３遊技状態表示部５８）を消灯させるために高確率報知フラグ領域をクリアして（ステップＡ６３９）、特図ゲームモードフラグ領域に特図低確率＆時短なしフラグをセーブする（ステップＡ６４０）。次に、停電復旧時に演出制御装置３００に出力されるコマンドをセーブする停電復旧時送信コマンド領域に確率情報コマンド（低確率）をセーブし（ステップＡ６４１）、右打ち指示に関する信号（例えば、発射位置指定信号１をＯＮ）を試験信号出力データ領域にセーブし（ステップＡ６４２）、右打ち中の表示ＬＥＤ（例えば、第１遊技状態表示部５６）を点灯させるため、遊技状態表示番号２領域に右打ち状態中の番号をセーブして（ステップＡ６４３）、ファンファーレ／インターバル中処理移行設定処理１を終了する。これにより、特別遊技状態の発生に伴い演出モードの情報が一旦クリアされることとなる。
【０３１５】
〔ファンファーレ／インターバル中処理〕
次に、上述の特図ゲーム処理におけるファンファーレ／インターバル中処理（ステップＡ１１）の詳細について説明する。図４４に示すように、ファンファーレ／インターバル中処理では、まず、特別遊技状態のラウンド数を＋１更新し（ステップＡ７０１）、特別遊技状態のラウンド数に対応するラウンドコマンドを準備して（ステップＡ７０２）、演出コマンド設定処理（ステップＡ７０３）を行う。
【０３１６】
次いで、大入賞口開放時間（例えば、２９秒）を特図ゲーム処理タイマ領域にセーブし（ステップＡ７０４）、処理番号として大入賞口開放中処理にかかる「４」に設定して（ステップＡ７０５）、その処理番号を特図ゲーム処理番号領域にセーブする（ステップＡ７０６）。
次いで、大入賞口の開放開始に関する信号（例えば、特別電動役物１作動中信号をＯＮ）を試験信号出力データ領域にセーブして（ステップＡ７０７）、大入賞口への入賞数を記憶する大入賞口カウント数領域の情報をクリアする（ステップＡ７０８）。そして、特別変動入賞装置３８の開閉扉３８ｃを開放するために、大入賞口ソレノイド出力データ領域にオンデータをセーブして（ステップＡ７０９）、ファンファーレ／インターバル中処理を終了する。
【０３１７】
〔大入賞口開放中処理〕
次に、上述の特図ゲーム処理における大入賞口開放中処理（ステップＡ１２）の詳細について説明する。図４５に示すように、大入賞口開放中処理では、まず、実行中の特別遊技状態における現在のラウンド数とＲＷＭのラウンド数上限値領域のラウンド数上限値とを比較して現在のラウンドが最終ラウンドであるかを判定する（ステップＡ８０１）。
そして、最終ラウンドでない場合（ステップＡ８０１；Ｎ）は、ラウンド間のインターバルに係るインターバルコマンドを準備して（ステップＡ８０２）、演出コマンド設定処理（ステップＡ８０４）を行い、ステップＡ８０５の処理に移行する。
一方、最終ラウンドである場合（ステップＡ８０１；Ｙ）は、特別遊技状態の終了の際におけるエンディング表示画面の表示制御等に係るエンディングコマンドを準備して（ステップＡ８０３）、演出コマンド設定処理（ステップＡ８０４）を行い、ステップＡ８０５の処理に移行する。
【０３１８】
ステップＡ８０５では、処理番号として大入賞口残存球処理にかかる「５」に設定する（ステップＡ８０５）。そして、その処理番号を特図ゲーム処理番号領域にセーブする（ステップＡ８０６）。
次いで、残存球処理時間（例えば、１．９秒）を特図ゲーム処理タイマ領域にセーブし（ステップＡ８０７）、特別変動入賞装置３８の開閉扉３８ｃを閉鎖するために、大入賞口ソレノイド３８ｂをオフさせるためのオフデータを大入賞口ソレノイド出力データ領域にセーブして（ステップＡ８０８）、大入賞口開放中処理を終了する。
【０３１９】
〔大入賞口残存球処理〕
次に、上述の特図ゲーム処理における大入賞口残存球処理（ステップＡ１３）の詳細について説明する。図４６に示すように、大入賞口残存球処理では、まず、実行中の特別遊技状態における現在のラウンド数とＲＷＭのラウンド数上限値領域のラウンド数上限値とを比較して現在のラウンドが最終ラウンドであるかを判定する（ステップＡ９０１）。
【０３２０】
そして、特別遊技状態における現在のラウンドが最終ラウンドでない場合（ステップＡ９０１；Ｎ）は、処理番号としてファンファーレ／インターバル中処理にかかる「３」を設定し（ステップＡ９０２）、その処理番号を特図ゲーム処理番号領域にセーブする（ステップＡ９０３）。
次いで、インターバル時間（例えば、０．１秒）を特図ゲーム処理タイマ領域にセーブし（ステップＡ９０４）、大入賞口（特別変動入賞装置３８）の開放終了に関する信号（例えば、特別電動役物１作動中信号をＯＦＦ）を試験信号出力データ領域にセーブして（ステップＡ９０５）、大入賞口残存球処理を終了する。
【０３２１】
一方、特別遊技状態における現在のラウンドが最終ラウンドである場合（ステップＡ９０１；Ｙ）は、処理番号として大当り終了処理にかかる「６」を設定し（ステップＡ９０６）、その処理番号を特図ゲーム処理番号領域にセーブする（ステップＡ９０７）。
次いで、エンディング時間（例えば、５．１秒）を特図ゲーム処理タイマ領域にセーブして（ステップＡ９０８）、大入賞口（特別変動入賞装置３８）の開放終了に関する信号（例えば、特別電動役物１作動中信号をＯＦＦ）を試験信号出力データ領域にセーブする（ステップＡ９０９）。
次いで、大入賞口への入賞数を記憶する大入賞口カウント数領域の情報をクリアし（ステップＡ９１０）、特別遊技状態のラウンド数を記憶するラウンド数領域の情報をクリアし（ステップＡ９１１）、特別遊技状態のラウンド数の上限値を記憶するラウンド数上限値領域の情報をクリアして（ステップＡ９１２）、大入賞口残存球処理を終了する。
【０３２２】
〔大当り終了処理〕
次に、上述の特図ゲーム処理における大当り終了処理（ステップＡ１４）の詳細について説明する。図４７に示すように、この大当り終了処理では、まず、確率変動判定データによるサブルーチンコールを行う（ステップＡ１００１）。
ステップＡ１００１で、確率変動判定データが「低確率データ（通常（普電サポートなし））」の場合には、大当り終了設定処理１（ステップＡ１００２）を行って、ステップＡ１００５の処理に移行する。
また、ステップＡ１００１で、確率変動判定データが「高確率データ１（確変（普電サポートあり））」の場合には、大当り終了設定処理２（ステップＡ１００３）を行って、ステップＡ１００５の処理に移行する。
また、ステップＡ１００１で、確率変動判定データが「高確率データ２（潜伏確変（普電サポートなし））」の場合には、大当り終了設定処理３（ステップＡ１００４）を行って、ステップＡ１００５の処理に移行する。
【０３２３】
ステップＡ１００５では、停電復旧時送信コマンド領域から確率情報コマンドをロードし、準備する（ステップＡ１００５）。そして、演出コマンド設定処理（ステップＡ１００６）を行う。
次いで、処理番号として特図普段処理にかかる「０」を設定して（ステップＡ１００７）、その処理番号を特図ゲーム処理番号領域にセーブする（ステップＡ１００８）。
次いで、大当りの終了に関する信号（例えば、大当り１信号をＯＦＦ、大当り３信号をＯＦＦ、大当り４信号をＯＦＦ）を外部情報出力データ領域にセーブして（ステップＡ１００９）、大当りの終了に関する信号（例えば、条件装置作動中信号をＯＦＦ、役物連続作動装置作動中信号をＯＦＦ、特別図柄１当り信号をＯＦＦ、特別図柄２当り信号をＯＦＦ）を試験信号出力データ領域にセーブする（ステップＡ１０１０）。
次いで、確率判定フラグ領域の情報をクリアし（ステップＡ１０１１）、大当りのラウンド回数を示すラウンドＬＥＤのポインタ領域の情報をクリアし（ステップＡ１０１２）、大入賞口不正監視期間フラグ領域に不正監視期間中フラグをセーブして（ステップＡ１０１３）、大当り終了処理を終了する。
【０３２４】
〔大当り終了設定処理１〕
図４８（ａ）には、上述の大当り終了処理における大当り終了設定処理１（ステップＡ１００２）を示した。この大当り終了設定処理１では、まず、時短状態なしに関する信号（例えば、大当り２信号をＯＦＦ）を外部情報出力データ領域にセーブして（ステップＡ１０２１）、低確率状態と時短状態なしの開始に関する信号（例えば、特別図柄１高確率状態信号をＯＦＦ、特別図柄２高確率状態信号をＯＦＦ、特別図柄１変動時間短縮状態信号をＯＦＦ、特別図柄２変動時間短縮状態信号をＯＦＦ、普通図柄１高確率状態信号をＯＦＦ）を試験信号出力データ領域にセーブする（ステップＡ１０２２）。
【０３２５】
次いで、遊技状態表示番号領域に時短状態なしの番号をセーブし（ステップＡ１０２３）、普図ゲームモードフラグ領域に普図低確率フラグをセーブして（ステップＡ１０２４）、特図ゲームモードフラグ領域に特図低確率＆時短なしフラグをセーブする（ステップＡ１０２５）。
次いで、左打ち指示に関する信号（例えば、発射位置指定信号１をＯＦＦ）を試験信号出力データ領域にセーブして（ステップＡ１０２６）、右打ち中の表示ＬＥＤ（第１遊技状態表示部５６）を消灯させるため、遊技状態表示番号２領域に左打ち状態中の番号をセーブする（ステップＡ１０２７）。
次いで、停電復旧時送信コマンド領域に確率情報コマンド（低確率）をセーブして（ステップＡ１０２８）、大当り終了設定処理１を終了する。
【０３２６】
〔大当り終了設定処理２〕
図４８（ｂ）には、上述の大当り終了処理における大当り終了設定処理２（ステップＡ１００３）を示した。この大当り終了設定処理２では、まず、時短状態の開始に関する信号（例えば、大当り２信号をＯＮ）を外部情報出力データ領域にセーブする（ステップＡ１０３１）。時短状態の開始に関する信号は、大当り中から出力されているので継続する形で、外部情報出力データ領域にセーブされる。
次いで、高確率状態と時短状態ありの開始に関する信号（例えば、特別図柄１高確率状態信号をＯＮ、特別図柄２高確率状態信号をＯＮ、特別図柄１変動時間短縮状態信号をＯＮ、特別図柄２変動時間短縮状態信号をＯＮ、普通図柄１高確率状態信号をＯＮ）を試験信号出力データ領域にセーブする（ステップＡ１０３２）。
【０３２７】
次に、遊技状態表示番号領域に時短状態ありの番号をセーブし（ステップＡ１０３３）、普図ゲームモードフラグ領域に普図高確率フラグをセーブして（ステップＡ１０３４）、特図ゲームモードフラグ領域に特図高確率＆時短ありフラグをセーブする（ステップＡ１０３５）。
次いで、停電復旧時送信コマンド領域に確率情報コマンド（高確率）をセーブして（ステップＡ１０３６）、大当り終了設定処理２を終了する。なお、本実施形態の場合、時短状態中は右打ちモードであるが、大当り中から右打ちモードが設定されているので、大当り終了設定処理２では右打ちに関する設定を行わない。
【０３２８】
〔大当り終了設定処理３〕
図４９には、上述の大当り終了処理における大当り終了設定処理３（ステップＡ１００４）を示した。この大当り終了設定処理３では、まず、時短状態なしに関する信号（例えば、大当り２信号をＯＦＦ）を外部情報出力データ領域にセーブして（ステップＡ１０４１）、高確率状態と時短状態なしの開始に関する信号（例えば、特別図柄１高確率状態信号をＯＮ、特別図柄２高確率状態信号をＯＮ、特別図柄１変動時間短縮状態信号をＯＦＦ、特別図柄２変動時間短縮状態信号をＯＦＦ、普通図柄１高確率状態信号をＯＦＦ）を試験信号出力データ領域にセーブする（ステップＡ１０４２）。
【０３２９】
次いで、遊技状態表示番号領域に時短状態なしの番号をセーブし（ステップＡ１０４３）、普図ゲームモードフラグ領域に普図低確率フラグをセーブして（ステップＡ１０４４）、特図ゲームモードフラグ領域に特図高確率＆時短なしフラグをセーブする（ステップＡ１０４５）。
次いで、左打ち指示に関する信号（例えば、発射位置指定信号１をＯＦＦ）を試験信号出力データ領域にセーブして（ステップＡ１０４６）、右打ち中の表示ＬＥＤ（第１遊技状態表示部５６）を消灯させるため、遊技状態表示番号２領域に左打ち状態中の番号をセーブする（ステップＡ１０４７）。
次いで、停電復旧時送信コマンド領域に確率情報コマンド（潜伏）をセーブして（ステップＡ１０４８）、大当り終了設定処理３を終了する。
【０３３０】
〔演出コマンド設定処理〕
次に、タイマ割込み処理中に実行される各処理における演出コマンド設定処理の詳細について説明する。図５０に示すように、演出コマンド設定処理では、まず、演出用シリアル送信バッファのステータスを読み込み（ステップＡ２００１）、演出用シリアル送信バッファは満杯であるかを判定する（ステップＡ２００２）。
演出用シリアル送信バッファが満杯である場合（ステップＡ２００２；Ｙ）は、演出用シリアル送信バッファのステータスを読み込む処理（ステップＡ２００１）に戻る。
また、演出用シリアル送信バッファが満杯でない場合（ステップＡ２００２；Ｎ）は、コマンドデータ（MODE）を演出用シリアル送信バッファに書き込む（ステップＡ２００３）。
【０３３１】
次いで、演出用シリアル送信バッファのステータスを読み込み（ステップＡ２００４）、演出用シリアル送信バッファは満杯であるかを判定する（ステップＡ２００５）。
演出用シリアル送信バッファが満杯である場合（ステップＡ２００５；Ｙ）は、演出用シリアル送信バッファのステータスを読み込む処理（ステップＡ２００４）に戻る。
また、演出用シリアル送信バッファが満杯でない場合（ステップＡ２００５；Ｎ）は、コマンドデータ（ACTION）を演出用シリアル送信バッファに書き込んで（ステップＡ２００６）、演出コマンド設定処理を終了する。
【０３３２】
〔図柄変動制御処理〕
図５１に、前述の特図ゲーム処理における図柄変動制御処理（ステップＡ１６，Ａ１８）、後述の普図ゲーム処理における図柄変動制御処理（ステップＢ１５）を示した。図柄変動制御処理は、特別図柄（第１特図、第２特図等）や普通図柄（普図）の変動の制御と特別図柄や普通図柄の表示データの設定を行う処理である。
【０３３３】
この図柄変動制御処理では、まず、制御対象の図柄（例えば、第１特図、第２特図、及び普図の何れか）にかかる変動制御フラグが変動中であるかチェックする（ステップＡ２１０１）。本実施形態の場合、ステップＡ１５、ステップＡ１７、ステップＢ１４にて準備した変動制御テーブル上に、変動制御フラグ領域の下位アドレス、表示テーブル２（停止用）のアドレス、表示テーブル１（変動用）のアドレスが定義されている。
【０３３４】
制御対象の図柄にかかる変動制御フラグが変動中である場合（ステップＡ２１０２；Ｙ）は、制御対象の図柄に対応する図柄表示テーブル（変動用）を取得する（ステップＡ２１０３）。本実施形態の場合、ステップＡ１５、ステップＡ１７、ステップＢ１４にて準備した変動制御テーブル上に、図柄表示テーブル（変動用）のアドレスが定義されている。
次いで、制御対象の点滅制御タイマを−１更新して（ステップＡ２１０４）、更新後の点滅制御タイマが「０」であるかを判定する（ステップＡ２１０５）。
【０３３５】
更新後の点滅制御タイマが「０」でない場合（ステップＡ２１０５；Ｎ）は、制御対象の変動図柄番号領域の値に対応する表示データを取得する（ステップＡ２１０８）。そして、取得した表示データをＲＡＭ１１１Ｃ内に設けられた対象のセグメント領域にセーブして（ステップＡ２１１１）、図柄変動制御処理を終了する。
また、更新後の点滅制御タイマが「０」である場合（ステップＡ２１０５；Ｙ）は、点滅制御タイマ初期値（例えば、１００ｍ秒）を対象の点滅タイマ領域にセーブし（ステップＡ２１０６）、制御対象の変動図柄番号を＋１更新して（ステップＡ２１０７）、制御対象の変動図柄番号領域の値に対応する表示データを取得する（ステップＡ２１０８）。そして、取得した表示データをＲＡＭ１１１Ｃ内に設けられた対象のセグメント領域にセーブして（ステップＡ２１１１）、図柄変動制御処理を終了する。
【０３３６】
一方、制御対象の図柄にかかる変動制御フラグが変動中でない場合（ステップＡ２１０２；Ｎ）は、制御対象の図柄に対応する図柄表示テーブル（停止用）を取得する（ステップＡ２１０９）。本実施形態の場合、ステップＡ１５、ステップＡ１７、ステップＢ１４にて準備した変動制御テーブル上に、図柄表示テーブル（停止用）のアドレスが定義されている。
次いで、制御対象の停止図柄番号領域の値に対応する表示データを取得し（ステップＡ２１１０）、取得した表示データを対象のセグメント領域にセーブして（ステップＡ２１１１）、図柄変動制御処理を終了する。
【０３３７】
〔振り分け処理〕
図５２（ａ）には、上述の変動パターン設定処理における振り分け処理（ステップＡ４４７）を示した。
この振り分け処理では、まず、選択テーブル（ステップＡ４４５にて準備した変動パターン選択テーブル）の先頭のデータが振り分けなしのコード（すなわち「０」）であるかをチェックする（ステップＡ２２０１）。
そして、選択テーブル（変動パターン選択テーブル）の先頭のデータが振り分けなしのコードである場合（ステップＡ２２０２；Ｙ）は、振り分けた結果に対応するデータのアドレスに更新して（ステップＡ２２０７）、振り分け処理を終了する。
一方、選択テーブル（変動パターン選択テーブル）の先頭のデータが振り分けなしのコードでない場合（ステップＡ２２０２；Ｎ）は、選択テーブル（変動パターン選択テーブル）に最初に規定されている一の振り分け値を取得する（ステップＡ２２０３）。
【０３３８】
続けて、ステップＡ４４６にて準備した乱数値（変動パターン乱数２の値）からステップＡ２２０３にて取得した振り分け値を減算して新たな乱数値を算出し（ステップＡ２２０４）、当該算出した新たな乱数値が「０」よりも小さいかを判定する（ステップＡ２２０５）。そして、新たな乱数値が「０」よりも小さくない場合（ステップＡ２２０５；Ｎ）は、次の振り分け値のアドレスに更新した後（ステップＡ２２０６）、ステップＡ２２０３の処理に移行して、それ以降の処理を行う。
すなわち、選択テーブル（変動パターン選択テーブル）に次に規定されている振り分け値を取得し（ステップＡ２２０３）、その後、前回のステップＡ２２０５にて判定済みの乱数値から振り分け値を減算することで新たな乱数値を算出して（ステップＡ２２０４）、算出した新たな乱数値が「０」よりも小さいか否かを判定する（ステップＡ２２０５）。
【０３３９】
上記の処理をステップＡ２２０５にて新たな乱数値が「０」よりも小さいと判定（ステップＡ２２０５；Ｙ）するまで実行する。これにより、選択テーブル（変動パターン選択テーブル）に規定されている少なくとも一の変動パターン番号の中から何れか一の変動パターン番号が選択される。
そして、ステップＡ２２０５にて、新たな乱数値が「０」よりも小さいと判定すると（ステップＡ２２０５；Ｙ）、振り分けた結果に対応するデータのアドレスに更新して（ステップＡ２２０７）、振り分け処理を終了する。
【０３４０】
〔２バイト振り分け処理〕
図５２（ｂ）には、上述の変動パターン設定処理における２バイト振り分け処理（ステップＡ４４４）を示した。２バイト振り分け処理は、変動パターン乱数１に基づいて変動グループテーブルから特図変動表示ゲームの変動パターン選択テーブルを選択するための処理である。
【０３４１】
この２バイト振り分け処理では、まず、選択テーブル（ステップＡ４４２にて準備した変動グループテーブル）の先頭のデータが振り分けなしのコード（すなわち「０」）であるかをチェックする（ステップＡ２３０１）。
そして、選択テーブル（変動グループテーブル）の先頭のデータが振り分けなしのコードである場合（ステップＡ２３０２；Ｙ）は、振り分けた結果に対応するデータのアドレスに更新して（ステップＡ２３０７）、２バイト振り分け処理を終了する。
一方、選択テーブル（変動グループテーブル）の先頭のデータが振り分けなしのコードでない場合（ステップＡ２３０２；Ｎ）は、選択テーブル（変動グループテーブル）に最初に規定されている一の振り分け値を取得する（ステップＡ２３０３）。
【０３４２】
続けて、ステップＡ４４３にて準備した乱数値（変動パターン乱数１の値）からステップＡ２３０３にて取得した振り分け値を減算して新たな乱数値を算出し（ステップＡ２３０４）、当該算出した新たな乱数値が「０」よりも小さいかを判定する（ステップＡ２３０５）。そして、新たな乱数値が「０」よりも小さくない場合（ステップＡ２３０５；Ｎ）は、次の振り分け値のアドレスに更新した後（ステップＡ２３０６）、ステップＡ２３０３の処理に移行して、それ以降の処理を行う。
すなわち、選択テーブル（変動グループテーブル）に次に規定されている振り分け値を取得し（ステップＡ２３０３）、その後、前回のステップＡ２３０５にて判定済みの乱数値から振り分け値を減算することで新たな乱数値を算出して（ステップＡ２３０４）、算出した新たな乱数値が「０」よりも小さいか否かを判定する（ステップＡ２３０５）。
【０３４３】
上記の処理をステップＡ２３０５にて新たな乱数値が「０」よりも小さいと判定（ステップＡ２３０５；Ｙ）するまで実行する。これにより、選択テーブル（変動グループテーブル）に規定されている少なくとも一の変動パターン選択テーブルの中から何れか一の変動パターン選択テーブルが選択される。
そして、ステップＡ２３０５にて、新たな乱数値が「０」よりも小さいと判定すると（ステップＡ２３０５；Ｙ）、振り分けた結果に対応するデータのアドレスに更新して（ステップＡ２３０７）、２バイト振り分け処理を終了する。
【０３４４】
図５２（ａ）に示す振り分け処理の構成と、図５２（ｂ）に示す２バイト振り分け処理の構成とは、基本的に同じであるが、振り分けに使用する乱数のサイズが１バイトであるか、２バイトであるかという点で異なるため、計算するためのプログラム命令が異なっている。
【０３４５】
〔普図ゲーム処理〕
次に、上述のタイマ割込み処理における普図ゲーム処理（ステップＳ１１０）の詳細について説明する。普図ゲーム処理では、ゲートスイッチ３４ａの入力の監視と、普図変動表示ゲームに関する処理全体の制御、普図の表示の設定等を行う。
【０３４６】
図５３に示すように、普図ゲーム処理では、まず、ゲートスイッチ３４ａからの入力を監視するゲートスイッチ監視処理（ステップＢ１）を行い、始動口２スイッチ３７ａからの入力を監視する普電入賞スイッチ監視処理（ステップＢ２）を行う。次に、普図ゲーム処理タイマが「０」でなければ−１更新する（ステップＢ３）。なお、普図ゲーム処理タイマの最小値は「０」に設定されている。そして、普図ゲーム処理タイマの値が「０」であるかを判定する（ステップＢ４）。
【０３４７】
普図ゲーム処理タイマの値が「０」である（ステップＢ４；Ｙ）、すなわちタイムアップした又はすでにタイムアップしていたと判定すると、普図ゲーム処理番号に対応する処理に分岐させるために参照する普図ゲームシーケンス分岐テーブルをレジスタに設定する処理（ステップＢ５）を行って、当該テーブルを用いて普図ゲーム処理番号に対応する処理の分岐先アドレスを取得する処理（ステップＢ６）を行う。そして、普図ゲーム処理番号に応じてサブルーチンコールを行う（ステップＢ７）。
【０３４８】
ステップＢ７にて、普図ゲーム処理番号が「０」の場合は、普図変動表示ゲームの変動開始を監視し、普図変動表示ゲームの変動開始の設定や演出の設定や、普図変動中処理を行うために必要な情報の設定等を行う普図普段処理（ステップＢ８）を行う。
また、ステップＢ７にて、普図ゲーム処理番号が「１」の場合は、普図表示中処理を行うために必要な情報の設定等を行う普図変動中処理（ステップＢ９）を行う。
【０３４９】
また、ステップＢ７にて、普図ゲーム処理番号が「２」の場合は、普図変動表示ゲームの結果が当りであれば、時短状態中であるか否かに応じた普電開放時間の設定や、普図当り中処理を行うために必要な情報の設定等を行う普図表示中処理（ステップＢ１０）を行う。
また、ステップＢ７にて、普図ゲーム処理番号が「３」の場合は、普図当り中処理の継続、或いは普電残存球処理を行うために必要な情報の設定等を行う普図当り中処理（ステップＢ１１）を行う。
【０３５０】
また、ステップＢ７にて、普図ゲーム処理番号が「４」の場合は、普図当り終了処理を行うために必要な情報の設定等を行う普電残存球処理（ステップＢ１２）を行う。
また、ステップＢ７にて、普図ゲーム処理番号が「５」の場合は、普図普段処理を行うために必要な情報の設定等を行う普図当り終了処理（ステップＢ１３）を行う。
【０３５１】
その後、普図表示器５２による普通図柄の変動を制御するための普図変動制御テーブルを準備した後（ステップＢ１４）、普図表示器５２による普通図柄の変動の制御に係る図柄変動制御処理（ステップＢ１５）を行って、普図ゲーム処理を終了する。
一方、ステップＢ４にて、普図ゲーム処理タイマの値が「０」でない（ステップＢ４；Ｎ）、すなわちタイムアップしていないと判定すると、ステップＢ１４の処理に移行して、それ以降の処理を行う。
【０３５２】
〔ゲートスイッチ監視処理〕
次に、上述の普図ゲーム処理におけるゲートスイッチ監視処理（ステップＢ１）の詳細について説明する。図５４に示すように、ゲートスイッチ監視処理では、まず、ゲートスイッチ３４ａに入力があるかを判定する（ステップＢ１０１）。そして、ゲートスイッチ３４ａに入力がある場合（ステップＢ１０１；Ｙ）は、右打ちする遊技状態（例えば、大当り中、特図時短中（普電サポート中））であるかを判定する（ステップＢ１０２）。
右打ちする遊技状態である場合（ステップＢ１０２；Ｙ）は、普図保留数を取得して当該普図保留数が上限値（例えば、４）未満であるかを判定する（ステップＢ１０５）。
また、右打ちする遊技状態でない場合（ステップＢ１０２；Ｎ）は、左打ち指示コマンドを準備し（ステップＢ１０３）、演出コマンド設定処理（ステップＢ１０４）を行った後に、普図保留数を取得して当該普図保留数が上限値（例えば、４）未満であるかを判定する（ステップＢ１０５）。
【０３５３】
普図保留数が上限値未満である場合（ステップＢ１０５；Ｙ）は、普図保留数を＋１更新し（ステップＢ１０６）、更新後の普図保留数に対応する当り乱数格納領域のアドレスを算出する（ステップＢ１０７）。そして、当り乱数を抽出し、ＲＷＭの当り乱数格納領域にセーブして（ステップＢ１０８）、当り図柄乱数を抽出し、ＲＷＭの当り図柄乱数格納領域にセーブして（ステップＢ１０９）、ゲートスイッチ監視処理を終了する。
また、ステップＢ１０１にてゲートスイッチ３４ａに入力がないと判定した場合（ステップＢ１０１；Ｎ）や、ステップＢ１０５にて普図保留数が上限値未満でないと判定した場合（ステップＢ１０５；Ｎ）は、ゲートスイッチ監視処理を終了する。
【０３５４】
〔普電入賞スイッチ監視処理〕
次に、上述の普図ゲーム処理における普電入賞スイッチ監視処理（ステップＢ２）の詳細について説明する。図５５に示すように、普電入賞スイッチ監視処理では、まず、普図当り中か、すなわち普図変動表示ゲームが当り状態となって普通変動入賞装置３７が所定回数の開放動作を実行中であるかを判定する（ステップＢ２０１）。そして、普図当り中である場合（ステップＢ２０１；Ｙ）は、始動口２スイッチ３７ａに入力があるかを判定し（ステップＢ２０２）、始動口２スイッチ３７ａに入力があると判定した場合（ステップＢ２０２；Ｙ）は、普電カウンタのカウント数を＋１更新する（ステップＢ２０３）。
【０３５５】
次に、更新後の普電カウンタのカウント数が上限値（例えば、６）以上であるかを判定して（ステップＢ２０４）、カウント数が上限値以上であると判定した場合（ステップＢ２０４；Ｙ）は、普図当り終了ポインタ領域から当り終了ポインタ値（本実施形態の場合、「４」または「７」）をロードし、普図当り中制御ポインタ領域にセーブする（ステップＢ２０５）。このステップＢ２０５の処理は、普図の当り状態中に上限値以上の普電入賞があったことに基づいて、普通変動入賞装置３７を閉じるための処理である。
次いで、普図ゲーム処理タイマ領域を０クリアして（ステップＢ２０６）、普電入賞スイッチ監視処理を終了する。すなわち、普図の当り状態中に上限値以上の普電入賞があった場合は、その時点で普図の当り状態が途中で終了するようにする。
【０３５６】
また、ステップＢ２０１にて普図当り中でないと判定した場合（ステップＢ２０１；Ｎ）、ステップＢ２０２にて始動口２スイッチ３７ａに入力がないと判定した場合（ステップＢ２０２；Ｎ）、又はステップＢ２０４にて普電カウント数が上限値以上でないと判定した場合（ステップＢ２０４；Ｎ）は、普電入賞スイッチ監視処理を終了する。
【０３５７】
〔普図普段処理〕
次に、上述の普図ゲーム処理における普図普段処理（ステップＢ８）の詳細について説明する。図５６に示すように、普図普段処理では、まず、普図保留数が「０」であるかを判定し（ステップＢ３０１）、普図保留数が「０」である場合（ステップＢ３０１；Ｙ）は、処理番号として普図普段処理にかかる「０」を設定し（ステップＢ３２２）、その処理番号を普図ゲーム処理番号領域にセーブし（ステップＢ３２３）、普電不正監視期間フラグ領域に不正監視期間中フラグをセーブして（ステップＢ３２４）、普図普段処理を終了する。
【０３５８】
一方、普図保留数が「０」でない場合（ステップＢ３０１；Ｎ）は、ＲＷＭの当り乱数格納領域（保留数１用）、当り図柄乱数格納領域（保留数１用）から乱数をロードし、ロードした領域（すなわち、当り乱数格納領域（保留数１用）、当り図柄乱数格納領域（保留数１用））を０クリアして（ステップＢ３０２）、普図変動表示ゲームにて当り結果となる確率が通常確率（すなわち、普図低確率）よりも高くされた普図高確率中であるか、すなわち時短状態中であるかを判定する（ステップＢ３０３）。
【０３５９】
普図高確率中でない場合（ステップＢ３０３；Ｎ）は、普図低確率時の下限判定値（低確率下限判定値）を設定し（ステップＢ３０４）、普図高確率中である場合（ステップＢ３０３；Ｙ）は、普図高確率時の下限判定値（高確率下限判定値）を設定する（ステップＢ３０５）。
その後、当り乱数の値が上限判定値以上であるかを判定し（ステップＢ３０６）、当り乱数の値が上限判定値以上でない場合（ステップＢ３０６；Ｎ）、当り乱数の値がステップＢ３０４又はＢ３０５にて設定した下限判定値未満であるかを判定する（ステップＢ３０７）。
【０３６０】
当り乱数の値が上限判定値以上である場合（ステップＢ３０６；Ｙ）や、当り乱数の値がステップＢ３０４又はＢ３０５にて設定した下限判定値未満である場合（ステップＢ３０７；Ｙ）は、当りフラグ領域にはずれ情報をセーブし（ステップＢ３０８）、はずれ停止図柄番号を設定し（ステップＢ３０９）、はずれ図柄情報を普図停止図柄情報領域にセーブして（ステップＢ３１０）、停止図柄番号を普図停止図柄領域にセーブする（ステップＢ３１４）。
一方、当り乱数の値がステップＢ３０４又はＢ３０５にて設定した下限判定値未満でない場合（ステップＢ３０７；Ｎ）は、当りフラグ領域に当り情報をセーブし（ステップＢ３１１）、ステップＢ３０２にてロードした当り図柄乱数に対応する当り停止図柄番号を設定し（ステップＢ３１２）、停止図柄番号に対応する停止図柄情報を普図停止図柄情報領域にセーブして（ステップＢ３１３）、停止図柄番号を普図停止図柄領域にセーブする（ステップＢ３１４）。本実施形態では、普図の当り図柄として２種類の図柄（「当り図柄１」及び「当り図柄２」）が用意されている。
【０３６１】
本実施形態の場合、普図低確率時における当りの確率は０／２５１、普図高確率時における当りの確率は２５０／２５１であり、上限判定値は「２５１」、低確率下限判定値は「２５１」、高確率下限判定値は「１」である。
したがって、普図低確率時は、当り乱数の値が「０」〜「２５０」全ての場合ではずれとなる。
また、普図高確率時は、当り乱数の値が「１」〜「２５０」の何れかである場合が当り、当り乱数の値が「０」である場合がはずれとなる。
【０３６２】
停止図柄番号を普図停止図柄領域にセーブ（ステップＢ３１４）した後、停止図柄番号を試験信号出力データ領域にセーブする（ステップＢ３１５）。
その後、当り乱数格納領域をシフトし（ステップＢ３１６）、シフト後の空き領域を０クリアして（ステップＢ３１７）、普図保留数を−１更新する（ステップＢ３１８）。すなわち、最も古い普図保留数１に関する普図変動表示ゲームが実行されることに伴い、普図保留数１以降に保留となっている普図保留数２〜４の順位を１つずつ繰り上げる処理を行う。この処理により、普図当り乱数格納領域の普図保留数２用から普図保留数４用の値が、普図当り乱数格納領域の普図保留数１用から普図保留数３用に移動することとなる。そして、普図当り乱数格納領域の普図保留数４用の値がクリアされて、普図保留数が１デクリメントされる。
【０３６３】
次いで、変動パターン乱数３を抽出して（ステップＢ３１９）、変動パターン乱数３に対応する変動時間を設定し、普図ゲーム処理タイマ領域にセーブする（ステップＢ３２０）。本実施形態の場合、変動パターン乱数３に対応する変動時間として、２００／２５６の確率で「５００ｍ秒」が設定され、４０／２５６の確率で「１５００ｍ秒」が設定され、１６／２５６の確率で「３０００ｍ秒」が設定される。
そして、普図変動中処理移行設定処理（ステップＢ３２１）を行って、普図普段処理を終了する。
【０３６４】
〔普図変動中処理移行設定処理〕
図５７には、上述の普図普段処理での普図変動中処理移行設定処理（ステップＢ３２１）を示した。この普図変動中処理移行設定処理では、まず、処理番号として普図変動中処理にかかる「１」を設定し（ステップＢ３３１）、その処理番号を普図ゲーム処理番号領域にセーブする（ステップＢ３３２）。
その後、普図変動表示ゲームの開始に関する信号（例えば、普通図柄１変動中信号をＯＮ）を試験信号出力データ領域にセーブして（ステップＢ３３３）、普図変動表示ゲームが変動中であることを示す変動中フラグを普図変動制御フラグ領域にセーブする（ステップＢ３３４）。
そして、普図表示器５２の点滅周期のタイマの初期値である点滅制御タイマ初期値（例えば、１００ｍ秒）を普図点滅制御タイマ領域にセーブし（ステップＢ３３５）、普図変動図柄番号領域に初期値（例えば、０）をセーブして（ステップＢ３３６）、普図変動中処理移行設定処理を終了する。
【０３６５】
〔普図変動中処理〕
次に、上述の普図ゲーム処理における普図変動中処理（ステップＢ９）の詳細について説明する。図５８に示すように、普図変動中処理では、まず、処理番号として普図表示中処理にかかる「２」に設定し（ステップＢ４０１）、その処理番号を普図ゲーム処理番号領域にセーブする（ステップＢ４０２）。その後、普図表示器５２における普図変動表示ゲームの結果の表示時間である普図表示時間（例えば、６００ｍ秒）を普図ゲーム処理タイマ領域にセーブし（ステップＢ４０３）、普図の変動終了に関する信号（例えば、普通図柄１変動中信号をＯＦＦ）を試験信号出力データ領域にセーブし（ステップＢ４０４）、普図変動表示ゲームが停止中であることを示す停止フラグを普図変動制御フラグ領域にセーブして（ステップＢ４０５）、普図変動中処理を終了する。
【０３６６】
〔普図表示中処理〕
次に、上述の普図ゲーム処理における普図表示中処理（ステップＢ１０）の詳細について説明する。図５９に示すように、普図表示中処理では、まず、普図普段処理にて設定された当りフラグ（当り情報又ははずれ情報）をロードし（ステップＢ５０１）、ＲＷＭの当りフラグ領域をクリアして（ステップＢ５０２）、ロードされた当りフラグが当り情報かを判定する（ステップＢ５０３）
当りフラグが当り情報でない場合（ステップＢ５０３；Ｎ）は、処理番号として普図普段処理にかかる「０」を設定し（ステップＢ５１５）、その処理番号を普図ゲーム処理番号領域にセーブし（ステップＢ５１６）、普電不正監視期間フラグ領域に不正監視期間中フラグをセーブして（ステップＢ５１７）、普図表示中処理を終了する。
【０３６７】
一方、当りフラグが当り情報である場合（ステップＢ５０３；Ｙ）は、当り中処理設定テーブルを設定して（ステップＢ５０４）、普図停止図柄情報に対応する当り開始ポインタの値（例えば、「０」，「５」の何れか）を取得し、普図当り中制御ポインタ領域にセーブして（ステップＢ５０５）、普図停止図柄情報に対応する当り終了ポインタの値（例えば、「４」，「７」の何れか）を取得し、普図当り終了ポインタ領域にセーブする（ステップＢ５０６）。次いで、普図停止図柄情報に対応する普電開放時間（例えば、１７００ｍ秒または２６００ｍ秒）を取得し、普図ゲーム処理タイマ領域にセーブする（ステップＢ５０７）。
【０３６８】
次いで、処理番号として普図当り中処理にかかる「３」を設定し（ステップＢ５０８）、その処理番号を普図ゲーム処理番号領域にセーブする（ステップＢ５０９）。
次いで、普図変動表示ゲームの当り開始に関する信号（例えば、普通図柄１当り中信号をＯＮ）と、普電作動開始に関する信号（例えば、普通電動役物１作動中信号をＯＮ）を試験信号出力データ領域にセーブして（ステップＢ５１０）、普電ソレノイドを駆動（オン）する信号を出力するため、普電ソレノイド出力データ領域にオンデータをセーブする（ステップＢ５１１）。
【０３６９】
次いで、普通変動入賞装置３７への入賞数を記憶する普電カウント数領域の情報をクリアして（ステップＢ５１２）、普電不正監視期間における普通変動入賞装置３７への入賞数を記憶する普電不正入賞数領域の情報をクリアする（ステップＢ５１３）。
次いで、普通変動入賞装置３７の不正監視期間外を規定するフラグ（不正監視期間外フラグ）を普電不正監視期間フラグ領域にセーブして（ステップＢ５１４）、普図表示中処理を終了する。
【０３７０】
〔普図当り中処理〕
次に、上述の普図ゲーム処理における普図当り中処理（ステップＢ１１）の詳細について説明する。図６０に示すように、普図当り中処理では、まず、普図当り中制御ポインタをロードし、準備して（ステップＢ６０１）、ロードした普図当り中制御ポインタの値が上限値以上であるかを判定する（ステップＢ６０２）。
【０３７１】
そして、普図当り中制御ポインタの値が上限値以上でない場合（ステップＢ６０２；Ｎ）は、普図当り中制御ポインタを＋１更新し（ステップＢ６０３）、普電作動移行設定処理（ステップＢ６０４）を行って、普図当り中処理を終了する。
また、普図当り中制御ポインタの値が上限値以上である場合（ステップＢ６０２；Ｙ）は、ステップＢ６０３における普図当り中制御ポインタを＋１更新する処理を行わずに、普電作動移行設定処理（ステップＢ６０４）を行って、普図当り中処理を終了する。
【０３７２】
〔普電作動移行設定処理〕
図６１には、上述の普図当り中処理における普電作動移行設定処理（ステップＢ６０４）を示した。普電作動移行設定処理は、普通変動入賞装置３７を開閉するための普電ソレノイド３７ｃの駆動制御を行う処理であり、制御ポインタ（普図当り中制御ポインタ）の値に応じて処理を分岐するようにしている。この普電作動移行設定処理では、まず、制御ポインタの値に応じた分岐処理を行う（ステップＢ６１１）。なお、ステップＢ６０３の処理（普図当り中制御ポインタを＋１更新する処理）を行った場合には、＋１更新する前の値に応じた分岐処理を行う。
【０３７３】
制御ポインタの値が「０」、「２」、又は「５」であった場合は、ステップＢ６１２へ移行して、普通変動入賞装置３７の閉塞を制御するため、制御ポインタに対応する普通変動入賞装置３７の閉塞後のウェイト時間（例えば、３００ｍ秒）を普図ゲーム処理タイマ領域にセーブし（ステップＢ６１２）、普電ソレノイド３７ｃをオフさせるため、普電ソレノイド出力データ領域にオフデータをセーブして（ステップＢ６１３）、普電作動移行設定処理を終了する。
【０３７４】
また、制御ポインタの値が「１」又は「３」であった場合は、ステップＢ６１４へ移行して、普通変動入賞装置３７の開放を制御するため、制御ポインタに対応する普通変動入賞装置３７の開放時間である普電開放時間（例えば、１７００ｍ秒）を普図ゲーム処理タイマ領域にセーブし（ステップＢ６１４）、普電ソレノイド３７ｃをオンさせるため、普電ソレノイド出力データ領域にオンデータをセーブして（ステップＢ６１５）、普電作動移行設定処理を終了する。
【０３７５】
また、制御ポインタの値が「６」であった場合は、ステップＢ６１６へ移行して、普通変動入賞装置３７の開放を制御するため、制御ポインタに対応する普通変動入賞装置３７の開放時間である普電開放時間（例えば、２６００ｍ秒）を普図ゲーム処理タイマ領域にセーブし（ステップＢ６１６）、普電ソレノイド３７ｃをオンさせるため、普電ソレノイド出力データ領域にオンデータをセーブして（ステップＢ６１７）、普電作動移行設定処理を終了する。
【０３７６】
また、制御ポインタの値が「４」又は「７」であった場合は、ステップＢ６１８へ移行して、普通変動入賞装置３７の開放制御を終了して普電残存球処理を行うため、処理番号として「４」を設定する（ステップＢ６１８）。そして、その処理番号を普図ゲーム処理番号領域にセーブし（ステップＢ６１９）、普電残存球処理時間（例えば、６００ｍ秒）を普図ゲーム処理タイマ領域にセーブする（ステップＢ６２０）。その後、普電ソレノイド３７ｃをオフさせるため、普電ソレノイド出力データ領域にオフデータをセーブして（ステップＢ６２１）、普電作動移行設定処理を終了する。
【０３７７】
ここで、本実施形態では、普図高確率中において普図停止図柄が「当り図柄１」である場合は、普図表示中処理のステップＢ５０５において、当り開始ポインタの値として「０」が取得され、普図表示中処理のステップＢ５０６において、当り終了ポインタの値として「４」が取得され、普図表示中処理のステップＢ５０７において、普電開放時間として「１７００ｍ秒」が取得される。したがって、６００ｍ秒の普図表示時間の経過後、普電開放時間が「１７００ｍ秒」であるため普電（普通変動入賞装置３７）が１７００ｍ秒間開放し、その後、普図当り中制御ポインタが「０」であるため３００ｍ秒のウェイト時間が設定され、次いで、普図当り中制御ポインタが「１」に更新されるため普電が１７００ｍ秒間開放し、次いで、普図当り中制御ポインタが「２」に更新されるため３００ｍ秒のウェイト時間が設定され、次いで、普図当り中制御ポインタが「３」に更新されるため普電が１７００ｍ秒間開放し、次いで、普図当り中制御ポインタが「４」に更新されるため６００ｍ秒の普電残存球処理時間が設定される。
【０３７８】
また、普図高確率中において普図停止図柄が「当り図柄２」である場合は、普図表示中処理のステップＢ５０５において、当り開始ポインタの値として「５」が取得され、普図表示中処理のステップＢ５０６において、当り終了ポインタの値として「７」が取得され、普図表示中処理のステップＢ５０７において、普電開放時間として「２６００ｍ秒」が取得される。したがって、６００ｍ秒の普図表示時間の経過後、普電開放時間が「２６００ｍ秒」であるため普電が２６００ｍ秒間開放し、その後、普図当り中制御ポインタが「５」であるため３００ｍ秒のウェイト時間が設定され、次いで、普図当り中制御ポインタが「６」に更新されるため普電が２６００ｍ秒間開放し、次いで、普図当り中制御ポインタが「７」に更新されるため６００ｍ秒の普電残存球処理時間が設定される。
【０３７９】
〔普電残存球処理〕
次に、上述の普図ゲーム処理における普電残存球処理（ステップＢ１２）の詳細について説明する。図６２に示すように、普電残存球処理では、まず、処理番号として普図当り終了処理にかかる「５」を設定して（ステップＢ７０１）、その処理番号を普図ゲーム処理番号領域にセーブする（ステップＢ７０２）。
【０３８０】
その後、普図エンディング時間（例えば、１００ｍ秒）を普図ゲーム処理タイマ領域にセーブし（ステップＢ７０３）、普通変動入賞装置３７の作動終了に関する信号（例えば、普通電動役物１作動中信号をＯＦＦ）を試験信号出力データ領域にセーブして（ステップＢ７０４）、普通変動入賞装置３７への入賞数を計数する普電カウント数領域をクリアする（ステップＢ７０５）。そして、普図当り中制御ポインタ領域をクリアし（ステップＢ７０６）、普図当り終了ポインタ領域をクリアして（ステップＢ７０７）、普電残存球処理を終了する。
【０３８１】
〔普図当り終了処理〕
次に、上述の普図ゲーム処理における普図当り終了処理（ステップＢ１３）の詳細について説明する。図６３に示すように、普図当り終了処理では、まず、処理番号として普図普段処理にかかる「０」を設定して（ステップＢ８０１）、その処理番号を普図ゲーム処理番号領域にセーブする（ステップＢ８０２）。
【０３８２】
その後、普図変動表示ゲームの当り終了に関する信号（例えば、普通図柄１当り中信号をＯＦＦ）を試験信号出力データ領域にセーブし（ステップＢ８０３）、普通変動入賞装置３７の不正監視期間を規定するフラグ（不正監視期間中フラグ）を普電不正監視期間フラグ領域にセーブして（ステップＢ８０４）、普図当り終了処理を終了する。
【０３８３】
〔セグメントＬＥＤ編集処理〕
次に、上述のタイマ割込み処理におけるセグメントＬＥＤ編集処理（ステップＳ１１１）の詳細について説明する。セグメントＬＥＤ編集処理では、一括表示装置５０に設けられた特図１保留表示器５３、特図２保留表示器５４、普図保留表示器５５、第１遊技状態表示部５６、第２遊技状態表示部５７、第３遊技状態表示部５８、ラウンド表示部５９を構成するセグメントＬＥＤの駆動に関する設定等を行う。
【０３８４】
図６４に示すように、セグメントＬＥＤ編集処理では、まず、点滅制御タイマを＋１更新して（ステップＳ５０１）、点滅制御タイマの特定ビットが１か否かによって、出力オンタイミングであるかを判定する（ステップＳ５０２）。本実施形態では、点滅制御タイマのビット５が１である場合に出力オンタイミングであると判定することで、１２８ｍ秒の点滅周期を作っている。
出力オンタイミングである場合（ステップＳ５０２；Ｙ）は、普図保留表示器５５での表示態様が規定された普図保留数表示テーブル１，２のうちの、普図保留数表示テーブル１を設定し（ステップＳ５０３）、出力オンタイミングでない場合（ステップＳ５０２；Ｎ）は、普図保留数表示テーブル２を設定する（ステップＳ５０４）。
そして、設定した普図保留数表示テーブルから普図保留数に対応する表示データを取得し、ＲＡＭ１１１Ｃ内に設けられた普図保留表示器５５用のセグメント領域にセーブする（ステップＳ５０５）。本実施形態では、普図保留数が「０」〜「２」の何れかであれば、どちらの普図保留数表示テーブルが設定された場合であっても、表示データは同じになる。
【０３８５】
次に、出力オンタイミングであるかを判定し（ステップＳ５０６）、出力オンタイミングである場合（ステップＳ５０６；Ｙ）は、特図１保留表示器５３での表示態様が規定された特図１保留数表示テーブル１，２のうちの、特図１保留数表示テーブル１を設定し（ステップＳ５０７）、出力オンタイミングでない場合（ステップＳ５０６；Ｎ）は、特図１保留数表示テーブル２を設定する（ステップＳ５０８）。
そして、設定した特図１保留数表示テーブルから特図１保留数に対応する表示データを取得し、ＲＡＭ１１１Ｃ内に設けられた特図１保留表示器５３用のセグメント領域にセーブする（ステップＳ５０９）。
【０３８６】
その後、出力オンタイミングであるかを判定し（ステップＳ５１０）、出力オンタイミングである場合（ステップＳ５１０；Ｙ）は、特図２保留表示器５４での表示態様が規定された特図２保留数表示テーブル１，２のうちの、特図２保留数表示テーブル１を設定し（ステップＳ５１１）、出力オンタイミングでない場合（ステップＳ５１０；Ｎ）は、特図２保留数表示テーブル２を設定する（ステップＳ５１２）。
そして、設定した特図２保留数表示テーブルから特図２保留数に対応する表示データを取得し、ＲＡＭ１１１Ｃ内に設けられた特図２保留表示器５４用のセグメント領域にセーブする（ステップＳ５１３）。
さらに、ラウンド表示部５９での表示態様が規定されたラウンド表示テーブルを設定して（ステップＳ５１４）、設定したラウンド表示テーブルからラウンド表示ＬＥＤポインタに対応する表示データを取得し、ＲＡＭ１１１Ｃ内に設けられたラウンド表示部５９用のセグメント領域にセーブする（ステップＳ５１５）。
【０３８７】
次に、時短状態が発生すると点灯して時短状態発生を報知する第２遊技状態表示部５７での表示態様が規定された遊技状態表示テーブル１を設定して（ステップＳ５１６）、設定した遊技状態表示テーブル１から遊技状態表示番号に対応する表示データを取得し、ＲＡＭ１１１Ｃ内に設けられた第２遊技状態表示部５７用のセグメント領域にセーブする（ステップＳ５１７）。本実施形態では、１個のＬＥＤからなる第２遊技状態表示部５７を、通常中には消灯させ、特図時短中（普電サポート中）には点灯させるよう構成されている。
その後、左打ちよりも右打ちの方が有利な遊技状態であることを報知する第１遊技状態表示部５６での表示態様が規定された遊技状態表示テーブル２を設定して（ステップＳ５１８）、設定した遊技状態表示テーブル２から遊技状態表示番号２に対応する表示データを取得し、ＲＡＭ１１１Ｃ内に設けられた第１遊技状態表示部５６用のセグメント領域にセーブする（ステップＳ５１９）。本実施形態では、１個のＬＥＤからなる第１遊技状態表示部５７を、通常打ち（左打ち）時には消灯させ、右打ち時（本実施形態の場合、大当り中、普電サポート中）には点灯させるよう構成されている。
【０３８８】
次いで、高確率報知フラグ領域にオン情報がセーブされているかを判定する（ステップＳ５２０）。
ステップＳ５２０で、高確率報知フラグ領域にオン情報がセーブされていると判定した場合（ステップＳ５２０；Ｙ）には、セグメントＬＥＤ編集処理を終了する。
一方、ステップＳ５２０で、高確率報知フラグ領域にオン情報がセーブされていないと判定した場合（ステップＳ５２０；Ｎ）には、高確率報知ＬＥＤ（第３遊技状態表示部５８）をオフさせるため、高確率報知ＬＥＤのオフデータを第３遊技状態表示部５８用のセグメント領域にセーブして（ステップＳ５２１）、セグメントＬＥＤ編集処理を終了する。
【０３８９】
〔磁石不正監視処理〕
次に、上述のタイマ割込み処理における磁石不正監視処理（ステップＳ１１２）の詳細について説明する。磁石不正監視処理では、磁気センサ６１からの検出信号に基づき異常の有無を判定し不正報知の開始や終了の設定等を行う。
【０３９０】
図６５に示すように、磁石不正監視処理では、まず、磁気センサ６１から出力されて第３入力ポート１２４（入力ポート３）に取り込まれる検出信号の状態から、磁気センサ６１がオン、すなわち異常な磁気を検出した状態であるかを判定する（ステップＳ６０１）。磁気センサ６１がオンである場合（ステップＳ６０１；Ｙ）、すなわち異常な磁気を検出した場合は、異常な磁気の検出期間を計時する磁石不正監視タイマを＋１更新して（ステップＳ６０２）、当該タイマがタイムアップしたかを判定する（ステップＳ６０３）。本実施形態の場合、磁石不正監視タイマが３２ｍ秒以上である場合にタイムアップしたと判定する。
【０３９１】
磁石不正監視タイマがタイムアップした場合（ステップＳ６０３；Ｙ）、すなわち異常な磁気を一定期間継続して検出した場合は、磁石不正監視タイマをクリアし（ステップＳ６０４）、磁石不正報知タイマ初期値（例えば、６０秒）を磁石不正報知タイマ領域にセーブする（ステップＳ６０５）。そして、磁石不正報知のコマンドを準備し（ステップＳ６０６）、磁石不正フラグとして磁石不正発生フラグを準備して（ステップＳ６０７）、準備した磁石不正フラグが磁石不正フラグ領域の値と一致するかを判定する（ステップＳ６１３）。すなわち、磁気センサ６１が一定期間（例えば、８回の割込み）連続してオンであった場合に異常が発生していると判定するようにしている。
【０３９２】
一方、磁気センサ６１がオンでない場合（ステップＳ６０１；Ｎ）、すなわち異常な磁
気を検出していない場合は、磁石不正監視タイマをクリアし（ステップＳ６０８）、磁石不正の報知時間を規定する磁石不正報知タイマが「０」でなければ−１更新する（ステップＳ６０９）。なお、磁石不正報知タイマの最小値は「０」に設定されている。そして、磁石不正報知タイマの値が「０」であるかを判定する（ステップＳ６１０）。なお、磁石不正監視タイマがタイムアップしていない場合（ステップＳ６０３；Ｎ）も、ステップＳ６０９の処理に移行する。
【０３９３】
そして、磁石不正報知タイマの値が「０」でない場合（ステップＳ６１０；Ｎ）、すなわちタイムアップしていない場合は、磁石不正監視処理を終了する。また、磁石不正報知タイマの値が「０」である場合（ステップＳ６１０；Ｙ）、すなわちタイムアップした又はすでにタイムアップしていた場合であって、不正報知の期間が終了した場合又は当初から不正報知が行われていない場合は、磁石不正報知終了のコマンドを準備する（ステップＳ６１１）。さらに、磁石不正フラグとして磁石不正解除フラグを準備して（ステップＳ６１２）、準備した磁石不正フラグが磁石不正フラグ領域の値と一致するかを判定する（ステップＳ６１３）。
【０３９４】
そして、準備した磁石不正フラグが磁石不正フラグ領域の値と一致する場合（ステップＳ６１３；Ｙ）は、磁石不正監視処理を終了する。また、準備した磁石不正フラグが磁石不正フラグ領域の値と一致しない場合（ステップＳ６１３；Ｎ）は、準備した磁石不正フラグを磁石不正フラグ領域にセーブし（ステップＳ６１４）、演出コマンド設定処理を行って（ステップＳ６１５）、磁石不正監視処理を終了する。
ここで、「ステップＳ６０１；Ｎ」→「ステップＳ６０８」→「ステップＳ６０９」→「ステップＳ６１０；Ｙ」→「ステップＳ６１１」→「ステップＳ６１２」→「ステップＳ６１３；Ｙ」が正常ルートである。
【０３９５】
〔盤電波不正監視処理〕
次に、上述のタイマ割込み処理における盤電波不正監視処理（ステップＳ１１３）の詳細について説明する。盤電波不正監視処理では、盤電波センサ６２からの検出信号に基づき異常の有無を判定し不正報知の開始や終了の設定等を行う。
【０３９６】
図６６に示すように、盤電波不正監視処理では、まず、盤電波センサ６２から出力されて近接Ｉ／Ｆ１２１を経由して第３入力ポート１２４（入力ポート３）に取り込まれる検出信号の状態から、盤電波センサ６２がオン、すなわち異常な電波を検出した状態であるかを判定する（ステップＳ７０１）。電波センサがオンである場合（ステップＳ７０１；Ｙ）、すなわち異常な電波を検出した場合は、電波不正報知タイマ初期値（例えば、６０秒）を電波不正報知タイマ領域にセーブする（ステップＳ７０２）。
【０３９７】
そして、盤電波不正報知のコマンドを準備し（ステップＳ７０３）、盤電波不正フラグとして盤電波不正発生フラグを準備して（ステップＳ７０４）、準備した盤電波不正フラグが盤電波不正フラグ領域の値と一致するかを判定する（ステップＳ７０９）。すなわち、本実施形態では、磁気不正の場合は、磁気センサ６１のオンが所定回数検出された時点で異常が発生していると判定する一方、盤電波不正の場合は、盤電波センサ６２のオンが１回検出された時点で異常が発生していると判定するようにしている。
【０３９８】
一方、盤電波センサ６２がオンでない場合（ステップＳ７０１；Ｎ）、すなわち異常な電波を検出していない場合は、電波不正の報知時間を規定する電波不正報知タイマが「０」でなければ−１更新する（ステップＳ７０５）。なお、電波不正報知タイマの最小値は「０」に設定されている。そして、電波不正報知タイマの値が「０」であるかを判定する（ステップＳ７０６）。
【０３９９】
電波不正報知タイマの値が「０」でない場合（ステップＳ７０６；Ｎ）、すなわちタイムアップしていない場合は、盤電波不正監視処理を終了する。また、電波不正報知タイマの値が「０」である場合（ステップＳ７０６；Ｙ）、すなわちタイムアップした又はすでにタイムアップしていた場合であって、不正報知の期間が終了した場合又は当初から不正報知が行われていない場合は、盤電波不正報知終了のコマンドを準備し（ステップＳ７０７）、盤電波不正フラグとして盤電波不正解除フラグを準備して（ステップＳ７０８）、準備した盤電波不正フラグが盤電波不正フラグ領域の値と一致するかを判定する（ステップＳ７０９）。
【０４００】
そして、準備した盤電波不正フラグが盤電波不正フラグ領域の値と一致する場合（ステップＳ７０９；Ｙ）は、盤電波不正監視処理を終了する。また、準備した盤電波不正フラグが盤電波不正フラグ領域の値と一致しない場合（ステップＳ７０９；Ｎ）は、準備した盤電波不正フラグを盤電波不正フラグ領域にセーブし（ステップＳ７１０）、演出コマンド設定処理を行って（ステップＳ７１１）、盤電波不正監視処理を終了する。
ここで、「ステップＳ７０１；Ｎ」→「ステップＳ７０５」→「ステップＳ７０６；Ｙ」→「ステップＳ７０７」→「ステップＳ７０８」→「ステップＳ７０９；Ｙ」が正常ルートである。
【０４０１】
〔外部情報編集処理〕
次に、上述のタイマ割込み処理における外部情報編集処理（ステップＳ１１４）の詳細について説明する。外部情報編集処理では、払出コマンド送信処理（ステップＳ１０５）、入賞口スイッチ／状態監視処理（ステップＳ１０８）、磁石不正監視処理（ステップＳ１１２）、盤電波不正監視処理（ステップＳ１１３）での監視結果に基づいて、情報収集端末や遊技場内部管理装置等の外部装置や試射試験装置に出力する情報を作成して出力バッファにセットする処理等を行う。
【０４０２】
図６７及び図６８に示すように、外部情報編集処理では、まず、スイッチ異常の発生中であるかを判定する（ステップＳ８０１）。
ステップＳ８０１で、スイッチ異常の発生中でないと判定した場合（ステップＳ８０１；Ｎ）には、遊技機エラー状態信号のオフデータを試験信号出力データ領域にセーブして（ステップＳ８０２）、ステップＳ８０４の処理に移行する。
一方、ステップＳ８０１で、スイッチ異常の発生中であると判定した場合（ステップＳ８０１；Ｙ）には、遊技機エラー状態信号のオンデータを試験信号出力データ領域にセーブして（ステップＳ８０３）、ステップＳ８０４の処理に移行する。
【０４０３】
次いで、ガラス枠開放エラーの発生中でもなく（ステップＳ８０４；Ｎ）、本体枠開放エラーの発生中でもない場合（ステップＳ８０５；Ｎ）には、扉・枠開放信号のオフデータを外部情報出力データ領域にセーブし（ステップＳ８０６）、セキュリティ信号のオフデータを外部情報出力データ領域にセーブして（ステップＳ８０７）、ステップＳ８１０の処理に移行する。
一方、ガラス枠開放エラーの発生中である場合（ステップＳ８０４；Ｙ）、あるいは、本体枠開放エラーの発生中である場合（ステップＳ８０５；Ｙ）には、扉・枠開放信号のオンデータを外部情報出力データ領域にセーブし（ステップＳ８０８）、遊技機エラー状態信号のオンデータを試験信号出力データ領域にセーブして（ステップＳ８０９）、ステップＳ８１０の処理に移行する。
【０４０４】
そして、初期化スイッチの操作等によりＲＡＭに記憶されたデータの初期化が行われた時から所定時間（例えば、２５６ｍ秒）を計時するセキュリティ信号制御タイマが「０」でなければ−１更新する（ステップＳ８１０）。なお、セキュリティ信号制御タイマの初期値は、メイン処理においてＲＡＭクリアで起動したときのＲＡＭ初期値設定時に設定され、セキュリティ信号制御タイマの最小値は「０」に設定されている。そして、セキュリティ信号制御タイマの値が「０」であるかを判定する（ステップＳ８１１）。
セキュリティ信号制御タイマの値が「０」でない場合（ステップＳ８１１；Ｎ）、すなわちタイムアップしていない場合は、セキュリティ信号のオンデータを外部情報出力データ領域にセーブして（ステップＳ８１２）、ステップＳ８１３の処理に移行する。また、セキュリティ信号制御タイマの値が「０」である場合（ステップＳ８１１；Ｙ）、すなわちタイムアップした又はすでにタイムアップしていた場合は、ステップＳ８１２の処理を行わずに、ステップＳ８１３の処理に移行する。
【０４０５】
そして、磁石不正の発生中である場合（ステップＳ８１３；Ｙ）、盤電波不正の発生中である場合（ステップＳ８１４；Ｙ）、大入賞口不正の発生中である場合（ステップＳ８１５；Ｙ）、普電不正の発生中である場合（ステップＳ８１６；Ｙ）、あるいは、始動口エラーの発生中である場合（ステップＳ８１７；Ｙ）は、遊技機エラー状態信号のオンデータを試験信号出力データ領域にセーブし（ステップＳ８１９）、セキュリティ信号のオンデータを外部情報出力データ領域にセーブして（ステップＳ８２０）、ステップＳ８２１の処理に移行する。また、枠電波不正の発生中である場合（ステップＳ８１８；Ｙ）は、ステップＳ８１９の処理を行わずに、セキュリティ信号のオンデータを外部情報出力データ領域にセーブして（ステップＳ８２０）、ステップＳ８２１の処理に移行する。
【０４０６】
一方、磁石不正の発生中でもなく（ステップＳ８１３；Ｎ）、盤電波不正の発生中でもなく（ステップＳ８１４；Ｎ）、大入賞口不正の発生中でもなく（ステップＳ８１５；Ｎ）、普電不正の発生中でもなく（ステップＳ８１６；Ｎ）、始動口エラーの発生中でもなく（ステップＳ８１７；Ｎ）、枠電波不正の発生中でもない場合（ステップＳ８１８；Ｎ）は、ステップＳ８１９及びステップＳ８２０の処理を行わずに、ステップＳ８２１の処理に移行する。
【０４０７】
そして、払出予定の賞球数に関する情報を設定するメイン賞球信号編集処理（ステップＳ８２１）を行い、始動口の入賞信号を編集する始動口信号編集処理（ステップＳ８２２）を行う。
次に、特図変動表示ゲームの実行回数に係る情報の出力時間を制御するための図柄確定回数制御タイマが「０」でなければ−１更新する（ステップＳ８２３）。なお、図柄確定回数制御タイマの最小値は「０」に設定されている。そして、図柄確定回数制御タイマの値が「０」であるかを判定する（ステップＳ８２４）。
【０４０８】
図柄確定回数制御タイマの値が「０」である場合（ステップＳ８２４；Ｙ）、すなわちタイムアップした又はすでにタイムアップしていた場合は、図柄確定回数信号のオフデータを外部情報出力データ領域にセーブして（ステップＳ８２５）、外部情報編集処理を終了する。
また、図柄確定回数制御タイマの値が「０」でない場合（ステップＳ８２４；Ｎ）、すなわちタイムアップしていない場合は、図柄確定回数信号のオンデータを外部情報出力データ領域にセーブして（ステップＳ８２６）、外部情報編集処理を終了する。
【０４０９】
〔メイン賞球信号編集処理〕
次に、上述の外部情報編集処理におけるメイン賞球信号編集処理（ステップＳ８２１）の詳細について説明する。メイン賞球信号編集処理は、入賞口への入賞により発生した賞球数（払出予定数）が所定数（本実施形態の場合、１０個）になる毎に生成されるメイン賞球信号を外部装置へ出力する処理である。
【０４１０】
図６９に示すように、メイン賞球信号編集処理では、まず、メイン賞球信号出力制御タイマが「０」でなければ−１更新する（ステップＳ８３１）。なお、メイン賞球信号出力制御タイマの最小値は「０」に設定されている。そして、メイン賞球信号出力制御タイマの値が「０」であるかを判定する（ステップＳ８３２）。メイン賞球信号出力制御タイマの値が「０」である場合（ステップＳ８３２；Ｙ）は、メイン賞球信号出力回数が「０」であるかを判定する（ステップＳ８３３）。
【０４１１】
そして、メイン賞球信号出力回数が「０」でない場合（ステップＳ８３３；Ｎ）は、メイン賞球信号出力回数を−１更新し（ステップＳ８３４）、メイン賞球信号出力制御タイマ領域にメイン賞球信号出力制御タイマ初期値をセーブする（ステップＳ８３５）。このメイン賞球信号出力制御タイマ初期値は、メイン賞球信号のオン状態（例えば、ハイレベル）の時間（例えば、１２８ｍ秒）とオフ状態（例えば、ロウレベル）の時間（例えば、６４ｍ秒）とのうちの、オン状態の時間（例えば、１２８ｍ秒）となっている。その後、外部装置用のメイン賞球信号をオン状態にするオンデータをＲＷＭの外部情報出力データ領域にセーブして（ステップＳ８３７）、メイン賞球信号編集処理を終了する。
また、メイン賞球信号出力回数が「０」である場合（ステップＳ８３３；Ｙ）は、外部装置用のメイン賞球信号をオフ状態にするオフデータをＲＷＭの外部情報出力データ領域にセーブして（ステップＳ８３８）、メイン賞球信号編集処理を終了する。
【０４１２】
一方、メイン賞球信号出力制御タイマの値が「０」でない場合（ステップＳ８３２；Ｎ）は、メイン賞球信号出力制御タイマが出力オン区間中であるかを判定する（ステップＳ８３６）。なお、メイン賞球信号出力制御タイマが出力オン区間中であるとは、メイン賞球信号出力制御タイマの値が「０」でないことである。メイン賞球信号出力制御タイマが出力オン区間中である場合（ステップＳ８３６；Ｙ）は、外部装置用のメイン賞球信号をオン状態にするオンデータをＲＷＭの外部情報出力データ領域にセーブして（ステップＳ８３７）、メイン賞球信号編集処理を終了する。また、メイン賞球信号出力制御タイマが出力オン区間中でない場合（ステップＳ８３６；Ｎ）は、外部装置用のメイン賞球信号をオフ状態にするオフデータをＲＷＭの外部情報出力データ領域にセーブして（ステップＳ８３８）、メイン賞球信号編集処理を終了する。
【０４１３】
本実施形態では、遊技制御装置１００からは、遊技球の払出予定個数が１０個になる毎にメイン賞球信号が出力され、払出制御装置２００からは、遊技球の払出個数が１０個になる毎にメイン賞球信号が出力されるよう構成されている。
具体的には、遊技制御装置１００は、１０個の払出予定毎（払出コマンドを送信する毎）に、メイン賞球信号出力回数を＋１更新（払出コマンド送信処理内のサブルーチン）し、更新（設定）されている出力回数分、メイン賞球信号を出力する。
予定毎に出力されるメイン賞球信号に対し、払出制御装置２００からは実際に１０個の払出が行われる毎に賞球信号が送信されるので、予定と結果の整合をとることができ、不正な払出に対応することができる。また、大当り期間中に入賞しても、球切れ等で払出が遅れ、大当り終了後に払い出された場合にも、入賞時に出力されるメイン賞球信号によって、ホールコン（ホールコンピュータ）が正確な情報を収集（判断）することができる。
【０４１４】
〔始動口信号編集処理〕
次に、上述の外部情報編集処理における始動口信号編集処理（ステップＳ８２２）の詳細について説明する。始動口信号編集処理は、始動口１スイッチ３６ａや始動口２スイッチ３７ａや始動口３スイッチ９７ａの入力があった場合に、各々の入力について共通して行われる処理である。
【０４１５】
図７０に示すように、始動口信号編集処理では、まず、始動口信号出力制御タイマが「０」でなければ−１更新する（ステップＳ８４１）。なお、始動口信号出力制御タイマの最小値は「０」に設定されている。そして、始動口信号出力制御タイマの値が「０」であるかを判定する（ステップＳ８４２）。始動口信号出力制御タイマの値が「０」である場合（ステップＳ８４２；Ｙ）は、始動口信号出力回数が「０」であるかを判定する（ステップＳ８４３）。
【０４１６】
そして、始動口信号出力回数が「０」でない場合（ステップＳ８４３；Ｎ）は、始動口信号出力回数を−１更新し（ステップＳ８４４）、始動口信号出力制御タイマ領域に始動口信号出力制御タイマ初期値をセーブする（ステップＳ８４５）。この始動口信号出力制御タイマ初期値は、始動口信号のオン状態（例えば、ハイレベル）の時間（例えば、１２８ｍ秒）とオフ状態（例えば、ロウレベル）の時間（例えば、６４ｍ秒）とのうちの、オン状態の時間（例えば、１２８ｍ秒）となっている。その後、外部装置用の始動口信号をオン状態にするオンデータをＲＷＭの外部情報出力データ領域にセーブして（ステップＳ８４７）、始動口信号編集処理を終了する。
また、始動口信号出力回数が「０」である場合（ステップＳ８４３；Ｙ）は、外部装置用の始動口信号をオフ状態にするオフデータをＲＷＭの外部情報出力データ領域にセーブして（ステップＳ８４８）、始動口信号編集処理を終了する。
【０４１７】
一方、始動口信号出力制御タイマの値が「０」でない場合（ステップＳ８４２；Ｎ）は、始動口信号出力制御タイマが出力オン区間中であるかを判定する（ステップＳ８４６）。なお、始動口信号出力制御タイマが出力オン区間中であるとは、始動口信号出力制御タイマの値が「０」でないことである。始動口信号出力制御タイマが出力オン区間中である場合（ステップＳ８４６；Ｙ）は、外部装置用の始動口信号をオン状態にするオンデータをＲＷＭの外部情報出力データ領域にセーブして（ステップＳ８４７）、始動口信号編集処理を終了する。また、始動口信号出力制御タイマが出力オン区間中でない場合（ステップＳ８４６；Ｎ）は、外部装置用の始動口信号をオフ状態にするオフデータをＲＷＭの外部情報出力データ領域にセーブして（ステップＳ８４８）、始動口信号編集処理を終了する。
【０４１８】
次に、演出制御装置３００の主制御用マイコン（ＣＰＵ）３１１によって実行される制御について説明する。主制御用マイコン３１１による制御処理は、主に図７１に示すメイン処理と、図示しないタイマ割込み処理とからなる。
【０４１９】
〔メイン処理〕
メイン処理においては、図７１に示すように、はじめにプログラム開始時の処理を行う。このプログラム開始時の処理では、まず、割込みを禁止し（ステップＣ１）、ＣＰＵの初期設定を行う（ステップＣ２）。次に、ＶＤＰ３１２の初期設定を行って（ステップＣ３）、割込みを許可する（ステップＣ４）。次いで、表示用データの生成を許可して（ステップＣ５）、乱数シードを設定し（ステップＣ６）、初期化すべき領域に電源投入時の初期値をセーブする（ステップＣ７）。これにより、停電発生検出済みフラグ等がクリアされる。次に、機種解放監視処理（ステップＣ８）を行う。
【０４２０】
ステップＣ１からＣ８のプログラム開始時の処理を行った後、メインループ処理としてループの処理を行う。このループ処理では、まず、ＷＤＴ（watchdog timer）をクリアする（ステップＣ９）。
次いで、演出操作部５５０（演出ボタン２５やタッチパネル２９）の操作に基づく入力信号（立ち上がりエッジ）から入力情報を作成する演出ボタン入力処理（ステップＣ１０）を行う。演出操作部５５０からの入力の読み込みはタイマ割込み処理内で行い、この演出ボタン入力処理では、演出操作部５５０からの入力があった時に、演出内容を変更する処理等を行う。
【０４２１】
次いで、ＬＥＤや液晶の輝度、音量などの変更可能範囲の設定や、遊技者によるＬＥＤや液晶の輝度、音量の変更、演出を使用可能とする設定などの操作を受け付けるホール・遊技者設定モード処理を行う（ステップＣ１１）。
次いで、飾り特図変動表示ゲームの変動態様の詳細を決定する乱数を更新する乱数更新処理（ステップＣ１２）を行う。
次いで、遊技制御装置１００からのコマンドを解析して対応を行う受信コマンドチェック処理（ステップＣ１３）を行い、客待ちデモ編集処理（ステップＣ１４）、機種強制切替処理（ステップＣ１５）、遊技者機種選択処理（ステップＣ１６）、演出ポイント制御処理（ステップＣ１７）を行う。
【０４２２】
次いで、演出の進行を制御するための設定や描画コマンドの編集を行う演出表示編集処理（ステップＣ１８）を行って、描画コマンドの準備終了を設定する（ステップＣ１９）。これらの処理では、描画する内容に合わせ各種データの更新を行う等して、最終的に描画データをフレームバッファに設定するところまで行う。１／３０秒（約３３．３ｍ秒）以内に描画する画面の描画データを準備できていれば問題なく画像更新できる。なお、曖昧画面（後述）の生成は、演出表示編集処理（ステップＣ１８）で行われる。
【０４２３】
そして、フレーム切替タイミングであるか否かを判定する（ステップＣ２０）。本実施形態では、システム周期（１フレーム１／３０秒）を作るため、Ｖブランク割込（１／６０秒）が２回入るとフレーム切替タイミングであると判定する。なお、フレーム切替タイミングは適宜任意に変更可能であり、例えば、１／６０秒で画像の更新（フレームの切り替え）を行ってもよいし、１／６０秒よりも遅いタイミングで画像の更新（フレームの切り替え）を行ってもよい。ステップＣ２０で、フレーム切替タイミングでないと判定した場合（ステップＣ２０；Ｎ）には、ステップＣ２０の処理を繰り返して行う。一方、ステップＣ２０で、フレーム切替タイミングであると判定した場合（ステップＣ２０；Ｙ）には、画面描画を指示する（ステップＣ２１）。
【０４２４】
その後、スピーカ（上スピーカ１９ａ、下スピーカ１９ｂ）からの音声の出力に関する制御を行うサウンド制御処理（ステップＣ２２）、盤装飾装置４６や枠装飾装置１８などのＬＥＤの制御を行う装飾制御処理（ステップＣ２３）、盤演出装置４４のモータやソレノイドの制御を行う可動体制御処理（ステップＣ２４）を行い、ＷＤＴをクリアする処理（ステップＣ９）に戻る。
【０４２５】
〔機種解放監視処理〕
図７２には、上述のメイン処理における機種解放監視処理（ステップＣ８）を示した。
ここで、本実施形態の遊技機１０には、例えば図８６（ａ）に示すように、「機種Ａ」、「機種Ｂ」、「機種Ｃ」、及び「機種Ｄ」といった異なる４つの機種が搭載されており、一の遊技機でこれら４つの機種を遊技できるよう構成されている。これら４つの機種は、遊技に関する演出（遊技中に実行される演出だけでなく、遊技中以外（客待ち中等）に実行される演出も含む。）の演出態様が互いに異なる。
無論、遊技機１０に搭載されている機種（以下「搭載機種」という。）の機種数は４つに限ることはなく、複数であれば適宜変更可能である。
【０４２６】
遊技に関する演出は、演出制御装置３００によって制御される。具体的には、演出制御装置３００は、表示装置（表示装置４１、サブ表示装置４２等）や役物装置（盤演出装置４４等）や装飾装置（盤装飾装置４６、枠装飾装置１８等）やスピーカ装置（上スピーカ１９ａ、下スピーカ１９ｂ等）などの各種演出装置を用いて、遊技に関する演出を実行する。
表示装置を用いた演出（以下「表示装置演出」という。）の演出態様には、例えば、飾り特図変動表示ゲームの実行態様（変動パターン）や、演出表示（飾り特別図柄、飾り保留表示、キャラクタ画像、背景画像、客待ち画像等）の表示態様が含まれる。したがって、図８６（ａ）に示すように、「機種Ａ」と「機種Ｂ」と「機種Ｃ」と「機種Ｄ」とでは、飾り特図変動表示ゲームで用いる飾り特別図柄（識別情報）や、特図始動記憶の記憶数を報知する飾り保留表示（飾り特図始動記憶表示）の見た目が互いに異なっている。
また、役物装置を用いた演出（以下「役物装置演出」という。）の演出態様には、例えば、役物の動作態様が含まれる。
また、装飾装置を用いた演出（以下「装飾装置演出」という。）の演出態様には、例えば、ＬＥＤ等の発光態様が含まれる。
また、スピーカ装置を用いた演出（以下「スピーカ装置演出」という。）の演出態様には、例えば、ＢＧＭの種類等が含まれる。
【０４２７】
本実施形態においては、遊技機１０の発売初日から全搭載機種が遊技可能となるのではなく、時間の経過に伴って遊技可能な機種の数が増加するようになっている。これにより、時間の経過に伴って集客効果が薄れることを抑えるとともに、新たな集客手段を発生することが可能となる。
具体的には、図８６（ａ）に示すように、「機種Ａ」と「機種Ｂ」とは、遊技機１０の発売初日から解放されて遊技可能となり、「機種Ｃ」は、遊技機１０の発売日の１ヶ月後から解放されて遊技可能となり、「機種Ｄ」は、遊技機１０の発売日の２ヶ月後から解放されて遊技可能となる。演出制御装置３００は、解放されている搭載機種（以下「解放済み機種」という。）のうち一の機種を選択機種として設定し、常態では、その選択機種に対応する演出を実行するよう構成されている。
無論、各搭載機種の解放日時は、適宜変更可能である。
また、本実施形態では、図８６（ａ）に示すように、搭載機種の解放日時として、遊技機１０の発売日からの日数を指定したが、これに限ることはなく、遊技機１０の遊技店への導入日や遊技機１０のプレス発表日からの日数を指定しても良いし、記念日等の特定の日を指定しても良い。
【０４２８】
また、図８６（ｂ）に示すように、演出制御装置３００は、「機種Ａ」〜「機種Ｄ」のそれぞれに対応する演出の全部を実行可能である他に、「機種Ｅ」に対応する演出の一部を実行可能となっている。「機種Ｅ」は、発売予定の機種や、ユーザーからのリメイク要望のある人気機種などであり、本実施形態では、このような機種を限定的に体験させることができるようになっている。
無論、「機種Ｅ」のような対応する演出の一部のみを実行可能な機種（以下「未搭載機種」という。）の機種数は１つに限ることはなく、複数であっても良い。
【０４２９】
図７２に示すように、機種解放監視処理では、まず、ＲＴＣ３３８のエラー回数を０クリアする（ステップＣ３１）。
次いで、ＲＴＣ３３８から日時情報を読み込み（ステップＣ３２）、正常な日時情報を受信したかを判定する（ステップＣ３３）。具体的には、例えば、ステップＣ３２で読み込んだ日時情報と、バックアップメモリ内に既に記憶されている日時情報とを比較して、ステップＣ３２で読み込んだ日時情報の方が過去の日時を示すものである場合に、正常な日時情報を受信していないと判定する。また、ＲＴＣ３３８との通信エラーが生じた場合にも、正常な日時情報を受信していないと判定する。
【０４３０】
正常な日時情報を受信したと判定した場合（ステップＣ３３；Ｙ）には、ＲＴＣ３３８の電源電圧が正常であるかを判定する（ステップＣ３４）。
ＲＴＣ３３８の電源電圧が正常であると判定した場合（ステップＣ３４；Ｙ）には、ステップＣ３２で読み込んだ日時情報をバックアップメモリに書き込む（ステップＣ３５）。
次いで、「機種Ａ」及び「機種Ｂ」の解放フラグをセットし（ステップＣ３６）、デフォルト機種を「機種Ａ」に設定する（ステップＣ３７）。ここで、デフォルト機種とは、電源投入時に選択機種として設定される機種のことである。
次いで、デフォルト機種を「機種Ｂ」に設定する日時に到達したかを判定する（ステップＣ３８）。ここで、「機種Ａ」と「機種Ｂ」は、遊技機１０の発売初日から解放済み機種となるため（図８６（ａ）参照）、発売初日から、デフォルト機種を「機種Ａ」に設定することもできるし、「機種Ｂ」に設定することもできるが、本実施形態では、発売初日から所定期間（例えば、１５日間）は、デフォルト機種を「機種Ａ」に設定し、当該所定期間の経過後は、デフォルト機種を「機種Ｂ」に設定するよう構成されている。したがって、ステップＣ３８では、当該所定期間が経過していれば、デフォルト機種を「機種Ｂ」に設定する日時に到達したと判定する。
【０４３１】
デフォルト機種を「機種Ｂ」に設定する日時に到達したと判定した場合（ステップＣ３８；Ｙ）には、デフォルト機種を「機種Ａ」に替えて「機種Ｂ」に設定し（ステップＣ３９）、「機種Ｃ」の解放日時（本実施形態の場合、遊技機１０の発売から１ヶ月後（図８６（ａ）参照））に到達したかを判定する（ステップＣ４０）。
一方、デフォルト機種を「機種Ｂ」に設定する日時に到達していないと判定した場合（ステップＣ３８；Ｎ）には、ステップＣ３９の処理を行わずに、「機種Ｃ」の解放日時に到達したかを判定する（ステップＣ４０）。
【０４３２】
「機種Ｃ」の解放日時に到達したと判定した場合（ステップＣ４０；Ｙ）には、「機種Ｃ」の解放フラグをセットし（ステップＣ４１）、デフォルト機種を「機種Ｂ」に替えて「機種Ｃ」に設定して（ステップＣ４２）、「機種Ｄ」の解放日時（本実施形態の場合、遊技機１０の発売から２ヶ月後（図８６（ａ）参照））に到達したかを判定する（ステップＣ４３）。
一方、「機種Ｃ」の解放日時に到達していないと判定した場合（ステップＣ４０；Ｎ）には、ステップＣ４１及びステップＣ４２の処理を行わずに、「機種Ｄ」の解放日時に到達したかを判定する（ステップＣ４３）。
【０４３３】
「機種Ｄ」の解放日時に到達したと判定した場合（ステップＣ４３；Ｙ）には、「機種Ｄ」の解放フラグをセットし（ステップＣ４４）、デフォルト機種を「機種Ｃ」に替えて「機種Ｄ」に設定して（ステップＣ４５）、ステップＤ４６の処理に移行する。
一方、「機種Ｄ」の解放日時に到達していないと判定した場合（ステップＣ４３；Ｎ）には、ステップＣ４４及びステップＣ４５の処理を行わずに、ステップＣ４６の処理に移行する。
ステップＣ４６では、デフォルト機種の情報（デフォルト機種を識別する識別情報等）を選択機種情報領域にセーブして（ステップＣ４６）、機種解放監視処理を終了する。
このように、本実施形態では、新たに機種が解放されたことをホール店員や遊技者に報知するために、デフォルト機種を、解放された最新機種に設定するよう構成されている。
なお、演出制御装置３００は、遊技制御装置１００からのコマンドを受信しないと表示装置演出等の演出が行えないので、機種解放監視処理では、解放済み機種が判別可能となるように解放フラグをセットしたり、デフォルト機種が判別可能となるようにデフォルト機種の情報を設定したりするだけとする。
【０４３４】
また、正常な日時情報を受信していないと判定した場合（ステップＣ３３；Ｎ）、或いは、ＲＴＣ３３８の電源電圧が正常でないと判定した場合（ステップＣ３４；Ｎ）には、ＲＴＣ３３８のエラー回数を＋１更新して（ステップＣ４７）、エラー回数が所定値（例えば、５回）以上であるかを判定する（ステップＣ４８）。
エラー回数が所定値以上でないと判定した場合（ステップＣ４８；Ｎ）には、ステップＣ３２の処理に戻る。
一方、エラー回数が所定値以上であると判定した場合（ステップＣ４８；Ｙ）には、ＲＴＣエラーフラグをセットして（ステップＣ４９）、ＲＴＣ３３８にエラーが発生していることを直ちに報知するために、ＲＴＣエラー画面の描画設定を行う（ステップＣ５０）。これにより、表示装置４１等にＲＴＣエラー画面が表示される。
次いで、「機種Ａ」、「機種Ｂ」、「機種Ｃ」、及び「機種Ｄ」の解放フラグをセットし（ステップＣ５１）、デフォルト機種を「機種Ｄ」に設定して（ステップＤ５２）、機種解放監視処理を終了する。
なお、ステップＤ５２では、デフォルト機種を「機種Ｄ」に設定したが、これに限ることはなく、その他の搭載機種に設定することも可能である。
【０４３５】
このように、本実施形態の遊技機１０によれば、所定条件の成立に基づきゲームを実行し、当該ゲームの結果が所定結果となった場合に、遊技者に有利な特別遊技を実行可能な遊技機において、複数のコンテンツ（本実施形態の場合、機種）の中から何れか一つを設定するコンテンツ設定手段（演出制御装置３００）と、コンテンツ設定手段によって設定されているコンテンツ（選択機種）に対応する演出を実行する演出制御手段（演出制御装置３００）と、を備え、複数のコンテンツのそれぞれには、解放条件が設定されており（図８６（ａ）参照）、コンテンツ設定手段は、複数のコンテンツのうちの解放条件を満たしているコンテンツ（解放済み機種）の中から何れか一つを設定可能であり、電源投入時には、解放条件を満たしているコンテンツのうち、最後に解放条件を満たしたコンテンツを設定するよう構成されている。
【０４３６】
これにより、解放条件を満たしているコンテンツ（解放済み機種）の範囲内で設定するコンテンツ（選択機種）を切り替えて、当該コンテンツに対応する演出を行うことができる。さらに、遊技機１０の電源投入時には、前回のコンテンツ設定状態（すなわち、電源遮断時の選択機種）にかかわらず、最後に解放条件を満たしたコンテンツを設定して、当該コンテンツに対応する演出を行うことができる。したがって、他の遊技機とは差別化されたより一層の集客効果を得ることが可能な演出を実行することができる。
【０４３７】
なお、デフォルト機種に、解放されていない搭載機種（以下「未解放機種」という。）や未搭載機種を設定して、電源投入時（特に停電復旧時）に、未解放機種や未搭載機種で表示される所定の画面（客待ちデモ画面、変動画面、大当り中画面等）を、表示装置４１等に表示するよう構成することも可能である。すなわち、停電復旧時に、未解放機種や未搭載機種に対応する表示装置演出を実行するよう構成することも可能である。このように構成することによって、停電したことにより低下した興趣を再び高めることができる。
無論、停電復旧時に、未解放機種や未搭載機種に対応する表示装置演出を実行するだけでなく、未解放機種や未搭載機種に対応する役物装置演出、装飾装置演出、スピーカ装置演出等を実行することも可能である。
【０４３８】
〔ホール・遊技者設定モード処理〕
図７３には、上述のメイン処理におけるホール・遊技者設定モード処理（ステップＣ１１）を示した。このホール・遊技者設定モード処理では、まず、遊技店側で情報の設定を行う状態であるホール設定モード中であるかを判定する（ステップＣ５１）。なお、ホール設定モード中である場合はホール設定モード中フラグがセットされており、このフラグの有無によりホール設定モード中であるかが判定可能である。
ホール設定モード中であると判定した場合（ステップＣ５１；Ｙ）には、ステップＣ５６の処理に移行する。
一方、ホール設定モード中でないと判定した場合（ステップＣ５１；Ｎ）には、遊技者が情報を設定する状態である遊技者設定モード中であるかを判定する（ステップＣ５２）。なお、遊技者設定モード中である場合は遊技者設定モード中フラグがセットされており、このフラグの有無により遊技者設定モード中であるかが判定可能である。
【０４３９】
遊技者設定モード中であると判定した場合（ステップＣ５２；Ｙ）には、ステップＣ７０の処理に移行する。
一方、遊技者設定モード中でないと判定した場合（ステップＣ５２；Ｎ）には、ホール設定モードの開始条件が成立したかを判定する（ステップＣ５３）。ここでのホール設定モードの開始条件とは、例えば、客待ち状態中かつ前面枠１２が開放された状態にて演出操作部５５０が２回押下されることである。
ホール設定モードの開始条件が成立したと判定した場合（ステップＣ５３；Ｙ）には、ホール設定モードの画面描画開始を設定し（ステップＣ５４）、ホール設定モード中フラグをセットして（ステップＣ５５）、ステップＣ５６の処理に移行する。
【０４４０】
ステップＣ５６では、音量の変更可能範囲の設定を操作入力に基づき行うホール音量調整処理（ステップＣ５６）を行う。
次いで、ＬＥＤ輝度の変更可能範囲の設定を操作入力に基づき行うホールＬＥＤ輝度調整処理（ステップＣ５７）を行う。
これらの処理では上限値と下限値の両方を設定するようにしても良いし、一方のみ設定するようにしても良い。ここで設定した範囲内で遊技者が音量やＬＥＤの輝度を調整可能となる。
【０４４１】
次いで、液晶輝度の設定を操作入力に基づき行う液晶輝度調整処理（ステップＣ５８）、遊技が所定時間行われていない場合に省電力状態に移行するか否かの設定を操作入力に基づき行う省電力設定処理（ステップＣ５９）、枠突出部の外側等に設けられたロゴ等の枠装飾装置１８の表示色の設定を操作入力に基づき行うロゴカラー設定処理（ステップＣ６０）を行う。省電力設定処理（ステップＣ５９）では、遊技が所定時間行われていない場合に省電力設定を有効にするか否かの設定を行う。なお、省電力状態に移行するか否かだけではなく、省電力設定時の音量、ＬＥＤ輝度、液晶輝度をホール毎、遊技機毎に設定できるようにしても良い。また、上記の設定の他に、省電力中に可動役物を動作させるか否かの設定を可能としても良い。
次いで、これらの処理で設定した情報を確定する設定確定操作入力があったかを判定する（ステップＣ６１）。
【０４４２】
設定確定操作入力がないと判定した場合（ステップＣ６１；Ｎ）には、ホール・遊技者設定モード処理を終了する。
一方、設定確定操作入力があったと判定した場合（ステップＣ６１；Ｙ）には、工場出荷時設定での確定操作入力であったかを判定する（ステップＣ６２）。確定操作入力には、ステップＣ５６からＣ６０までの処理で設定した情報を確定する確定操作入力と、工場出荷時設定に戻すための確定操作入力とがあり、何れが行われたかを判定する。
【０４４３】
工場出荷時設定での確定操作入力でないと判定した場合（ステップＣ６２；Ｎ）、すなわち、ステップＣ５６からＣ６０までの処理で設定した情報を確定する確定操作入力であった場合には、ステップＣ５６からＣ６０までの処理で設定した情報を決定された情報として、決定されたホール設定データをバックアップＲＡＭに書き込む（ステップＣ６４）。
一方、工場出荷時設定での確定操作入力であると判定した場合（ステップＣ６２；Ｙ）には、工場出荷時設定処理（ステップＣ６３）を行って、ステップＣ５６からＣ６０までの処理で設定した情報を破棄して工場出荷時の初期値を決定された情報とし、決定されたホール設定データをバックアップＲＡＭに書き込む（ステップＣ６４）。これにより、ＰＲＯＭ３２１に記憶されている初期設定値（音量、ＬＥＤ輝度、液晶輝度などの設定値）がＦｅＲＡＭ３２３に記憶される。
次いで、ホール設定モードの画面描画の終了を設定し（ステップＣ６５）、ホール設定モード中フラグをクリアして（ステップＣ６６）、ホール・遊技者設定モード処理を終了する。
【０４４４】
また、ホール設定モードの開始条件が成立していないと判定した場合（ステップＣ５３；Ｎ）には、遊技者設定モードの開始条件が成立したかを判定する（ステップＣ６７）。ここでの遊技者設定モードの開始条件とは、例えば、特図変動表示ゲームや普図変動表示ゲームが実行されていない客待ち状態中に、演出操作部５５０が１回押下されることである。
遊技者設定モードの開始条件が成立していないと判定した場合（ステップＣ６７；Ｎ）には、ホール・遊技者設定モード処理を終了する。
一方、遊技者設定モードの開始条件が成立したと判定した場合（ステップＣ６７；Ｙ）には、遊技者設定モードの画面描画開始を設定して（ステップＣ６８）、遊技者設定モードフラグをセットする（ステップＣ６９）。
【０４４５】
次いで、ホール音量調整処理（ステップＣ５６）で設定された変更可能範囲内で操作入力に基づき音量を変更する遊技者音量調整処理（ステップＣ７０）、ホールＬＥＤ調整処理（ステップＣ５７）で設定された変更可能範囲内で操作入力に基づきＬＥＤの輝度を変更する遊技者ＬＥＤ輝度調整処理（ステップＣ７１）を行う。次いで、操作入力に基づき演出内容を変更する演出カスタマイズ処理（ステップＣ７２）を行う。その後、設定確定操作入力があるかを判定する（ステップＣ７３）。
設定確定操作入力がないと判定した場合（ステップＣ７３：Ｎ）には、ホール・遊技者設定モード処理を終了する。
【０４４６】
一方、設定確定操作入力があったと判定した場合（ステップＣ７３：Ｙ）には、ステップＣ７０やＣ７１やＣ７２の処理で設定された情報を遊技者設定データとしてＲＡＭ３２２に記憶した後、遊技者設定モードの画面描画の終了を設定し（ステップＣ７４）、遊技者設定モード中フラグをクリアして（ステップＣ７５）、ホール・遊技者設定モード処理を終了する。これにより遊技者が設定したＬＥＤの輝度や音量や演出内容に変更されることとなる。
【０４４７】
なお、ホール設定モード又は遊技者設定モードに入った後の操作入力に伴う描画更新設定は演出ボタン入力処理（ステップＣ１０）にて行う。
また、遊技者設定データは、消えても良いため、バックアップＲＡＭ（ＦｅＲＡＭ３２３）に書き込まず、ＲＡＭ３２２に記憶することとしたが、ＦｅＲＡＭ３２３に記憶するようにしても良い。
さらに、電源遮断時にＲＴＣ３３８から時刻を取得してＦｅＲＡＭ３２２に記憶しておき、電源投入時にＲＴＣ３３８から取得した時刻から電源遮断時間を算出し、この電源遮断時間に応じてＦｅＲＡＭ３２３に記憶した遊技者設定データにホール設定値データを記憶する否かを決定するようにしても良い。例えば、電源遮断時間が所定時間以内である場合には遊技者設定データにホール設定値データを記憶しないで元のまま維持するようにし、短時間の停電やエラーを復旧するための電源の遮断などでは遊技者設定データがリセットされないようにすることができる。
【０４４８】
〔受信コマンドチェック処理〕
図７４には、上述のメイン処理における受信コマンドチェック処理（ステップＣ１３）を示した。この受信コマンドチェック処理では、まず、１フレーム（１／３０秒間）の間に何個のコマンドを受信したかをカウントするコマンド受信カウンタの値をコマンド受信数としてロードし（ステップＣ１０１）、コマンド受信数が０でないか否かを判定する（ステップＣ１０２）。そして、コマンド受信数が０であると判定した場合（ステップＣ１０２；Ｎ）は、当該受信コマンドチェック処理を終了する。また、コマンド受信数が０でないと判定した場合（ステップＣ１０２；Ｙ）には、コマンド受信カウンタ領域の内容をコマンド受信数分減算する（ステップＣ１０３）。
【０４４９】
次いで、受信コマンドバッファの内容をコマンド領域にコピーして（ステップＣ１０４）、コマンド読出インデックスを０〜３１の範囲で＋１更新し（ステップＣ１０５）、コマンド受信数分のコマンドのコピーが完了したか否かを判定する（ステップＣ１０６）。このように、本実施形態では、受信コマンドバッファ内で直接コマンドの解析を行わず、受信コマンドバッファの内容をコマンド領域（解析用のＲＡＭ領域）にコピーし、コマンド領域でコマンドの解析作業を行うよう構成されている。これにより、コマンドの解析中に遊技制御装置１００からコマンドが送信されてくる場合に備えて、コマンド（データ）を移動して空きを作っておくことができる。また、コマンドの解析をメイン処理一巡単位でまとめて行うことができる。
【０４５０】
ステップＣ１０６で、コマンド受信数分のコマンドのコピーが完了していないと判定した場合（ステップＣ１０６；Ｎ）には、ステップＣ１０４の処理に戻る。また、コマンド受信数分のコマンドのコピーが完了したと判定した場合（ステップＣ１０６；Ｙ）には、コマンド領域の内容をロードして（ステップＣ１０７）、受信コマンド解析処理（ステップＣ１０８）を行う。
【０４５１】
次いで、コマンド領域のアドレスを更新し（ステップＣ１０９）、コマンド受信数分のコマンドの解析が完了したか否か判定する（ステップＣ１１０）。そして、コマンド受信数分のコマンドの解析が完了していないと判定した場合（ステップＣ１１０；Ｎ）には、ステップＣ１０７の処理に戻る。また、コマンド受信数分のコマンドの解析が完了したと判定した場合（ステップＣ１１０；Ｙ）には、当該受信コマンドチェック処理を終了する。このように、受信コマンドチェック処理では、１フレーム（１／３０秒間）の間に受信したコマンドをまとめて解析する。なお、本実施形態では、コマンドを３２個分まで保存できる構成としている。
【０４５２】
〔受信コマンド解析処理〕
図７５には、上述の受信コマンドチェック処理における受信コマンド解析処理（ステップＣ１０８）を示した。この受信コマンド解析処理では、まず、コマンド上位バイトをＭＯＤＥ、下位バイトをＡＣＴ（ＡＣＴＩＯＮ）として分離し（ステップＣ１１１）、ＭＯＤＥ及びＡＣＴは正常範囲であるか否かを判定する（ステップＣ１１２、ステップＣ１１３）。ＭＯＤＥ及びＡＣＴは正常範囲であると判定した場合（ステップＣ１１２；Ｙ、ステップＣ１１３；Ｙ）には、ＭＯＤＥに対するＡＣＴは正しい組合せであるか否かを判定する（ステップＣ１１４）。
【０４５３】
また、ステップＣ１１２、ステップＣ１１３で、ＭＯＤＥ又はＡＣＴは正常範囲でないと判定した場合（ステップＣ１１２；Ｎ、ステップＣ１１３；Ｎ）、あるいは、ステップＣ１１４で、ＭＯＤＥに対するＡＣＴは正しい組合せでないと判定した場合（ステップＣ１１４；Ｎ）には、受信コマンド解析処理を終了する。
【０４５４】
ステップＣ１１４で、ＭＯＤＥに対するＡＣＴは正しい組合せであると判定した場合（ステップＣ１１４；Ｙ）には、ＭＯＤＥは変動系コマンドの範囲であるか否かを判定する（ステップＣ１１５）。変動系コマンドは、特図の変動パターンを指令するコマンドである。そして、ＭＯＤＥは変動系コマンドの範囲であると判定した場合（ステップＣ１１５；Ｙ）には、変動系コマンド処理（ステップＣ１１６）を行って、受信コマンド解析処理を終了する。
【０４５５】
また、ステップＣ１１５で、ＭＯＤＥは変動系コマンドの範囲でないと判定した場合（ステップＣ１１５；Ｎ）には、ＭＯＤＥは大当り系コマンドの範囲であるか否かを判定する（ステップＣ１１７）。大当り系コマンドは、大当り中演出に関する動作（ファンファーレ画面やラウンド画面の表示など）を指令するコマンドである。そして、ＭＯＤＥは大当り系コマンドの範囲であると判定した場合（ステップＣ１１７；Ｙ）には、大当り系コマンド処理（ステップＣ１１８）を行って、受信コマンド解析処理を終了する。
【０４５６】
また、ステップＣ１１７で、ＭＯＤＥは大当り系コマンドの範囲でないと判定した場合（ステップＣ１１７；Ｎ）には、ＭＯＤＥは図柄系コマンドの範囲であるか否かを判定する（ステップＣ１１９）。図柄系コマンドは、特図の図柄に関する情報（例えば、特図の停止図柄を何にするかなど）を指令するコマンドである。そして、ＭＯＤＥは図柄系コマンドの範囲であると判定した場合（ステップＣ１１９；Ｙ）には、図柄系コマンド処理（ステップＣ１２０）を行って、受信コマンド解析処理を終了する。
【０４５７】
また、ステップＣ１１９で、ＭＯＤＥは図柄系コマンドの範囲でないと判定した場合（ステップＣ１１９；Ｎ）には、ＭＯＤＥは保留数コマンドやエラーコマンドなどの単発系コマンドの範囲であるか否かを判定する（ステップＣ１２１）。単発系コマンドは、図柄コマンドと変動系コマンドのように組合せで意味をなすコマンドと違い、単独で成立するコマンドである。この単発系コマンドには、客待ちデモコマンド、保留数コマンド、図柄停止コマンド、確率情報系コマンド、エラー／不正系コマンド、機種指定コマンドなどがある。そして、ＭＯＤＥは単発系コマンドの範囲であると判定した場合（ステップＣ１２１；Ｙ）には、単発系コマンド処理（ステップＣ１２２）を行って、受信コマンド解析処理を終了する。
【０４５８】
また、ステップＣ１２１で、ＭＯＤＥは単発系コマンドの範囲でないと判定した場合（ステップＣ１２１；Ｎ）には、ＭＯＤＥは先読み図柄系コマンドの範囲であるか否かを判定する（ステップＣ１２３）。そして、ＭＯＤＥは先読み図柄系コマンドの範囲であると判定した場合（ステップＣ１２３；Ｙ）には、先読み図柄系コマンド処理（ステップＣ１２４）を行って、受信コマンド解析処理を終了する。
【０４５９】
また、ステップＣ１２３で、ＭＯＤＥは先読み図柄系コマンドの範囲でないと判定した場合（ステップＣ１２３；Ｎ）には、ＭＯＤＥは先読み変動系コマンドの範囲であるか否かを判定する（ステップＣ１２５）。そして、ＭＯＤＥは先読み変動系コマンドの範囲であると判定した場合（ステップＣ１２５；Ｙ）には、先読み変動系コマンド処理（ステップＣ１２６）を行って、受信コマンド解析処理を終了する。また、ステップＣ１２５で、ＭＯＤＥは先読み変動系コマンドの範囲でないと判定した場合（ステップＣ１２５；Ｎ）には、受信コマンド解析処理を終了する。
【０４６０】
〔単発系コマンド処理〕
図７６には、上述の受信コマンド解析処理における単発系コマンド処理（ステップＣ１２２）を示した。この単発系コマンド処理では、まず、ＭＯＤＥは機種を指定するものであるかを判定する（ステップＣ１３１）。
ステップＣ１３１で、ＭＯＤＥは機種を指定するものであると判定した場合（ステップＣ１３１；Ｙ）には、機種を設定するための機種設定処理（ステップＣ１３２）を行って、単発系コマンド処理を終了する。
一方、ステップＣ１３１で、ＭＯＤＥは機種を指定するものでないと判定した場合（ステップＣ１３１；Ｎ）には、ＭＯＤＥはＲＡＭ初期化を指令するものであるかを判定する（ステップＣ１３３）。
【０４６１】
ステップＣ１３３で、ＭＯＤＥはＲＡＭ初期化を指令するものであると判定した場合（ステップＣ１３３；Ｙ）には、遊技制御装置１００でのＲＡＭ初期化を伴う電源投入に対応した処理を実行するＲＡＭ初期化設定処理（ステップＣ１３４）を行い、客待ちデモコマンド受信フラグをセットし（ステップＣ１３５）、役物位置確認処理（ステップＣ１３６）を行って、単発系コマンド処理を終了する。
一方、ステップＣ１３３で、ＭＯＤＥはＲＡＭ初期化を指令するものでないと判定した場合（ステップＣ１３３；Ｎ）には、ＭＯＤＥは停電復旧を指令するものであるかを判定する（ステップＣ１３７）。
ステップＣ１３７で、ＭＯＤＥは停電復旧を指令するものであると判定した場合（ステップＣ１３７；Ｙ）には、停電復旧に関する処理を実行する停電復旧設定処理（ステップＣ１３８）を行って、単発系コマンド処理を終了する。
一方、ステップＣ１３７で、ＭＯＤＥは停電復旧を指令するものでないと判定した場合（ステップＣ１３７；Ｎ）には、ＭＯＤＥは客待ちデモを指令するものであるかを判定する（ステップＣ１３９）。
【０４６２】
ステップＣ１３９で、ＭＯＤＥは客待ちデモを指令するものであると判定した場合（ステップＣ１３９；Ｙ）には、正常な客待ちデモコマンドであるかを判定する（ステップＣ１４０）。そして、正常な客待ちデモコマンドでないと判定した場合（ステップＣ１４０；Ｎ）は、単発系コマンド処理を終了する。また、正常な客待ちデモコマンドであると判定した場合（ステップＣ１４０；Ｙ）は、客待ちデモコマンド受信フラグをセットし（ステップＣ１４１）、役物位置確認処理（ステップＣ１４２）を行って、単発系コマンド処理を終了する。役物位置確認処理（ステップＣ１３６，Ｃ１４２）では、役物が通常位置にあるか否か確認し、通常位置にない場合に、役物の位置を通常位置に戻すための設定を行う。
一方、ステップＣ１３９で、ＭＯＤＥは客待ちデモを指令するものでないと判定した場合（ステップＣ１３９；Ｎ）には、ＭＯＤＥは特図１保留系の範囲であるかを判定する（ステップＣ１４３）。
ステップＣ１４３で、ＭＯＤＥは特図１保留系の範囲であると判定した場合（ステップＣ１４３；Ｙ）には、特図１の保留に関する情報の記憶などを実行する特図１保留情報設定処理（ステップＣ１４４）を行って、単発系コマンド処理を終了する。
一方、ステップＣ１４３で、ＭＯＤＥは特図１保留系の範囲でないと判定した場合（ステップＣ１４３；Ｎ）には、ＭＯＤＥは特図２保留系の範囲であるかを判定する（ステップＣ１４５）。
【０４６３】
ステップＣ１４５で、ＭＯＤＥは特図２保留系の範囲であると判定した場合（ステップＣ１４５；Ｙ）には、特図２の保留に関する情報の記憶などを実行する特図２保留情報設定処理（ステップＣ１４６）を行って、単発系コマンド処理を終了する。
一方、ステップＣ１４５で、ＭＯＤＥは特図２保留系の範囲でないと判定した場合（ステップＣ１４５；Ｎ）には、ＭＯＤＥは確率情報系の範囲であるかを判定する（ステップＣ１４７）。
ステップＣ１４７で、ＭＯＤＥは確率情報系の範囲であると判定した場合（ステップＣ１４７；Ｙ）には、現在の確率状態に対応した演出の設定などの処理などを実行する確率情報設定処理（ステップＣ１４８）を行って、単発系コマンド処理を終了する。
一方、ステップＣ１４７で、ＭＯＤＥは確率情報系の範囲でないと判定した場合（ステップＣ１４７；Ｎ）には、ＭＯＤＥはエラー／不正系の範囲であるかを判定する（ステップＣ１４９）。
【０４６４】
ステップＣ１４９で、ＭＯＤＥはエラー／不正系の範囲であると判定した場合（ステップＣ１４９；Ｙ）には、エラー報知などの処理などを実行するエラー／不正設定処理（ステップＣ１５０）を行って、単発系コマンド処理を終了する。
一方、ステップＣ１４９で、ＭＯＤＥはエラー／不正系の範囲でないと判定した場合（ステップＣ１４９；Ｎ）には、ＭＯＤＥは図柄停止を指令するものであるかを判定する（ステップＣ１５１）。
ステップＣ１５１で、ＭＯＤＥは図柄停止を指令するものでないと判定した場合（ステップＣ１５１；Ｎ）には、単発系コマンド処理を終了する。
一方、ステップＣ１５１で、ＭＯＤＥは図柄停止を指令するものであると判定した場合（ステップＣ１５１；Ｙ）には、正常な図柄停止コマンドであるかを判定する（ステップＣ１５２）。
ステップＣ１５２で、正常な図柄停止コマンドでないと判定した場合（ステップＣ１５２；Ｎ）には、単発系コマンド処理を終了する。なお、図柄停止コマンドは、特図１と特図２とで分かれている。
一方、ステップＣ１５２で、正常な図柄停止コマンドであると判定した場合（ステップＣ１５２；Ｙ）には、対応する特図の停止設定を行い（ステップＣ１５３）、全図柄が停止したなら遊技状態フラグを通常状態に設定して（ステップＣ１５４）、単発系コマンド処理を終了する。遊技状態フラグは現在の遊技状態を示すフラグであり、遊技状態フラグには、通常状態の他に、変動中や大当り中などの状態を示すフラグがあり、状況に応じて適切なフラグが設定される。
【０４６５】
〔図柄系コマンド処理〕
図７７には、上述の受信コマンド解析処理における図柄系コマンド処理（ステップＣ１２０）を示した。この図柄系コマンド処理では、まず、ＭＯＤＥに対応する特図種別（特図１か特図２の何れか）を設定し（ステップＣ１６１）、ＭＯＤＥとＡＣＴの組み合わせに対応する図柄種別を設定してセーブし（ステップＣ１６２）、図柄系コマンド処理を終了する。
【０４６６】
図柄種別とは図柄のカテゴリを意味し、図柄種別には、はずれ図柄、１６Ｒ確変大当り図柄、６Ｒ確変大当り図柄、６Ｒ通常大当り図柄等の図柄のカテゴリであり、ＡＣＴのデータと対応付けられている。特図１と特図２で図柄の割合が変わるので（確変割合は同じ）、ＭＯＤＥ毎にこの図柄種別設定テーブルを分けて設けており、複数ある図柄種別設定テーブルからＭＯＤＥのデータに対応するものを選択し、さらに当該テーブルを参照してＡＣＴに対応する図柄種別を設定する。
【０４６７】
〔変動系コマンド処理〕
図７８には、上述の受信コマンド解析処理における変動系コマンド処理（ステップＣ１１６）を示した。この変動系コマンド処理では、まず、特図種別が未確定であるかを判定する（ステップＣ１７１）。特図種別とは、特図の種別が特図１か特図２かを示す情報であり、上述の図柄系コマンド処理のステップＣ１６１で設定される情報である。
【０４６８】
ステップＣ１７１で、特図種別が未確定であると判定した場合（ステップＣ１７１；Ｙ）には、変動系コマンド処理を終了する。また、特図種別が未確定でないと判定した場合（ステップＣ１７１；Ｎ）、すなわち特図種別が設定されていない場合には、変動コマンドと図柄コマンドの組み合わせをチェックして（ステップＣ１７２）、変動コマンドと図柄種別が不整合であるかを判定する（ステップＣ１７３）。変動コマンドと図柄種別が不整合である場合とは、はずれの変動コマンド（変動パターンコマンド）を受信したのに、１６Ｒ確変大当り図柄の図柄コマンドを受信していた時のような、演出を行う上で矛盾してしまう組み合わせ（変動コマンドと図柄種別の組み合わせ）であることを意味する。
【０４６９】
ステップＣ１７３で、変動コマンドと図柄種別が不整合であると判定した場合（ステップＣ１７３；Ｙ）には、変動系コマンド処理を終了する。また、変動コマンドと図柄種別が不整合でないと判定した場合（ステップＣ１７３；Ｎ）には、変動コマンドから変動パターン種別を判別して（ステップＣ１７４）、変動コマンドに応じた演出を行うための情報を設定する変動演出設定処理を行う（ステップＣ１７５）。ステップＣ１７４では、受信したコマンドに応じて、特図の変動表示演出の大まかな分類である変動パターン種別を判別する。
【０４７０】
次に、Ｐ機状態（パチンコ機の状態）として特図変動中を設定する（ステップＣ１７６）。ここで、特図変動中とは、特図の変動中（客待ちデモ中や大当り中、或いはファンファーレ中等でないこと）を表している。さらに、先読み演出回数（先読み実行回数）がゼロでなければ先読み演出回数を−１更新し（ステップＣ１７７）、特図変動回数を＋１更新して（ステップＣ１７８）、変動系コマンド処理を終了する。
【０４７１】
〔変動演出設定処理〕
図７９及び図８０には、上述の変動系コマンド処理における変動演出設定処理（ステップＣ１７５）を示した。
ここで、本実施形態の遊技機１０において、演出制御装置３００は、リーチ変動演出の一つとして、画面分割リーチ変動演出を実行可能である。
図８７は、４つの搭載機種の全てが解放済みである場合に実行される画面分割リーチ変動演出時の表示の一例を示す図である。
演出制御装置３００は、今回実行する変動演出が画面分割リーチ変動演出である場合には、当該変動演出の開始時等に表示装置４１の表示領域を複数のエリアに分割して、各エリアで解放済み機種に対応するリーチ変動演出を実行する。
本実施形態の場合、演出制御装置３００は、表示装置４１の表示領域を４つのエリアに分割する。そして、４つの搭載機種の全てが解放済みである場合には、表示装置演出として、左上のエリアで「機種Ａ」に対応するリーチ変動演出を実行し、右上のエリアで「機種Ｂ」に対応するリーチ変動演出を実行し、左下のエリアで「機種Ｃ」に対応するリーチ変動演出を実行し、右下のエリアで「機種Ｄ」に対応するリーチ変動演出を実行する。
【０４７２】
図８８に示すように、本実施形態の場合、リーチ変動演出の演出時間（演出開始から演出終了までの時間）については、４つの搭載機種の全てで同一となるよう設定されている。一方、リーチ変動演出中に所定の状態が発生するタイミング（左、中、右の各飾り特別図柄が停止するタイミングや、リーチ演出が開始する（リーチ状態が発生する）タイミング）については、他の搭載機種と異なるよう設定されている機種もあるし、他の搭載機種と同一となるよう設定されている機種もある。したがって、画面分割リーチ変動演出において、解放済み機種のそれぞれに対応するリーチ変動演出を一斉に開始することによって、機種毎のタイミングの違いを遊技者に楽しませることができる。
なお、搭載機器のそれぞれに対応するリーチ変動演出の演出時間は同一となるよう設定されていなくても良い。例えば、画面分割リーチ変動演出中に実行される各リーチ変動演出の演出時間が異なる場合、各リーチ変動演出を一斉に開始すると終了タイミングが異なってしまう。その場合には、例えば、演出時間が最も長いリーチ変動演出と終了タイミングが一致するように、当該リーチ変動演出よりも演出時間が短いリーチ変動演出の途中で所定の演出（例えば、揺れ変動演出）を行って、各リーチ変動演出の終了タイミングが一致するように調整することも可能である。
【０４７３】
また、図８７に示す例では、各エリアの左上部に、当該エリアに対応する機種の機種名が表示されているが、機種名を隠したい場合には、機種名に替えて「？？？」等を表示しても良い。
また、画面分割リーチ変動演出中に実行される各リーチ変動演出は、期待度（期待値）が同一であっても良いし、異なっていても良い。
また、画面分割リーチ変動演出中は、役物装置演出や装飾装置演出やスピーカ装置演出として、選択機種に対応する演出を実行するのが基本であるが、表示装置演出として期待度が異なるリーチ変動演出を実行している場合には、期待度が最も高いリーチ変動演出を実行している機種に対応する演出（役物装置演出や装飾装置演出やスピーカ装置演出）を実行しても良い。
【０４７４】
そして、演出制御装置３００は、結果がはずれとなる場合には、解放済み機種（具体的には、解放済み機種に対応するエリア）の全てにおいてはずれ結果を導出する。
一方、結果が大当りとなる場合には、大当り機種抽選を行って、解放済み機種の中から大当り結果が導出される機種を選び、選ばれた機種（具体的には、選ばれた機種に対応するエリア）において大当り結果（特別結果）を導出する。大当り機種抽選では、一の機種のみが選択されるようにしても良いし、複数の機種を選択可能としても良い。また、画面分割リーチ変動演出が終了すると、当該画面分割リーチ変動演出を開始する前の状態（すなわち、選択機種に対応する演出を実行する状態）に戻るのが基本であるが、大当り機種抽選で選ばれた機種が選択機種と異なる場合には、画面分割リーチ変動演出が終了すると、大当り機種抽選で選ばれた機種に対応する大当り中演出を実行して、特別遊技状態の終了後に、画面分割リーチ変動演出を開始する前の状態に戻るようにしても良い。
【０４７５】
なお、大当り機種抽選を行わずに、解放済み機種の全てにおいて大当り結果を導出するようにしても良い。
また、大当り機種抽選は、搭載機種（未解放機種を含む）の中から大当り結果が導出される機種を選ぶものであっても良く、当該大当り機種抽選で未解放機種が選ばれた場合には、当該未解放機種に対応する大当り中演出を実行しても良い。また、大当り機種抽選は、搭載機種及び未搭載機種の中から大当り結果が導出される機種を選ぶものであっても良く、当該大当り機種抽選で未搭載機種が選ばれた場合には、当該未搭載機種に対応する大当り中演出を実行しても良い。未解放機種や未搭載機種に対応する大当り中演出を実行する場合、例えば、当該大当り中演出の一部のみを実行すると、当該大当り中演出の全部を見たいと遊技者に思わせることができるため、未解放機種や未搭載機種に対して興味を抱かせることができ、未解放機種や未搭載機種での遊技意欲を高めることが可能となる。
また、本実施形態では、対象となる一の特図変動表示ゲーム（画面分割リーチ変動演出を伴う特図変動表示ゲーム）中に、画面分割リーチ変動演出を実行する（画面分割リーチ変動演出が開始して終了する）よう構成したが、これに限ることはなく、対象となる一の特図変動表示ゲームを含む所定期間に亘って画面分割リーチ変動演出を実行しても良いし、対象となる一の特図変動表示ゲームを含む複数の特図変動表示ゲームに亘って画面分割リーチ変動演出を実行しても良い。
【０４７６】
さらに、本実施形態の場合、図８７に示すように、画面分割リーチ変動演出中は、２つのサブ表示装置４２のうちの一方が、表示装置４１の上方に配置され、他方が、表示装置４１の右方に配置されるようになっている。
図８７に示す例では、上側のサブ表示装置４２の表示領域の左上部のうち、上段には特図１保留数を示す数字が表示され、下段には特図２保留数を示す数字が表示されている。また、上側のサブ表示装置４２の表示領域の右下部には、特図１変動表示ゲームや特図２変動表示ゲームに対応した飾り特図変動表示ゲームが表示されている。なお、特図１保留数を示す数字、特図２保留数を示す数字、及び飾り特図変動表示ゲームは、常時、上側のサブ表示装置４２に表示されていても良いし、画面分割リーチ変動演出の開始時に表示装置４１から上側のサブ表示装置４２に移動して、当該画面分割リーチ変動演出の終了時に上側のサブ表示装置４２から表示装置４１に戻っても良い。
【０４７７】
また、図８７に示す例では、右側のサブ表示装置４２に、選択機種の機種名（ここでは「機種Ａ」）、キャラクタ画像やその名前（ここでは「虎たろう」）やそのレベル（ここでは「Ｌｖ．６３４」）、搭載機器毎の所有ポイント数（後述）等の情報が表示されている。
右側のサブ表示装置４２には、これらの情報を、常時表示しても良いし、遊技者が確認したいときだけ（すなわち、情報を表示するよう指示する操作入力を受け付けたときだけ）表示しても良い。無論、右側のサブ表示装置４２を用いて演出を行う際には、これらの情報を消しても良い。
なお、図８９〜図１０４（図９８は除く）では、便宜上、図８７では記載した表示や表示装置のうち、説明に不要な表示や表示装置は省略する。
【０４７８】
図７９及び図８０に示すように、変動演出設定処理では、まず、変動パターン種別がリーチなし変動であるかを判定する（ステップＣ１８１）。変動パターン種別がリーチなし変動である場合（ステップＣ１８１；Ｙ）は、機種コード、特図種別、演出モード、キャラクタレベル、及び演出カスタマイズ情報に対応するリーチ前予告振分グループアドレステーブルを設定する（ステップＣ１８２）。なお、リーチなし変動であるので図柄種別は必ずはずれ図柄であり、ここでは図柄種別を特に参照しなくてもよい。また、演出モードは、演出制御装置３００が管理する遊技モードに相当し、機種によって当然異なるが、ここでは通常モード、確変モード、時短モード及び潜伏モードなどがある。さらに、各モード内に予告演出の振り分け率や表示装置４１における飾り特図変動表示ゲームの演出態様を異ならせた複数のモードを設けている。
【０４７９】
次に、リーチ前予告振分グループアドレステーブルを参照して、ＭＯＤＥ、特図種別の保留数に対応するリーチ前予告振分グループテーブルのアドレスを取得する（ステップＣ１８３）。これにより、リーチなし変動の場合には、各変動中に出現する予告演出の抽選内容（具体的には各予告演出態様の出現率）を保留数に応じて変化させることが可能となる。その後、リーチ前予告振分グループテーブルを使ってリーチ前変動中に出現する予告の抽選を行う（ステップＣ１８６）。
【０４８０】
一方、変動パターン種別がリーチなし変動でない場合（ステップＣ１８１；Ｎ）は、機種コード、特図種別、演出モード、キャラクタレベル、演出カスタマイズ情報、及び図柄種別に対応するリーチ前予告振分グループアドレステーブルを設定する（ステップＣ１８４）。そして、リーチ前予告振分グループアドレステーブルを参照して、ＭＯＤＥ、変動パターン種別に対応するリーチ前予告振分グループテーブルのアドレスを取得し（ステップＣ１８５）、リーチ前予告振分グループテーブルを使ってリーチ前変動中に出現する予告の抽選を行う（ステップＣ１８６）。
【０４８１】
次に、ステップＣ１８７からステップＣ１８９によりリーチ中変動の予告演出を抽選する。ここで、「リーチ中変動」とは、リーチ状態となった後（リーチ状態となっている最中）に実行される特図変動表示ゲームのこと、すなわち、いわゆるリーチアクション（例えば、特図の複数列の表示領域のうち特定領域を除く表示領域が大当りとなる特別結果態様（特別な図柄の組合せ）で変動表示が停止していて、特定領域のみで変動表示している状態）の変動表示のことである。一方、「リーチ前変動」とは、リーチ状態となる前に実行される特図変動表示ゲームのこと、すなわち、リーチアクション開始前までの変動表示のことである。
【０４８２】
まず、機種コード、特図種別、演出モード、キャラクタレベル、演出カスタマイズ情報、及び図柄種別に対応するリーチ中予告振分グループアドレステーブルを設定する（ステップＣ１８７）。リーチ中予告振分グループアドレステーブルは、リーチ中予告振分グループテーブルのアドレスを選択するためのテーブルである。そして、リーチ中予告振分グループアドレステーブルを参照してＡＣＴに対応するリーチ中予告振分グループテーブルのアドレスを取得し（ステップＣ１８８）、リーチ中予告振分グループテーブルを使ってリーチ中に出現する予告の抽選を行う（ステップＣ１８９）。リーチなし変動の場合には、ステップＣ１８９での抽選の結果は、何も出現しない結果となる。
【０４８３】
次いで、演出モードに対応する基本ＢＧＭ（具体的には、基本ＢＧＭの音声番号）や装飾番号を設定して（ステップＣ１９０）、今回実行する変動演出は画面分割リーチ変動演出であるかを判定する（ステップＣ１９１）。
今回実行する変動演出は画面分割リーチ変動演出でないと判定した場合（ステップＣ１９１；Ｎ）には、今回実行する変動演出（画面分割リーチ変動演出以外のリーチ変動演出等の他の変動演出）に関する設定を行って、ステップＣ２０６の処理に移行する。
一方、今回実行する変動演出は画面分割リーチ変動演出であると判定した場合（ステップＣ１９１；Ｙ）には、「機種Ａ」〜「機種Ｄ」の全搭載機種が解放されているかを判定する（ステップＣ１９２）。
全搭載機種が解放されていないと判定した場合（ステップＣ１９２；Ｎ）には、「機種Ｃ」が解放されているかを判定する（ステップＣ１９３）。
【０４８４】
「機種Ｃ」が解放されていると判定した場合（ステップＣ１９３；Ｙ）には、「機種Ｄ」が解放されているかを判定する（ステップＣ１９６）。
一方、「機種Ｃ」が解放されていないと判定した場合（ステップＣ１９３；Ｎ）には、「機種Ｃ」に対応するエリア（本実施形態の場合、左下のエリア）に表示する演出表示を決定するための抽選を行う（ステップＣ１９４）。具体的には、ステップＣ１９４では、「機種Ｃ」に対応するエリアに表示する演出表示として、無地（ブランク）画面、「機種Ｃ」に対応するリーチ変動演出が曖昧に表示される機種Ｃ曖昧画面、及び未搭載機種に対応するリーチ変動演出が表示される未搭載機種画面のうちから何れか一つが決定される。
次いで、リーチ時（リーチ中）にステップＣ１９４での抽選の結果に対応する表示を行うための設定を行って（ステップＣ１９５）、「機種Ｄ」が解放されているかを判定する（ステップＣ１９６）。
【０４８５】
「機種Ｄ」が解放されていると判定した場合（ステップＣ１９６；Ｙ）には、リーチ時（リーチ中）に解放済み機種の表示を行うための設定を行って（ステップＣ１９９）、特図種別が特図１変動であるかを判定する（ステップＣ２０６）。
一方、「機種Ｄ」が解放されていないと判定した場合（ステップＣ１９６；Ｎ）には、「機種Ｄ」に対応するエリア（本実施形態の場合、右下のエリア）に表示する演出表示を決定するための抽選を行う（ステップＣ１９７）。具体的には、ステップＣ１９７では、「機種Ｄ」に対応するエリアに表示する演出表示として、無地（ブランク）画面、「機種Ｄ」に対応するリーチ変動演出が曖昧に表示される機種Ｄ曖昧画面、及び未搭載機種に対応するリーチ変動演出が表示される未搭載機種画面のうちから何れか一つが決定される。
次いで、リーチ時（リーチ中）にステップＣ１９７での抽選の結果に対応する表示を行うための設定を行い（ステップＣ１９８）、リーチ時（リーチ中）に解放済み機種の表示を行うための設定を行って（ステップＣ１９９）、特図種別が特図１変動であるか判定する（ステップＣ２０６）。
【０４８６】
また、全搭載機種が解放されていると判定した場合（ステップＣ１９２；Ｙ）には、今回実行する変動演出が大当りリーチ変動演出であるか判定する（ステップＣ２００）。
今回実行する変動演出が大当りリーチ変動演出でないと判定した場合（ステップＣ２００；Ｎ）、すなわち今回実行する変動演出がはずれリーチ変動演出である場合には、リーチ時（リーチ中）に「機種Ａ」〜「機種Ｄ」の表示を行うための設定を行って（ステップＣ２０５）、特図種別が特図１変動であるか判定する（ステップＣ２０６）。
一方、今回実行する変動演出が大当りリーチ変動演出であると判定した場合（ステップＣ２００；Ｙ）には、未搭載機種画面を表示するか否かを決定するための抽選を行う（ステップＣ２０１）。
【０４８７】
ステップＣ２０１で、未搭載機種画面を表示しないことが決定された場合（ステップＣ２０２；Ｎ）には、リーチ時（リーチ中）に「機種Ａ」〜「機種Ｄ」の表示を行うための設定を行って（ステップＣ２０５）、特図種別が特図１変動であるか判定する（ステップＣ２０６）。
一方、ステップＣ２０１で、未搭載機種画面を表示することが決定された場合（ステップＣ２０２；Ｙ）には、未搭載機種画面をどのエリアに表示するかを決定するための抽選を行う（ステップＣ２０３）。具体的には、ステップＣ２０３では、未搭載機種画面を表示するエリアとして、「機種Ａ」に対応するエリア、「機種Ｂ」に対応するエリア、「機種Ｃ」に対応するエリア、「機種Ｄ」に対応するエリア、及びその他のエリアＲ１のうちから何れか一つ又は複数が決定される。
次いで、リーチ時（リーチ中）にステップＣ２０３での抽選の結果に対応する表示を行うための設定を行って（ステップＣ２０４）、特図種別が特図１変動であるか判定する（ステップＣ２０６）。
【０４８８】
特図種別が特図１変動であると判定した場合（ステップＣ２０６；Ｙ）には、特図１変動に対応する第四図柄変動を開始するための設定を行って（ステップＣ２０７）、変動演出設定処理を終了する。
一方、特図種別が特図１変動でないと判定した場合（ステップＣ２０６；Ｎ）、すなわち特図種別が特図２変動である場合には、特図２変動に対応する第四図柄変動を開始するための設定を行って（ステップＣ２０８）、変動演出設定処理を終了する。
ここで、本実施形態では、表示装置４１で表示する飾り特図変動表示ゲームとは別に飾り特図変動表示ゲームを実行する第四図柄の表示や、始動記憶数の表示を行うよう構成されており、ステップＣ２０７やステップＣ２０８では、表示装置４１の画面上で第四図柄を表示している場合には、表示装置４１での表示の設定を行い、サブ表示装置４２の画面上で第四図柄を表示している場合には、サブ表示装置４２での表示の設定を行い、ＬＥＤで第四図柄を表示している場合には、ＬＥＤでの表示の設定を行う。
【０４８９】
図８９（ａ）に、ステップＣ１９４で「機種Ｃ」に対応するエリアに無地画面を表示することが決定され、ステップＣ１９７で「機種Ｄ」に対応するエリアに無地画面を表示することが決定された場合の表示の一例を示す。この場合、無地画面が表示されているエリアの数によって未解放機種の数を示唆することができるので、遊技者は、事前に搭載機種の数を知らない場合であっても、当該示唆によって搭載機種の数を把握することができる。なお、無地画面の色は、白に限定されるものではなく、適宜変更可能である。
また、図８９（ｂ）に、ステップＣ１９３で「機種Ｃ」が解放されていると判定され、ステップＣ１９７で「機種Ｄ」に対応するエリアに未搭載機種画面を表示することが決定された場合の表示の一例を示す。この場合、遊技者は、未解放機種に対応するエリアで、未搭載機種を体験することができる。
【０４９０】
また、図９０（ａ）〜（ｃ）に、ステップＣ１９３で「機種Ｃ」が解放されていると判定され、ステップＣ１９７で「機種Ｄ」に対応するエリアに機種Ｄ曖昧画面を表示することが決定された場合の表示の一例を示す。
具体的には、機種Ｄ曖昧画面は、「機種Ｄ」に対応するリーチ変動演出用の映像全体にモザイクがかかった画面である。なお、図９０（ａ）〜（ｃ）に示す例では、曖昧画面として、ゲームの進行に伴ってモザイク度合いが弱まっていく画面（得られる情報量が徐々に多くなっていく画面）を示しているが、これに限定されず、曖昧画面は、ゲームの進行にかかわらずモザイク度合いが一定の画面（得られる情報量が一定の画面）であっても良い。
曖昧画面には、現時点では遊技できない未解放機種に関する映像が表示されるため、当該映像は最後まで曖昧に表示することとする。これにより、明確に表示された当該映像を見たいと遊技者に思わせることができるため、未解放機種に対して興味を抱かせることができ、未解放機種での遊技意欲を高めることができるとともに、未解放機種を当てる、未解放機種を想像して楽しむ等の新たな興趣を遊技者に提供することできる。また、曖昧画面においては、背景画像を表示して当該背景画像も含めてモザイクをかけても良いし、背景画像を表示しない（背景を無地にする）ようにしても良いが、画面全体の雰囲気で表示されている映像の内容が早期にバレてしまうことを防止するために、背景画像は表示しないことが好ましい。
【０４９１】
なお、曖昧画面は、未解放機種に関する映像全体にモザイクがかかった画面に限定されるものではなく、当該映像が曖昧に（当該映像から得られる情報量が制限された状態で）表示される画面であれば適宜変更可能であり、例えば、未解放機種に関する映像の一部にモザイクがかかった画面であっても良いし、未解放機種に関する映像の少なくとも一部が塗りつぶされた画面であっても良いし、未解放機種に関する映像がフェードインする画面であっても良い。また、曖昧画面においては、未解放機種に関する映像中に出現する演出表示（飾り特別図柄、飾り保留表示、キャラクタ画像、背景画像等）の全部が表示されなくても良い。
曖昧画面として、未解放機種に関する映像の一部にモザイクがかかった画面を表示する場合も、ゲームの進行に伴ってモザイク度合いが弱まっていく画面（得られる情報量が徐々に多くなっていく画面）が表示されても良いし、ゲームの進行にかかわらずモザイク度合いが一定の画面（得られる情報量が一定の画面）が表示されても良い。
【０４９２】
未解放機種に関する映像の少なくとも一部が塗りつぶされた画面とは、例えば、当該映像中に出現する演出表示を少なくとも含む領域が、背景色とは異なる色で塗りつぶされた画面である。曖昧画面として当該画面を表示する場合、ゲームの進行に伴って塗りつぶされている領域の形状が変化していく画面が表示されても良いし、ゲームの進行にかかわらず塗りつぶされている領域の形状が一定の画面（得られる情報量が一定の画面）が表示されても良い。
ゲームの進行に伴って塗りつぶす領域の形状が変化していく画面を表示する場合、当該画面から得られる情報量が徐々に多くなっていくことが好ましく、例えば、塗りつぶす領域の形状を、当該形状が対象の演出表示のシルエットに徐々に近づくように変化させても良いし、塗りつぶす領域の形状を小さくしていき、対象の演出表示が徐々に視認可能となる（対象の演出表示のうち塗りつぶされる部分が徐々に小さくなる）ようにしても良い。
また、機種Ｃ曖昧画面を「機種Ｃ」に対応するエリアに表示し、機種Ｄ曖昧画面を「機種Ｄ」に対応するエリアに表示することとしたが、これに限ることはなく、曖昧画面の表示位置やサイズは適宜変更可能である。
【０４９３】
また、図８９（ｃ）に、ステップＣ２０３で、未搭載機種画面をその他のエリアＲ１に表示することが決定された場合の表示の一例を示す。
なお、図８９（ｃ）に示す例では、その他のエリアＲ１として搭載機種（「機種Ａ」〜「機種Ｄ」）に対応する各エリアと同サイズのエリアを表示しているが、その他のエリアＲ１のサイズは適宜変更可能である。例えば、その他のエリアＲ１のサイズは、表示装置４１の表示領域と同サイズであっても良く、この場合、表示装置４１には未搭載機種画面のみが表示されることとなる。
また、図８９（ｃ）に示す例では、見かけ上、その他のエリアＲ１を搭載機種に対応する各エリアよりも手前側に表示しているが、その他のエリアＲ１の表示位置は適宜変更可能であり、例えば、その他のエリアＲ１をサブ表示装置４２に表示しても良い。
【０４９４】
未搭載機種画面で大当り結果（特別結果）が導出されるよう構成すると、未搭載機種に対応するリーチ変動演出を実行するためのデータのうちの、大当りリーチ変動演出を実行するためのデータのみを用意すればよいので、開発時の負担を減らすことができるとともに、データ量を削減することができる。
さらに、未搭載機種に対応するリーチ変動演出中に実行されるリーチ演出（リーチ中演出）として、当該未搭載機種を特徴づけるＳＰリーチ演出のみを実行するよう構成すると、開発時に負担を減らしたりデータ量を削減したりすることができるだけでなく、未搭載機種に対して興味を抱かせることが可能となる。図８９（ｂ），（ｃ）に示す例では、未搭載機種画面において、飾り保留表示が消えているが、無論、未搭載機種画面に飾り保留表示を表示することも可能である。
【０４９５】
なお、全搭載機種が解放されている場合であって今回実行する変動演出が大当りリーチ変動演出である場合（ステップＣ２００；Ｙ）に、ステップＣ２０１〜Ｃ２０４の処理を行ったが、全搭載機種が解放されている場合であって今回実行する変動演出がはずれリーチ変動演出である場合（ステップＣ２００；Ｎ）にも、ステップＣ２０１〜Ｃ２０４の処理を行うようにしても良い。この場合、ステップＣ２０５の処理に替えて、ステップＣ２０１〜Ｃ２０４の処理を行うこととなる。
【０４９６】
このように、本実施形態の遊技機１０によれば、所定条件の成立に基づきゲームを実行し、当該ゲームの結果が所定結果となった場合に、遊技者に有利な特別遊技を実行可能な遊技機において、複数のコンテンツ（本実施形態の場合、機種）の中から何れか一つを設定するコンテンツ設定手段（演出制御装置３００）と、コンテンツ設定手段によって設定されているコンテンツ（選択機種）に対応する演出を実行して、当該コンテンツに関する映像を表示装置４１に表示する演出制御手段（演出制御装置３００）と、を備え、複数のコンテンツのそれぞれには、解放条件が設定されており（図８６（ａ）参照）、コンテンツ設定手段は、複数のコンテンツのうちの解放条件を満たしているコンテンツ（解放済み機種）の中から何れか一つを設定可能であり、演出制御手段は、所定期間中（本実施形態の場合、特定のリーチ変動中）は、表示装置４１の表示領域を、複数のコンテンツのそれぞれに対応する複数のエリア（本実施形態の場合、４つのエリア）に分割して、解放条件を満たしているコンテンツに対応するエリアには、当該コンテンツがコンテンツ設定手段によって設定されているか否かにかかわらず当該コンテンツに関する映像を表示するとともに、解放条件を満たしていないコンテンツ（未解放機種）に対応するエリアには、当該コンテンツに関する映像以外の映像を表示するよう構成されている。
【０４９７】
これにより、解放条件を満たしているコンテンツ（解放済み機種）の範囲内で設定するコンテンツ（選択機種）を切り替えて、当該コンテンツに対応する演出を行うことができる。さらに、所定期間中（特定のリーチ変動中）は、解放条件を満たしているコンテンツに関する映像を同時に表示するとともに、解放条件を満たしていないコンテンツに関する映像以外の映像を表示する演出を行うことができる。したがって、他の遊技機とは差別化されたより一層の集客効果を得ることが可能な演出を実行することができる。
なお、所定期間中は、特定のリーチ変動中に限定されるものではなく、適宜変更可能であり、例えば、リーチ変動以外の変動中であっても良いし、大当り中であっても良いし、客待ちデモ中であっても良い。すなわち、本実施形態では、リーチ変動演出として、画面分割演出を実行するようにしたが、これに限定されるものではなく、リーチ変動演出以外の変動演出や、大当り中演出や、客待ちデモ演出として、画面分割演出を実行するよう構成することも可能である。
【０４９８】
さらに、本実施形態の遊技機１０によれば、演出制御手段（演出制御装置３００）は、解放条件を満たしていないコンテンツ（未解放機種）に対応するエリアに、ブランク映像（無地画面（図８９（ａ）参照））、或いは、複数のコンテンツ以外のコンテンツに関する映像（未搭載機種画面（図８９（ｂ）参照））を表示するよう構成することが可能である。
【０４９９】
このように構成することによって、解放条件を満たしていないコンテンツに対応するエリアに表示される映像から、当該コンテンツに関する映像から得られる情報以外の情報を得ることができる。
具体的には、ブランク映像（無地画面）が表示される場合には、ブランク映像が表示されているエリアの数によって、解放条件を満たしていないコンテンツ（未解放機種）の数を得ることができるので、未解放機種に対する遊技意欲を高めることが可能となる。
また、複数のコンテンツ以外のコンテンツに関する映像（未解放機種画面）が表示される場合には、未搭載機種に関する映像から得られる情報を得ることができるので、未搭載機種に対する遊技意欲を高めることが可能となるとともに、解放条件を満たしていないコンテンツ（未解放機種）に対応するエリアが多い場合であっても、未搭載機種を体験できたという満足感を与えることができる。
【０５００】
なお、未解放機種に対応するエリアが複数ある場合には、当該複数のエリアの何れかに無地画面を表示して、残りのエリアに未搭載機種画面を表示しても良い。また、この場合、特定モードにおける特図変動表示ゲームの実行回数が増加するにつれて、無地画面が表示されるエリアが減少（未搭載機種画面が表示されるエリアが増加）していくようにしても良い。また、この場合、所有ポイント数（後述）やパスワード入力（後述）によって、無地画面が表示されるエリアの数や、未搭載機種画面が表示されるエリアの数を遊技者がカスタマイズできるようにしても良い。
【０５０１】
また、本実施形態の遊技機１０によれば、解放条件を満たしていないコンテンツ（未解放機種）に対応するエリアには、当該コンテンツに関する映像を当該映像から得られる情報量が制限された状態で表示（本実施形態の場合、曖昧画面を表示）するよう構成されている。
【０５０２】
これにより、解放条件を満たしているコンテンツ（解放済み機種）の範囲内で設定するコンテンツ（選択機種）を切り替えて、当該コンテンツに対応する演出を行うことができる。さらに、所定期間中（特定のリーチ変動中）は、解放条件を満たしているコンテンツに関する映像を同時に表示するとともに、解放条件を満たしていないコンテンツ（未解放機種）に関する映像を当該映像から得られる情報が制限された状態で表示（曖昧画面を表示）する演出を行うことができる。したがって、他の遊技機とは差別化されたより一層の集客効果を得ることが可能な演出を実行することができる。
【０５０３】
さらに、本実施形態の遊技機１０によれば、演出制御手段（演出制御装置３００）は、解放条件を満たしていないコンテンツ（未解放機種）に対応するエリアに、当該コンテンツに関する映像に基づき生成された映像であって、少なくとも一部にモザイクがかかった映像、少なくとも一部が塗りつぶされた映像、及びフェードイン映像のうちの何れかを表示するよう構成することが可能である。
【０５０４】
このように構成することによって、解放条件を満たしていないコンテンツ（未解放機種）に対応するエリアに表示された映像によって、当該コンテンツに対して興味を抱かせることができる。
【０５０５】
なお、特定モードにおける特図変動表示ゲームの実行回数に応じて、曖昧画面として表示する映像の種類を異ならせても良い。
また、所有ポイント数（後述）やパスワード入力（後述）によって、曖昧画面として表示する映像の種類を遊技者がカスタマイズできるようにしても良い。
また、曖昧画面として、ゲームの進行に伴って得られる情報量が徐々に多くなっていく画面や、ゲームの進行にかかわらず得られる情報量が一定の画面を表示するようにしたが、曖昧画面は、ゲームの進行に伴って得られる情報量が徐々に少なくなっていく画面であっても良い。
【０５０６】
また、本実施形態の遊技機１０によれば、演出の種類を指定するコマンドを演出制御手段（演出制御装置３００）に送信する遊技制御手段（遊技制御装置１００）を備え、演出制御手段は、演出態様を記憶する記憶手段（ＰＲＯＭ３２１や、ＰＲＯＭ３２１から読み出した情報を記憶したＦｅＲＡＭ３２３）の中から、コンテンツ設定手段（演出制御装置３００）によって設定されているコンテンツ（選択機種）に対応する演出の演出態様のうちの、遊技制御手段からのコマンドによって指定された演出の種類に対応する演出態様を取得して、当該取得した演出態様で演出を実行するよう構成されている。
【０５０７】
これにより、コンテンツ設定手段（演出制御装置３００）によって設定されているコンテンツ（選択機種）が異なれば、遊技制御手段（遊技制御装置１００）からのコマンドによって指定された演出の種類が同一であっても、演出態様が異なるので、多種多様の演出を実行することができる。したがって、他の遊技機とは差別化されたより一層の集客効果を得ることが可能な演出を実行可能となる。
【０５０８】
さらに、本実施形態の遊技機１０によれば、演出制御手段（演出制御装置３００）が所定の一のコマンドを受信したことに応じて実行する演出（本実施形態の場合、リーチ変動演出）に関し、コンテンツ設定手段（演出制御装置３００）によって、複数のコンテンツ（搭載機種）のうちの一のコンテンツ（例えば「機種Ａ」）が設定されている場合と、当該一のコンテンツ以外のコンテンツ（例えば「機種Ｂ」）が設定されている場合とでは、当該演出中に所定の状態が発生するタイミング（本実施形態の場合、左、中、右の各飾り特別図柄が停止するタイミングや、リーチ演出が開始するタイミング）が異なるよう構成することが可能である（図８８参照）。
【０５０９】
このように構成することによって、複数のコンテンツ（搭載機種）には、演出中に所定の状態が発生するタイミングが他のコンテンツと異なるコンテンツが含まれるため、コンテンツ間でのタイミングの違いを楽しませることができる。
なお、所定の一のコマンドを受信したことに応じて実行する演出は、リーチ変動演出に限定されるものではなく、適宜変更可能である。
【０５１０】
〔客待ちデモ編集処理〕
図８１には、上述のメイン処理における客待ちデモ編集処理（ステップＣ１４）を示した。この客待ちデモ編集処理では、まず、既に客待ちデモを実行しているかを判定する（ステップＣ２０１）。
既に客待ちデモを実行していると判定した場合（ステップＣ２０１；Ｙ）には、プッシュボタン（演出ボタン２５）の操作有効期間中であるかを判定する（ステップＣ２０９）。
一方、既に客待ちデモを実行していないと判定した場合（ステップＣ１４；Ｎ）には、客待ちデモコマンドを受信したかを判定する（ステップＣ２０２）。
客待ちデモコマンドを受信していないと判定した場合（ステップＣ２０２；Ｎ）、すなわち客待ちデモコマンド受信フラグがセットされていない場合には、客待ちデモ編集処理を終了する。
【０５１１】
一方、客待ちデモコマンドを受信したと判定した場合（ステップＣ２０２；Ｙ）、すなわち客待ちデモコマンド受信フラグがセットされている場合には、客待ちデモコマンド受信フラグをクリアして（ステップ２０３）、客待ち制御テーブルポインタを０クリアする（ステップＣ２０４）。
次いで、客待ち制御テーブルポインタに対応するデモ制御タイマを設定して（ステップＣ２０５）、デモステータスとして図柄表示Ａを設定する（ステップＣ２０６）。本実施形態の場合、デモステータスとして、客待ちデモ開始から１０秒位の間は“図柄表示Ａ”が、図柄表示Ａの終了から１１０秒位の間は“図柄表示Ｂ”が、図柄表示Ｂの終了から３０秒位の間は“ムービー表示”が、ムービー表示終了から１２０秒位の間は“図柄表示Ｃ”が、図柄表示Ｃの終了から３０秒位の間は“ムービー表示”が設定される。なお、装飾やＢＧＭと絡めてデモステータスをさらに細分化することも可能である。
【０５１２】
次いで、デモ中プッシュボタン有効フラグを無効に設定し（ステップＣ２０７）、選択機種情報領域にセーブされている情報（選択機種情報）に対応する図柄表示画面の描画設定を行って（ステップＣ２０８）、プッシュボタン（演出ボタン２５）の操作有効期間中であるかを判定する（ステップＣ２０９）。役物装置や装飾装置やスピーカ装置については客待ち前の状態（変動時の状態等）をしばらく継続するため、ステップＣ２０８では（すなわち、客待ちデモの開始時には）、表示装置演出に関する設定のみを行って、役物装置演出や装飾装置演出やスピーカ装置演出に関する設定は行わない。
プッシュボタン（演出ボタン２５）の操作有効期間中でないと判定した場合（ステップＣ２０９；Ｎ）には、デモ制御タイマを−１更新して（ステップＣ２１０）、デモ制御タイマが０であるかを判定する（ステップＣ２１１）。
【０５１３】
一方、プッシュボタン（演出ボタン２５）の操作有効期間中であると判定した場合（ステップＣ２０９；Ｙ）には、プッシュボタン（演出ボタン２５）の押下入力があったかを判定する（ステップＣ２１２）。本実施形態の場合、客待ちデモの実行中に演出ボタン２５の押下入力を受け付けると、演出制御装置３００は、図柄表示Ｂや図柄表示Ｃやムービー表示をスキップさせるよう構成されている。すなわち、ムービー表示を停止させたいときや開始させたいときに、遊技者は演出ボタン２５を押下するようになっている。
プッシュボタン（演出ボタン２５）の押下入力がなかったと判定した場合（ステップＣ２１２；Ｎ）には、デモ制御タイマを−１更新して（ステップＣ２１０）、デモ制御タイマが０であるかを判定する（ステップＣ２１１）。
デモ制御タイマが０でないと判定した場合（ステップＣ２１１；Ｎ）には、客待ちデモ編集処理を終了する。
【０５１４】
また、プッシュボタン（演出ボタン２５）の押下入力があったと判定した場合（ステップＣ２１２；Ｙ）、或いは、デモ制御タイマが０であると判定した場合（ステップＣ２１１；Ｙ）には、客待ち制御テーブルポインタを＋１更新して（ステップＣ２１３）、客待ち制御テーブルポインタの値が上限値以上であるかを判定する（ステップＣ２１４）。
客待ち制御テーブルポインタの値が上限値以上であると判定した場合（ステップＣ２１４；Ｙ）には、客待ち制御テーブルポインタとして戻り位置のポインタ値を設定し（ステップＣ２１５）、客待ち制御テーブルポインタに対応するデモ制御タイマを設定する（ステップＣ２１６）。
一方、客待ち制御テーブルポインタの値が上限値以上でないと判定した場合（ステップＣ２１４；Ｎ）には、ステップＣ２１５の処理を行わずに、客待ち制御テーブルポインタに対応するデモ制御タイマを設定する（ステップＣ２１６）。
【０５１５】
次いで、客待ち制御テーブルポインタに対応するデモステータスの設定（ステップＣ２１７）、客待ち制御テーブルポインタに対応するデモ中プッシュボタン有効フラグの設定（ステップＣ２１８）、客待ち制御テーブルポインタに対応する装飾番号の設定（ステップＣ２１９）、客待ち制御テーブルポインタに対応する音声番号の設定（ステップＣ２２０）を行う。なお、音声番号としては無音を示す番号が設定される場合もある。
次いで、選択機種情報に対応する画面（デモムービー画面又は図柄表示画面）の描画設定を行って（ステップＣ２２１）、客待ちデモ編集処理を終了する。
【０５１６】
〔機種強制切替処理〕
図８２には、上述のメイン処理における機種強制切替処理（ステップＣ１５）を示した。
ここで、本実施形態の遊技機１０において、演出制御装置３００は、時間の経過に伴い選択機種を強制的に切り替えるよう構成されている。
図９１〜図９３は、選択機種を強制的に切り替える時の表示の一例を示す図である。
例えば選択機種が「機種Ａ」である場合、演出制御装置３００は、図９１（ａ）に示すように、「機種Ａ」に対応する演出を実行する。その際、右側のサブ表示装置４２に、選択機種を報知する画像（この例では、指さし画像）の表示、未解放機種の解放までの日数の表示等を行う。なお、この例では、右側のサブ表示装置４２に、解放済み機種の機種名（「機種Ａ」〜「機種Ｃ」）に加えて、未解放機種の機種名（「機種Ｄ」）も表示されているが、未解放機種の機種名は表示しなくても良い。また、選択機種の強制切替までの残り時間が第１残存時間（本実施形態の場合、１０分）に到達するまでは、未解放機種の情報等を表示しても良い。
【０５１７】
選択機種の強制切替までの残り時間が第１残存時間に到達すると、演出制御装置３００は、図９１（ｂ）に示すように、右側のサブ表示装置４２に、選択機種の強制切替までの残り時間の表示等を行う。
次いで、選択機種の強制切替までの残り時間が第２残存時間（本実施形態の場合、１０秒）に到達すると、演出制御装置３００は、図９１（ｃ）や図９２（ａ），（ｂ）に示すように、右側のサブ表示装置４２に、選択機種の強制切替までの残り時間のカウントダウン表示等を行う。その際、右側のサブ表示装置４２を、表示装置４１の前方まで移動させても良い。
【０５１８】
次いで、選択機種の強制切替までの残り時間が０になると、演出制御装置３００は、特図変動中であるか否かを判定する。そして、特図変動中であると判定した場合には、図９２（ｃ）に示すように、右側のサブ表示装置４２に、切り替え待機メッセージ（この例では「切替待機中！」）の表示等を行って、選択機種の強制切替を待機する。
次いで、図９３（ａ）に示すように、当該変動（実行中の特図変動表示ゲーム）の結果を停止表示すると、演出制御装置３００は、特図変動中でないと判定して、右側のサブ表示装置４２に、新たな選択機種に対応する機種切替メッセージ（この例では「機種Ｂに切り替えます。」）の表示等を行う。そして、図９３（ｂ）に示すように、次の特図変動表示ゲームを開始すると、演出制御装置３００は、当該開始とともに選択機種を「機種Ａ」から「機種Ｂ」へと切り替えて、「機種Ｂ」に対応する演出を開始する。さらに、右側のサブ表示装置４２に、次回切替予告メッセージ（この例では「次の切替は６０分後です！」）の表示等を行う。
【０５１９】
なお、本実施形態では、選択機種の強制切替までの残り時間が０になっても特図変動中である場合には、選択機種の強制切替を待機したが、これに限ることはなく、特図変動中であるか否かにかかわらず、選択機種の切り替えまでの残り時間が０になった時点で、選択機種の強制切替を行っても良い。
また、図９３（ｃ）に示すように、選択機種の強制切替までの残り時間が０になる前に、右側のサブ表示装置４２等に、次の選択機種に対応する演出を表示しても良い。
【０５２０】
図９４〜図９７は、選択機種を強制的に切り替える時の表示の他の一例を示す図である。図９４〜図９７に示す例は、継続条件（継続回数に対応する同一機種継続条件）を満たす場合には、選択機種の強制切替を行わない点で、図９１〜図９３に示す例と異なる。
例えば選択機種が「機種Ａ」である場合、演出制御装置３００は、図９４（ａ）に示すように、「機種Ａ」に対応する演出を実行する。その際、右側のサブ表示装置４２に、選択機種を報知するメッセージ（この例では「！機種Ａ稼働中！」）の表示、キャラクタ画像やその名前（この例では「虎たろう」）やそのレベル（この例では「Ｌｖ．１」）の表示等を行う。なお、この例では、表示装置４１の表示領域の右下部に選択機種での所有ポイント数を表示しているが、選択機種での所有ポイント数は、サブ表示装置４２に表示しても良い。また、選択機種の強制切替までの残り時間が第１残存時間（本実施形態の場合、１０分）に到達するまでは、未解放機種の情報等を表示しても良い。
【０５２１】
選択機種の強制切替までの残り時間が第１残存時間に到達すると、演出制御装置３００は、図９４（ｂ），（ｃ）に示すように、右側のサブ表示装置４２に、選択機種の強制切替までの残り時間のカウントダウン表示、継続条件メッセージ（この例では「機種Ａを続けて遊技するには５０Ｐｔ必要です。」）の表示等を行う。
次いで、ポイント加算対象の変動演出（図８４のステップＣ５０４参照）としてポイント加算対象のリーチ変動演出を実行し、図９５（ａ）に示すように、そのリーチ変動演出中に行われるリーチ演出（リーチ中演出）が開始すると、演出制御装置３００は、図９５（ｂ）に示すように、当該リーチ変動演出に対応するポイント（この例では、２０Ｐｔ）を、選択機種での所有ポイント数に加算する。そして、当該加算によって選択機種での所有ポイント数が規定値（この例では、１００Ｐｔ）に到達すると、図９５（ｂ）に示すように、キャラクタレベルをアップして、キャラクタ画像の表示態様をキャラクタレベルに対応した表示態様に変更する。
本実施形態の場合、演出制御装置３００は、選択機種の強制切替までの残り時間のカウントダウン表示を、選択機種の強制切替までの残り時間が第１残存時間に到達してから第２残存時間（本実施形態の場合、１０秒）に到達するまでの間は、図９４（ｂ），（ｃ）に示すように、右から左に流れるように表示して、第２残存時間に到達した後は、図９５（ａ），（ｂ），（ｃ）に示すように、流さずに表示するよう構成されている。
【０５２２】
次いで、図９６（ａ）や図９７（ａ）に示すように、選択機種の強制切替までの残り時間が０になると、演出制御装置３００は、特図変動中であるか否か、継続条件（継続回数に対応する同一機種継続条件）を満たすか否かを判定する。
そして、特図変動中でないと判定し、かつ、継続条件を満たすと判定した場合には、図９６（ｂ）に示すように、右側のサブ表示装置４２に、継続メッセージ（この例では「５０Ｐｔ以上貯まっているので機種Ａを継続します」）の表示等を行って、選択機種の強制切替を中止する。その後、図９６（ｃ）に示すように、次の特図変動表示ゲームを開始すると、演出制御装置３００は、右側のサブ表示装置４２に、次回切替予告メッセージ（この例では「切替まであと６０：００！」）の表示等を行う。この次回切替予告メッセージは、所定時間経過後に消去される。
【０５２３】
一方、特図変動中でないと判定し、かつ、継続条件を満たさないと判定した場合には、図９７（ｂ）に示すように、右側のサブ表示装置４２に、新たな選択機種に対応する機種切替メッセージ（この例では「機種Ｂに切り替えます。」）の表示等を行う。そして、図９７（ｃ）に示すように、次の特図変動表示ゲームを開始すると、演出制御装置３００は、当該開始とともに選択機種を「機種Ａ」から「機種Ｂ」へと切り替えて、「機種Ｂ」に対応する演出を開始する。また、表示装置４１の表示領域の右下部に表示している所有ポイント数を、「機種Ａ」での所有ポイント数から「機種Ｂ」での所有ポイント数へと切り替える。さらに、右側のサブ表示装置４２に、次回切替予告メッセージ（この例では「切替まであと６０：００！」）の表示等を行う。この次回切替予告メッセージは、所定時間経過後に消去される。
なお、本実施形態では、所有ポイント数を、搭載機種毎に分けて管理しているが、これに限ることはなく、所有ポイント数は、全搭載機種で共通としても良い。
【０５２４】
図８２に示す機種強制切替処理は、図９４〜図９７に示す機種強制切替を実行するための処理である。この機種強制切替処理では、まず、機種の強制切替までの残り時間を計時する機種強制切替タイマが０でなければ−１更新し（ステップＣ３０１）、当該機種強制切替タイマに基づいて、選択機種の強制切替までの残り時間が第１残存時間（本実施形態の場合、１０分）以下であるかを判定する（ステップＣ３０２）。
選択機種の強制切替までの残り時間が第１残存時間以下でないと判定した場合（ステップＣ３０２；Ｎ）には、機種強制切替タイマがタイムアップしたかを判定する（ステップＣ３０５）。
一方、選択機種の強制切替までの残り時間が第１残存時間以下であると判定した場合（ステップＣ３０２；Ｙ）には、選択機種の強制切替までの残り時間の描画設定を行い（ステップＣ３０３）、継続回数に対応する同一機種継続条件の描画設定を行う（ステップＣ３０４）。これにより、サブ表示装置４２にて、図９４（ｂ）等に示すような表示が行われる。そして、機種強制切替タイマがタイムアップしたかを判定する（ステップＣ３０５）。
【０５２５】
機種強制切替タイマがタイムアップしていないと判定した場合（ステップＣ３０５；Ｎ）、すなわち機種強制切替タイマの値が０でない場合には、機種強制切替処理を終了する。
一方、機種強制切替タイマがタイムアップしたと判定した場合（ステップＣ３０５；Ｙ）には、特図変動中であるかを判定する（ステップＣ３０６）。飾り特別図柄の変動表示が停止した瞬間に選択機種が切り替わることを防止するために、ステップＣ３０６では、飾り特別図柄の変動表示が停止してから一定時間が経過したかを判定する。
【０５２６】
特図変動中であると判定した場合（ステップＣ３０６；Ｙ）、すなわち飾り特別図柄の変動表示が停止してから一定時間が経過していない場合には、切り替え待機メッセージの描画設定を行って（ステップＣ３０７）、機種強制切替処理を終了する。これにより、サブ表示装置４２にて、図９６（ａ）や図９７（ａ）に示すような表示が行われる。
一方、特図変動中でないと判定した場合（ステップＣ３０６；Ｎ）、すなわち飾り特別図柄の変動表示が停止してから一定時間が経過した場合には、継続条件（継続回数に対応する同一機種継続条件）を満たしているかを判定する（ステップＣ３０８）。
【０５２７】
ここで、本実施形態においては、図９８に示すように、継続回数に対応する同一機種継続条件のうちの、継続回数“０回”に対応する同一機種継続条件（第１ステージクリア条件）は「選択機種での所有ポイント数が５０Ｐｔ以上」であり、継続回数“１回”に対応する同一機種継続条件（第２ステージクリア条件）は「選択機種での所有ポイント数が１００Ｐｔ以上、かつ、キャラクタレベル５以上」であり、継続回数が“２回”に対応する同一機種継続条件（第３ステージクリア条件）は「選択機種での所有ポイント数が３００Ｐｔ以上、かつ、キャラクタレベル２０以上、かつ、演出が５種類以上出現した」である。なお、継続回数“３回”以上に対応する同一機種継続条件については省略する。
このように、ステージが上がるにつれて（すなわち、継続回数が増加するにつれて）、ステージをクリアすること（継続条件を満たすこと）が困難になるため、同一機種を継続して遊技するためには、当該機種をやり込む必要がある。
選択機種が切り替わった場合（強制切替だけでなく、ポイント消費による切替（図８３参照）も含む。）には継続回数が０回にリセットされるため、選択機種が切り替わる前のステージにかかわらず、第１ステージから開始する。
【０５２８】
なお、本実施形態では、ポイント交換で演出パターン等を追加することができる（図８５参照）。さらに、それだけでなく、ステージのクリアでも演出パターン等が追加できるよう構成することも可能である。ステージのクリアで追加される演出パターンと、ポイント交換で追加される演出パターンとは、同一であっても良いし、異なっていても良い。
また、本実施形態では、継続条件（継続回数に対応する同一機種継続条件）を、全搭載機種で同一としたが、これに限ることはなく、継続条件は、搭載機種毎に異なっていても良い。
【０５２９】
継続条件を満たしていると判定した場合（ステップＣ３０８；Ｙ）には、継続回数を＋１更新し（ステップＣ３０９）、継続メッセージの描画設定を行う（ステップＣ３１０）。これにより、サブ表示装置４２にて、図９６（ｂ）に示すような表示が行われる。次いで、機種強制切替タイマ領域に初期値（例えば、６０分）をセーブして（ステップＣ３１６）、機種強制切替処理を終了する。
一方、継続条件を満たしていないと判定した場合（ステップＣ３０８；Ｎ）には、選択機種が切り替わるので継続条件をリセットするために、継続回数を０クリアして（ステップＣ３１１）、選択機種を切り替えるために、解放済み機種の範囲内で選択機種情報（選択機種情報領域にセーブされている情報）を更新する（ステップＣ３１２）。
次いで、新たな選択機種に対応する機種切替メッセージの描画設定を行う（ステップＣ３１３）。これにより、サブ表示装置４２にて、図９７（ｂ）に示すような表示が行われる。
【０５３０】
次いで、新たな選択機種に対応する画面の描画設定を行って（ステップＣ３１４）、新たな選択機種に対応する内部情報の初期化を行い（ステップＣ３１５）、機種強制切替タイマ領域に初期値（例えば、６０分）をセーブして（ステップＣ３１６）、機種強制切替処理を終了する。
なお、本実施形態では、「機種Ａ」→「機種Ｂ」→「機種Ｃ」→「機種Ｄ」→「機種Ａ」→…の順（未解放機種は飛ばす）で、選択機種を切り替えるよう構成したが、これに限ることはなく、例えば、抽選によって新たな選択機種を決定しても良い。この場合、切り替え前後で選択機種が同一になることもある。また、この場合、切り替え後の選択機種（新たな選択機種）を報知する演出（ルーレット演出等）を行うことも可能である。
【０５３１】
また、図９９〜図１０２に示すように、同一機種での遊技を継続するために必要な所有ポイント数が足りない場合には、遊技者に、所有ポイント数を増やすチャンスを与えるよう構成することも可能である。
例えば選択機種が「機種Ａ」である場合、演出制御装置３００は、図９９（ａ）に示すように、「機種Ａ」に対応する演出を実行する。
選択機種の強制切替までの残り時間が第１残存時間に到達すると、演出制御装置３００は、図９９（ｂ）に示すように、右側のサブ表示装置４２に、選択機種の強制切替までの残り時間のカウントダウン表示、継続条件メッセージの表示等を行う。
【０５３２】
次いで、選択機種での所有ポイント数が少なく、継続条件（継続回数に対応する同一機種継続条件）を満たさない場合には、演出制御装置３００は、図９９（ｃ）に示すように、右側のサブ表示装置４２に、ポイント不足メッセージ（この例では「機種Ａ継続にはポイントがたりません。」）の表示、ポイント獲得ゲームにチャレンジするか否か尋ねるメッセージ（この例では「ポイントゲットにチャレンジしますか？」）の表示等を行う。そして、図１００（ａ）に示すように、右側のサブ表示装置４２に、ポイント獲得ゲームにチャレンジするか否かを、演出操作部５５０を操作して選択するよう促す表示等を行う。
遊技者が演出操作部５５０を操作して、ポイント獲得ゲームにチャレンジすることを選択した場合には、図１００（ｂ）に示すように、右側のサブ表示装置４２に、ポイント獲得ゲームの内容を示すメッセージ（この例では「連打で桃が割れれば１０Ｐｔゲットだ！」）の表示等を行って、図１００（ｃ）に示すように、右側のサブ表示装置４２に、ポイント獲得ゲーム演出を表示する。
なお、ポイント獲得ゲーム演出の表示位置は、右側のサブ表示装置４２に限ることはなく、例えば、ポイント獲得ゲーム演出の終了タイミングが当該変動の終了前になるのであれば、ポイント獲得ゲーム演出を表示装置４１で行っても良いし、表示装置４１で実行されている演出が置き換え可能な演出であれば、当該演出に替えてポイント獲得ゲーム演出を表示装置４１で行っても良い。
【０５３３】
そして、ポイント加算対象となるボタン操作条件が成立した場合（図８４のステップＣ５０７参照）、具体的には、例えば、連打回数が所定回数以上であった場合には、演出制御装置３００は、図１０１（ａ）に示すように、右側のサブ表示装置４２に、ポイント獲得ゲームに成功したことを示す画像を表示して、図１０１（ｂ）に示すように、操作に対応するポイント値（この例では、１０Ｐｔ）を、選択機種での所有ポイント数に加算して、図１０１（ｃ）に示すように、継続メッセージ（この例では「！到達！  ５０Ｐｔ貯まったので機種Ａを継続できます」）の表示等を行う。
一方、ポイント加算対象となるボタン操作条件が成立しなかった場合、具体的には、例えば、連打回数が所定回数未満であった場合には、演出制御装置３００は、図１０２（ａ），（ｂ）に示すように、右側のサブ表示装置４２に、ポイント獲得ゲームに失敗したことを示す画像を表示して、図１０２（ｃ）に示すように、継続不可メッセージ（この例では「残念でした。次に期待‥。」）の表示等を行う。
【０５３４】
このように、本実施形態の遊技機１０によれば、所定条件の成立に基づきゲームを実行し、当該ゲームの結果が所定結果となった場合に、遊技者に有利な特別遊技を実行可能な遊技機において、複数のコンテンツ（本実施形態の場合、機種）の中から何れか一つを設定するコンテンツ設定手段（演出制御装置３００）と、コンテンツ設定手段によって設定されているコンテンツ（選択機種）に対応する演出を実行する演出制御手段（演出制御装置３００）と、を備え、複数のコンテンツのそれぞれには、解放条件及び継続条件が設定されており（図８６（ａ）及び図９８参照）、コンテンツ設定手段は、複数のコンテンツのうちの解放条件を満たしているコンテンツ（解放済み機種）の中から何れか一つを設定可能であり、所定時間（本実施形態の場合、６０分）が経過する度に、設定しているコンテンツとは異なるコンテンツを設定するコンテンツ切替処理を行い（ステップＣ３１１〜Ｃ３１５）、設定しているコンテンツが継続条件を満たしている場合（ステップＣ３０８；Ｙ）には、コンテンツ切替処理の実行を中止するよう構成されている。
【０５３５】
これにより、解放条件を満たしているコンテンツ（解放済み機種）の範囲内で設定するコンテンツ（選択機種）を切り替えて、当該コンテンツに対応する演出を行うことができる。さらに、所定時間が経過する度にコンテンツ（選択機種）が切り替わるため、遊技者は複数のコンテンツで遊技することができる。また、設定中のコンテンツ（選択機種）が継続条件を満たしている場合には当該コンテンツの切替が中止されるため、遊技者はお気に入りのコンテンツで継続して遊技することができる。したがって、他の遊技機とは差別化されたより一層の集客効果を得ることが可能な演出を実行可能となる。
【０５３６】
さらに、本実施形態の遊技機１０によれば、解放条件及び／又は継続条件は、コンテンツ（本実施形態の場合、機種）毎に異なるよう構成することが可能である。
【０５３７】
このように構成することによって、コンテンツ（機種）毎に、コンテンツ設定手段によって設定可能となるタイミングや、コンテンツ切替処理が中止可能となるタイミングが異なるので、コンテンツの切替や継続に変化を持たせることができる。
【０５３８】
さらに、本実施形態の遊技機１０によれば、継続条件は、コンテンツ切替処理が中止された回数（継続回数）毎に異なるよう構成することが可能である。
【０５３９】
このように構成することによって、コンテンツ（機種）の継続回数が増える毎に継続条件が変化するので、コンテンツ切替処理が中止可能となるタイミングに変化を持たせることができる。
【０５４０】
〔遊技者機種選択処理〕
図８３には、上述のメイン処理における遊技者機種選択処理（ステップ１６）を示した。
ここで、本実施形態の遊技機１０においては、遊技者が選択機種を切り替えることができるよう構成されている。
図８３に示すように、遊技者機種選択処理では、まず、機種選択モード中であるかを判定する（ステップＣ４０１）。
機種選択モード中でないと判定した場合（ステップＣ４０１；Ｎ）、すなわち機種選択モード中フラグがセットされていない場合には、機種の選択が可能な遊技状態であるかを判定する（ステップＣ４０２）。具体的には、ステップＣ４０２では、客待ち中である場合等に、機種の選択が可能な遊技状態であると判定する。
機種の選択が可能な遊技状態であると判定した場合（ステップＣ４０２；Ｙ）には、機種選択開始操作があったかを判定する（ステップＣ４０３）。
【０５４１】
機種の選択が可能な遊技状態でないと判定した場合（ステップＣ４０２；Ｎ）、或いは、機種選択開始操作がなかったと判定した場合（ステップＣ４０３；Ｎ）には、遊技者機種選択処理を終了する。
一方、機種選択開始操作があったと判定した場合（ステップＣ４０３；Ｙ）には、機種選択モード中フラグをセットして（ステップＣ４０４）、機種選択メニューの描画設定を行い（ステップＣ４０５）、機種選択に必要なポイント消費メッセージの描画設定を行って（ステップＣ４０６）、遊技者機種選択処理を終了する。これにより、サブ表示装置４２に、機種選択メニューや、機種選択に必要なポイント消費メッセージが表示される。
【０５４２】
また、機種選択モード中であると判定した場合（ステップＣ４０１；Ｙ）、すなわち機種選択モード中フラグがセットされている場合には、機種の選択が可能な遊技状態であるかを判定する（ステップＣ４０７）。具体的には、ステップＣ４０７では、特図変動中でない場合等に、機種の選択が可能な遊技状態であると判定する。
機種の選択が可能な遊技状態でないと判定した場合（ステップＣ４０７；Ｎ）には、ステップＣ４２０の処理に移行する。
一方、機種の選択が可能な遊技状態であると判定した場合（ステップＣ４０７；Ｙ）には、機種選択操作があったかを判定する（ステップＣ４０８）。
機種選択操作がなかったと判定した場合（ステップＣ４０８；Ｎ）には、機種決定操作があったかを判定する（ステップＣ４１１）。
【０５４３】
一方、機種選択操作があったと判定した場合（ステップＣ４０８；Ｙ）には、機種選択操作に対応する機種選択メニューの描画設定を行い（ステップＣ４０９）、機種選択に必要なポイント消費メッセージの描画設定を行う（ステップＣ４１０）。これにより、サブ表示装置４２に、機種選択操作に対応する機種選択メニューや、機種選択に必要なポイント消費メッセージが表示される。そして、機種決定操作があったかを判定する（ステップＣ４１１）。
機種決定操作がなかったと判定した場合（ステップＣ４１１；Ｎ）には、キャンセル操作があったかを判定する（ステップＣ４１９）。
一方、機種決定操作があったと判定した場合（ステップＣ４１１；Ｙ）には、機種選択に必要なポイントを所有しているかを判定する（ステップＣ４１２）。
【０５４４】
機種選択に必要なポイントを所有していないと判定した場合（ステップＣ４１２；Ｎ）には、ポイント不足メッセージの描画設定を行う（ステップＣ４１８）。これにより、サブ表示装置４２に、ポイント不足メッセージが表示される。そして、キャンセル操作があったかを判定する（ステップＣ４１９）。
一方、機種選択に必要なポイントを所有していると判定した場合（ステップＣ４１２；Ｙ）には、選択機種での所有ポイント数から所定のポイント値を減算して（ステップＣ４１３）、新たな選択機種に対応する機種切替メッセージの描画設定を行う（ステップＣ４１４）。これにより、サブ表示装置４２に、新たな選択機種に対応する機種切替メッセージが表示される。その後、新たな選択機種に対応する画面の描画設定を行って（ステップＣ４１５）、新たな選択機種に対応する内部情報の初期化を行い（ステップＣ４１６）、機種選択モード中フラグをクリアして（ステップＣ４１７）、キャンセル操作があったかを判定する（ステップＣ４１９）。なお、機種決定操作とキャンセル操作は同時に成立しない。したがって、ステップＣ４１７からステップＣ４１９に移行した場合には、ステップＣ４１９でキャンセル操作がなかったと判定される。
【０５４５】
キャンセル操作がなかったと判定した場合（ステップＣ４１９；Ｎ）には、遊技者機種選択処理を終了する。
一方、キャンセル操作があったと判定した場合（ステップＣ４１９；Ｙ）には、ステップＣ４２０の処理に移行する。
ステップＣ４２０では、機種選択モード中フラグをクリアする（ステップＣ４２０）。そして、機種選択メニューの消去設定を行い（ステップＣ４２１）、機種選択に必要なポイント消費メッセージの消去設定を行って（ステップＣ４２２）、遊技者機種選択処理を終了する。
【０５４６】
このように、本実施形態の遊技機１０によれば、遊技者が操作可能な操作手段（演出操作部５５０）と、操作手段の操作入力を受け付ける入力受付手段（演出制御装置３００）と、遊技における所定のポイント付与条件の成立に基づき、遊技者にポイントを付与可能なポイント付与手段（演出制御装置３００。図８４参照）と、を備え、コンテンツ設定手段（演出制御装置３００）は、入力受付手段がコンテンツ切替処理の実行を指示する操作入力を受け付けた場合には、ポイント付与手段によって付与されたポイントと引き換えに、コンテンツ切替処理を行うように構成することが可能である。
【０５４７】
このように構成することによって、遊技者は代価（ポイント）を払うことによってコンテンツ（本実施形態の場合、機種）を切り替えることができる。
【０５４８】
〔演出ポイント制御処理〕
図８４に、上述のメイン処理における演出ポイント制御処理（ステップＣ１７）を示した。この演出ポイント制御処理では、まず、ポイント加算対象の先読み演出実行時かを判定する（ステップＣ５０１）。
ポイント加算対象の先読み演出実行時でないと判定した場合（ステップＣ５０１；Ｎ）には、ポイント加算対象の変動演出実行時かを判定する（ステップＣ５０４）。
一方、ポイント加算対象の先読み演出実行時であると判定した場合（ステップＣ５０１；Ｙ）には、選択機種での所有ポイント数に、演出に対応するポイント値を加算し（ステップＣ５０２）、遊技中獲得ポイント数に、演出に対応するポイント値を加算して（ステップＣ５０３）、ポイント加算対象の変動演出実行時かを判定する（ステップＣ５０４）。
【０５４９】
ポイント加算対象の変動演出実行時でないと判定した場合（ステップＣ５０４；Ｎ）には、ポイント加算対象となるボタン操作条件が成立したかを判定する（ステップＣ５０７）。
一方、ポイント加算対象の変動演出実行時であると判定した場合（ステップＣ５０４；Ｙ）には、選択機種での所有ポイント数に、演出に対応するポイント値を加算し（ステップＣ５０５）、遊技中獲得ポイント数に、演出に対応するポイント値を加算して（ステップＣ５０６）、ポイント加算対象となるボタン操作条件が成立したかを判定する（ステップＣ５０７）。
【０５５０】
ポイント加算対象となるボタン操作条件が成立していないと判定した場合（ステップＣ５０７；Ｎ）には、選択機種での所有ポイント数がキャラクタレベルアップ条件を満たしているかを判定する（ステップＣ５１０）。
一方、ポイント加算対象となるボタン操作条件が成立したと判定した場合（ステップＣ５０７；Ｙ）には、選択機種での所有ポイント数に、操作に対応するポイント値を加算して（ステップＣ５０８）、遊技中獲得ポイント数に、操作に対応するポイント値を加算する（ステップＣ５０９）。これにより、図１０１（ｂ）に示すように、選択機種での所有ポイント数がアップする。そして、選択機種での所有ポイント数がキャラクタレベルアップ条件を満たしているかを判定する（ステップＣ５１０）。
【０５５１】
選択機種での所有ポイント数がキャラクタレベルアップ条件を満たしていないと判定した場合（ステップＣ５１０；Ｎ）には、パスワード入力によるポイント復活条件が成立したかを判定する（ステップＣ５１３）。
一方、選択機種での所有ポイント数がキャラクタレベルアップ条件を満たしていると判定した場合（ステップＣ５１０；Ｙ）には、キャラクタレベルを更新し（ステップＣ５１１）、キャラクタレベルアップ演出の描画設定を行う（ステップＣ５１２）。これにより、表示装置４１及びサブ表示装置４２に、図９５（ｂ）に示すような演出が表示される。そして、パスワード入力によるポイント復活条件が成立したかを判定する（ステップＣ５１３）。
【０５５２】
パスワード入力によるポイント復活条件が成立していないと判定した場合（ステップＣ５１３；Ｎ）、すなわち入力されたパスワードが正しくなかった場合には、二次元コード描画操作があったかを判定する（ステップＣ５１６）。
一方、パスワード入力によるポイント復活条件が成立したと判定した場合（ステップＣ５１３；Ｎ）、すなわち入力されたパスワードが正しかった場合には、各搭載機種での所有ポイント数を、パスワードの内容に対応した値に設定し（ステップＣ５１４）、パスワードの内容に対応するキャラクタレベルや、パスワードの内容に対応する搭載機種毎の演出カスタマイズ情報を復元して（ステップＣ５１５）、二次元コード描画操作があったかを判定する（ステップＣ５１６）。
【０５５３】
二次元コード描画操作がなかったと判定した場合（ステップＣ５１６；Ｎ）には、演出ポイント制御処理を終了する。
一方、二次元コード描画操作があったと判定した場合（ステップＣ５１６；Ｙ）には、各搭載機種での所有ポイント数、キャラクタレベル、搭載機種毎の演出カスタマイズ情報からパスワードを生成し（ステップＣ５１７）、生成したパスワードに対応する二次元コードの描画設定を行って（ステップＣ５１８）、演出ポイント制御処理を終了する。
なお、ポイント加算条件は、ポイント加算対象の先読み演出実行時であるという条件、
ポイント加算対象の変動演出実行時であるという条件、ポイント加算対象となるボタン操作条件が成立したという条件に限ることはなく、適宜変更可能であり、ポイント加算条件として、例えば、遊技領域３２中の所定の領域を遊技球が通過したという条件を追加しても良い。
【０５５４】
すなわち、本実施形態では、今回までの遊技情報を次回の遊技でも引き継ぎたい場合には、遊技者は、今回の遊技終了時に、演出操作部５５０を用いて二次元コード描画操作（二次元コードを表示するよう指示する操作）を行い、次回の遊技開始時に、演出操作部５５０を用いてパスワード入力操作を行うよう構成されている。
具体的には、演出制御装置３００は、二次元コード描画操作があった場合に、現時点の遊技情報（各搭載機種での所有ポイント数、キャラクタレベル、搭載機種毎の演出カスタマイズ情報等）に基づいてパスワードを生成し、生成したパスワードに対応する二次元コード（例えば、ＱＲコード（登録商標））を表示装置４１又はサブ表示装置４２に表示する。そして、遊技者は、当該二次元コードを携帯電話等で読み取ってウェブからメインサーバにアクセスすると、当該二次元コードに対応するパスワード（すなわち、ステップＣ５１７で生成したパスワード）が得られる。次回の遊技開始時に、当該パスワードを遊技機１０に入力すると、遊技機１０がメインサーバから、当該パスワードを生成した時の遊技情報（各搭載機種での所有ポイント数、キャラクタレベル、搭載機種毎の演出カスタマイズ情報等）を取得して設定し、前回の遊技終了時の状態から遊技を再開できるようになっている。
なお、パスワードによる遊技の再開で、選択機種や、ステージ（図９８参照）なども引き継げるようにしても良い。
【０５５５】
〔演出カスタマイズ処理〕
図８５には、上述のホール・遊技者設定モード処理における演出カスタマイズ処理（ステップＣ７２）を示した。
ここで、本実施形態の遊技機１０においては、遊技者が演出内容をカスタマイズできるよう構成されている。
図１０３及び図１０４は、遊技者が演出内容をカスタマイズする時の表示の一例を示す図である。
【０５５６】
例えば選択機種が「機種Ａ」である場合、演出制御装置３００は、図１０３（ａ）示すように、「機種Ａ」に対応する演出を実行する。その際、選択機種（ここでは「機種Ａ」）での所有ポイント数が所定値以上である場合には、右側のサブ表示装置４２に、演出内容をカスタマイズできる旨を報知するメッセージ（この例では「演出選べます」）の表示等を行う。
なお、この例では、演出内容をカスタマイズできる旨を報知するメッセージを、右から左に流れるように表示しているが、これに限ることはなく、当該メッセージは流さずに表示することも可能である。
また、選択機種での所有ポイント数が所定値未満である場合には、右側のサブ表示装置４２に、演出内容をカスタマイズできない旨を報知するメッセージ（例えば「あと○○Ｐｔで演出が選べます」）等を表示しても良い。
【０５５７】
演出制御装置３００は、図１０３（ｂ）に示すように、所定のタイミングで、右側のサブ表示装置４２に、演出カスタマイズ開始操作を促す表示等を行う。
遊技者が演出操作部５５０を用いて演出カスタマイズ開始操作を行った場合には、図１０３（ｃ）に示すように、右側のサブ表示装置４２に、演出カスタマイズメニュー（この例では、演出パターンの追加が可能なジャンルを示す変更メニュー）の表示、項目選択操作を促す表示、表示中のメニューの種類を報知するメッセージ（この例では「変更メニュー表示中」）の表示等を行う。
【０５５８】
図１０４（ａ）に示すように、遊技者が演出操作部５５０を用いて項目選択操作を行った場合には、図１０４（ｂ）に示すように、項目選択操作に対応するカスタマイズメニューの表示、項目選択に必要なポイント消費メッセージ（この例では、演出パターンの追加に必要なポイント数を示すメッセージ）の表示、項目決定操作を促す表示、表示中のメニューの種類を報知するメッセージ（この例では「リーチ変更メニュー表示中」）の表示等を行う。
この例では、遊技者が項目選択操作として「リーチ変動演出」を選択する操作を行ったため、項目選択操作に対応するカスタマイズメニューとして、追加可能なリーチ変動演出パターンを示すリーチ変更メニューが表示されている。その際、リーチ変更メニュー中の各演出パターンのサンプルを、右側のサブ表示装置４２に表示することも可能である。また、サンプルの表示は、特定の演出パターン（例えば、プレミア的な演出パターン以外の演出パターン）のみに限定することも可能である。
【０５５９】
遊技者が演出操作部５５０を用いて項目決定操作（この例では、△△リーチパターンを選択して決定する操作）を行った場合には、図１０４（ｃ）に示すように、選択機種での所有ポイント数から所定のポイント値（この例では、△△リーチパターンに対応する１００Ｐｔ）を減算して、右側のサブ表示装置４２に、演出カスタマイズ項目反映メッセージ（この例では「△△リーチで激熱！」）の表示等を行う。
この例では、表示中のメニューの種類を報知するメッセージや、演出カスタマイズ項目反映メッセージを、流さずに固定して表示しているが、これに限ることはなく、これらのメッセージを右から左に流れるように表示することも可能である。
【０５６０】
本実施形態では、同一機種を継続するためにはポイントを貯める必要がある一方で、ポイントを消費しなければ演出内容をカスタマイズすることができない。したがって、同一機種の継続および演出内容のカスタマイズのどちらを優先するか、どのタイミングで演出内容のカスタマイズを行う（ポイントを消費する）か等、遊技自体に加えて新たな興趣を遊技者に提供することができる。
なお、本実施形態では、演出内容のカスタマイズとして、リーチ変動演出や予告演出や先読み演出の演出パターンの追加を可能としたが、これに限ることはなく、例えば、演出表示の表示パターンの追加（具体的には、キャラクタが持っている武器のパターンやキャラクタが着ている服のパターンの追加等）であっても良い。さらに、追加したパターンを採用するか否かを選択できるようにしても良い。また、ポイントを消費しなくても追加できるパターンを設けても良い。
【０５６１】
図８５に示すように、演出カスタマイズ処理では、まず、演出カスタマイズモード中であるかを判定する（ステップＣ８１）。
演出カスタマイズモード中でないと判定した場合（ステップＣ８１；Ｎ）、すなわち演出カスタマイズモード中フラグがセットされていない場合には、演出内容のカスタマイズが可能な遊技状態であるかを判定する（ステップＣ８２）。具体的には、ステップＣ８２では、客待ち中である場合等に、演出内容のカスタマイズが可能な遊技状態であると判定する。
演出内容のカスタマイズが可能な遊技状態であると判定した場合（ステップＣ８２；Ｙ）には、演出カスタマイズ開始操作があったかを判定する（ステップＣ８３）。
【０５６２】
演出内容のカスタマイズが可能な遊技状態でないと判定した場合（ステップＣ８２；Ｎ）、或いは、演出カスタマイズ開始操作がなかったと判定した場合（ステップＣ８３；Ｎ）には、演出カスタマイズ処理を終了する。
一方、演出カスタマイズ開始操作があったと判定した場合（ステップＣ８３；Ｙ）、具体的には、例えば、図１０３（ｂ）において演出操作部５５０が操作された場合には、演出カスタマイズモード中フラグをセットして（ステップＣ８４）、演出カスタマイズメニューの描画設定を行って（ステップＣ８５）、演出カスタマイズ処理を終了する。これにより、サブ表示装置４２にて、図１０３（ｃ）に示すような表示が行われる。
【０５６３】
また、演出カスタマイズモード中であると判定した場合（ステップＣ８１；Ｙ）、すなわち演出カスタマイズモード中フラグがセットされている場合には、演出内容のカスタマイズが可能な遊技状態であるかを判定する（ステップＣ８６）。具体的には、ステップＣ８６では、特図変動中でない場合等に、演出内容のカスタマイズが可能な遊技状態であると判定する。
演出内容のカスタマイズが可能な遊技状態でないと判定した場合（ステップＣ８６；Ｎ）には、ステップＣ９７の処理に移行する。
一方、演出内容のカスタマイズが可能な遊技状態であると判定した場合（ステップＣ８６；Ｙ）には、項目選択操作があったかを判定する（ステップＣ８７）。
項目選択操作がなかったと判定した場合（ステップＣ８７；Ｎ）には、項目決定操作があったかを判定する（ステップＣ９０）。
【０５６４】
一方、項目選択操作があったと判定した場合（ステップＣ８７；Ｙ）、具体的には、例えば、図１０４（ａ）のように演出操作部５５０が操作された場合には、項目選択操作に対応するカスタマイズメニューの描画設定を行い（ステップＣ８８）、項目選択に必要なポイント消費メッセージの描画設定を行う（ステップＣ８９）。これにより、サブ表示装置４２にて、図１０４（ｂ）に示すような表示が行われる。その後、項目決定操作があったかを判定する（ステップＣ９０）。
項目決定操作がなかったと判定した場合（ステップＣ９０；Ｎ）には、演出カスタマイズ終了操作があったかを判定する（ステップＣ９６）。
一方、項目決定操作があったと判定した場合（ステップＣ９０；Ｙ）には、項目選択に必要なポイントを所有しているかを判定する（ステップＣ９１）。
【０５６５】
項目選択に必要なポイントを所有していないと判定した場合（ステップＣ９１；Ｎ）には、ポイント不足メッセージの描画設定を行う（ステップＣ９５）。これにより、サブ表示装置４２に、ポイント不足メッセージが表示される。そして、演出カスタマイズ終了操作があったかを判定する（ステップＣ９６）。
一方、項目選択に必要なポイントを所有していると判定した場合（ステップＣ９１；Ｙ）には、選択機種での所有ポイント数から所定のポイント値を減算して（ステップＣ９２）、決定した項目に対応する演出カスタマイズ項目反映メッセージの描画設定を行い（ステップＣ９３）、決定した項目の演出カスタマイズ情報を設定し、セーブする（ステップＣ９４）。これにより、サブ表示装置４２にて、図１０４（ｃ）に示すような表示が行われる。そして、演出カスタマイズ終了操作があったかを判定する（ステップＣ９６）。
【０５６６】
演出カスタマイズ終了操作がなかったと判定した場合（ステップＣ９６；Ｎ）には、演出カスタマイズ処理を終了する。
一方、演出カスタマイズ終了操作があったと判定した場合（ステップＣ９６；Ｙ）には、ステップＣ９７の処理に移行する。
ステップＣ９７では、演出カスタマイズモード中フラグをクリアする（ステップＣ９７）。そして、演出カスタマイズメニューの消去設定を行って（ステップＣ９８）、演出カスタマイズ処理を終了する。
【０５６７】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。また、本発明をスロットマシンに適用することも可能である。特にスクリーンショット機能や客待ちデモ演出の設定機能を適用可能である。このスロットマシンとしてはメダルを使用するスロットマシンに限られるものではなく、例えば、遊技球を使用するスロットマシンなどの全てのスロットマシンが含まれる。また、上述の各変形例の構成は適宜組み合わせて適用することが可能である。
【０５６８】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０５６９】
１０  遊技機
１００  遊技制御装置（遊技制御手段）
３００  演出制御装置（コンテンツ設定手段、演出制御手段、入力受付手段、ポイント付与手段）
３２１  ＰＲＯＭ（記憶手段）
３２３  ＦｅＲＡＭ（記憶手段）
５５０  演出操作部（操作手段）
【図１】
0006518172.tif 000002
【図２】
0006518172.tif 000003
【図３】
0006518172.tif 000004
【図４】
0006518172.tif 000005
【図５】
0006518172.tif 000006
【図６】
0006518172.tif 000007
【図７】
0006518172.tif 000008
【図８】
0006518172.tif 000009
【図９】
0006518172.tif 000010
【図１０】
0006518172.tif 000011
【図１１】
0006518172.tif 000012
【図１２】
0006518172.tif 000013
【図１３】
0006518172.tif 000014
【図１４】
0006518172.tif 000015
【図１５】
0006518172.tif 000016
【図１６】
0006518172.tif 000017
【図１７】
0006518172.tif 000018
【図１８】
0006518172.tif 000019
【図１９】
0006518172.tif 000020
【図２０】
0006518172.tif 000021
【図２１】
0006518172.tif 000022
【図２２】
0006518172.tif 000023
【図２３】
0006518172.tif 000024
【図２４】
0006518172.tif 000025
【図２５】
0006518172.tif 000026
【図２６】
0006518172.tif 000027
【図２７】
0006518172.tif 000028
【図２８】
0006518172.tif 000029
【図２９】
0006518172.tif 000030
【図３０】
0006518172.tif 000031
【図３１】
0006518172.tif 000032
【図３２】
0006518172.tif 000033
【図３３】
0006518172.tif 000034
【図３４】
0006518172.tif 000035
【図３５】
0006518172.tif 000036
【図３６】
0006518172.tif 000037
【図３７】
0006518172.tif 000038
【図３８】
0006518172.tif 000039
【図３９】
0006518172.tif 000040
【図４０】
0006518172.tif 000041
【図４１】
0006518172.tif 000042
【図４２】
0006518172.tif 000043
【図４３】
0006518172.tif 000044
【図４４】
0006518172.tif 000045
【図４５】
0006518172.tif 000046
【図４６】
0006518172.tif 000047
【図４７】
0006518172.tif 000048
【図４８】
0006518172.tif 000049
【図４９】
0006518172.tif 000050
【図５０】
0006518172.tif 000051
【図５１】
0006518172.tif 000052
【図５２】
0006518172.tif 000053
【図５３】
0006518172.tif 000054
【図５４】
0006518172.tif 000055
【図５５】
0006518172.tif 000056
【図５６】
0006518172.tif 000057
【図５７】
0006518172.tif 000058
【図５８】
0006518172.tif 000059
【図５９】
0006518172.tif 000060
【図６０】
0006518172.tif 000061
【図６１】
0006518172.tif 000062
【図６２】
0006518172.tif 000063
【図６３】
0006518172.tif 000064
【図６４】
0006518172.tif 000065
【図６５】
0006518172.tif 000066
【図６６】
0006518172.tif 000067
【図６７】
0006518172.tif 000068
【図６８】
0006518172.tif 000069
【図６９】
0006518172.tif 000070
【図７０】
0006518172.tif 000071
【図７１】
0006518172.tif 000072
【図７２】
0006518172.tif 000073
【図７３】
0006518172.tif 000074
【図７４】
0006518172.tif 000075
【図７５】
0006518172.tif 000076
【図７６】
0006518172.tif 000077
【図７７】
0006518172.tif 000078
【図７８】
0006518172.tif 000079
【図７９】
0006518172.tif 000080
【図８０】
0006518172.tif 000081
【図８１】
0006518172.tif 000082
【図８２】
0006518172.tif 000083
【図８３】
0006518172.tif 000084
【図８４】
0006518172.tif 000085
【図８５】
0006518172.tif 000086
【図８６】
0006518172.tif 000087
【図８７】
0006518172.tif 000088
【図８８】
0006518172.tif 000089
【図８９】
0006518172.tif 000090
【図９０】
0006518172.tif 000091
【図９１】
0006518172.tif 000092
【図９２】
0006518172.tif 000093
【図９３】
0006518172.tif 000094
【図９４】
0006518172.tif 000095
【図９５】
0006518172.tif 000096
【図９６】
0006518172.tif 000097
【図９７】
0006518172.tif 000098
【図９８】
0006518172.tif 000099
【図９９】
0006518172.tif 000100
【図１００】
0006518172.tif 000101
【図１０１】
0006518172.tif 000102
【図１０２】
0006518172.tif 000103
【図１０３】
0006518172.tif 000104
【図１０４】
0006518172.tif 000105